(57)【要約】本発明の実施形態は、アップリンク制御情報を伝送するための方法および装置を開示する。本発明の実施形態におけるアップリンク制御情報を伝送するための方法は、端末デバイスによって、アクセスネットワークデバイスからスケジューリング情報およびトリガ情報を受信することであって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信することと、端末デバイスによって、Ｍ個のアップリンクサブフレームにおいて、アップリンク制御情報を搬送するためのアップリンクサブフレームを決定することであって、この決定されたアップリンクサブフレームは、Ｍ個のアップリンクサブフレームの中の第１のサブフレーム以外のサブフレームであり、この第１のサブフレームは、Ｍ個のアップリンクサブフレームの中の第１のアップリンクサブフレームである、決定することと、端末デバイスによって、決定されたアップリンクサブフレームにおいてアップリンク制御情報を送信することとを含む。
2019520734.tif 000002
【特許請求の範囲】
【請求項１】
アップリンク制御情報を伝送するための方法であって、
端末デバイスによって、アクセスネットワークデバイスからスケジューリング情報およびトリガ情報を受信するステップであって、前記スケジューリング情報は、Ｍ個のアップリンクサブフレームにおいて、前記スケジューリング情報によってスケジュールされたアップリンクデータを伝送するように前記端末デバイスに命令するために使用され、Ｍは２以上の正の整数であり、前記トリガ情報は、アップリンク制御情報を送信するように前記端末デバイスに命令するために使用される、受信するステップと、
前記端末デバイスによって、前記Ｍ個のアップリンクサブフレームにおいて、前記アップリンク制御情報を搬送するためのアップリンクサブフレームを決定するステップであって、前記決定されたアップリンクサブフレームは、前記Ｍ個のアップリンクサブフレームの中の第１のサブフレーム以外のサブフレームであり、前記第１のサブフレームは、前記Ｍ個のアップリンクサブフレームの中の第１のアップリンクサブフレームである、決定するステップと、
前記端末デバイスによって、前記決定されたアップリンクサブフレームにおいて前記アップリンク制御情報を送信するステップと
を含む方法。
【請求項２】
前記決定されたアップリンクサブフレームは、前記Ｍ個のアップリンクサブフレームの時間系列内の最後のサブフレームまたは時間系列内の最後から２番目のサブフレームである請求項１に記載の方法。
【請求項３】
前記端末デバイスは、サブフレームｎにおいて前記スケジューリング情報を受信し、前記決定されたアップリンクサブフレームは前記Ｍ個のアップリンクサブフレーム内に含まれるアップリンクバーストの時間系列内の、最後のまたは最後から２番目のアップリンクサブフレームであり、前記アップリンクバーストは、時間的に連続して占有される複数のアップリンクサブフレームを指し、前記アップリンクバーストは、前記サブフレームｎを含むダウンリンクバーストの後にあり、前記サブフレームｎを含む前記ダウンリンクバーストに直接隣接する請求項１に記載の方法。
【請求項４】
前記決定されたアップリンクサブフレームにおいてアップリンク情報を伝送するためのＯＦＤＭシンボルの量は、指定された閾値以上である請求項１乃至３のいずれか一項に記載の方法。
【請求項５】
前記スケジューリング情報と前記トリガ情報は同じダウンリンク制御情報内で搬送される請求項１乃至４のいずれか一項に記載の方法。
【請求項６】
前記アップリンク制御情報は、チャネル状態情報、サウンディング基準信号、およびハイブリッド自動再送要求肯定応答のうちの少なくとも１つを含む請求項１乃至５のいずれか一項に記載の方法。
【請求項７】
端末デバイスであって、
アクセスネットワークデバイスからスケジューリング情報およびトリガ情報を受信するように構成された受信ユニットであって、前記スケジューリング情報は、Ｍ個のアップリンクサブフレームにおいて、前記スケジューリング情報によってスケジュールされたアップリンクデータを伝送するように端末デバイスに命令するために使用され、Ｍは２以上の正の整数であり、前記トリガ情報は、アップリンク制御情報を送信するように端末デバイスに命令するために使用される、受信ユニットと、
前記Ｍ個のアップリンクサブフレームにおいて、前記アップリンク制御情報を搬送するためのアップリンクサブフレームを決定するように構成された決定ユニットであって、前記決定されたアップリンクサブフレームは、前記Ｍ個のアップリンクサブフレームの中の第１のサブフレーム以外のサブフレームであり、前記第１のサブフレームは、前記Ｍ個のアップリンクサブフレームの中の第１のアップリンクサブフレームである、決定ユニットと、
前記決定されたアップリンクサブフレームにおいて前記アップリンク制御情報を送信するように構成された送信ユニットと
を備える端末デバイス。
【請求項８】
前記決定ユニットによって決定された前記アップリンクサブフレームは、前記Ｍ個のアップリンクサブフレームの時間系列内の最後のサブフレームまたは時間系列内の最後から２番目のサブフレームである請求項７に記載の端末デバイス。
【請求項９】
前記受信ユニットは、サブフレームｎにおいて前記スケジューリング情報を受信し、前記決定ユニットは、前記Ｍ個のアップリンクサブフレーム内に含まれるアップリンクバーストの時間系列内の最後のまたは最後から２番目のアップリンクサブフレームを、前記アップリンク制御情報を搬送するためのアップリンクサブフレームとして決定するように構成され、前記アップリンクバーストは、時間的に連続して占有される複数のアップリンクサブフレームを指し、前記アップリンクバーストは、前記サブフレームｎを含むダウンリンクバーストの後であり、前記サブフレームｎを含む前記ダウンリンクバーストに直接隣接する請求項７に記載の端末デバイス。
【請求項１０】
前記決定ユニットによって決定された前記アップリンクサブフレームにおいてアップリンク情報を伝送するためのＯＦＤＭシンボルの量は、指定された閾値以上である請求項７乃至９のいずれか一項に記載の端末デバイス。
【請求項１１】
前記スケジューリング情報と前記トリガ情報は同じダウンリンク制御情報内で搬送される請求項７乃至１０のいずれか一項に記載の端末デバイス。
【請求項１２】
前記アップリンク制御情報は、チャネル状態情報、サウンディング基準信号、およびハイブリッド自動再送要求肯定応答のうちの少なくとも１つを含む請求項７乃至１１のいずれか一項に記載の端末デバイス。
【請求項１３】
アップリンク制御情報を伝送するための方法であって、
端末デバイスによって、アクセスネットワークデバイスからスケジューリング情報およびトリガ情報を受信するステップであって、前記スケジューリング情報は、Ｍ個のアップリンクサブフレームにおいて、前記スケジューリング情報によってスケジュールされたアップリンクデータを伝送するように前記端末デバイスに命令するために使用され、Ｍは２以上の正の整数であり、前記トリガ情報は、アップリンク制御情報を送信するように前記端末デバイスに命令するために使用される、受信するステップと、
前記端末デバイスによって、前記Ｍ個のアップリンクサブフレームにおいて、前記アップリンク制御情報を搬送するための少なくとも２つのアップリンクサブフレームを決定するステップと、
前記端末デバイスによって、前記少なくとも２つのアップリンクサブフレームにおいて前記アップリンク制御情報を送信するステップと
を含む方法。
【請求項１４】
前記少なくとも２つのアップリンクサブフレームは、前記Ｍ個のアップリンクサブフレームの時間系列内の最後のサブフレームおよび前記時間系列内の最後から２番目のサブフレームのうちの少なくとも１つを含む請求項１３に記載の方法。
【請求項１５】
前記端末デバイスは、サブフレームｎにおいて前記スケジューリング情報を受信し、前記少なくとも２つのアップリンクサブフレームは、前記Ｍ個のアップリンクサブフレーム内に含まれるアップリンクバーストの時間系列内の最後のアップリンクサブフレームおよび最後から２番目のアップリンクサブフレームのうちの少なくとも１つを含み、前記アップリンクバーストは、時間的に連続して占有される複数のアップリンクサブフレームを指し、前記アップリンクバーストは、前記サブフレームｎを含むダウンリンクバーストの後であり、前記サブフレームｎを含む前記ダウンリンクバーストに直接隣接する請求項１３に記載の方法。
【請求項１６】
前記少なくとも２つのアップリンクサブフレームは、前記Ｍ個のアップリンクサブフレームの前記時間系列内の第１のサブフレームを含む請求項１３乃至１５のいずれか一項に記載の方法。
【請求項１７】
前記少なくとも２つのアップリンクサブフレームにおいて前記アップリンク制御情報を伝送するためのＯＦＤＭシンボルの量は、指定された閾値以上である請求項１３乃至１６のいずれか一項に記載の方法。
【請求項１８】
前記スケジューリング情報と前記トリガ情報は同じダウンリンク制御情報内で搬送される請求項１３乃至１７のいずれか一項に記載の方法。
【請求項１９】
前記アップリンク制御情報は、チャネル状態情報、サウンディング基準信号、およびハイブリッド自動再送要求肯定応答のうちの少なくとも１つを含む請求項１３乃至１８のいずれか一項に記載の方法。
【請求項２０】
前記少なくとも２つのアップリンクサブフレームの各々において搬送される前記アップリンク制御情報は同じである請求項１３乃至１９のいずれか一項に記載の方法。
【請求項２１】
前記少なくとも２つのアップリンクサブフレームは、第１のアップリンクサブフレームと、第２のアップリンクサブフレームとを含み、前記第１のアップリンクサブフレームにおいて搬送されるアップリンク制御情報は、前記第２のアップリンクサブフレームにおいて搬送されるアップリンク制御情報と異なる請求項１３乃至１９のいずれか一項に記載の方法。
【請求項２２】
前記第１のアップリンクサブフレームにおいて搬送される前記アップリンク制御情報の内容は、前記第２のアップリンクサブフレームにおいて搬送される前記アップリンク制御情報の内容と一致しない、または、前記第１のアップリンクサブフレームにおいて搬送される前記制御情報の内容は、前記第２のアップリンクサブフレームにおいて搬送される前記アップリンク制御情報の内容を含む請求項２１に記載の方法。
【請求項２３】
端末デバイスであって、
アクセスネットワークデバイスからスケジューリング情報およびトリガ情報を受信するように構成された受信ユニットであって、前記スケジューリング情報は、Ｍ個のアップリンクサブフレームにおいて、前記スケジューリング情報によってスケジュールされたアップリンクデータを伝送するように端末デバイスに命令するために使用され、Ｍは２以上の正の整数であり、前記トリガ情報は、アップリンク制御情報を送信するように端末デバイスに命令するために使用される、受信ユニットと、
前記Ｍ個のアップリンクサブフレームにおいて、前記アップリンク制御情報を搬送するための少なくとも２つのアップリンクサブフレームを決定するように構成された処理ユニットと、
前記少なくとも２つのアップリンクサブフレームにおいて前記アップリンク制御情報を送信するように構成された送信ユニットと
を備える端末デバイス。
【請求項２４】
前記少なくとも２つのアップリンクサブフレームは、前記Ｍ個のアップリンクサブフレームの時間系列内の最後のサブフレームおよび前記時間系列内の最後から２番目のサブフレームのうちの少なくとも１つを含む請求項２３に記載の端末デバイス。
【請求項２５】
前記受信ユニットは、サブフレームｎにおいて前記スケジューリング情報を受信し、前記少なくとも２つのアップリンクサブフレームは、前記Ｍ個のアップリンクサブフレーム内に含まれるアップリンクバーストの時間系列内の最後のアップリンクサブフレームおよび最後から２番目のアップリンクサブフレームのうちの少なくとも１つを含み、前記アップリンクバーストは、時間的に連続して占有される複数のアップリンクサブフレームを指し、前記アップリンクバーストは、前記サブフレームｎを含むダウンリンクバーストの後であり、前記サブフレームｎを含む前記ダウンリンクバーストに直接隣接する請求項２３に記載の端末デバイス。
【請求項２６】
前記少なくとも２つのアップリンクサブフレームは、前記Ｍ個のアップリンクサブフレームの前記時間系列内の第１のサブフレームを含む請求項２３乃至２５のいずれか一項に記載の端末デバイス。
【請求項２７】
前記少なくとも２つのアップリンクサブフレームの各々においてアップリンク制御情報を伝送するためのＯＦＤＭシンボルの量は、指定された閾値以上である請求項２３乃至２６のいずれか一項に記載の端末デバイス。
【請求項２８】
前記スケジューリング情報と前記トリガ情報は同じダウンリンク制御情報内で搬送される請求項２３乃至２７のいずれか一項に記載の端末デバイス。
【請求項２９】
前記アップリンク制御情報は、チャネル状態情報、サウンディング基準信号、およびハイブリッド自動再送要求肯定応答のうちの少なくとも１つを含む請求項２３乃至２８のいずれか一項に記載の端末デバイス。
【請求項３０】
前記少なくとも２つのアップリンクサブフレームの各々において搬送される前記アップリンク制御情報は同じである請求項２３乃至２９のいずれか一項に記載の端末デバイス。
【請求項３１】
前記少なくとも２つのアップリンクサブフレームは、第１のアップリンクサブフレームと、第２のアップリンクサブフレームとを含み、前記第１のアップリンクサブフレームにおいて搬送されるアップリンク制御情報は、前記第２のアップリンクサブフレームにおいて搬送されるアップリンク制御情報と異なる請求項２３乃至２９のいずれか一項に記載の端末デバイス。
【請求項３２】
前記第１のアップリンクサブフレームにおいて搬送される前記アップリンク制御情報の内容は、前記第２のアップリンクサブフレームにおいて搬送される前記アップリンク制御情報の内容と一致しない、または、前記第１のアップリンクサブフレームにおいて搬送される前記制御情報の内容は、前記第２のアップリンクサブフレームにおいて搬送される前記アップリンク制御情報の内容を含む請求項３１に記載の端末デバイス。
【請求項３３】
アップリンク制御情報を伝送するための方法であって、
端末デバイスによって、アクセスネットワークデバイスからスケジューリング情報およびトリガ情報を受信するステップであって、前記スケジューリング情報は、Ｍ個のアップリンクサブフレームにおいて、前記スケジューリング情報によってスケジュールされたアップリンクデータを伝送するように前記端末デバイスに命令するために使用され、前記アップリンクデータは第１のアップリンクデータと第２のアップリンクデータとを含み、Ｍは２以上の正の整数であり、前記トリガ情報は、アップリンク制御情報を送信するように前記端末デバイスに命令するために使用され、
前記Ｍ個のアップリンクサブフレームは第１のアップリンクサブフレームセットと第２のアップリンクサブフレームセットとを含み、前記第１のアップリンクサブフレームセットおよび前記第２のアップリンクサブフレームセットはそれぞれ、少なくとも１つのアップリンクサブフレームを含み、前記第１のアップリンクサブフレームセット内の前記サブフレームは前記第１のアップリンクデータを伝送するために使用され、前記第２のアップリンクサブフレームセット内の前記サブフレームは、前記アップリンク制御情報および前記第２のアップリンクデータを伝送するために使用される、受信するステップと、
前記端末デバイスによって、前記第１のアップリンクサブフレームセットに対応する第１のＭＣＳまたは第１のＲＢを決定し、前記第２のアップリンクセットに対応する第２のＭＣＳまたは第２のＲＢを決定するステップと、
前記端末デバイスによって、前記第１のアップリンクサブフレームセットにおいて、前記第１のＭＣＳまたは前記第１のＲＢに対応する前記第１のアップリンクデータを伝送し、前記第２のアップリンクサブフレームセットにおいて、前記第２のＭＣＳまたは前記第２のＲＢに対応する前記第２のアップリンクデータおよび前記アップリンク制御情報を伝送するステップと
を含む方法。
【請求項３４】
前記第２のサブフレームセットは、前記Ｍ個のアップリンクサブフレームの時間系列内の最後のサブフレームおよび前記時間系列内の最後から２番目のサブフレームのうちの少なくとも１つを含む請求項３３に記載の方法。
【請求項３５】
前記端末デバイスは、サブフレームｎにおいて前記スケジューリング情報を受信し、前記第２のサブフレームセットは、前記Ｍ個のアップリンクサブフレーム内に含まれるアップリンクバーストの時間系列内の最後のアップリンクサブフレームおよび最後から２番目のアップリンクサブフレームのうちの少なくとも１つを含み、前記アップリンクバーストは、時間的に連続して占有される複数のアップリンクサブフレームを指し、前記アップリンクバーストは、前記サブフレームｎを含むダウンリンクバーストの後であり、前記サブフレームｎを含む前記ダウンリンクバーストに直接隣接する請求項３３に記載の方法。
【請求項３６】
前記第２のサブフレームセット内の前記アップリンクサブフレームにおいてアップリンク情報を伝送するためのＯＦＤＭシンボルの量は、指定された閾値以上である請求項３３乃至３５のいずれか一項に記載の方法。
【請求項３７】
前記スケジューリング情報と前記トリガ情報は同じダウンリンク制御情報内で搬送される請求項３３乃至３６のいずれか一項に記載の方法。
【請求項３８】
前記アップリンク制御情報は、チャネル状態情報、サウンディング基準信号、およびハイブリッド自動再送要求肯定応答のうちの少なくとも１つを含む請求項３３乃至３７のいずれか一項に記載の方法。
【請求項３９】
前記端末デバイスによって、前記第１のアップリンクサブフレームセットに対応する第１のＭＣＳまたは第１のＲＢを決定する前記ステップは、
前記端末デバイスによって、前記アクセスネットワークデバイスから、第１の標識情報であって、前記第１のＭＣＳまたは前記第１のＲＢを示すために使用される第１の標識情報を受信し、前記端末デバイスによって、前記第１の標識情報に従って前記第１のＭＣＳまたは前記第１のＲＢを決定するステップ
を含む請求項３３乃至３８のいずれか一項に記載の方法。
【請求項４０】
前記端末デバイスによって、前記第２のアップリンクサブフレームセットに対応する第２のＭＣＳまたは第２のＲＢを決定する前記ステップは、
前記端末デバイスによって、ＭＣＳオフセットまたはＲＢオフセットを取得するステップであって、前記ＭＣＳオフセットは、前記第１のＭＣＳと前記第２のＭＣＳの間のオフセットであり、前記ＲＢオフセットは、前記第１のＲＢと前記第２のＲＢの間のオフセットである、取得するステップと、
前記端末デバイスによって、前記第１のＭＣＳおよび前記ＭＣＳオフセットに従って前記第２のＭＣＳを決定する、または、前記端末デバイスによって、前記第１のＲＢおよび前記ＲＢオフセットに従って前記第２のＲＢを決定するステップと
を含む請求項３９に記載の方法。
【請求項４１】
前記端末デバイスによって、前記第２のアップリンクセットに対応する第２のＭＣＳまたは第２のＲＢを決定する前記ステップは、
前記端末デバイスによって、前記アクセスネットワークデバイスから、第２の標識情報であって、前記第２のＭＣＳまたは前記第２のＲＢを示すために使用される第２の標識情報を受信し、前記端末デバイスによって、前記第２の標識情報に従って前記第２のＭＣＳまたは前記第２のＲＢを決定するステップ
を含む請求項３３乃至３９のいずれか一項に記載の方法。
【請求項４２】
前記端末デバイスによって、前記第２のアップリンクセットに対応する第２のＭＣＳまたは第２のＲＢを決定する前記ステップは、
前記端末デバイスによって、前記アクセスネットワークデバイスから、第２の標識情報であって、前記第２のＭＣＳまたは前記第２のＲＢを示すために使用される第２の標識情報を受信し、前記端末デバイスによって、前記第２の標識情報に従って前記第２のＭＣＳまたは前記第２のＲＢを決定するステップ
を含み、
前記端末デバイスによって、前記第１のアップリンクサブフレームセットに対応する第１のＭＣＳまたは第１のＲＢを決定する前記ステップは、
前記端末デバイスによって、ＭＣＳオフセットまたはＲＢオフセットを取得するステップであって、前記ＭＣＳオフセットは、前記第１のＭＣＳと前記第２のＭＣＳの間のオフセットであり、前記ＲＢオフセットは、前記第１のＲＢと前記第２のＲＢの間のオフセットである、取得するステップと、
前記端末デバイスによって、前記第２のＭＣＳおよび前記ＭＣＳオフセットに従って前記第１のＭＣＳを決定する、または、前記端末デバイスによって、前記第２のＲＢおよび前記ＲＢオフセットに従って前記第１のＲＢを決定するステップと
を含む請求項３３乃至３８のいずれか一項に記載の方法。
【請求項４３】
端末デバイスであって、
アクセスネットワークデバイスからスケジューリング情報およびトリガ情報を受信するように構成された受信ユニットであって、前記スケジューリング情報は、Ｍ個のアップリンクサブフレームにおいて、前記スケジューリング情報によってスケジュールされたアップリンクデータを伝送するように端末デバイスに命令するために使用され、前記アップリンクデータは第１のアップリンクデータと第２のアップリンクデータとを含み、Ｍは２以上の正の整数であり、前記トリガ情報は、アップリンク制御情報を送信するように端末デバイスに命令するために使用され、
前記Ｍ個のアップリンクサブフレームは第１のアップリンクサブフレームセットと第２のアップリンクサブフレームセットとを含み、前記第１のアップリンクサブフレームセットおよび前記第２のアップリンクサブフレームセットはそれぞれ、少なくとも１つのアップリンクサブフレームを含み、前記第１のアップリンクサブフレームセット内の前記サブフレームは前記第１のアップリンクデータを伝送するために使用され、前記第２のアップリンクサブフレームセット内の前記サブフレームは、前記アップリンク制御情報および前記第２のアップリンクデータを伝送するために使用される、受信ユニットと、
前記第１のアップリンクサブフレームセットに対応する第１のＭＣＳまたは第１のＲＢを決定し、前記第２のアップリンクセットに対応する第２のＭＣＳまたは第２のＲＢを決定するように構成された決定ユニットと、
前記第１のアップリンクサブフレームセットにおいて、前記第１のＭＣＳまたは前記第１のＲＢに対応する前記第１のアップリンクデータを伝送し、前記第２のアップリンクサブフレームセットにおいて、前記第２のＭＣＳまたは前記第２のＲＢに対応する前記第２のアップリンクデータおよび前記アップリンク制御情報を伝送するように構成された送信ユニットと
を備える端末デバイス。
【請求項４４】
前記第２のサブフレームセットは、前記Ｍ個のアップリンクサブフレームの時間系列内の最後のサブフレームおよび前記時間系列内の最後から２番目のサブフレームのうちの少なくとも１つを含む請求項３３に記載の端末デバイス。
【請求項４５】
前記端末デバイスはサブフレームｎにおいて前記スケジューリング情報を受信し、前記第２のサブフレームセットは、前記Ｍ個のアップリンクサブフレーム内に含まれるアップリンクバーストの時間系列内の最後のアップリンクサブフレームおよび最後から２番目のアップリンクサブフレームのうちの少なくとも１つを含み、前記アップリンクバーストは、時間的に連続して占有される複数のアップリンクサブフレームを指し、前記アップリンクバーストは、前記サブフレームｎを含むダウンリンクバーストの後であり、前記サブフレームｎを含む前記ダウンリンクバーストに直接隣接する請求項４３に記載の端末デバイス。
【請求項４６】
前記第２のサブフレームセット内の前記アップリンクサブフレームにおいてアップリンク情報を伝送するためのＯＦＤＭシンボルの量は、指定された閾値以上である請求項４３乃至４５のいずれか一項に記載の端末デバイス。
【請求項４７】
前記スケジューリング情報と前記トリガ情報は同じダウンリンク制御情報内で搬送される請求項４３乃至４６のいずれか一項に記載の端末デバイス。
【請求項４８】
前記アップリンク制御情報は、チャネル状態情報、サウンディング基準信号、およびハイブリッド自動再送要求肯定応答のうちの少なくとも１つを含む請求項４３乃至４７のいずれか一項に記載の端末デバイス。
【請求項４９】
前記受信ユニットは、前記アクセスネットワークデバイスから第１の標識情報を受信するようにさらに構成され、前記第１の標識情報は、前記第１のＭＣＳまたは前記第１のＲＢを示すために使用され、
前記決定ユニットは第１の決定ユニットを備え、前記第１の決定ユニットは、前記第１の標識情報に従って前記第１のＭＣＳまたは前記第１のＲＢを決定するように構成される請求項４３乃至４８のいずれか一項に記載の端末デバイス。
【請求項５０】
前記決定ユニットは第２の決定ユニットをさらに備え、前記第２の決定ユニットは、ＭＣＳオフセットまたはＲＢオフセットを取得し、前記第１のＭＣＳおよび前記ＭＣＳオフセットに従って前記第２のＭＣＳを決定する、または前記第１のＲＢおよび前記ＲＢオフセットに従って前記第２のＲＢを決定するように構成され、前記ＭＣＳオフセットは前記第１のＭＣＳと前記第２のＭＣＳの間のオフセットであり、前記ＲＢオフセットは前記第１のＲＢと前記第２のＲＢの間のオフセットである請求項４９に記載の端末デバイス。
【請求項５１】
前記受信ユニットは、前記アクセスネットワークデバイスから第２の標識情報を受信するようにさらに構成され、前記第２の標識情報は、前記第２のＭＣＳまたは前記第２のＲＢを示すために使用され、
前記決定ユニットは第３の決定ユニットを備え、前記第３の決定ユニットは、前記第２の標識情報に従って前記第２のＭＣＳまたは前記第２のＲＢを決定するように構成される、請求項４３乃至４９のいずれか一項に記載の端末デバイス。
【請求項５２】
前記受信ユニットは、前記アクセスネットワークデバイスから第２の標識情報を受信するようにさらに構成され、前記第２の標識情報は、前記第２のＭＣＳまたは前記第２のＲＢを示すために使用され、
前記決定ユニットは、
前記第２の標識情報に従って前記第２のＭＣＳまたは前記第２のＲＢを決定するように構成された第３の決定ユニットと、
ＭＣＳオフセットまたはＲＢオフセットを取得し、前記第２のＭＣＳおよび前記ＭＣＳオフセットに従って前記第１のＭＣＳを決定する、または、前記第２のＲＢおよび前記ＲＢオフセットに従って前記第１のＲＢを決定するように構成された第４の決定ユニットであって、前記ＭＣＳオフセットは前記第１のＭＣＳと前記第２のＭＣＳの間のオフセットであり、前記ＲＢオフセットは前記第１のＲＢと前記第２のＲＢの間のオフセットである、第４の決定ユニットと
を備える請求項４３乃至４８のいずれか一項に記載の端末デバイス。
【請求項５３】
アップリンク制御情報を伝送するための方法であって、
アクセスネットワークデバイスによって、スケジューリング情報およびトリガ情報を端末デバイスに送信するステップであって、前記スケジューリング情報は、Ｍ個のアップリンクサブフレームにおいて、前記スケジューリング情報によってスケジュールされたアップリンクデータを伝送するように前記端末デバイスに命令するために使用され、前記アップリンクデータは第１のアップリンクデータと第２のアップリンクデータとを含み、Ｍは２以上の正の整数であり、前記トリガ情報は、アップリンク制御情報を送信するように前記端末デバイスに命令するために使用され、
前記Ｍ個のアップリンクサブフレームは第１のアップリンクサブフレームセットと第２のアップリンクサブフレームセットとを含み、前記第１のアップリンクサブフレームセットおよび前記第２のアップリンクサブフレームセットはそれぞれ、少なくとも１つのアップリンクサブフレームを含み、前記第１のアップリンクサブフレームセット内の前記サブフレームは前記第１のアップリンクデータを伝送するために使用され、前記第２のアップリンクサブフレームセット内の前記サブフレームは、前記アップリンク制御情報および前記第２のアップリンクデータを伝送するために使用される、送信するステップと、
前記アクセスネットワークデバイスによって、前記第１のアップリンクサブフレームセットに対応する第１のＭＣＳまたは第１のＲＢを決定し、前記第２のアップリンクセットに対応する第２のＭＣＳまたは第２のＲＢを決定するステップと、
前記アクセスネットワークデバイスによって、前記第１のアップリンクサブフレームセットにおいて、前記第１のＭＣＳまたは前記第１のＲＢに対応する前記第１のアップリンクデータを受信し、前記第２のアップリンクサブフレームセットにおいて、前記第２のＭＣＳまたは前記第２のＲＢに対応する前記第２のアップリンクデータおよび前記アップリンク制御情報を伝送するステップと
を含む方法。
【請求項５４】
前記第２のサブフレームセットは、前記Ｍ個のアップリンクサブフレームの時間系列内の最後のサブフレームおよび前記時間系列内の最後から２番目のサブフレームのうちの少なくとも１つを含む請求項５３に記載の方法。
【請求項５５】
前記アクセスネットワークデバイスは、サブフレームｎにおいて前記スケジューリング情報を送信し、前記第２のサブフレームセットは、アップリンクバーストの時間系列内の最後のアップリンクサブフレームおよび最後から２番目のアップリンクサブフレームのうちの少なくとも１つを含み、前記アップリンクバーストは、時間的に連続して占有される複数のアップリンクサブフレームを指し、前記アップリンクバーストは、前記サブフレームｎを含むダウンリンクバーストの後であり、前記サブフレームｎを含む前記ダウンリンクバーストに直接隣接する請求項５３に記載の方法。
【請求項５６】
前記第２のサブフレームセット内の前記アップリンクサブフレームにおいてアップリンク情報を伝送するためのＯＦＤＭシンボルの量は、指定された閾値以上である請求項５３乃至５５のいずれか一項に記載の方法。
【請求項５７】
前記スケジューリング情報と前記トリガ情報は同じダウンリンク制御情報内で搬送される請求項５３乃至５６のいずれか一項に記載の方法。
【請求項５８】
前記アップリンク制御情報は、チャネル状態情報、サウンディング基準信号、およびハイブリッド自動再送要求肯定応答のうちの少なくとも１つを含む請求項５３乃至５７のいずれか一項に記載の方法。
【請求項５９】
前記アクセスネットワークデバイスによって、前記端末デバイスに第１の標識情報を送信するステップであって、前記第１の標識情報は、前記第１のＭＣＳまたは前記第１のＲＢを示すために使用される、送信するステップ
をさらに含む請求項５３乃至５８のいずれか一項に記載の方法。
【請求項６０】
前記アクセスネットワークデバイスによって、前記端末デバイスに第２の標識情報を送信するステップであって、前記第２の標識情報は、前記第２のＭＣＳまたは前記第２のＲＢを示すために使用される標識情報である、送信するステップ
をさらに含む請求項５３乃至５９のいずれか一項に記載の方法。
【請求項６１】
前記アクセスネットワークデバイスによって、ＭＣＳオフセットまたはＲＢオフセットを前記端末デバイスに送信するステップであって、前記ＭＣＳオフセットは前記第１のＭＣＳと前記第２のＭＣＳの間のオフセットであり、前記ＲＢオフセットは前記第１のＲＢと前記第２のＲＢの間のオフセットである、送信するステップ
をさらに含む請求項５９または６０に記載の方法。
【請求項６２】
スケジューリング情報およびトリガ情報を端末デバイスに送信するように構成された送信ユニットであって、前記スケジューリング情報は、Ｍ個のアップリンクサブフレームにおいて、前記スケジューリング情報によってスケジュールされたアップリンクデータを伝送するように前記端末デバイスに命令するために使用され、前記アップリンクデータは第１のアップリンクデータと第２のアップリンクデータとを含み、Ｍは２以上の正の整数であり、前記トリガ情報は、アップリンク制御情報を送信するように前記端末デバイスに命令するために使用され、
前記Ｍ個のアップリンクサブフレームは第１のアップリンクサブフレームセットと第２のアップリンクサブフレームセットとを含み、前記第１のアップリンクサブフレームセットおよび前記第２のアップリンクサブフレームセットはそれぞれ、少なくとも１つのアップリンクサブフレームを含み、前記第１のアップリンクサブフレームセット内の前記サブフレームは前記第１のアップリンクデータを伝送するために使用され、前記第２のアップリンクサブフレームセット内の前記サブフレームは、前記アップリンク制御情報および前記第２のアップリンクデータを伝送するために使用される、送信ユニットと、
前記第１のアップリンクサブフレームセットに対応する第１のＭＣＳまたは第１のＲＢを決定し、前記第２のアップリンクセットに対応する第２のＭＣＳまたは第２のＲＢを決定するように構成された処理ユニットと、
前記第１のアップリンクサブフレームセットにおいて、前記第１のＭＣＳまたは前記第１のＲＢに対応する前記第１のアップリンクデータを受信し、前記第２のアップリンクサブフレームセットにおいて、前記第２のＭＣＳまたは前記第２のＲＢに対応する前記第２のアップリンクデータおよび前記アップリンク制御情報を伝送するように構成された受信ユニットと
を備えるアクセスネットワークデバイス。
【請求項６３】
前記第２のサブフレームセットは、前記Ｍ個のアップリンクサブフレームの時間系列内の最後のサブフレームおよび前記時間系列内の最後から２番目のサブフレームのうちの少なくとも１つを含む請求項６２に記載のアクセスネットワークデバイス。
【請求項６４】
前記アクセスネットワークデバイスは、サブフレームｎにおいて前記スケジューリング情報を送信し、前記第２のサブフレームセットは、アップリンクバーストの時間系列内の最後のアップリンクサブフレームおよび最後から２番目のアップリンクサブフレームのうちの少なくとも１つを含み、前記アップリンクバーストは、時間的に連続して占有される複数のアップリンクサブフレームを指し、前記アップリンクバーストは、前記サブフレームｎを含むダウンリンクバーストの後であり、前記サブフレームｎを含む前記ダウンリンクバーストに直接隣接する請求項６２に記載のアクセスネットワークデバイス。
【請求項６５】
前記第２のサブフレームセット内の前記アップリンクサブフレームにおいてアップリンク情報を伝送するためのＯＦＤＭシンボルの量は、指定された閾値以上である請求項６２乃至６４のいずれか一項に記載のアクセスネットワークデバイス。
【請求項６６】
前記スケジューリング情報と前記トリガ情報は同じダウンリンク制御情報内で搬送される請求項６２乃至６５のいずれか一項に記載のアクセスネットワークデバイス。
【請求項６７】
前記アップリンク制御情報は、チャネル状態情報、サウンディング基準信号、およびハイブリッド自動再送要求肯定応答のうちの少なくとも１つを含む請求項６２乃至６６のいずれか一項に記載のアクセスネットワークデバイス。
【請求項６８】
前記送信ユニットは、前記端末デバイスに第１の標識情報を送信するようにさらに構成され、前記第１の標識情報は、前記第１のＭＣＳまたは前記第１のＲＢを示すために使用される請求項６２乃至６７のいずれか一項に記載のアクセスネットワークデバイス。
【請求項６９】
前記送信ユニットは、前記端末デバイスに第２の標識情報を送信するようにさらに構成され、前記第２の標識情報は、前記第２のＭＣＳまたは前記第２のＲＢを示すために使用される標識情報である請求項６２乃至６８のいずれか一項に記載のアクセスネットワークデバイス。
【請求項７０】
前記送信ユニットは、前記端末デバイスにＭＣＳオフセットまたはＲＢオフセットを送信するようにさらに構成され、前記ＭＣＳオフセットは前記第１のＭＣＳと前記第２のＭＣＳの間のオフセットであり、前記ＲＢオフセットは前記第１のＲＢと前記第２のＲＢの間のオフセットである請求項５９または６０に記載のアクセスネットワークデバイス。
【発明の詳細な説明】
【技術分野】
【０００１】
本発明は、ワイヤレス通信の分野に関し、より詳細には、アップリンク制御情報を伝送するための方法および装置に関する。
【背景技術】
【０００２】
ロングタームエボリューションを使用したライセンス補助アクセス（Ｌｉｃｅｎｓｅｄ−Ａｓｓｉｓｔｅｄ  Ａｃｃｅｓｓ  ｕｓｉｎｇ  Ｌｏｎｇ  Ｔｅｒｍ  Ｅｖｏｌｕｔｉｏｎ、略してＬＡＡ−ＬＴＥ）システムは、５ＧＨｚアンライセンススペクトル（ｕｎｌｉｃｅｎｓｅｄ  ｓｐｅｃｔｒｕｍ：免許不要スペクトルとも呼ばれる）を使用して、既存のＬＴＥサービスを拡張し得る、すなわち、アンライセンススペクトルを使用して、ＬＴＥシステムにおいて何らかのデータサービスを搬送し得る。アンライセンススペクトル上でのリソース共有は、無線技術、運用企業、または耐用寿命を制限したり、特定のスペクトル上でのサービス品質を保証したりすることなく、帯域を共同で使用する複数のデバイスの共存のための基本的要件を保証するように、伝送電力および帯域外漏洩などのインジケータに対する制限のみが、特定のスペクトルの使用のために指定されることを意味する。
【０００３】
ＬＡＡ−ＬＴＥシステムは、既存のＬＴＥ（Ｌｏｎｇ  Ｔｅｒｍ  Ｅｖｏｌｕｔｉｏｎ、ロングタームエボリューション）システムにおいてキャリアアグリゲーション（Ｃａｒｒｉｅｒ  Ａｇｇｒｅｇａｔｉｏｎ、ＣＡ）技術を使用して、事業者のライセンス帯域内のキャリア（略してライセンスキャリア）を、通信を実行するための基礎として構成し、複数のアンライセンス帯域内のキャリア（略してアンライセンスキャリア）を構成し、ライセンスキャリアによって補助されるアンライセンスキャリアを使用して、通信を実行し得る。ＬＴＥデバイスは、ＣＡモードでは、ライセンスキャリアをプライマリコンポーネントキャリア（Ｐｒｉｍａｒｙ  Ｃｏｍｐｏｎｅｎｔ  Ｃａｒｒｉｅｒ、ＰＣＣ）またはプライマリセル（Ｐｒｉｍａｒｙ  Ｃｅｌｌ、ＰＣｅｌｌ）として、アンライセンスキャリアをセカンダリコンポーネントキャリア（Ｓｅｃｏｎｄａｒｙ  Ｃｏｍｐｏｎｅｎｔ  Ｃａｒｒｉｅｒ、ＳＣＣ）またはセカンダリセル（Ｓｅｃｏｎｄａｒｙ  Ｃｅｌｌ、ＳＣｅｌｌ）として、使用し得る。この様式では、ＬＴＥデバイスは、ライセンスキャリアを使用することによって、ワイヤレス通信において使用されるＬＴＥデバイスの従来の利点、たとえば、モビリティ、セキュリティ、サービス品質、およびマルチユーザスケジューリングの同時処理における利点を受け継ぐだけでなく、アンライセンスキャリアを使用することによってネットワーク容量オフロードの目的を達成し、それによってライセンスキャリアの負荷を減少させることもできる。ＬＡＡシステムがアンライセンス帯域リソースを使用するとき、ＬＡＡシステムは、種々の領域におけるアンライセンス帯域の使用のために定義された規格に準拠する必要がある。
【０００４】
ＬＡＡシステムがアンライセンス帯域リソースを使用するとき、ＬＡＡシステムは、種々の領域におけるアンライセンス帯域の使用のために定義された規格に準拠する必要がある。共存規格は、ＴＰＣ（ＴＰＣ：Ｔｒａｎｓｍｉｔ  Ｐｏｗｅｒ  Ｃｏｎｔｒｏｌ、伝送電力制御）、ＤＦＳ（ＤＦＳ：Ｄｙｎａｍｉｃ  Ｆｒｅｑｕｅｎｃｙ  Ｓｅｌｅｃｔｉｏｎ、動的周波数選択）、チャネル占有帯域幅、ＬＢＴ（ＬＢＴ：Ｌｉｓｔｅｎ  ｂｅｆｏｒｅ  ｔａｌｋ、リッスンビフォアトーク）などを含む。ＬＢＴの基本的なアイデアは、次のとおりである。チャネル上でデータを送信する前に、各通信デバイスは、現在のチャネルがアイドルであるかどうかを最初に検出する必要がある、すなわち、隣接するノードが、データを送信するためのチャネルを占有中であるかどうかが検出可能である。この検出プロセスは、クリアチャネルアセスメント（Ｃｌｅａｒ  Ｃｈａｎｎｅｌ  Ａｓｓｅｓｓｍｅｎｔ、ＣＣＡ）と呼ばれる。時間期間内にチャネルがアイドルであることが検出された場合、通信デバイスはデータを送信してよい。一般的に、チャネル上でデータを送信するための時間は制限される。制限された時間範囲内に、通信デバイスは、チャネル上でクリアチャネルアセスメントを実行する必要はない。チャネルが占有されていることが検出された場合、通信デバイスは、現在、チャネル上でデータを伝送することはできない。チャネルがアイドルであるかどうかを検出することは、信号検出、エネルギー検出などの様式で実施されてよい。
【０００５】
ＬＴＥシステム内で、ＬＴＥ基地局がダウンリンクデータを送信するかＬＴＥユーザ機器がアップリンクデータを送信するかに関係なく、一般的に、アンライセンス帯域を使用してデータ伝送を実行する前に、ＬＴＥ基地局またはＬＴＥユーザ機器は、リスニングを最初に実行する必要がある。したがって、アンライセンス帯域内のＬＴＥデバイス（基地局および／またはユーザ機器を含む）のデータ伝送は、オポチュニスティック（ｏｐｐｏｒｔｕｎｉｓｔｉｃ：日和見主義的）である。アップリンク／ダウンリンクデータ伝送のサービス要件により良く適合するために、アクセスネットワークデバイスが競合を通じてアンライセンス帯域リソースを取得した後、アクセスネットワークデバイスは、ダウンリンクサービス負荷および／またはアップリンクサービス負荷または他の考慮要因に基づいて、ダウンリンクデータ伝送持続時間および／またはアップリンクデータ伝送持続時間を決定することがある。
【０００６】
ＬＴＥシステム内のアップリンクデータ伝送は、一般的に、スケジューリングに基づく。たとえば、ＬＴＥシステム内のユーザ機器が、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）上でデータを伝送するとき、占有される時間−周波数リソース（時間リソースおよび／または周波数リソース）は、アクセスネットワークデバイスたとえば基地局によって示され、たとえば、アップリンクグラント（Ｕｐｌｉｎｋ  Ｇｒａｎｔ、ＵＬグラント）制御情報を使用することによってユーザ機器に示される。
【０００７】
ダウンリンク制御シグナリングオーバヘッドを減少させる、および／またはサービス伝送柔軟性に適合する観点から、マルチサブフレームスケジューリングシグナリングは、図１に示されるように、複数のアップリンクサブフレームにおいてアップリンクデータを伝送するように端末デバイスをスケジュールするために使用されてよい。図１では、基地局は、サブフレームｎにおいて搬送される１つまたは複数のＵＬグラントを使用することによって、サブフレームｎ＋４、ｎ＋５、ｎ＋６、またはｎ＋７においてアップリンクデータを伝送するように１つの端末デバイス（たとえば、ユーザ機器、Ｕｓｅｒ  Ｅｑｕｉｐｍｅｎｔ、ＵＥ）をトリガすることがある。本発明の実施形態では、アクセスネットワークデバイスおよび端末デバイスが、アンライセンス帯域リソースを使用することによってデータ伝送を実行する場合、データ伝送の前に、一般的に、アクセスネットワークデバイスおよび／または端末デバイスは、ＬＢＴなどの競合メカニズムを使用することによって、アンライセンス帯域リソースがデータ伝送を実行するために使用可能であるかどうかを決定する必要があることが留意されるべきである。
【０００８】
一方、既存のＬＴＥシステムでは、端末デバイスは、チャネル状態情報（Ｃｈａｎｎｅｌ  Ｓｔａｔｅ  Ｉｎｆｏｒｍａｔｉｏｎ、ＣＳＩ）をフィードバックする、またはサウンディング基準信号（Ｓｏｕｎｄｉｎｇ  Ｒｅｆｅｒｅｎｃｅ  Ｓｉｇｎａｌ、ＳＲＳ）を伝送することがある。アクセスネットワークデバイスは、ＣＳＩまたはＳＲＳを検出することによってアクセスネットワークデバイスと端末デバイスの間のチャネルの品質を決定することがあり、さらに、信頼性の高いデータ伝送を保証しながらデータ伝送効率を最大限に高めるように、チャネルの品質に基づいてアクセスネットワークデバイスと端末デバイスの間でデータ伝送モードを構成する、たとえば、適正な変調符号化方式（Ｍｏｄｕｌａｔｉｏｎ  ａｎｄ  Ｃｏｄｉｎｇ  Ｓｃｈｅｍｅ、ＭＣＳ）を設定することがある。加えて、ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）メカニズムに基づいて、既存のＬＴＥシステムでは、端末デバイスが、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）内に含まれるダウンリンクデータを受信した後、端末デバイスは、肯定応答（Ａｃｋｎｏｗｌｅｄｇｅｍｅｎｔ、ＡＣＫ）または非肯定応答（Ｎｏｎ−Ａｃｋｎｏｗｌｅｄｇｅｍｅｎｔ、ＮＡＣＫ）をアクセスネットワークデバイスにフィードバックする。フィードバック情報を受信した後、アクセスネットワークは、フィードバック情報に対応するダウンリンクデータが適切に受信されたかどうかを決定することがあり、したがって、その後のデータ伝送動作を適切に実行することがある。ＬＴＥシステム内のアンライセンス帯域内のデータ伝送はオポチュニスティックであるので、データ伝送効率を保証するために、アンライセンス帯域内でＣＳＩ、ＳＲＳ、およびＨＡＲＱ−ＡＣＫ（ＡＣＫとＮＡＣＫとを含む）を伝送し続けることが肝要である。
【０００９】
一般的に、ＣＳＩ、ＳＲＳ、およびＨＡＲＱ−ＡＣＫは、伝送のためにスケジュールされたアップリンク共有チャネル（Ｕｐｌｉｎｋ  Ｓｈａｒｅｄ  Ｃｈａｎｎｅｌ、ＵＬ−ＳＣＨ）内で搬送され得る。アップリンクスケジューリング情報は、少なくとも２つのアップリンクサブフレームをスケジュールすることがあり、この少なくとも２つのアップリンクサブフレームは両方ともＵＬ−ＳＣＨを含むので、ＣＳＩ、ＳＲＳ、またはＨＡＲＱ−ＡＣＫなどのアップリンク制御情報を伝送するための位置を端末デバイスがどのようにして決定するは、考慮されるべき問題である。
【発明の概要】
【００１０】
本発明の実施形態は、マルチサブフレームスケジューリングシナリオにおいてアップリンク制御情報を報告するための機会が保証可能であるように、アップリンク制御情報を伝送するための方法を提供する。
【００１１】
本発明の実施形態によれば、アップリンク制御情報を伝送するための方法が提供され、
端末デバイスによって、アクセスネットワークデバイスからスケジューリング情報およびトリガ情報を受信することであって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信することと、
端末デバイスによって、Ｍ個のアップリンクサブフレームにおいて、アップリンク制御情報を搬送するためのアップリンクサブフレームを決定することであって、この決定されたアップリンクサブフレームは、Ｍ個のアップリンクサブフレームの中の第１のサブフレーム以外のサブフレームであり、この第１のサブフレームは、Ｍ個のアップリンクサブフレームの時間系列内の第１のアップリンクサブフレームである、決定することと、
端末デバイスによって、決定されたアップリンクサブフレームにおいてアップリンク制御情報を送信することと
を含む。
【００１２】
任意選択で、アップリンク制御情報は、チャネル状態情報、サウンディング基準信号、およびハイブリッド自動再送要求肯定応答のうちの少なくとも１つを含む。
【００１３】
実施形態では、スケジューリング情報とトリガ情報は、同じダウンリンク制御情報内で搬送される。たとえば、スケジューリング情報とトリガ情報の両方が、ＵＬグラント内で搬送される。
【００１４】
本発明の別の実施形態によれば、端末デバイスが提供され、
アクセスネットワークデバイスからスケジューリング情報およびトリガ情報を受信するように構成された受信ユニットであって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信ユニットと、
Ｍ個のアップリンクサブフレームにおいて、アップリンク制御情報を搬送するためのアップリンクサブフレームを決定するように構成された決定ユニットであって、この決定されたアップリンクサブフレームは、Ｍ個のアップリンクサブフレームの中の第１のサブフレーム以外のサブフレームであり、この第１のサブフレームは、Ｍ個のアップリンクサブフレームの中の第１のアップリンクサブフレームである、決定ユニットと、
決定されたアップリンクサブフレームにおいてアップリンク制御情報を送信するように構成された送信ユニットと
を含む。
【００１５】
任意選択で、決定ユニットによって決定されたアップリンクサブフレームは、Ｍ個のアップリンクサブフレームの時間系列内の最後のサブフレームまたは時間系列内の最後から２番目のサブフレームである。
【００１６】
任意選択で、受信ユニットは、サブフレームｎにおいてスケジューリング情報を受信し、決定ユニットは、Ｍ個のアップリンクサブフレーム内に含まれるアップリンクバーストの時間系列内の最後のまたは最後から２番目のアップリンクサブフレームを、アップリンク制御情報を搬送するためのアップリンクサブフレームとして決定するように構成され、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【００１７】
任意選択で、決定ユニットによって決定されたアップリンクサブフレームにおいてアップリンク情報を伝送するためのＯＦＤＭシンボルの量は、指定された閾値以上である。
【００１８】
任意選択で、スケジューリング情報とトリガ情報は、同じダウンリンク制御情報内で搬送される。
【００１９】
任意選択で、アップリンク制御情報は、チャネル状態情報、サウンディング基準信号、およびハイブリッド自動再送要求肯定応答のうちの少なくとも１つを含む。
【００２０】
本発明のこの実施形態は、アンライセンススペクトルシステムに適用されてよい。アップリンク制御情報を搬送するためのアップリンクサブフレームは、第１のアップリンクサブフレーム以外のサブフレームであるので、アップリンク制御情報を伝送する前に、端末デバイスは、少なくとも２つのアップリンクサブフレームの前にＣＣＡを実行することができる。１つのＣＣＡが成功する限り、端末デバイスは、決定されたアップリンクサブフレームにおいてアップリンク制御情報を送信することができる。これは、アップリンク制御情報を伝送するための機会を最大限に保証し、アンライセンス帯域内での信頼性が高く効率的なデータ伝送をさらに保証することができる。
【００２１】
本発明の実施形態によれば、アップリンク制御情報を伝送するための方法が提供され、
端末デバイスによって、アクセスネットワークデバイスからスケジューリング情報およびトリガ情報を受信することであって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信することと、
端末デバイスによって、Ｍ個のアップリンクサブフレームにおいて、アップリンク制御情報を搬送するための少なくとも２つのアップリンクサブフレームを決定することと、
端末デバイスによって、少なくとも２つのアップリンクサブフレームにおいてアップリンク制御情報を送信することと
を含む。
【００２２】
任意選択で、少なくとも２つのアップリンクサブフレームにおいて搬送されるアップリンク制御情報は同じである。
【００２３】
任意選択で、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。
【００２４】
本発明の別の実施形態によれば、端末デバイスが提供され、
アクセスネットワークデバイスからスケジューリング情報およびトリガ情報を受信するように構成された受信ユニットであって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信ユニットと、
Ｍ個のアップリンクサブフレームにおいて、アップリンク制御情報を搬送するための少なくとも２つのアップリンクサブフレームを決定するように構成された処理ユニットと、
少なくとも２つのアップリンクサブフレームにおいてアップリンク制御情報を送信するように構成された送信ユニットと
を含む。
【００２５】
任意選択で、少なくとも２つのアップリンクサブフレームにおいて搬送されるアップリンク制御情報は同じである。
【００２６】
任意選択で、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。
【００２７】
本発明のこの実施形態は、アンライセンススペクトルシステムに適用されてよい。アップリンクデータを伝送するためのＭ個のアップリンクサブフレームの中の少なくとも２つのサブフレームは、アップリンク制御情報を搬送するために使用されるので、アップリンク制御情報は、可能な限り早くフィードバック可能である。アップリンク制御情報は、複数のアップリンクサブフレームにおいて別々に搬送されるので、スケジュールされたアップリンクサブフレームにおいてのアップリンクデータ伝送のための過度のアップリンクリソースの占有が回避可能である。
【００２８】
リソース伝送効率を改善するために、本発明は、アップリンク情報を伝送するための方法の実施形態を提供する。
【００２９】
本発明の実施形態によれば、アップリンク制御情報を伝送するための方法が提供され、
端末デバイスによって、アクセスネットワークデバイスからスケジューリング情報およびトリガ情報を受信することであって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、受信することと、
端末デバイスによって、第１のアップリンクサブフレームセットに対応する第１のＭＣＳまたは第１のＲＢを決定し、第２のアップリンクセットに対応する第２のＭＣＳまたは第２のＲＢを決定することと、
端末デバイスによって、第１のアップリンクサブフレームセットにおいて、第１のＭＣＳまたは第１のＲＢに対応する第１のアップリンクデータを伝送し、第２のアップリンクサブフレームセットにおいて、第２のＭＣＳまたは第２のＲＢに対応する第２のアップリンクデータおよびアップリンク制御情報を伝送することと
を含む。
【００３０】
本発明の別の実施形態によれば、端末デバイスが提供され、
アクセスネットワークデバイスからスケジューリング情報およびトリガ情報を受信するように構成された受信ユニットであって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、受信ユニットと、
第１のアップリンクサブフレームセットに対応する第１のＭＣＳまたは第１のＲＢを決定し、第２のアップリンクセットに対応する第２のＭＣＳまたは第２のＲＢを決定するように構成された決定ユニットと、
第１のアップリンクサブフレームセットにおいて、第１のＭＣＳまたは第１のＲＢに対応する第１のアップリンクデータを送信し、第２のアップリンクサブフレームセットにおいて、第２のＭＣＳまたは第２のＲＢに対応する第２のアップリンクデータおよびアップリンク制御情報を伝送するように構成された送信ユニットと
を含む。
【００３１】
対応して、本発明の別の実施形態によれば、アップリンク制御情報を伝送するための方法が提供され、
アクセスネットワークデバイスによって、スケジューリング情報およびトリガ情報を端末デバイスに送信することであって、このスケジューリング情報は、Ｍ個のアップリンクサブフレームにおいてスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、送信することと、
アクセスネットワークデバイスによって、第１のアップリンクサブフレームセットに対応する第１のＭＣＳまたは第１のＲＢを決定し、第２のアップリンクセットに対応する第２のＭＣＳまたは第２のＲＢを決定することと、
アクセスネットワークデバイスによって、第１のアップリンクサブフレームセットにおいて、第１のＭＣＳまたは第１のＲＢに対応する第１のアップリンクデータを受信し、第２のアップリンクサブフレームセットにおいて、第２のＭＣＳまたは第２のＲＢに対応するアップリンク制御情報および第２のアップリンクデータを伝送することと
を含む。
【００３２】
本発明の別の実施形態によれば、アクセスネットワークデバイスが提供され、
端末デバイスにスケジューリング情報およびトリガ情報を送信するように構成された送信ユニットであって、このスケジューリング情報は、Ｍ個のアップリンクサブフレームにおいて、スケジューリング情報によってスケジュールされたアップリンクデータを伝送するように端末デバイスに命令するために使用され、このアップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、送信ユニットと、
第１のアップリンクサブフレームセットに対応する第１のＭＣＳまたは第１のＲＢを決定し、第２のアップリンクセットに対応する第２のＭＣＳまたは第２のＲＢを決定するように構成された処理ユニットと、
第１のアップリンクサブフレームセットにおいて、第１のＭＣＳまたは第１のＲＢに対応する第１のアップリンクデータを受信し、第２のアップリンクサブフレームセットにおいて、第２のＭＣＳまたは第２のＲＢに対応する第２のアップリンクデータおよびアップリンク制御情報を伝送するように構成された受信ユニットと
を含む。
【発明の効果】
【００３３】
この実施形態では、マルチサブフレームスケジューリングのケースにおいて、異なるＭＣＳまたはＲＢが、異なるアップリンクサブフレームにおいてアップリンクデータを伝送するためにそれぞれ使用されるリソースの実際のサイズに従って決定可能である。したがって、マルチサブフレームスケジューリングにおいてシグナリングオーバヘッドが減少されながら、アップリンクデータのみを搬送するアップリンクサブフレームにおいてアップリンクリソースを使用する効率が保証可能である。
【図面の簡単な説明】
【００３４】
【図１】マルチサブフレームスケジューリングの概略図である。
【図２】本発明の実施形態による、アップリンク制御情報を伝送するための方法の概略的フローチャートである。
【図３】マルチサブフレームスケジューリングにおけるサブフレーム間の関係の概略図である。
【図４】マルチサブフレームスケジューリングにおけるサブフレーム間の別の関係の概略図である。
【図５】マルチサブフレームスケジューリングにおけるサブフレーム間の別の関係の概略図である。
【図６】マルチサブフレームスケジューリングにおけるサブフレーム間の別の関係の概略図である。
【図７】マルチサブフレームスケジューリングにおけるサブフレーム間の別の関係の概略図である。
【図８】マルチサブフレームスケジューリングにおけるサブフレーム間の別の関係の概略図である。
【図９】マルチサブフレームスケジューリングにおけるサブフレーム間の別の関係の概略図である。
【図１０】本発明の実施形態による端末デバイスの実施形態の概略構造図である。
【図１１】本発明の実施形態による端末デバイスの別の実施形態の概略構造図である。
【図１２】本発明の別の実施形態による、アップリンク制御情報を伝送するための方法の概略的フローチャートである。
【図１３】マルチサブフレームスケジューリングにおけるサブフレーム間の別の関係の概略図である。
【図１４】サブフレーム内のアップリンク情報とリソースの間のマッピングの概略図である。
【図１５】本発明の実施形態による端末デバイスの別の実施形態の概略構造図である。
【図１６】本発明の実施形態による端末デバイスの別の実施形態の概略構造図である。
【図１７】本発明の別の実施形態による、アップリンク制御情報を伝送するための方法の概略的フローチャートである。
【図１８】マルチサブフレームスケジューリングにおけるサブフレーム間の別の関係の概略図である。
【図１９】マルチサブフレームスケジューリングにおけるサブフレーム間の別の関係の概略図である。
【図２０】本発明の実施形態による端末デバイスの別の実施形態の概略構造図である。
【図２１】本発明の実施形態による端末デバイス内の決定ユニットの実施形態の概略構造図である。
【図２２】本発明の実施形態による端末デバイス内の決定ユニットの実施形態の概略構造図である。
【図２３】本発明の実施形態による端末デバイス内の決定ユニットの実施形態の概略構造図である。
【図２４】本発明の実施形態による端末デバイスの別の実施形態の概略構造図である。
【図２５】本発明の別の実施形態による、アップリンク制御情報を伝送するための方法の概略的フローチャートである。
【図２６】本発明の実施形態による端末デバイスの別の実施形態の概略構造図である。
【図２７】本発明の実施形態による端末デバイスの別の実施形態の概略構造図である。
【図２８】本発明の別の実施形態による、アップリンク制御情報を伝送するための方法の概略的フローチャートである。
【図２９】本発明の実施形態によるアクセスネットワークデバイスの実施形態の概略構造図である。
【図３０】本発明の実施形態によるアクセスネットワークデバイスの実施形態の概略構造図である。
【図３１】マルチサブフレームスケジューリングにおけるサブフレーム間の別の関係の概略図である。
【発明を実施するための形態】
【００３５】
以下は、本発明の実施形態において添付の図面を参照しながら、本発明の実施形態における技術的解決策について明確かつ完全に説明する。明らかに、説明される実施形態は、本発明の実施形態のすべてではないがいくつかにすぎない。創意工夫なしに本発明の実施形態に基づいて当業者によって取得されるすべての他の実施形態は、本発明の保護範囲に含まれるものとする。
【００３６】
背景技術は、ＬＴＥシステムを例として使用することによって説明されるが、当業者は、本発明は、ＬＴＥシステムに適用可能であるだけでなく、他のワイヤレス通信システム、たとえば、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）、ユニバーサルモバイル電気通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、および新しいネットワークシステムにも適用可能であることを理解するべきである。以下は、ＬＴＥシステムを例として使用することによって、実施形態について詳細に説明する。
【００３７】
ＬＴＥシステムを使用したライセンス補助アクセスは、ライセンス帯域とアンライセンス帯域がＣＡモードまたは非ＣＡ（たとえば、ＤＣ）モードで一緒に使用されるＬＴＥシステムである。
【００３８】
ＬＴＥシステムを使用したライセンス補助アクセスの主流の展開シナリオは、ライセンス帯域とアンライセンス帯域がキャリアアグリゲーションＣＡを通して共同で使用されるシナリオである。具体的にいうと、ライセンス帯域またはライセンス帯域内に含まれるキャリアまたはライセンス帯域内で作動するセルはプライマリセルとして使用され、アンライセンス帯域またはアンライセンス帯域内に含まれるキャリアまたはアンライセンス帯域内で作動するセルはセカンダリセルとして使用される。プライマリセルおよびセカンダリセルは、同じサイト上で展開されてもよいし、同じサイト上で展開されなくてもよく、理想的なバックホールパスが２つのセルの間に存在する。
【００３９】
しかしながら、本発明は前述のＣＡシナリオに制限されない。理想的なバックホールパスが２つのセル（プライマリセルおよびセカンダリセル）の間に存在しないシナリオを含む他の展開シナリオも存在する。バックホール遅延は比較的長いので、情報は、たとえば、ＤＣシナリオにおいて、２つのセルの間で迅速に協調されることはできない。
【００４０】
加えて、アンライセンス帯域内で作動するセルの独立した展開が考慮され得る。このケースでは、アンライセンス帯域内で作動するサービングセルは、独立アクセス機能を直接的に提供することができ、たとえば、アンライセンススペクトル上のスタンドアロンＬＴＥ（スタンドアロンＵ−ＬＴＥ）システムにおいて、ライセンス帯域内で作動するセルからの補助を必要としない。
【００４１】
本発明では、ライセンス帯域であるかアンライセンス帯域であるかに関係なく、１つまたは複数のキャリアが含まれてよい。キャリアアグリゲーションは、ライセンス帯域およびアンライセンス帯域上で実行される。これは、ライセンス帯域内に含まれる１つまたは複数のキャリアおよびアンライセンス帯域内に含まれる１つまたは複数のキャリアの上で実行されるキャリアアグリゲーションを含み得る。
【００４２】
本発明で言及されるセルは、基地局に対応するセルであってよい。たとえば、セルは、マクロ基地局に属してもよいし、スモールセル（ｓｍａｌｌ  ｃｅｌｌ）に対応する基地局に属してもよい。本明細書におけるスモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含んでよい。スモールセルは、小さなカバレッジおよび低い伝送電力という特徴を有し、高速データ伝送サービスを提供するために使用される。
【００４３】
ＬＴＥシステムでは、複数の同一周波数内セルは、キャリア内で同時に作動することがある。いくつかの特殊なシナリオでは、ＬＴＥシステムにおいてキャリアの概念とセルの概念が等しいことも考慮されることがある。たとえば、ＣＡシナリオでは、セカンダリキャリアがＵＥのために構成されるとき、セカンダリキャリアのキャリアインデックスとセカンダリキャリア上で作動するセカンダリセルのセル識別情報（Ｃｅｌｌ  Ｉｄｅｎｔｉｔｙ、セルＩＤ）は両方とも、搬送される。このケースでは、キャリアの概念とセルの概念が等しいことが考慮されることがある。たとえば、ＵＥの場合、キャリアにアクセスすることは、セルにアクセスすることに等しい。ＤＣおよびスタンドアロンＵ−ＬＴＥも、この理解に基づいてよい。本発明では、セルの概念が説明のために使用される。
【００４４】
本発明の実施形態におけるネットワーク要素は、アンライセンス帯域内で作動し得るアクセスネットワークデバイスおよび端末デバイスを含む。
【００４５】
本発明の各実施形態は、端末デバイスに関して説明される。端末デバイスは、ユーザ機器（ＵＥ、Ｕｓｅｒ  Ｅｑｕｉｐｍｅｎｔ）、移動局、アクセス端末、加入者ユニット、加入者局、移動局、遠隔局、遠隔端末、モバイルデバイス、ユーザ端末、端末、ワイヤレス通信デバイス、ユーザエージェント、またはユーザ装置と呼ばれることもある。端末デバイスは、ＷＬＡＮ（Ｗｉｒｅｌｅｓｓ  Ｌｏｃａｌ  Ａｒｅａ  Ｎｅｔｗｏｒｋ、ワイヤレスローカルエリアネットワーク）におけるＳＴ（ＳＴＡＴＩＯＮ、局）であってもよいし、セルラー式電話、コードレス電話、ＳＩＰ（Ｓｅｓｓｉｏｎ  Ｉｎｉｔｉａｔｉｏｎ  Ｐｒｏｔｏｃｏｌ、セッション開始プロトコル）電話、ＷＬＬ（Ｗｉｒｅｌｅｓｓ  Ｌｏｃａｌ  Ｌｏｏｐ、ワイヤレスローカルループ）局、ＰＤＡ（Ｐｅｒｓｏｎａｌ  Ｄｉｇｉｔａｌ  Ａｓｓｉｓｔａｎｔ、携帯情報端末）、ワイヤレス通信機能を有するハンドヘルドデバイスもしくはコンピューティングデバイス、または別の処理デバイス、車載デバイス、またはワイヤレスモデムに接続されたウェアラブルデバイス、将来の５Ｇネットワークにおける移動局、将来の進化型ＰＬＭＮネットワークにおける端末デバイスなどであってよい。
【００４６】
加えて、本発明の実施形態では、端末デバイスは、中継器（Ｒｅｌａｙ）、アクセスネットワークデバイス（たとえば、基地局）とのデータ通信を実行することが可能である別のデバイスなどをさらに含んでよい。
【００４７】
本発明の各実施形態は、アクセスネットワークデバイスに関して説明される。アクセスネットワークデバイスは、移動局と通信するように構成されたデバイスであってよい。アクセスネットワークデバイスは、ＷＬＡＮ（Ｗｉｒｅｌｅｓｓ  Ｌｏｃａｌ  Ａｒｅａ  Ｎｅｔｗｏｒｋ、ワイヤレスローカルエリアネットワーク）におけるＡＰ（ＡＣＣＥＳＳ  ＰＯＩＮＴ、アクセスポイント）、ＧＳＭもしくはＣＤＭＡ（Ｃｏｄｅ  Ｄｉｖｉｓｉｏｎ  Ｍｕｌｔｉｐｌｅ  Ａｃｃｅｓｓ、符号分割多元接続）におけるＢＴＳ（Ｂａｓｅ  Ｔｒａｎｓｃｅｉｖｅｒ  Ｓｔａｔｉｏｎ、ＢＴＳ）、またはＷＣＤＭＡにおけるＮＢ（ＮｏｄｅＢ、ノードＢ）であってもよいし、ＬＴＥ（Ｌｏｎｇ  Ｔｅｒｍ  Ｅｖｏｌｕｔｉｏｎ、ロングタームエボリューション）におけるｅＮＢまたはｅＮｏｄｅＢ（Ｅｖｏｌｖｅｄ  ＮｏｄｅＢ、進化型ＮｏｄｅＢ）、中継局またはアクセスポイント、車載デバイス、ウェアラブルデバイス、将来の５Ｇネットワークにおけるアクセスネットワークデバイス、将来の進化型ＰＬＭＮネットワークにおけるアクセスネットワークデバイスなどであってもよい。
【００４８】
本発明の実施形態におけるアップリンク制御情報は、端末デバイスによってアクセスネットワークデバイスにフィードバックされた制御情報である。アップリンク制御情報は、チャネル状態情報ＣＳＩ、サウンディング基準信号ＳＲＳ、またはハイブリッド自動再送要求肯定応答（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ、ＨＡＲＱ−ＡＣＫ）を含んでよい。ＨＡＲＱ−ＡＣＫは、肯定応答ＡＣＫ（Ａｃｋｎｏｗｌｅｄｇｅｍｅｎｔ）または否定応答ＮＡＣＫ（Ｎｅｇａｔｉｖｅ  Ａｃｋｎｏｗｌｅｄｇｅｍｅｎｔ）を含み、または、不連続伝送ＤＴＸ（Ｄｉｓｃｏｎｔｉｎｕｏｕｓ  Ｔｒａｎｓｍｉｓｓｉｏｎ）をさらに含んでよい。チャネル状態情報ＣＳＩは、好ましくは非周期的ＣＳＩであってよいが、間違いなく、周期的ＣＳＩも除外しない。具体的には、ＣＳＩは、チャネル品質インジケータ（Ｃｈａｎｎｅｌ  Ｑｕａｌｉｔｙ  Ｉｎｄｉｃａｔｏｒ、ＣＱＩ）、プリコーディングインジケータ（Ｐｒｅｃｏｄｉｎｇ  Ｍａｔｒｉｘ  Ｉｎｄｉｃａｔｏｒ、ＰＭＩ）、およびランクインジケータ（Ｒａｎｋ  Ｉｎｄｉｃａｔｏｒ、ＲＩ）のうちの少なくとも１つをさらに含んでよい。ＣＳＩは、アクセスネットワークデバイスと端末デバイスの間のチャネルの品質を反映するために使用されてよい。アクセスネットワークデバイスはまた、受信されたＳＲＳを検出することによって、アクセスネットワークデバイスと端末デバイスの間のチャネルの品質を決定し得る。チャネルの品質を決定した後、アクセスネットワークデバイスは、端末デバイスとの信頼性の高いデータ伝送を保証しながらデータ伝送効率を改善するように、チャネルの品質に基づいて適正な伝送モードを設定してよい。アクセスネットワークデバイスは、端末デバイスによってフィードバックされたＨＡＲＱ−ＡＣＫを受信することによって、端末デバイスにスケジュールされたダウンリンクデータが端末デバイスによって適切に受信されたかどうかを決定してよい。スケジュールされたデータが適切に受信されたと決定した場合、アクセスネットワークデバイスは、新しいデータを伝送してよい。または、スケジュールされたデータが適切に受信されなかったと決定した場合、アクセスネットワークデバイスは、データを再伝送してよい。これは、スケジュールされたダウンリンクデータの信頼性の高い伝送を保証することができる。
【００４９】
本発明の実施形態では、サブフレームの持続時間が１ミリ秒（１ｍｓ、１  ｍｉｌｌｉｓｅｃｏｎｄ）であることが留意されるべきである。ノーマルサイクリックプレフィックスを考えると、サブフレームは、１４の直交周波数多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを含む。拡張サイクリックプレフィックスを考えると、サブフレームは、１２のＯＦＤＭシンボルを含む。間違いなく、これはまた、将来の進化型ＬＴＥシステムまたは別のワイヤレスシステムにおいて、より短いサブフレームを使用することを除外しない。たとえば、将来のサブフレームの持続時間は、現在のＯＦＤＭシンボルの持続時間に等しい。たとえば、短い伝送時間間隔（Ｓｈｏｒｔ  Ｔｒａｎｓｍｉｓｓｉｏｎ  Ｔｉｍｅ  Ｉｎｔｅｒｖａｌ、Ｓ−ＴＴＩ）をサポートするＬＴＥシステムの場合、サブフレームは、タイムスロット（Ｓｌｏｔ）によって示されてもよいし、１つまたは複数の（たとえば、７未満の正の整数または６未満の正の整数）ＯＦＤＭシンボルによって示されてもよいことが理解され得る。サブフレームは、スケジュールされた基本的時間単位として理解され得る。本発明の実施形態では、持続時間がＮ個のＯＦＤＭシンボルであるサブフレームの意味と、持続時間がＮ個のＯＦＤＭシンボルである伝送時間間隔（Ｔｒａｎｓｍｉｓｓｉｏｎ  Ｔｉｍｅ  Ｉｎｔｅｒｖａｌ、ＴＴＩ）の意味が一致し得る。ノーマルサイクリックプレフィックスを考えると、Ｎは、１４よりも大きくなくてよい。拡張サイクリックプレフィックスを考えると、Ｎは、１２よりも大きくなくてよい。
【００５０】
本発明の実施形態では、サブフレームにおいて情報伝送のために使用される持続時間は、サブフレームの持続時間に等しくてもよいし、サブフレームの持続時間未満であってもよい。たとえば、ダウンリンクサブフレームの持続時間が１ｍｓである場合、サブフレームにおいてダウンリンク情報伝送のために使用される持続時間は、１ｍｓに等しくてもよいし、１ｍｓ未満であってもよい。別の例では、アップリンクサブフレームの持続時間が１ｍｓである場合、サブフレームにおいてアップリンク情報伝送のために使用される持続時間は、１ｍｓに等しくてもよいし、１ｍｓ未満であってもよい。任意選択で、サブフレームの持続時間が１ｍｓである場合、サブフレームにおいてダウンリンク情報伝送のために使用される持続時間が１ｍｓ未満であるとき、サブフレームは、アップリンク情報をさらに含んでよい。加えて、サブフレームは、アップリンク／ダウンリンク切り換えのために使用される切り換え時間をさらに含む。たとえば、アクセスネットワークデバイスの場合、アップリンク／ダウンリンク切り換え時間は、ダウンリンク送信とアップリンク受信を切り換えるための時間と理解され得る。端末デバイスの場合、アップリンク／ダウンリンク切り換え時間は、ダウンリンク受信とアップリンク送信を切り換えるための時間と理解され得る。
【００５１】
本発明の実施形態では、ダウンリンクサブフレームの持続時間は、アップリンクサブフレームの持続時間と同じであってもよいし、これと異なってもよい。
【００５２】
本発明の実施形態では、アップリンク情報は、端末デバイスによってアクセスネットワークデバイスに送信される情報に対応する。アップリンク情報は、アップリンクデータと、アップリンク基準信号と、アップリンク制御情報と、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）において搬送される情報とを含む。アップリンクデータは、ＵＬ−ＳＣＨにおいて搬送されるデータに対応することがあり（または、アップリンクサービスデータと理解されることがあり）、アップリンク基準信号は、アップリンク復調基準信号（Ｄｅｍｏｄｕｌａｔｉｏｎ  Ｒｅｆｅｒｅｎｃｅ  Ｓｉｇｎａｌ、ＤＭＲＳ）を含む。アップリンク制御情報は、チャネル状態情報（Ｃｈａｎｎｅｌ  Ｓｔａｔｅ  Ｉｎｆｏｒｍａｔｉｏｎ、ＣＳＩ）、スケジューリング要求（Ｓｃｈｅｄｕｌｉｎｇ  Ｒｅｑｕｅｓｔ、ＳＲ）、ＨＡＲＱ−ＡＣＫ、およびサウンディング基準信号（Ｓｏｕｎｄｉｎｇ  Ｒｅｆｅｒｅｎｃｅ  Ｓｉｇｎａｌ、ＳＲＳ）のうちの少なくとも１つを含む。本発明の実施形態では、ＳＲＳは、アップリンク制御情報のタイプと理解されてよい。アップリンク制御情報は、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）において搬送されてもよいし、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）において搬送されてもよい。
【００５３】
本発明の実施形態では、ダウンリンク情報は、ＬＴＥ基地局などのアクセスネットワークデバイスによって端末デバイスに送信される情報に対応する。ダウンリンク情報は、ダウンリンク物理チャネルにおいて搬送されるデータ、および／またはダウンリンク基準信号を含んでよい。ダウンリンク物理チャネルは、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、物理ブロードキャストチャネル（Ｐｈｙｓｉｃａｌ  Ｂｒｏａｄｃａｓｔ  Ｃｈａｎｎｅｌ、ＰＢＣＨ）、物理マルチキャストチャネル（Ｐｈｙｓｉｃａｌ  Ｍｕｌｔｉｃａｓｔ  Ｃｈａｎｎｅｌ、ＰＭＣＨ）、物理制御フォーマットインジケータチャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨ）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、物理ハイブリッド自動再送要求インジケータチャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）、エンハンスト物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）、およびＭＴＣ物理ダウンリンク制御チャネル（ＭＴＣ  Ｐｈｙｓｉｃａｌ  Ｄｏｗｎｌｉｎｋ  Ｃｏｎｔｒｏｌ  Ｃｈａｎｎｅｌ、ＭＰＤＣＣＨ）のうちの少なくとも１つを含む。ダウンリンク基準信号は、セル固有基準信号（Ｃｅｌｌ−ｓｐｅｃｉｆｉｃ  Ｒｅｆｅｒｅｎｃｅ  Ｓｉｇｎａｌ、ＣＲＳ）  マルチメディアブロードキャストマルチキャストサービス単一周波数ネットワーク基準信号（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ  Ｒｅｆｅｒｅｎｃｅ  Ｓｉｇｎａｌ、ＭＢＳＦＮ  ＲＳ）、ＰＤＳＣＨ内で搬送されるデータを復調するためのユーザ機器固有基準信号（ＵＥ−ｓｐｅｃｉｆｉｃ  Ｒｅｆｅｒｅｎｃｅ  Ｓｉｇｎａｌ、ＤＭＲＳ）、ＥＰＤＣＣＨまたはＭＰＤＣＣＨ内で搬送されるデータを復調するための基準信号（ＤｅＭｏｄｕｌａｔｉｏｎ  Ｒｅｆｅｒｅｎｃｅ  Ｓｉｇｎａｌ、ＤＭＲＳ）、測位基準信号（Ｐｏｓｉｔｉｏｎｉｎｇ  Ｒｅｆｅｒｅｎｃｅ  Ｓｉｇｎａｌ、ＰＲＳ）、およびチャネル状態情報基準信号（ＣＳＩ  Ｒｅｆｅｒｅｎｃｅ  Ｓｉｇｎａｌ、ＣＳＩ−ＲＳ）のうちの少なくとも１つを含む。
【００５４】
ＬＴＥシステムにおけるアップリンクデータ伝送は、一般的に、スケジューリングに基づく。ＬＴＥシステム内の端末デバイスを例として使用すると、データが物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）内で伝送されるとき、占有される時間−周波数リソース（時間リソースおよび／または周波数リソース）は、基地局などのアクセスネットワークデバイスによって示される。たとえば、基地局は、アップリンクグラント（Ｕｐｌｉｎｋ  Ｇｒａｎｔ、ＵＬグラント）制御情報を使用することによって、端末デバイスに、端末デバイスがアップリンクデータを伝送するときに占有される時間−周波数リソースを示す。マルチサブフレームスケジューリングシナリオでは、アクセスネットワークデバイスは、マルチサブフレームスケジューリングシグナリングを使用することによって、複数のアップリンクサブフレームにおいてアップリンクデータを伝送するように端末デバイスをスケジュールし得る。たとえば、基地局は、サブフレームｎにおいて、１つまたは複数のＵＬグラントを使用することによって、複数のサブフレーム内に含まれるＰＵＳＣＨ内でアップリンクデータを伝送するように端末デバイスをスケジュールすることがある。図１に示されるように、基地局は、サブフレームｎにおいて搬送される１または複数のＵＬグラントを使用することによって、サブフレームｎ＋４、ｎ＋５、ｎ＋６、またはｎ＋７においてアップリンクデータを伝送するように１つの端末デバイス（たとえば、ユーザ機器、Ｕｓｅｒ  Ｅｑｕｉｐｍｅｎｔ、ＵＥ）をトリガすることがある。基地局は、アップリンクスケジューリングシグナリング（たとえば、ＵＬグラント）内に含まれるトリガ情報を使用することによって、アップリンク制御情報をフィードバックするようにユーザ機器に命令することがある。マルチサブフレームスケジューリングのケースでは、スケジューリングシグナリングが少なくとも２つのアップリンクサブフレームをスケジュールすることがあるので、端末デバイスが、アップリンクデータを伝送するためのサブフレームにおいてアップリンク制御情報を伝送するとき、少なくとも２つのアップリンクサブフレームにおいてアップリンク制御情報を伝送するためのサブフレームをどのようにして決定するかは、緊急に解決されるべき問題である。
【００５５】
たとえば、アップリンク制御情報は非周期的ＣＳＩである。従来技術では、非周期的ＣＳＩを搬送するサブフレームと非周期的ＣＳＩレポーティングをトリガするためのトリガ情報を搬送するサブフレームとの間に、あらかじめ構成された時間関係が存在する。たとえば、周波数分割複信（Ｆｒｅｑｕｅｎｃｙ  Ｄｉｖｉｓｉｏｎ  Ｄｕｐｌｅｘ、ＦＤＤ）システムでは、ＵＥがサブフレームｎにおいて非周期的ＣＳＩトリガ標識情報を受信すると仮定し、この非周期的ＣＳＩトリガ標識情報が、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）またはエンハンスト物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）内で搬送されることがあり、非周期的ＣＳＩトリガ標識情報が、ＰＤＣＣＨまたはＥＰＤＣＣＨ内で搬送されるＣＳＩ要求フィールド（ＣＳＩ  ｒｅｑｕｅｓｔ  ｆｉｅｌｄ）内に含まれる情報と理解され得る場合、ＵＥは、サブフレームｎ＋４において非周期的ＣＳＩを報告し、この非周期的ＣＳＩは、ＵＬグラントによって示されるアップリンクリソース内で搬送される。別の例では、時分割複信（Ｔｉｍｅ  Ｄｉｖｉｓｉｏｎ  Ｄｕｐｌｅｘ、ＴＤＤ）システムにおいて、依然としてＵＥがサブフレームｎにおいてアップリンクスケジューリング標識情報（ＵＬグラント内で搬送される）を受信すると仮定し、この標識情報が非周期的ＣＳＩトリガ情報を含む場合、ＵＥは、サブフレームｎ＋ｋにおいて非周期的ＣＳＩを報告し、ここで、ｋは正の整数であり、ｋの値は、ＴＤＤシステムのアップリンク−ダウンリンク構成およびｎの値に関連する。詳細は、以下の表１に示されている。表１では、ＴＤＤ構成０を例として使用すると、ＵＥがサブフレーム０において非周期的ＣＳＩトリガシグナリングを受信する場合、ＵＥは、サブフレーム４において非周期的ＣＳＩを報告する。
【００５６】
【表１】
2019520734.tif 000003
【００５７】
前述の説明に基づいて、従来技術を使用することによって、ＣＳＩを報告するためのアップリンクサブフレームは、あらかじめ構成されたアップリンクサブフレームの位置にあり、このあらかじめ構成されたアップリンクサブフレームは、サブフレームｎ＋４およびサブフレームｎ＋４の後のサブフレームの中で、サブフレームｎに最も近いアップリンクサブフレームであることが観察可能である。
【００５８】
マルチサブフレームスケジューリング技術では、アクセスネットワークデバイスおよび端末デバイスが、アンライセンス帯域リソースを使用することによってデータ伝送を実行する場合、データ伝送の前に、一般的に、アクセスネットワークデバイスおよび／または端末デバイスは、ＣＣＡなどの競合メカニズムを使用することによって、アンライセンス帯域リソースがデータ伝送を実行するために使用可能かどうかを決定する必要がある。従来技術によれば、サブフレームｎにおいて搬送されるＵＬグラントが非周期的ＣＳＩトリガ標識情報を含む場合、ＵＥは、サブフレームｎ＋４において、ＰＵＳＣＨリソースを使用することによって非周期的ＣＳＩを伝送する。ＵＥが、サブフレームｎ＋４において競合を通じてアンライセンス帯域リソースを取得するのに失敗した場合、従来技術によれば、スケジュールされたアップリンクリソースが、その後のサブフレーム（たとえば、サブフレームｎ＋５、ｎ＋６、またはｎ＋７）に依然として存在する場合でも、ＵＥは、非周期的ＣＳＩを伝送することはできず、したがって、ダウンリンクデータ伝送効率が影響される。
【００５９】
前述の問題は、ＳＲＳ伝送およびＨＡＲＱ−ＡＣＫ伝送においても存在する。詳細は、本明細書において、さらに説明されない。
【００６０】
実施形態１
アップリンク制御情報を報告するための機会を保証し、アンライセンス帯域内でダウンリンクデータを伝送する効率を改善するために、本発明は、アップリンク制御情報を伝送するための方法の実施形態を提供する。この実施形態は、Ｕ−ＬＴＥ（アンライセンススペクトル上のＬＴＥ）システムにおけるマルチサブフレームスケジューリングシナリオに適用されてよい。Ｕ−ＬＴＥシステムは、アンライセンス帯域内で作動するＬＴＥシステムであり、ＣＡモードでライセンス帯域リソースおよびアンライセンス帯域リソースを共同で使用するＬＴＥシステム（ＬＡＡ−ＬＴＥシステム）を含んでもよいし、デュアルコネクティビティ（Ｄｕａｌ  Ｃｏｎｎｅｃｔｉｖｉｔｙ、ＤＣ）モードでライセンス帯域リソースおよびアンライセンス帯域リソースを共同で使用するＬＴＥシステムを含んでもよいし、アンライセンス帯域リソース内で独立して展開されるＬＴＥシステム（スタンドアロンＵ−ＬＴＥ）を含んでもよいことが留意されるべきである。
【００６１】
図２を参照すると、本発明は、アップリンク制御情報を伝送するための方法の実施形態を提供する。この方法は、アンライセンス帯域内で作動するＬＴＥシステムに適用されてよい。この方法は、以下のステップを含む。
【００６２】
Ｓ２０１。端末デバイスが、アクセスネットワークデバイスからスケジューリング情報およびトリガ情報を受信し、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される。
【００６３】
Ｓ２０２。端末デバイスが、Ｍ個のアップリンクサブフレームにおいて、アップリンク制御情報を搬送するためのアップリンクサブフレームを決定し、この決定されたアップリンクサブフレームは、Ｍ個のアップリンクサブフレームの中の第１のサブフレーム以外のサブフレームであり、この第１のサブフレームは、Ｍ個のアップリンクサブフレームの時間系列内の第１のアップリンクサブフレームである。
【００６４】
Ｓ２０３。端末デバイスが、決定されたアップリンクサブフレームにおいてアップリンク制御情報を送信する。
【００６５】
本発明のこの実施形態では、アクセスネットワークデバイスと端末デバイスの間で伝送されるデータがアンライセンス帯域内で搬送される場合、アクセスネットワークデバイスが、アンライセンス帯域を使用することによってダウンリンク情報を伝送する前に、または、端末デバイスが、アンライセンス帯域を使用することによってアップリンク情報を伝送する前に、一般的に、クリアチャネルアセスメント（Ｃｌｅａｒ  Ｃｈａｎｎｅｌ  Ａｓｓｅｓｓｍｅｎｔ、ＣＣＡ）が、アンライセンス帯域リソースが利用可能かどうかを決定するために使用される必要があることが留意されるべきである。本発明のこの実施形態における添付の図面は、ＣＣＡの特定の位置を制限する代わりに、ＣＣＡの遂行について説明するためにのみ意図される。加えて、本発明のこの実施形態における添付の図面のうちのいくつかは、アップリンク制御情報を搬送するために使用され、本発明のこの実施形態を使用することによって決定されるアップリンクサブフレーム位置について説明するためにのみ意図される。したがって、ＣＣＡの位置は無視される。しかしながら、実際には、ＣＣＡは、実行される必要があることがある、または実行される必要はない。
【００６６】
本発明のこの実施形態では、「スケジューリング情報は、Ｍ個のアップリンクサブフレームにおいて、スケジューリング情報によってスケジュールされたアップリンクデータを伝送するように端末デバイスに命令するために使用される」は、「スケジューリング情報は、Ｍ個のアップリンクサブフレームにおいてアップリンクデータを伝送するように端末デバイスに命令するために使用され、アップリンクデータは、スケジューリング情報によってスケジュールされる」と理解されてもよいし、「スケジューリング情報は、スケジューリング情報によってスケジュールされたアップリンクデータを伝送するように端末デバイスに命令するために使用され、スケジューリング情報は、どれくらい多くのアップリンクサブフレームにおいて、および／またはどのアップリンクサブフレームにおいて、伝送が実行されるかを具体的に示すために使用されてもよいし、他の様式が使用されてもよい」と理解されてもよい。
【００６７】
本発明のこの実施形態では、スケジューリング情報は、スケジュールされたアップリンクデータに対応する伝送フォーマット、たとえば、スケジュールされたアップリンクデータが、対応する時間−周波数リソース内で伝送されるとき、周波数ホッピングが周波数位置において必要とされるかどうか、スケジュールされたアップリンクデータに対応するリソース割り振り（Ｒｅｓｏｕｒｃｅ  Ａｌｌｏｃａｔｉｏｎ）、スケジュールされたアップリンクデータに対応する電力制御情報、スケジュールされたアップリンクデータに対応する新しい伝送もしくは再伝送情報、またはスケジュールされたアップリンクデータに対応するＭＣＳのうちの少なくとも１つを示すために使用されることがあり、本発明のこの実施形態において、スケジュールされたアップリンクデータに対応するアップリンクサブフレームの量はＭに対応し得る。
【００６８】
本発明のこの実施形態では、スケジューリング情報は、ダウンリンク制御情報（Ｄｏｗｎｌｉｎｋ  Ｃｏｎｔｒｏｌ  Ｉｎｆｏｒｍａｔｉｏｎ、ＤＣＩ）内に含まれる１つまたはいくつかの情報フィールドであってもよいし、ＤＣＩ内に含まれるすべての情報フィールドであってもよい。スケジューリング情報は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）および／またはエンハンスト物理ダウンリンク制御チャネル（Ｅｎｈａｎｃｅｄ  ＰＤＣＣＨ、ＥＰＤＣＣＨ）内で搬送されてもよいし、別のチャネル内で搬送されてもよい。これは、本発明では、具体的に制限されない。
【００６９】
本発明のこの実施形態では、スケジューリング情報は、たとえば端末デバイスまたは端末デバイスグループ上でのみ有効な、ＵＥ固有（ＵＥ  ｓｐｅｃｉｆｉｃ）標識情報であってよい。スケジューリング情報はまた、たとえばセル内の接続モードであるすべての端末デバイスまたはセルをサービングセルとして使用するすべての端末デバイス（接続モードである端末デバイスとアイドルモードである端末デバイスとを含む）上で有効な、セル固有（Ｃｅｌｌ  ｓｐｅｃｉｆｉｃ）標識情報であってよい。
【００７０】
任意選択で、本発明のこの実施形態では、スケジューリング情報は、アップリンクグラント（Ｕｐｌｉｎｋ  Ｇｒａｎｔ、ＵＬグラント）制御情報内に含まれる情報フィールドであってよい。たとえば、スケジューリング情報は、キャリアインジケータ（Ｃａｒｒｉｅｒ  Ｉｎｄｉｃａｔｏｒ）、周波数ホッピングフラグ（Ｆｒｅｑｕｅｎｃｙ  ｈｏｐｐｉｎｇ  ｆｌａｇ）、リソースブロック割り当ておよびホッピングリソース割り振り（Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ）、変調符号化方式（Ｍｏｄｕｌａｔｉｏｎ  ａｎｄ  Ｃｏｄｉｎｇ  Ｓｃｈｅｍｅ、ＭＣＳ）、リダンダンシーバージョン（Ｒｅｄｕｎｄａｎｃｙ  ｖｅｒｓｉｏｎ、ＲＶ）インジケータ、アップリンク復調基準信号（Ｄｅｍｏｄｕｌａｔｉｏｎ  Ｒｅｆｅｒｅｎｃｅ  Ｓｉｇｎａｌ、ＤＭＲＳ）に対応する循環シフト（Ｃｙｃｌｉｃ  ｓｈｉｆｔ、ＣＳ）および直交カバーコード（Ｏｒｔｈｏｇｏｎａｌ  Ｃｏｖｅｒ  Ｃｏｄｅ、ＯＣＣ）、ならびに新規データインジケータ（Ｎｅｗ  ｄａｔａ  ｉｎｄｉｃａｔｏｒ、ＮＤＩ）のうちの少なくとも１つを含んでよい。さらに任意選択で、スケジューリング情報は、ＤＣＩフォーマット０（ＤＣＩ  Ｆｏｒｍａｔ  ０）もしくはＤＣＩフォーマット４（ＤＣＩ  Ｆｏｒｍａｔ  ４）で伝送される制御情報内に含まれる情報フィールドを含む、または、ＤＣＩフォーマット０に基づくエンハンストＤＣＩフォーマット（説明を簡単にするためにＤＣＩフォーマット０エンハンストフォーマットと呼ばれる）もしくはＤＣＩフォーマット４に基づくエンハンストＤＣＩフォーマット（同様に、説明を簡単にするためにＤＣＩフォーマット４エンハンストフォーマットと呼ばれる）で伝送される制御情報内に含まれる情報フィールドをさらに含むことがある。従来技術によれば、一般的に、周波数分割複信（Ｆｒｅｑｕｅｎｃｙ  Ｄｉｖｉｓｉｏｎ  Ｄｕｐｌｅｘ、ＦＤＤ）システムを例として使用すると、ＤＣＩフォーマット０は、アップリンクサブフレームにおいて、ＤＣＩフォーマット０によってスケジュールされたアップリンクデータを伝送するように端末デバイスに命令するために使用され、このアップリンクデータは、１つのトランスポートブロック（Ｔｒａｎｓｍｉｓｓｉｏｎ  Ｂｌｏｃｋ、ＴＢ）に対応する、または、１つのコードワード（Ｃｏｄｅｗｏｒｄ）に対応し、ＤＣＩフォーマット４は、アップリンクサブフレームにおいて、ＤＣＩフォーマット４によってスケジュールされたアップリンクデータ情報を伝送するように端末デバイスに命令するために使用され、このアップリンクデータは、２つのトランスポートブロックＴＢに対応する、または２つのコードワードに対応することが留意されるべきである。本明細書では、ＤＣＩフォーマット０エンハンストフォーマットは、「スケジューリング情報の一部分を使用することによって複数のアップリンクＵＬサブフレームのスケジューリングを同時にサポートするように、ＤＣＩフォーマット０に基づいて、必要な情報フィールドが追加される」と理解されてよい。ＤＣＩフォーマット４エンハンストフォーマットは、「スケジューリング情報の一部分を使用す���ことによって複数のアップリンクサブフレームのスケジューリングを同時にサポートするように、ＤＣＩフォーマット４に基づいて、必要な情報フィールドが追加されると理解されてよく、各アップリンクサブフレームは、２つのトランスポートブロックの伝送をサポートし得る。
【００７１】
この実施形態では、決定されたアップリンクサブフレームは、最大１つのサブフレームを含む。アップリンク制御情報を搬送するための最大１つのアップリンクサブフレームを決定することは、アップリンク制御情報のリソースオーバヘッドを減少させ得る。
【００７２】
実施形態では、スケジューリング情報とトリガ情報は、同じダウンリンク制御情報内で搬送される。たとえば、スケジューリング情報とトリガ情報の両方が、ＵＬグラント内で搬送される。
【００７３】
本発明のこの実施形態では、スケジューリング情報とトリガ情報は、同じダウンリンク制御情報（Ｄｏｗｎｌｉｎｋ  Ｃｏｎｔｒｏｌ  Ｉｎｆｏｒｍａｔｉｏｎ、ＤＣＩ）内で搬送される。たとえば、スケジューリング情報およびトリガ情報は１つのＵＬグラント内で搬送され、このＵＬグラントは、アップリンクデータおよびアップリンク制御情報を伝送するように端末デバイスに命令するために使用され、トリガ情報は、ＵＬグラント内に含まれる非周期的ＣＳＩ要求（ＣＳＩ  ｒｅｑｕｅｓｔ）であってよい。アップリンク制御情報がＳＲＳであるとき、トリガ情報は、ＵＬグラント内に含まれるＳＲＳ要求（ＳＲＳ  ｒｅｑｕｅｓｔ）であってよいことが留意されるべきである。アップリンク制御情報がＨＡＲＱ−ＡＣＫであるとき、トリガ情報は、ＨＡＲＱ−ＡＣＫに対応するダウンリンクデータまたはＨＡＲＱ−ＡＣＫに対応するＰＤＳＣＨ伝送と理解されてよいことが留意されるべきである。たとえば、端末デバイスが、サブフレームｎにおいて、アクセスネットワークデバイスによって送信されたダウンリンクデータ（ＰＤＳＣＨ内で搬送されたダウンリンクサービスデータ）を受信する、または、サブフレームｎにおいて、アクセスネットワークデバイスによって送信されたＰＤＳＣＨ伝送を検出すると仮定すると、端末デバイスは、サブフレームｎ＋４において、あらかじめ構成されたＨＡＲＱタイミング関係に従って、ダウンリンクデータに対応するＨＡＲＱ−ＡＣＫを送信することがある。本発明のこの実施形態では、サブフレームｎにおいて受信されるダウンリンクデータまたはサブフレームｎにおいて検出されるＰＤＳＣＨ伝送は、「アップリンク制御情報（ＨＡＲＱ−ＡＣＫ）を送信するように端末デバイスに命令するために使用されるトリガ情報」と理解されてよい。アップリンク制御情報がＨＡＲＱ−ＡＣＫであるとき、トリガ情報は、ＨＡＲＱ−ＡＣＫに対応するダウンリンク制御チャネルとさらに理解されてよく、このダウンリンク制御チャネルは、端末デバイスは、ダウンリンク制御チャネルを検出することによって、検出されたダウンリンク制御情報によってスケジュールされたダウンリンクデータチャネル内でダウンリンクデータを受信する、と定義されることが留意されるべきである。本発明のこの実施形態はまた、ＨＡＲＱ−ＡＣＫに対応するトリガ情報が別の形をした標識情報であることを除外せず、ＨＡＲＱタイミング関係がシグナリングによって示されることを除外しない。
【００７４】
実施形態では、スケジューリング情報とトリガ情報は、同じダウンリンクサブフレームにおいて搬送される。本発明のこの実施形態では、アップリンク制御情報を送信するように端末デバイスに命令するために使用されるスケジューリング情報とトリガ情報は、同じサブフレームにおいて搬送される。または任意選択で、トリガ情報を含むサブフレームが、時間系列において、スケジューリング情報を含むサブフレームに先行し、間違いなく、これはまた、トリガ情報を含むサブフレームが、時間系列において、スケジューリング情報を含むサブフレームに続き、Ｍ個のアップリンクサブフレームの中の第１のアップリンクサブフレームに先行することを除外しない。
【００７５】
実施形態では、アップリンク制御情報は、チャネル状態情報、サウンディング基準信号、およびハイブリッド自動再送要求肯定応答のうちの少なくとも１つを含む。
【００７６】
図３のマルチサブフレームスケジューリングにおけるサブフレーム間の関係の概略図を参照すると、ＵＬグラントなどのスケジューリング情報は、ダウンリンクサブフレームｎにおいて送信される。サブフレームｎ＋４、サブフレームｎ＋５、サブフレームｎ＋６、およびサブフレームｎ＋７は、ダウンリンクサブフレームｎによってスケジュールされたアップリンクサブフレームである（すなわち、Ｍ＝４）。ＣＳＩを例として使用すると、端末デバイスがサブフレームｎにおいてトリガ情報を受信し、トリガ情報は、アップリンク制御情報、たとえば、非周期的チャネル状態情報（Ｃｈａｎｎｅｌ  Ｓｔａｔｅ  Ｉｎｆｏｒｍａｔｉｏｎ、ＣＳＩ）を送信するように端末デバイスに命令する。このケースでは、端末デバイスは、サブフレームｎ＋４、サブフレームｎ＋５、サブフレームｎ＋６、およびサブフレームｎ＋７において、アップリンクサブフレームにおいてＣＳＩを送信することを決定してよい。本発明のこの実施形態では、ＣＳＩを伝送するための端末デバイスによって決定されたアップリンクサブフレームは、サブフレームｎ＋４からサブフレームｎ＋７における第１のアップリンクサブフレーム以外のサブフレームであってよい。すなわち、図３におけるサブフレームｎ＋５、サブフレームｎ＋６、およびサブフレームｎ＋７のいずれか１つは、アップリンク制御情報を搬送するためのアップリンクサブフレームとして使用されてよい。
【００７７】
この実施形態では、アップリンクデータを伝送するためのＭ個のアップリンクサブフレームにおいて、第１のサブフレーム以外のサブフレームは、アップリンク制御情報を搬送するために使用される。アップリンク制御情報を伝送する前、端末デバイスは、少なくとも２つのアップリンクサブフレームの前にＣＣＡを実行することができる。または、端末デバイスは、アップリンク共有チャネル（Ｕｐｌｉｎｋ  Ｓｈａｒｅｄ  Ｃｈａｎｎｅｌ、ＵＬ−ＳＣＨ）を含む複数のアップリンクサブフレームの中の少なくとも１つのアップリンクサブフレームの前にＣＣＡを実行することができる。１つのＣＣＡが成功する限り、端末デバイスは、決定されたアップリンクサブフレームにおいてアップリンク制御情報を送信することができる。これは、アップリンク制御情報を伝送するための機会を最大限に保証し、アンライセンス帯域内での信頼性が高く効率的なデータ伝送をさらに保証することができる。たとえば、図３に示されるように、端末デバイスが、アップリンク制御情報を搬送するためのアップリンクサブフレームとしてサブフレームｎ＋７を決定した場合、端末デバイスは、アンライセンス帯域が競合を通じて取得されることを決定する前に、複数のアップリンクサブフレームのうちの少なくとも１つの前にＣＣＡを実行してよい。たとえば、端末デバイスが、サブフレームｎ＋４、サブフレームｎ＋５、およびサブフレームｎ＋６において競合を通じてアンライセンス帯域リソースを取得するのに失敗した場合でも、端末デバイスは、依然としてサブフレームｎ＋７の前にＣＣＡを実行し、アップリンク制御情報がサブフレームｎ＋７において伝送可能であるかどうかを決定してよい。したがって、端末デバイスがアップリンク制御情報を伝送する前に端末デバイスがアンライセンススペクトルリソースを巡って競合する機会を追加することによって、アップリンク制御情報の伝送が最大限に保証可能である。
【００７８】
任意選択で、端末デバイスは、決定されたアップリンクサブフレームにおいてアップリンク制御情報を送信する前に、複数のアップリンクサブフレームのうちの少なくとも１つの前にＣＣＡを実行し、複数のアップリンクサブフレームは、Ｍ個のアップリンクサブフレーム内に含まれる少なくとも２つのアップリンクサブフレームである。たとえば、前述の例では、端末デバイスが、サブフレームｎ＋７が、アップリンク制御情報を搬送するためのサブフレームであることを決定した場合、端末デバイスは、サブフレームｎ＋４、サブフレームｎ＋５、およびサブフレームｎ＋６のうちの少なくとも１つの前にＣＣＡを実行してよい。
【００７９】
この実施形態では、端末デバイスは、Ｍ個のアップリンクサブフレームにおいて複数の様式で、アップリンク制御情報を搬送するためのアップリンクサブフレームを決定することがある。
【００８０】
実装形態１：端末デバイスが、アップリンク制御情報を搬送するためのアップリンクサブフレームとして、Ｍ個のアップリンクサブフレームの時間系列における最後のサブフレームまたは時間系列における最後から２番目のサブフレームを決定する。
【００８１】
図３を例として使用すると、端末デバイスが、サブフレームｎにおいて、アクセスネットワークデバイスによって送信されたＵＬグラントを受信し、このＵＬグラントは、サブフレームｎ＋４、サブフレームｎ＋５、サブフレームｎ＋６、およびサブフレームｎ＋７においてアップリンクデータを伝送するように端末デバイスに命令し、アップリンクデータはＰＵＳＣＨ内で搬送されることが仮定される。さらに、ＵＬグラントは非周期的ＣＳＩ要求（ＣＳＩ  ｒｅｑｕｅｓｔ）を含み、このＣＳＩ要求は、非周期的ＣＳＩを伝送するように端末デバイスに命令する。実装形態１では、端末デバイスが、ＣＣＡを実行することによって、アンライセンス帯域リソースがサブフレームｎ＋６またはサブフレームｎ＋７において競合を通じて取得されることを決定することができる場合、端末デバイスは、サブフレームｎ＋７において非周期的ＣＳＩを伝送する、またはサブフレームｎ＋６において非周期的ＣＳＩを伝送することができる。
【００８２】
時間系列における最後のサブフレームにおいてアップリンク制御情報を伝送する利益は、アップリンク制御情報を伝送するための機会が最大限に保証可能なことである。端末デバイスが、第１のスケジュールされたアップリンクサブフレームにおいて競合を通じてアンライセンス帯域リソースを取得するのに失敗した場合でも、端末デバイスは、その後のアップリンクサブフレームにおいてデータを伝送する前にアンライセンス帯域リソースが利用可能であるかどうかを引き続き評価し得る。このケースでは、この解決策によれば、非周期的ＣＳＩ報告を搬送するためのサブフレームは、可能な場合、複数のスケジュールされたアップリンクサブフレームにおいて比較的後ろの位置で構成または示される。これは、非周期的ＣＳＩ報告を搬送するためのサブフレームに、より多くのＣＣＡ機会を提供することに等しい。したがって、非周期的ＣＳＩ報告の伝送が最大限に保証される。
【００８３】
時間系列における最後から２番目のサブフレームにおいてアップリンク制御情報を伝送する利益は、いくつかのケースにおけるアップリンク制御情報の無損失伝送が保証可能なことである。以下のケースを考慮すると、図４に示されるように、Ｍ個のアップリンクサブフレームが、ダウンリンクサブフレームによって続かれることがある。一般的に、アクセスネットワークデバイスは、ダウンリンク情報伝送を実行する前にＣＣＡを最初に実行する必要がある。ダウンリンク情報伝送がダウンリンクサブフレーム内に含まれる第１のＯＦＤＭシンボルから始まることができることを保証するために、ダウンリンクサブフレームの前の最後のアップリンクサブフレームのある時間は、アクセスネットワークデバイスがその時間内にＣＣＡを実行することができるように、アップリンク情報伝送のために使用されることができず、それによって、ダウンリンク情報伝送がダウンリンクサブフレーム内の第１のＯＦＤＭシンボルから始まることができることを保証する。このケースでは、最後のアップリンクサブフレームのいくらかの時間は、アップリンク情報伝送のために使用されることはできないので、このケースでは、非周期的ＣＳＩ情報が、依然として、Ｍ個のアップリンクサブフレームの中の最後のサブフレームにおいて搬送される場合、非周期的ＣＳＩ伝送の実行が影響される。したがって、このケースに基づいて、非周期的ＣＳＩは、Ｍ個のアップリンクサブフレームの中の最後から２番目のサブフレーム、たとえば、図４に示されるサブフレームｎ＋６において搬送されることがある。
【００８４】
本発明のこの実施形態では、スケジューリング情報が、Ｍ個のアップリンクサブフレームにおいて、スケジューリング情報によってスケジュールされたアップリンクデータを伝送するように端末デバイスに命令するために使用されることは、スケジューリング情報が、Ｍ個のアップリンクサブフレームにおいてアップリンク情報伝送のために使用される持続時間内にアップリンク情報を伝送するように端末デバイスに命令するために使用されることを含み得ることに留意されるべきである。
【００８５】
実装形態２：端末デバイスが、サブフレームｎにおいてスケジューリング情報を受信し、端末デバイスが、アップリンク制御情報を搬送するためのアップリンクサブフレームとして、アップリンクバーストの時間系列における最後のまたは最後から２番目のアップリンクサブフレームを決定する。アップリンクバーストとは、時間的に連続して占有されＭ個のアップリンクサブフレーム内に含まれる複数のアップリンクサブフレームを指し、アップリンクバーストは、サブフレームｎを含むダウンリンクバーストの後であり、サブフレームｎを含むダウンリンクバーストに直接隣接する。
【００８６】
より一般的には、本発明のこの実施形態では、端末デバイスは、アップリンク制御情報を搬送するためのアップリンクサブフレームとして、アップリンクバースト内の任意のアップリンクサブフレームを決定し、この任意のアップリンクサブフレームは、Ｍ個のアップリンクサブフレームの中の第１のアップリンクサブフレームではない。
【００８７】
あるいは、実装形態２は、「端末デバイスが、サブフレームｎにおいてスケジューリング情報を受信し、端末デバイスが、アップリンク制御情報を搬送するためのアップリンクサブフレームとして、第１のアップリンクバーストの時間系列における最後のまたは最後から２番目のアップリンクサブフレームを決定する」と理解されてよい。Ｍ個のアップリンクサブフレームから構成されるアップリンクサブフレームセットは、第１のアップリンクバーストと、第２のアップリンクバーストとを含む。第１のアップリンクバーストは、サブフレームｎを含むダウンリンクバーストの後であり、サブフレームｎを含むダウンリンクバーストに直接隣接する。
【００８８】
より一般的には、本発明のこの実施形態では、端末デバイスは、アップリンク制御情報を搬送するためのアップリンクサブフレームとして、第１のアップリンクバーストの時間系列内の任意のアップリンクサブフレームを決定し、この任意のアップリンクサブフレームは、Ｍ個のアップリンクサブフレームの中の第１のアップリンクサブフレームを含まない。
【００８９】
本発明のこの実施形態では、アップリンクバースト（Ｕｐｌｉｎｋ  Ｂｕｒｓｔ、ＵＬバースト）は、時間的に連続して占有される複数のアップリンクサブフレームを含む。本発明のこの実施形態では、複数のアップリンクサブフレームは、（たとえば、図５に示されるように）ＣＣＡのために使用される時間エリアを含んでもよいし、（たとえば、図６に示されるように）ＣＣＡのために使用される時間エリアを含まなくてもよい。図６では、アイドル時間単位は、少なくとも別の端末デバイスによってＣＣＡを実行するために使用されてよい。
【００９０】
本発明のこの実施形態では、ダウンリンクバーストとは、時間的に連続して占有される複数のダウンリンクサブフレームを指す。具体的には、基地局（ｅＮＢなど）または基地局のカバレッジ内のセル（Ｃｅｌｌ）がアンライセンススペクトルリソースをプリエンプトした後、基地局またはセルは、ＣＣＡなどの競合メカニズムを使用することなくアンライセンススペクトルリソースを使用することによって、データ伝送を実行する。ダウンリンクバーストの持続時間は、競合メカニズムを使用することのないアンライセンススペクトルリソース上での基地局（またはセル）による連続伝送の最大時間よりも長くなく、この最大時間は、最大チャネル占有時間（Ｍａｘｉｍｕｍ  Ｃｈａｎｎｅｌ  Ｏｃｃｕｐａｎｃｙ  Ｔｉｍｅ、ＭＣＯＴ）とも呼ばれることがある。ＭＣＯＴは、地域の法規の制約に関連することがある。たとえば、日本では、ＭＣＯＴは４ｍｓに等しくてよい。ヨーロッパでは、ＭＣＯＴは、８ｍｓ、１０ｍｓ、または１３ｍｓに等しくてよい。ＭＣＯＴは、リスニングデバイス（たとえば、基地局またはユーザ機器）によって使用される競合メカニズムにも関連することがある。一般的に、リスニング時間がより短い場合、ＭＣＯＴも短くなる。ＭＣＯＴの長さは、データ伝送のサービスレベルにも関連することがある。たとえば、ＶｏＩＰサービスを例として使用すると、このサービスの優先順位は比較的高く、このケースでは、一般的に、ＭＣＯＴは、２ｍｓであることがある、すなわち、基地局が競合を通じてアンライセンススペクトルリソースを取得した後、連続して２ミリ秒であることがある。データ伝送サービスを例として使用すると、このサービスの優先順位は比較的低く、一般的に、ＭＣＯＴは、連続して８または１０ミリ秒であることがある。
【００９１】
図７を例として使用すると、端末デバイスは、サブフレームｎ＋３において、アクセスネットワークデバイスによって送信されたスケジューリング情報を受信し、スケジューリング情報は、サブフレームｎ＋７、サブフレームｎ＋８、サブフレームｎ＋１２、およびサブフレームｎ＋１３においてアップリンクデータを伝送するように端末デバイスに命令する。サブフレームｎ＋７とサブフレームｎ＋８とを含むアップリンクバーストは、サブフレームｎ＋３を含むダウンリンクバーストに直接隣接するアップリンクバーストである。サブフレームｎ＋１２とサブフレームｎ＋１３とを含むアップリンクバーストは、サブフレームｎ＋３を含むダウンリンクバーストに直接隣接するアップリンクバーストでない。実装形態２では、アップリンク制御情報を搬送するためのアップリンクサブフレームは、サブフレームｎ＋８であってよい。
【００９２】
本発明のこの実施形態では、サブフレームｎ＋ｘが、サブフレームｎとの特定の相対的関係を有するサブフレームを表すために使用されてよいことが留意されるべきである。具体的にいうと、サブフレームｎ＋ｘは、ｘ個のサブフレームの遅延の後のサブフレームｎに対応するサブフレームを表す。サブフレームｎ＋ｘに対応する特定のサブフレームインデックスは、ｎ＋ｘを使用することによる１０に対するモジュロ演算を実行することによって取得され得る。たとえば、ｎ＝４およびｘ＝７と仮定すると、サブフレームｎ＋ｘは、サブフレーム４を含む無線フレームの後の第１の無線フレームにおいてサブフレームインデックスが１であるサブフレームを表す。
【００９３】
実装形態２を使用する利益は、次のとおりである。サブフレームｎ＋３（スケジューリング情報を搬送するためのサブフレーム）を含むダウンリンクバーストに最も近いアップリンクバーストにおいてアップリンク制御情報を搬送する利益は、アクセスネットワークデバイスが、可能な限り早くフィードバック情報を取得することができることである。一般的に、ダウンリンクバーストはアップリンクバーストに続くので、アクセスネットワークデバイスが、サブフレームｎ＋７またはサブフレームｎ＋８において、端末デバイスによってフィードバックされたアップリンク制御情報を受信する場合、アクセスネットワークデバイスは、アップリンク制御情報に従って次のダウンリンクバースト内のダウンリンクデータのための適正なＭＣＳを設定し、それによって、アンライセンス帯域リソース上でのダウンリンクデータ伝送の効率を高めることができる。
【００９４】
実装形態３：端末デバイスが、他のサブフレームにおいて、アップリンク制御情報を搬送するためのアップリンクサブフレームとして、アップリンク情報を伝送するためのＯＦＤＭシンボルの量が指定された閾値以上であるサブフレームを決定する。他のサブフレームは、Ｍ個のアップリンクサブフレームの中の第１のサブフレーム以外のサブフレームである。
【００９５】
指定された閾値は、アップリンク制御情報を搬送することができるＯＦＤＭシンボルの量以上であることを含んでよい。非周期的ＣＳＩを例として使用すると、指定された閾値は、１４のＯＦＤＭシンボルを含んでよい。この実践（practice）の利益は、アップリンク制御情報の伝送効率が保証可能であることである。加えて、システム設計が簡略化されるように、既存のＬＴＥシステムの設計基準がアップリンク制御情報の伝送のために再使用されることがさらに指定されてよい。
【００９６】
任意選択で、第１のサブフレームに加えて、Ｍ個のアップリンクサブフレームが、以下の条件、すなわち、サブフレームにおいてアップリンク情報を伝送するためのＯＦＤＭシンボルの量が指定された閾値以上であること、を満たす複数のアップリンクサブフレームを含む場合、端末デバイスは、複数のアップリンクサブフレームの時間系列における最後のアップリンクサブフレームを、アップリンク制御情報を搬送するためのアップリンクサブフレームとして使用してよい。たとえば、Ｍ個のアップリンクサブフレームの時間系列内の最後のアップリンクサブフレーム（たとえば、図４におけるサブフレームｎ＋７）においてアップリンク情報を伝送するためのＯＦＤＭシンボルの量が１４未満であるが、Ｍ個のアップリンクサブフレームの時間系列内の最後から２番目のアップリンクサブフレームにおいてアップリンク情報を伝送するためのＯＦＤＭシンボルの量が１４に等しい場合、端末デバイスは、アップリンク制御情報を搬送するためのアップリンクサブフレームとして、Ｍ個のアップリンクサブフレームの時間系列内の最後から２番目のアップリンクサブフレームを決定してよい。
【００９７】
本発明のこの実施形態では、端末デバイスは、スケジューリング情報または他の標識情報に従って、各スケジュールされたアップリンクサブフレームにおいてアップリンク情報を伝送するためのＯＦＤＭシンボルの量を決定してよく、アップリンク情報を伝送するためのＯＦＤＭシンボルの量と指定された閾値との間の関係をさらに決定してよい。決定されたＯＦＤＭシンボルの量が指定された閾値以上である場合、対応するアップリンクサブフレームは、アップリンク情報を伝送するために使用されてよい。さらに、端末デバイスは、決定されたアップリンクサブフレームの時間系列における指定された閾値との関係（時間系列関係）を満たす第１のアップリンクサブフレームを、アップリンク制御情報を伝送するためのアップリンクサブフレームとして使用してよく、この実践の利益は、アクセスネットワークデバイスがチャネル状態情報をより早く取得することができることである。あるいは、端末デバイスは、決定されたアップリンクサブフレームの時間系列において、指定された閾値との関係を満たす最後のアップリンクサブフレームを、アップリンク制御情報を伝送するためのアップリンクサブフレームとして使用してよく、この実践の利益は、上記で説明されたように、アップリンク制御情報を伝送するための機会が保証可能であることである。図３を参照すると、アクセスネットワークデバイスがサブフレームｎを使用することによってスケジューリング情報を送信するとき、端末デバイスが、サブフレームｎ＋４の前に競合を通じてアンライセンス帯域リソースを取得することができることが仮定され得る。したがって、サブフレームｎ＋５からサブフレームｎ＋７に対してアクセスネットワークデバイスによって送信されたスケジューリング情報によってスケジュールされたアップリンクデータは、１４のＯＦＤＭシンボルにおいて伝送されてよい。端末デバイスがスケジューリング情報または標識情報を受信した後、端末デバイスは、サブフレームｎ＋５からサブフレームｎ＋７においてアップリンク情報を伝送するためのＯＦＤＭシンボルの量が指定された閾値（たとえば、１４のＯＦＤＭシンボル）以上であることを決定してよい。このケースでは、本発明のこの実施形態において、サブフレームｎ＋５からサブフレームｎ＋７のいずれか１つは、アップリンク制御情報を搬送するためのアップリンクサブフレームとして使用されてよい。依然として図４を参照すると、アクセスネットワークデバイスがサブフレームｎを使用することによってスケジューリング情報を送信するとき、端末デバイスは、サブフレームｎ＋４の前に競合を通じてアンライセンス帯域リソースを取得することができることが仮定され得る。加えて、アクセスネットワークデバイスがサブフレームｎ＋７の後にダウンリンク情報を送信する必要があることが考慮される。したがって、サブフレームｎ＋７においてアップリンク情報を伝送するためのＯＦＤＭシンボルの量は１４未満である。したがって、サブフレームｎ＋５およびサブフレームｎ＋６に対してアクセスネットワークデバイスによって送信されたスケジューリング情報によってスケジュールされたアップリンクデータは、１４のＯＦＤＭシンボルにおいて伝送されてよいが、サブフレームｎ＋７に対して送信されたスケジューリング情報によってスケジュールされたアップリンクデータは、ＯＦＤＭシンボルの一部においてのみ伝送可能である。端末デバイスがスケジューリング情報または標識情報を受信した後、端末デバイスは、サブフレームｎ＋５およびサブフレームｎ＋６においてアップリンク情報を伝送するためのＯＦＤＭシンボルの量は指定された閾値以上であるが、サブフレームｎ＋７においてアップリンク情報を伝送するためのＯＦＤＭシンボルの量は指定された閾値未満であることを決定してよい。このケースでは、端末デバイスは、アップリンク制御情報を搬送するためのアップリンクサブフレームとしてサブフレームｎ＋６を決定してよい。
【００９８】
本発明のこの実施形態では、指定された閾値は、標準プロトコルによって指定されてもよいし、上位層シグナリングを使用することによって通知されてもよい。上位層シグナリングは、無線リソース制御（Ｒａｄｉｏ  Ｒｅｓｏｕｒｃｅ  Ｃｏｎｔｒｏｌ、ＲＲＣ）シグナリングを含む、またはメディアアクセス制御（Ｍｅｄｉｕｍ  Ａｃｃｅｓｓ  Ｃｏｎｔｒｏｌ、ＭＡＣ）シグナリングを含む。しかしながら、これはまた、物理層シグナリングを使用することによって閾値を通知することを除外しない。
【００９９】
実装形態４：端末デバイスが、サブフレームｎにおいてスケジューリング情報を受信し、端末デバイスが、第１のサブフレームを除くＭ個のアップリンクサブフレームにおいて、サブフレームｎと同じ最大チャネル占有時間（Ｍａｘｉｍｕｍ  Ｃｈａｎｎｅｌ  Ｏｃｃｕｐａｎｃｙ  Ｔｉｍｅ、ＭＣＯＴ）内で任意のアップリンクサブフレームを、アップリンク制御情報を搬送するためのアップリンクサブフレームとして決定する。任意選択で、端末デバイスは、第１のサブフレームを除くＭ個のアップリンクサブフレームにおいて、サブフレームｎと同じＭＣＯＴ内で最後のまたは最後から２番目のアップリンクサブフレームを、アップリンク制御情報を搬送するためのアップリンクサブフレームとして決定してよい。または、任意選択で、端末デバイスは、第１のサブフレームを除くＭ個のアップリンクサブフレームにおいて、サブフレームｎと同じＭＣＯＴ内にあり、アップリンク情報を伝送するためのＯＦＤＭシンボルの量が指定された閾値以上であるアップリンクサブフレームの時間系列内の、最後のまたは最後から２番目のアップリンクサブフレームを、アップリンク制御情報を搬送するためのアップリンクサブフレームとして決定してよい。
【０１００】
図８に示されるように、アクセスネットワークデバイスがサブフレームｎにおいてダウンリンク情報を伝送し始め、アンライセンス帯域内のＭＣＯＴが８ｍｓに設定されると仮定すると、ＭＣＯＴ内に含まれる時間範囲は、サブフレームｎのサブフレーム開始境界から始まり、サブフレームｎ＋８のサブフレーム開始境界で終わる。さらに、端末デバイスがサブフレームｎ＋２においてスケジューリング情報を受信し、このスケジューリング情報は、サブフレームｎ＋６、サブフレームｎ＋７、サブフレームｎ＋８、およびサブフレームｎ＋９においてアップリンクデータを伝送するように端末デバイスに命令すると仮定すると、実装形態４では、端末デバイスは、アップリンク制御情報を搬送するためのアップリンクサブフレームとしてサブフレームｎ＋７を決定してよい。実装形態４では、端末デバイスは、ＭＣＯＴ内で高い優先順位のＣＣＡを使用し得る。したがって、端末デバイスは、競合を通じてアンライセンス帯域リソースをより容易に取得し、それによって、アップリンク制御情報の伝送をさらに保証することができる。低い優先順位のＣＣＡと比較して、高い優先順位のＣＣＡは、アンライセンス帯域リソースをより容易に取得するために使用可能である。たとえば、高い優先順位のＣＣＡは、ランダムバックオフパラメータを含まないＬＢＴ、たとえば、１回限りのＬＢＴであってよい。
【０１０１】
実装形態５：端末デバイスが、サブフレームｎにおいてスケジューリング情報を受信し、端末デバイスが、第１のサブフレームを除くＭ個のアップリンクサブフレームにおいて、クリアチャネルアセスメント（ＣＣＡ）を必要としない任意のサブフレームを、アップリンク制御情報を搬送するためのアップリンクサブフレームとして決定する。任意選択で、第１のサブフレームを除くＭ個のアップリンクサブフレームにおいて、アップリンク制御情報を搬送するための決定されたアップリンクサブフレームは、ＣＣＡを必要としないアップリンクサブフレームの時間系列における第１のアップリンクサブフレームである。任意選択で、第１のサブフレームを除くＭ個のアップリンクサブフレームにおいて、アップリンク制御情報を搬送するための決定されたアップリンクサブフレームは、ＣＣＡを必要とせず、アップリンク情報を伝送するためのＯＦＤＭシンボルの量が指定された閾値以上であるアップリンクサブフレームの時間系列における第１のアップリンクサブフレームである。図９に示されるように、端末デバイスは、サブフレームｎ＋３において、アクセスネットワークデバイスによって送信されたスケジューリング情報を受信し、スケジューリング情報は、サブフレームｎ＋７、サブフレームｎ＋８、サブフレームｎ＋１２、およびサブフレームｎ＋１３においてアップリンクデータを伝送するように端末デバイスに命令する。アップリンクサブフレームｎ＋１２では、アップリンクサブフレームｎ＋１２は、ダウンリンクバースト内の最後のダウンリンクサブフレームに直接隣接するので、アップリンクサブフレームにおいてアップリンク情報を伝送するための時間の開始境界と最後のダウンリンクサブフレームにおいてダウンリンク情報を伝送するための時間の終了境界との時間差が、特定の閾値（たとえば、この特定の閾値は１６マイクロ秒であってよい）未満である場合、端末デバイスが、サブフレームｎ＋１２においてスケジュールされたアップリンクデータを伝送するとき、端末デバイスは、ＣＣＡを実行することなくアンライセンス帯域リソースを直接使用することによってアップリンク情報を伝送してよい。さらに、ＣＣＡなしに実行されるアップリンク情報伝送の持続時間は、一般的に制限される、たとえば、１ｍｓである。したがって、端末デバイスが、サブフレームｎ＋１３においてスケジュールされたアップリンクデータを伝送するとき、端末デバイスは、ＣＣＡを実行することによって、アンライセンス帯域リソースが利用可能であるかどうかを決定する必要がある。
【０１０２】
実装形態５では、端末デバイスは、アップリンク制御情報を搬送するためのアップリンクサブフレームとしてアップリンクサブフレームｎ＋１２を決定してよい。この実践の利益は、端末デバイスは、アップリンク情報がサブフレームｎ＋１２において伝送可能であるかどうかを決定するためにＣＣＡを実行することを必要としないことである。反対に、端末デバイスは、サブフレームｎ＋１２を使用することによってアップリンク制御情報を直接的に伝送することができ、したがって、アップリンク制御情報を伝送するための機会が保証可能である。図９では、アップリンクサブフレームｎ＋８に対応するＣＣＡが含まれていないが、アップリンクサブフレームｎ＋８に対応するＣＣＡが存在するかどうかは、端末デバイスがアップリンクサブフレームｎ＋７において競合を通じてアンライセンス帯域リソースを取得することができるかどうかに依存することが留意されるべきである。端末デバイスが、アップリンクサブフレームｎ＋７において競合を通じてアンライセンス帯域リソースを取得する場合、アップリンクサブフレームｎ＋８に対応するＣＣＡは存在しない。反対に、端末デバイスが、サブフレームｎ＋８において競合を通じてアンライセンス帯域リソースを取得するのに失敗した場合、アップリンクサブフレームｎ＋８に対応するＣＣＡは存在する。言い換えれば、アップリンクサブフレームｎ＋８に対応するＣＣＡが存在しない可能性がある。実装形態５では、アップリンク制御情報を搬送するためのアップリンクサブフレームに対応するＣＣＡが存在しないと決定されることが強調される。したがって、実装形態５では、アップリンクサブフレームｎ＋８は、アップリンク制御情報を搬送するのに適さないアップリンクサブフレームである。本発明のこの実施形態では、アップリンクサブフレームに対応するＣＣＡが存在することは、端末デバイスがアップリンクサブフレームにおいてアップリンク情報を伝送する前に、端末デバイスは、ＣＣＡを実行することによって、アンライセンス帯域リソースが利用可能であるかどうかを最初に決定する必要があることを意味することが留意されるべきである。アップリンクサブフレームに対応するＣＣＡが存在しないことは、端末デバイスがアップリンクサブフレームにおいてアップリンク情報を伝送する前に、端末デバイスは、ＣＣＡを実行することによってアンライセンス帯域リソースの利用可能性を決定することなく、アンライセンス帯域リソースを直接的に使用することができることを意味する。
【０１０３】
実装形態１、実装形態２、実装形態４、または実装形態５は、実装形態３と組み合わせて使用されてよいことが指摘されるべきである。たとえば、Ｍ個のアップリンクサブフレームの時間系列内の最後のサブフレームまたは時間系列内の最後から２番目のサブフレームは、アップリンク情報を伝送するためのＯＦＤＭシンボルの量が指定された閾値以上であるとき、アップリンク制御情報を搬送するためのアップリンクサブフレームとして使用されてよい。たとえば、アップリンクバーストの時間系列内の最後のまたは最後から２番目のアップリンクサブフレームは、アップリンク情報を伝送するためのＯＦＤＭシンボルの量が指定された閾値以上であるとき、アップリンク制御情報を搬送するためのアップリンクサブフレームとして使用されてよい。別の例として、スケジューリング情報を含むダウンリンクサブフレームと同じＭＣＯＴ内の、第１のサブフレームを除くＭ個のアップリンクサブフレームのいずれか１つは、アップリンク情報を伝送するためのＯＦＤＭシンボルの量が指定された閾値以上であるとき、アップリンク制御情報を搬送するためのアップリンクサブフレームとして使用されてよい。別の例として、第１のアップリンクサブフレームを除くＭ個のアップリンクサブフレームの中の、クリアチャネルアセスメント（ＣＣＡ）を必要としない任意のサブフレームは、アップリンク情報を伝送するためのＯＦＤＭシンボルの量が指定された閾値以上であるとき、アップリンク制御情報を搬送するためのアップリンクサブフレームとして使用されてよい。
【０１０４】
実装形態１から実装形態５において決定される、アップリンク制御情報を搬送するためのアップリンクサブフレームに対して、アップリンクサブフレームの位置が決定されるので、非表示ノードによって引き起こされる干渉がアンライセンス帯域内に存在する場合、アクセスネットワークデバイスおよび端末デバイスは、アップリンク制御情報を搬送するためのアップリンクサブフレームに関する異なる理解をもたないことが留意されるべきである。したがって、アップリンク制御情報の適切な伝送が保証される。本明細書における非表示ノードは、端末デバイスがアクセスネットワークデバイスにアップリンク情報を送信する前にＣＣＡが実行される必要があるときにＣＣＡプロセスにおいて端末デバイスがリッスンするのに失敗したノード（このノードはデータを送信中である）を含む。アクセスネットワークデバイスが、端末デバイスによって送信されたアップリンク情報を受信するとき、ノードによって送信されたデータが受信への干渉を引き起こす場合、このノードは、端末デバイスに対する非表示ノードと考慮されてよい。
【０１０５】
前述の実施形態は、端末デバイスの観点から説明されている。この実施形態では、アクセスネットワークデバイスは標識情報を送信することがあり、この標識情報は、アップリンク制御情報を搬送するためのアップリンクサブフレームを示し、アップリンクサブフレームは、Ｍ個のアップリンクサブフレームの中の第１のサブフレーム以外のサブフレームである。任意選択で、アップリンクサブフレームは、端末デバイスの前述の実施形態によって定義された特徴をもつ。
【０１０６】
前述の方法に対応して、本発明は、端末デバイスを提供する。この端末デバイスは、Ｕ−ＬＴＥシステムにおけるマルチサブフレームスケジューリングシナリオに適用されてよく、この端末デバイスは、前述の方法実施形態における各ステップを実行し得る。
【０１０７】
図１０を参照すると、実施形態では、端末デバイスは、
アクセスネットワークデバイスからスケジューリング情報およびトリガ情報を受信するように構成された受信ユニット１００１であって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信ユニット１００１と、
Ｍ個のアップリンクサブフレームにおいて、アップリンク制御情報を搬送するためのアップリンクサブフレームを決定するように構成された決定ユニット１００２であって、決定されたアップリンクサブフレームは、Ｍ個のアップリンクサブフレームの中の第１のサブフレーム以外のサブフレームであり、第１のサブフレームは、Ｍ個のアップリンクサブフレームの中の第１のアップリンクサブフレームである、決定ユニット１００２と、
決定されたアップリンクサブフレームにおいてアップリンク制御情報を送信するように構成された送信ユニット１００３と
を含む。
【０１０８】
実施形態では、決定ユニットによって決定されたアップリンクサブフレームは、Ｍ個のアップリンクサブフレームの時間系列内の最後のサブフレームまたは時間系列内の最後から２番目のサブフレームである。
【０１０９】
実施形態では、受信ユニットは、サブフレームｎにおいてスケジューリング情報を受信し、決定ユニットは、Ｍ個のアップリンクサブフレーム内に含まれるアップリンクバーストの時間系列内の最後のまたは最後から２番目のアップリンクサブフレームを、アップリンク制御情報を搬送するためのアップリンクサブフレームとして決定するように構成され、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０１１０】
実施形態では、決定ユニットによって決定されたアップリンクサブフレームにおいてアップリンク情報を伝送するためのＯＦＤＭシンボルの量は、指定された閾値以上である。
【０１１１】
実施形態では、スケジューリング情報とトリガ情報は、同じダウンリンク制御情報内で搬送される。
【０１１２】
実施形態では、アップリンク制御情報は、チャネル状態情報、サウンディング基準信号、およびハイブリッド自動再送要求肯定応答のうちの少なくとも１つを含む。
【０１１３】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、Ｍ個のアップリンクサブフレームにおいて、アップリンク制御情報を搬送するためのアップリンクサブフレームを決定することに関する特定の実装形態の詳細についても、前述の方法実施形態における関連説明を参照されたい。
【０１１４】
図１１を参照すると、別の実施形態では、端末デバイスは、
アクセスネットワークデバイスからスケジューリング情報およびトリガ情報を受信するように構成された受信機１１０１であって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信機１１０１と、
Ｍ個のアップリンクサブフレームにおいて、アップリンク制御情報を搬送するためのアップリンクサブフレームを決定するように構成されたプロセッサ１１０２であって、決定されたアップリンクサブフレームは、Ｍ個のアップリンクサブフレームの中の第１のサブフレーム以外のサブフレームであり、第１のサブフレームは、Ｍ個のアップリンクサブフレームの中の第１のアップリンクサブフレームである、プロセッサ１１０２と、
決定されたアップリンクサブフレームにおいてアップリンク制御情報を送信するように構成された送信機１１０３と
を含む。
【０１１５】
実施形態では、決定ユニットによって決定されたアップリンクサブフレームは、Ｍ個のアップリンクサブフレームの時間系列内の最後のサブフレームまたは時間系列内の最後から２番目のサブフレームである。
【０１１６】
実施形態では、受信ユニットは、サブフレームｎにおいてスケジューリング情報を受信し、決定ユニットは、Ｍ個のアップリンクサブフレーム内に含まれるアップリンクバーストの時間系列内の最後のまたは最後から２番目のアップリンクサブフレームを、アップリンク制御情報を搬送するためのアップリンクサブフレームとして決定するように構成され、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０１１７】
実施形態では、決定ユニットによって決定されたアップリンクサブフレームにおいてアップリンク情報を伝送するためのＯＦＤＭシンボルの量は、指定された閾値以上である。
【０１１８】
実施形態では、スケジューリング情報とトリガ情報は、同じダウンリンク制御情報内で搬送される。
【０１１９】
実施形態では、アップリンク制御情報は、チャネル状態情報、サウンディング基準信号、およびハイブリッド自動再送要求肯定応答のうちの少なくとも１つを含む。
【０１２０】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、Ｍ個のアップリンクサブフレームにおいて、アップリンク制御情報を搬送するためのアップリンクサブフレームを決定することに関する特定の実装形態の詳細についても、前述の方法実施形態における関連説明を参照されたい。
【０１２１】
実施形態２
アップリンク制御情報を報告するための機会を保証し、アンライセンス帯域内でダウンリンクデータを伝送する効率を改善するために、本発明は、アップリンク制御情報を伝送するための方法の実施形態を提供する。この実施形態は、Ｕ−ＬＴＥ（アンライセンススペクトル上のＬＴＥ）システムにおけるマルチサブフレームスケジューリングシナリオに適用されてよい。Ｕ−ＬＴＥシステムは、アンライセンス帯域内で作動するＬＴＥシステムであり、ＣＡモードでライセンス帯域リソースおよびアンライセンス帯域リソースを共同で使用するＬＴＥシステム（ＬＡＡ−ＬＴＥシステム）を含んでもよいし、デュアルコネクティビティ（Ｄｕａｌ  Ｃｏｎｎｅｃｔｉｖｉｔｙ、ＤＣ）モードでライセンス帯域リソースおよびアンライセンス帯域リソースを共同で使用するＬＴＥシステムを含んでもよいし、アンライセンス帯域リソース内で独立して展開されるＬＴＥシステム（スタンドアロンＵ−ＬＴＥ）を含んでもよいことが留意されるべきである。
【０１２２】
図１２を参照すると、本発明は、アップリンク制御情報を伝送するための方法の実施形態を提供する。この方法は、アンライセンス帯域内で作動するＬＴＥシステムに適用されてよい。この方法は、以下のステップを含む。
【０１２３】
Ｓ１２０１。端末デバイスが、アクセスネットワークデバイスからスケジューリング情報およびトリガ情報を受信し、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される。
【０１２４】
Ｓ１２０２。端末デバイスが、Ｍ個のアップリンクサブフレームにおいて、アップリンク制御情報を搬送するための少なくとも２つのアップリンクサブフレームを決定する。
【０１２５】
Ｓ１２０３。端末デバイスが、少なくとも２つのアップリンクサブフレームにおいてアップリンク制御情報を送信する。
【０１２６】
この実施形態におけるスケジューリング情報、トリガ情報、およびアップリンク制御情報の定義および機能については、実施形態１における関連説明を参照されたい。詳細は、本明細書において、さらに説明されない。
【０１２７】
実施形態では、スケジューリング情報とトリガ情報は、同じダウンリンク制御情報内で搬送される。たとえば、スケジューリング情報とトリガ情報の両方が、ＵＬグラント内で搬送される。
【０１２８】
実施形態では、スケジューリング情報とトリガ情報は、同じダウンリンクサブフレームにおいて搬送される。本発明のこの実施形態では、アップリンク制御情報を送信するように端末デバイスに命令するために使用されるスケジューリング情報およびトリガ情報は、同じサブフレームにおいて搬送される。または任意選択で、トリガ情報を含むサブフレームが、時間系列においてスケジューリング情報を含むサブフレームに先行し、間違いなく、これはまた、トリガ情報を含むサブフレームが、時間系列において、スケジューリング情報を含むサブフレームに続き、Ｍ個のアップリンクサブフレームの中の第１のアップリンクサブフレームに先行することを除外しない。
【０１２９】
この実施形態では、アップリンクデータを伝送するためのＭ個のアップリンクサブフレームの中の少なくとも２つのサブフレームは、アップリンク制御情報を搬送するために使用されるので、アップリンク制御情報は、可能な限り早くフィードバック可能であり、および／または、アップリンク制御情報は複数のアップリンクサブフレームにおいて別々に搬送されるので、スケジュールされたアップリンクサブフレームにおいてのアップリンクデータ伝送のための過度のアップリンクリソースの占有が回避可能である。
【０１３０】
図１３に示されるマルチサブフレームスケジューリングにおけるサブフレーム間の関係の図は、本発明のこの実施形態の特定の実装形態について説明するために例として使用される。端末デバイスが、サブフレームｎにおいて、アクセスネットワークデバイスによって送信されたアップリンクスケジューリンググラントＵＬグラント情報を受信し、この情報は、サブフレームｎ＋４、サブフレームｎ＋５、サブフレームｎ＋６、およびサブフレームｎ＋７においてスケジュールされたアップリンクデータを送信するように端末デバイスをスケジュールし、アップリンクデータはＰＵＳＣＨ内で搬送されると仮定される。このケースでは、サブフレームｎ＋４、サブフレームｎ＋５、サブフレームｎ＋６、およびサブフレームｎ＋７のいずれか２つが、アップリンク制御情報を伝送するために使用されてよい。任意選択で、サブフレームｎ＋４およびサブフレームｎ＋５が、アップリンク制御情報を伝送するために使用されてよいサブフレームであると仮定すると、本発明のこの実施形態では、端末デバイスが、サブフレームｎ＋４において競合を通じてアンライセンス帯域リソースを取得するのに失敗した場合、端末デバイスは、サブフレームｎ＋５において、アンライセンス帯域リソースが競合を通じて取得されるかどうかをさらに決定し、アップリンク制御情報がサブフレームｎ＋５において伝送可能であるかどうかをさらに決定してよい。一方、端末デバイスが、サブフレームｎ＋４において競合を通じてアンライセンス帯域リソースを取得した場合、端末デバイスは、サブフレームｎ＋４においてアップリンク制御情報を伝送してよく、端末デバイスは、サブフレームｎ＋５においてアップリンク制御情報を引き続き伝送する。
【０１３１】
任意選択で、この解決策では、端末デバイスが、Ｍ個のアップリンクサブフレームのいずれか１つにおいてアップリンク情報を伝送する前に、端末デバイスは、ＣＣＡを実行することによって、アンライセンス帯域リソースが競合を通じて取得可能であるかどうかを決定する必要がある。言い換えれば、端末デバイスが、Ｍ個のアップリンクサブフレームの中の第１のアップリンクサブフレームにおいてアップリンク情報を伝送する前に、端末デバイスは、ＣＣＡを実行することによって、アンライセンス帯域リソースが競合を通じて取得可能であるかどうかを決定する必要がある。Ｍ個のアップリンクサブフレームの中の第１のアップリンクサブフレーム以外のアップリンクサブフレームにおいて、アンライセンス帯域リソースが競合を通じて取得可能であるかどうかを決定するためにＣＣＡが実行される必要があるかどうかは、アンライセンス帯域リソースが、他のアップリンクサブフレームの前のアップリンクサブフレームに対応するＣＣＡにおいて競合を通じて取得されるかどうかに依存する。たとえば、図１３を例として使用すると、端末デバイスが、サブフレームｎ＋５においてアップリンク情報を伝送する前にアンライセンス帯域リソースの利用可能性を決定するためにＣＣＡを実行する必要があるかどうかは、端末デバイスがサブフレームｎ＋４において競合を通じてアンライセンス帯域リソースを取得するかどうかに依存する。端末デバイスが、サブフレームｎ＋４においてアップリンク情報を伝送する前に競合を通じてアンライセンス帯域リソースを取得した（これは、「端末デバイスが、サブフレームｎ＋４において競合を通じてアンライセンス帯域リソースを取得すると理解されてよい）場合、端末デバイスは、サブフレームｎ＋５においてアップリンク情報を伝送する前にアンライセンス帯域リソースを巡って競合するためにＣＣＡを実行する必要がないことがある。反対に、端末デバイスが、サブフレームｎ＋４においてアップリンク情報を伝送する前に競合を通じてアンライセンス帯域リソースを取得するのに失敗した（これは、「端末デバイスが、サブフレームｎ＋５において競合を通じてアンライセンス帯域リソースを取得するのに失敗したと理解されてよい）場合、端末デバイスは、サブフレームｎ＋５においてアップリンク情報を伝送する前にアンライセンス帯域リソースを巡って競合するためにＣＣＡを実行する必要がある。同様に、端末デバイスが、サブフレームｎ＋６においてアップリンク情報を伝送する前にアンライセンス帯域リソースの利用可能性を決定するためにＣＣＡを実行する必要があるかどうかは、端末デバイスがサブフレームｎ＋４および／またはサブフレームｎ＋５において競合を通じてアンライセンス帯域リソースを取得するかどうかに依存することがある。
【０１３２】
この実施形態では、端末デバイスは、Ｍ個のアップリンクサブフレームにおいて複数の様式で、アップリンク制御情報を搬送するための少なくとも２つのアップリンクサブフレームを決定することがある。
【０１３３】
実装形態１：少なくとも２つのアップリンクサブフレームは、Ｍ個のアップリンクサブフレームの時間系列内の最後のサブフレームおよび時間系列内の最後から２番目のサブフレームのうちの少なくとも１つを含む。
【０１３４】
実装形態２：端末デバイスが、サブフレームｎにおいてスケジューリング情報を受信し、少なくとも２つのアップリンクサブフレームは、アップリンクバーストの時間系列内の最後のアップリンクサブフレームおよび最後から２番目のアップリンクサブフレームのうちの少なくとも１つを含み、アップリンクバーストは、時間的に連続して占有され、Ｍ個のアップリンクサブフレーム内に含まれる複数のアップリンクサブフレームを指し、アップリンクバーストは、サブフレームｎを含むダウンリンクバーストの後であり、サブフレームｎを含むダウンリンクバーストに直接隣接する。
【０１３５】
より一般的には、本発明のこの実施形態では、端末デバイスは、少なくとも２つのアップリンクサブフレーム内に含まれるアップリンクサブフレームとして、アップリンクバースト内の任意の２つのアップリンクサブフレームを決定し、この任意の２つのアップリンクサブフレームのうちのどちらも、Ｍ個のアップリンクサブフレームの中の第１のアップリンクサブフレームではない。
【０１３６】
実装形態３：少なくとも２つのアップリンクサブフレームは、Ｍ個のアップリンクサブフレームの時間系列内の第１のサブフレームを含む。
【０１３７】
実装形態４：少なくとも２つのアップリンクサブフレームにおいてアップリンク情報を伝送するためのＯＦＤＭシンボルの量は、指定された閾値以上である。
【０１３８】
実装形態５：端末デバイスが、サブフレームｎにおいてスケジューリング情報を受信し、Ｍ個のアップリンクサブフレームにおいて、少なくとも２つのアップリンクサブフレームは、サブフレームｎと同じ最大チャネル占有時間（Ｍａｘｉｍｕｍ  Ｃｈａｎｎｅｌ  Ｏｃｃｕｐａｎｃｙ  Ｔｉｍｅ、ＭＣＯＴ）内の任意のアップリンクサブフレームを含む。任意選択で、Ｍ個のアップリンクサブフレームにおいて、少なくとも２つのアップリンクサブフレームは、アップリンク制御情報を搬送するためのアップリンクサブフレームとして、サブフレームｎと同じＭＣＯＴ内の最後のまたは最後から２番目のアップリンクサブフレームを含む。または、任意選択で、端末デバイスは、Ｍ個のアップリンクサブフレームにおいて、サブフレームｎと同じＭＣＯＴ内にあり、アップリンク情報を伝送するためのＯＦＤＭシンボルの量が指定された閾値以上であるアップリンクサブフレームの時間系列内の最後のまたは最後から２番目のアップリンクサブフレームを、アップリンク制御情報を搬送するためのアップリンクサブフレームとして決定してよい。
【０１３９】
実装形態６：端末デバイスが、サブフレームｎにおいてスケジューリング情報を受信し、Ｍ個のアップリンクサブフレームにおいて、少なくとも２つのアップリンクサブフレームは、クリアチャネルアセスメント（ＣＣＡ）を必要としない任意のサブフレームを含む。任意選択で、Ｍ個のアップリンクサブフレームにおいて、少なくとも２つのアップリンクサブフレームは、ＣＣＡを必要としないアップリンクサブフレームの時間系列内の第１のアップリンクサブフレームを含む。任意選択で、Ｍ個のアップリンクサブフレームにおいて、少なくとも２つのアップリンクサブフレームは、ＣＣＡを必要とせず、アップリンク情報を伝送するためのＯＦＤＭシンボルの量が指定された閾値以上であるアップリンクサブフレームの時間系列内の、第１のアップリンクサブフレームを含む。
【０１４０】
実装形態１から実装形態６は、組み合わせて使用されてよいことが指摘されるべきである。
【０１４１】
この実施形態では、実装形態４を除いて、少なくとも２つのアップリンクサブフレームを決定するための方法は、実施形態１においてアップリンク制御情報を搬送するためのアップリンクサブフレームを決定するための方法に類似している。実装形態１から実装形態３、実装形態５、および実装形態６に関する詳細については、実施形態１における関連説明を参照されたい。詳細は、本明細書において、さらに説明されない。
【０１４２】
実施形態では、少なくとも２つのアップリンクサブフレームの各々において搬送されるアップリンク制御情報は同じである。
【０１４３】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のサブフレームにおいて搬送されるアップリンク制御情報と異なる。任意選択で、第１のアップリンクサブフレームにおいて搬送されるアップリンク制御情報の内容は、第２のサブフレームにおいて搬送されるアップリンク制御情報の内容と一致しない、または、第１のアップリンクサブフレームにおいて搬送される制御情報の内容は、第２のサブフレームにおいて搬送されるアップリンク制御情報の内容を含む。
【０１４４】
以下は、アップリンク制御情報が非周期的ＣＳＩである例を使用することによって、本発明のこの実施形態について説明する。
【０１４５】
この実施形態の解決策についてより良く説明するために、第一に、従来技術における、スケジュールされたアップリンクリソース内でＣＳＩ（周期的ＣＳＩと非周期的ＣＳＩとを含む）を伝送するためのルール（ＣＳＩがＰＵＳＣＨ内で搬送されることが理解され得る）が説明される。説明を簡単にするために、ＦＤＤシステムが、説明のための例として使用される。ＣＳＩ伝送におけるＴＤＤシステムとＦＤＤシステムの違いは、主に、ＴＤＤシステム内のすべてのサブフレームが、アップリンク情報を伝送するためのアップリンクサブフレームであるとは限らないことにあり、これが、ＣＳＩ伝送時間位置を異なるようにさせることが留意されるべきである。
【０１４６】
第二に、ＣＳＩは、２つのタイプ、すなわち、周期的ＣＳＩと非周期的ＣＳＩとを含む。周期的ＣＳＩは、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）内で搬送されてもよいし、ＰＵＳＣＨ内で搬送されてもよい。非周期的ＣＳＩは、ＰＵＳＣＨ内で搬送され、非周期的ＣＳＩトリガ標識情報によってトリガされる。本発明のこの実施形態では、ＣＳＩがＰＵＳＣＨ内で搬送されるケースが主に考慮される。
【０１４７】
シングルキャリアケースでは、端末デバイスが、ＣＣ１のみを使用することによってアクセスネットワークデバイスとのデータ伝送を実行すると仮定すると、データ伝送は、ＣＣ１を使用することによってアクセスネットワークデバイスにデータを送信することを含んでもよいし、ＣＣ１を使用することによってアクセスネットワークデバイスによって送信されたデータを受信することを含んでもよい。端末デバイスが、サブフレームｋ−４において、アクセスネットワークデバイスによって送信されたアップリンクスケジューリング情報（ＵＬグラント）を受信した場合、端末デバイスは、サブフレームｋにおいてスケジュールされたアップリンクデータを伝送してよい。さらに、端末デバイスがサブフレームｋにおいてＣＳＩ情報をフィードバックする必要がある場合、たとえば、サブフレームｋ−４において受信されたＵＬグラント情報がＣＳＩトリガ情報を含む（対応して、ＣＳＩ要求フィールドに対応するビットが１に設定されてよい）場合、または、端末デバイスが、アクセスネットワークデバイスによって構成されたＣＳＩフィードバック時間系列に従って、ＣＳＩ情報がサブフレームｋにおいてフィードバックされる必要があることを決定する場合、ＵＥは、サブフレームｋにおいてスケジュールされたアップリンクリソースを使用することによってＣＳＩを伝送してよい。
【０１４８】
マルチキャリアケースでは、端末デバイスが、複数のキャリアを使用することによってアクセスネットワークデバイスとのデータ伝送を実行し得ることが仮定される。たとえば、端末デバイスは、ＣＣ１、ＣＣ２、ＣＣ３、およびＣＣ４を同時に使用することによって、アクセスネットワークデバイスとのデータ伝送を実行してよい。非周期的ＣＳＩのケースでは、端末デバイスは、あらかじめ設定されたルールに従って、キャリアまたはサービングセルに対応するＣＳＩ情報をフィードバックする。端末デバイスが、ＣＣ１のサブフレームｋ−４において、アクセスネットワークデバイスによって送信されたアップリンクスケジューリング情報（ＵＬグラント）を受信した場合、端末デバイスは、ＣＣ１のサブフレームｋにおいてアップリンクデータを伝送し得る。さらに、ＵＬグラント標識情報がＣＳＩ要求フィールドを含み、このフィールドが、アップリンク制御情報を伝送するように端末デバイスに命令する場合、端末デバイスは、（たとえば、以下の表１において説明されるように）あらかじめ設定されたルールに従って、サブフレームｋにおいてスケジュールされたアップリンクリソース内で、ＣＳＩ要求標識情報に対応するサービングセルのＣＳＩを伝送する。本発明のこの実施形態では、サービングセルの概念は、キャリアの概念と一致することが留意されるべきである。表１では、ＣＳＩ要求フィールドは２つのビットを含んでよく、この２つのビットの異なる組み合わせが、４つの異なる状態を示すために使用され得る。たとえば、ＣＳＩ要求フィールド内に含まれるビットが「１１」の状態に設定されるとき、端末デバイスは、ＣＣ１のサブフレームｋにおいて、前述の例を参照して、サービングセルの第２のセット内に含まれる各サービングセルに対応するＣＳＩを伝送することがある。たとえば、上位層構成によれば、この例では、サービングセルの第１のセット（サービングセルの第１のセット）はＣＣ１とＣＣ２とを含み、サービングセルの第２のセット（サービングセルの第２のセット）はＣＣ３とＣＣ４とを含む。このケースでは、ＣＳＩ要求フィールド内に含まれるビットが「１１」の状態に設定されるとき、端末デバイスは、サブフレームｋにおいて、ＣＣ３およびＣＣ４に対応するＣＳＩを伝送する。
【０１４９】
【表２】
2019520734.tif 000004
【０１５０】
マルチキャリアケースでは、周期的ＣＳＩフィードバックの場合、同時ＰＵＣＣＨおよびＰＵＳＣＨ伝送が端末デバイスのために構成されるかどうか（具体的にいうと、端末デバイスが、ＰＵＣＣＨを使用することによってアップリンク制御情報を伝送するときにＰＵＳＣＨを使用することによってアップリンク情報を同時に伝送することができるかどうか）に関係なく、端末デバイスが、周期的ＣＳＩとＰＵＳＣＨ内で搬送されるＵＬデータとを同時に伝送する必要がある場合、端末デバイスは、スケジュールされたアップリンクリソース（ＵＬデータを搬送するためのＰＵＳＣＨリソース）を使用することによって周期的ＣＳＩを伝送する必要がある。周期的ＣＳＩの場合、サービングセルとも呼ばれる各ダウンリンクキャリア（たとえば、ＣＣ１、ＣＣ２、ＣＣ３、またはＣＣ４）に対応するＣＳＩのフィードバック期間は、独立して構成される。周期的ＣＳＩを伝送するための時間に、ＵＬデータが複数のキャリアのすべてにおいてスケジュールされる場合、端末デバイスは、あらかじめ設定されたルールに従って決定されたキャリアまたはサービングセルにおいてＣＳＩを伝送する。たとえば、あらかじめ設定されたルールによれば、端末デバイスは、ＣＳＩを伝送するために、最小セルインデックス（Ｃｅｌｌ  Ｉｎｄｅｘ）とともに構成されたサービングセルを選択する。
【０１５１】
そのうえ、端末デバイスが、非周期的ＣＳＩトリガ標識情報（ＣＳＩ要求フィールド）内に含まれるビット状態とサービングセルとの間の対応に従って、サービングセルのＣＳＩを報告することを決定し得る前述のマルチキャリアケースに加えて、端末デバイスは、ＣＳＩ要求フィールド内に含まれるビット状態と上位層によって構成されたＣＳＩプロセス（ＣＳＩ  ｐｒｏｃｅｓｓ）との間の対応に従って、ＣＳＩプロセスに対応するＣＳＩを報告することをさらに決定してもよいし、特定のサービングセルに対して、サービングセルのＣＳＩプロセスに対応するＣＳＩを報告することを決定してもよい。または、端末デバイスは、ＣＳＩ要求フィールド内に含まれるビット状態とＣＳＩプロセスおよび／もしくは上位層によって構成された｛ＣＳＩプロセス、ＣＳＩサブフレームセット｝ペアとの間の対応に従って、ＣＳＩプロセスおよび／もしくは｛ＣＳＩプロセス、ＣＳＩサブフレームセット｝ペアに対応するＣＳＩを報告することをさらに決定してよい。
【０１５２】
第二に、アップリンク制御情報（Ｕｐｌｉｎｋ  Ｃｏｎｔｒｏｌ  Ｉｎｆｏｒｍａｔｉｏｎ、ＵＣＩ）およびＰＵＳＣＨによるリソース再使用では、そのリソース再使用図が図１０に示されている。本明細書におけるＵＣＩは、ＨＡＲＱ−ＡＣＫとＣＳＩとを含んでよく、ＨＡＲＱ−ＡＣＫはＡＣＫまたはＮＡＣＫを含み、ＣＳＩはＣＱＩとＰＭＩとＲＩとを含む。
【０１５３】
図１４を参照すると、物理リソースブロック（Ｐｈｙｓｉｃａｌ  Ｒｅｓｏｕｒｃｅ  Ｂｌｏｃｋ、ＰＲＢ）ペアが、説明のために例として使用される。ＰＲＢペアは、時間的に１つのサブフレームおよび周波数的に１２のサブキャリア内に含まれるリソース要素（Ｒｅｓｏｕｒｃｅ  Ｅｌｅｍｅｎｔ、ＲＥ）から構成される時間−周波数リソースである。直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）技術に基づいたＬＴＥシステムでは、時間−周波数リソースは、時間領域次元におけるＯＦＤＭシンボルと、周波数領域次元におけるＯＦＤＭサブキャリアに分割され、最小リソース粒度はＲＥと呼ばれる、すなわち、それは、時間領域における１つのＯＦＤＭシンボルと周波数領域における１つのＯＦＤＭサブキャリアの時間−周波数グリッドを表す。
【０１５４】
具体的には、ＣＳＩおよびアップリンクデータが、スケジュールされたアップリンクリソースにおいて多重化されるとき、スケジュールされたアップリンクリソース内でＣＳＩによって占有されるリソース要素の量は、上位層によって構成されたオフセット標識、アップリンクデータ伝送に対して割り振られた時間−周波数リソースの量、アップリンクデータ伝送における情報ビットの量、およびＣＳＩ内で伝送されることになる情報ビットの量に従って決定されてよい。ＲＩの場合、上位層によって構成されたオフセット標識は、
【０１５５】
【数１】
2019520734.tif 000005
または
【０１５６】
【数２】
2019520734.tif 000006
を含んでよい。端末デバイスは、このインデックスに従って、
【０１５７】
【数３】
2019520734.tif 000007
の値を決定し、ＲＩを伝送するために占有されることが必要な時間−周波数リソースの量をさらに決定してよい。ＣＱＩ（ＰＭＩを含む）の場合、オフセット標識は、
【０１５８】
【数４】
2019520734.tif 000008
または
【０１５９】
【数５】
2019520734.tif 000009
を含んでよい。端末デバイスは、このインデックス標識に従って、
【０１６０】
【数６】
2019520734.tif 000010
の値を決定し、ＣＱＩ（ＰＭＩを含む）を伝送するために占有されることが必要な時間−周波数リソースの量をさらに決定してよい。図１４におけるスケジュールされたアップリンクリソース内のＣＳＩの位置を依然として参照して、ＣＳＩが伝送されるべきＲＥが決定されてよい。
【０１６１】
ＣＳＩが、スケジュールされたアップリンクリソース内で搬送されるとき、スケジュールされたアップリンクリソース内のリソース再使用は、端末デバイスによって伝送されるＣＳＩおよびアップリンクサービスデータによって、レートマッチングモードで実施される。したがって、ＣＳＩをもつリソースを再使用するアップリンクデータの場合、アップリンクデータの適切な伝送を保証するために、少なくとも、アップリンクデータに対応する変調符号化方式（Ｍｏｄｕｌａｔｉｏｎ  ａｎｄ  Ｃｏｄｉｎｇ  Ｓｃｈｅｍｅ、ＭＣＳ）は、アップリンクデータを伝送するために端末デバイスによって使用されるアップリンクリソースに対応する必要がある。
【０１６２】
実装形態では、少なくとも２つのアップリンクサブフレームの各々において搬送されるアップリンク制御情報は同じである。
【０１６３】
図１４を例として使用し、端末デバイスが、サブフレームｎ＋６およびサブフレームｎ＋７はＣＳＩを伝送するために使用されることを決定すると仮定すると、この実装形態では、２つのサブフレームにおいて搬送されるアップリンク制御情報は同じである。たとえば、複数のキャリアの場合、表１を参照すると、端末デバイスが、ＣＳＩ要求フィールドの標識に従って、サービングセルの第２のセットに対応するＣＳＩがフィードバックされる必要があることを決定すると仮定すると、端末デバイスは、サブフレームｎ＋６とサブフレームｎ＋７の両方において、サービングセルの第２のセットに対応するＣＳＩをフィードバックする。
【０１６４】
マルチサブフレームスケジューリングの場合、たとえば、ダウンリンクサブフレーム内に含まれるＵＬグラントは、少なくとも２つのアップリンクサブフレームにおいてスケジュールされたアップリンクデータを伝送するように端末デバイスをスケジュールし得る。シグナリングオーバヘッドを減少させるために、ＵＬグラント内に含まれるいくつかの情報フィールドが、複数のスケジュールされたアップリンクサブフレームのために再使用されてよい、すなわち、情報フィールドの１セットが使用される。たとえば、リソース割り振り（ｒｅｓｏｕｒｃｅ  ａｓｓｉｇｎｍｅｎｔ）と、復調基準信号ＤＭＲＳに対応する循環シフト（Ｃｙｃｌｉｃ  ｓｈｉｆｔ）と、ＵＬグラント内に含まれ、異なるスケジュールされたアップリンクサブフレームに対応するＭＣＳは、同じである。ＣＳＩおよびアップリンクデータによるリソース再使用の前述の原理に従って、マルチサブフレームスケジューリングにおける同じリソース割り振り標識を考えると、ＣＳＩを含むアップリンクサブフレームにおけるアップリンクデータ伝送のために使用されるリソースは、ＣＳＩを含まないアップリンクサブフレームにおけるアップリンクデータ伝送のために使用されるリソースよりも少ない。アップリンクデータの適切な伝送を保証するために、ＭＣＳは、ＣＳＩを含むアップリンクサブフレームにおいてアップリンクデータ伝送のために実際に使用されるアップリンクリソースに基づいて設定される必要がある。したがって、ＣＳＩ伝送を含まないアップリンクサブフレームの場合、多数のアップリンクリソースがアップリンクデータ伝送のために実際に使用されるので、同じＭＣＳを考えると、冗長なアップリンクリソースが、ＣＳＩ伝送を含まないアップリンクサブフレーム内に存在し、アップリンクリソース浪費が引き起こされる。このケースでは、制御シグナリングオーバヘッドを最大限に減少させ、リソース浪費を減少させるために、すべてのスケジュールされた複数のアップリンクサブフレームがＣＳＩを含んでよい。この問題は、ＳＲＳまたはＨＡＲＱ−ＡＣＫであるアップリンク制御情報に対しても有効である。具体的にいうと、スケジュールされた複数のアップリンクサブフレームにおいて、ＳＲＳを含むアップリンクサブフレームにおけるアップリンクデータ伝送のために使用されるアップリンク時間−周波数リソースは、ＳＲＳを含まないアップリンクサブフレームにおけるアップリンクデータ伝送に使用されるアップリンク時間−周波数リソースと異なり、ＨＡＲＱ−ＡＣＫを含むアップリンクサブフレームにおけるアップリンクデータ伝送に使用されるアップリンク時間−周波数リソースは、ＨＡＲＱ−ＡＣＫを含まないアップリンクサブフレーム内のアップリンクデータ伝送に使用されるアップリンク時間−周波数リソースと異なる。
【０１６５】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のサブフレームにおいて搬送されるアップリンク制御情報と異なり、第１のアップリンクサブフレームにおいて搬送されるアップリンク制御情報の内容は、第２のサブフレームにおいて搬送されるアップリンク制御情報の内容と一致しない。
【０１６６】
この様式を使用する利点は、異なるＣＳＩ情報が異なるアップリンクサブフレームに割り振られるので、比較的低い制御シグナリングオーバヘッドが保証可能であるだけでなく、比較的少ないリソースが、ＣＳＩ伝送を含むアップリンクサブフレームにおけるＣＳＩ伝送のために予約可能である。これは、アップリンクリソース浪費をさらに減少させ得る。
【０１６７】
本発明のこの実施形態では、伝送されるＣＳＩが異なることは、伝送されるＣＳＩの内容が異なる、伝送されるＣＳＩに対応するサービングセルが異なる、伝送されるＣＳＩに対応するＣＳＩプロセスが異なる、または伝送されるＣＳＩに対応するサブフレームセットが異なるのうちの少なくとも１つを含む。本明細書では、伝送されるＣＳＩの内容は、ＣＱＩ、ＰＭＩ、またはＲＩのうちの少なくとも１つを含む。
【０１６８】
伝送されるＣＳＩ情報の内容が一致しないことは、第１のアップリンクサブフレームにおいて搬送されるアップリンク制御情報が第２のアップリンクサブフレームにおいて搬送されるアップリンク制御情報と完全に異なることを意味する。
【０１６９】
図１４を例として使用し、端末デバイスが、サブフレームｎ＋６およびサブフレームｎ＋７においてＣＳＩを伝送することを決定すると仮定すると、本発明のこの実施形態では、具体的には、以下の実装形態が、説明のために使用される。本発明の実装形態はそれに制限されないことが留意されるべきである。任意選択で、以下のとおりである。
【０１７０】
（１）シングルキャリアケースでは、すなわち、シングルキャリアのみが端末デバイスのために構成される場合、端末デバイスは、サブフレームｎ＋６およびサブフレームｎ＋７においてＲＩ、ＣＱＩ、またはＰＭＩのうちの１つを伝送してよく、サブフレームｎ＋６およびサブフレームｎ＋７において端末デバイスによって伝送されるＣＳＩ情報は異なる。たとえば、ＣＱＩまたはＰＭＩがサブフレームｎ＋６において伝送され、ＲＩがサブフレームｎ＋７において伝送される。または、ＣＳＩ内に含まれるアップリンク制御情報の優先順位を考慮すると、ＲＩは、サブフレームｎ＋６において伝送されてよく、ＣＱＩはサブフレームｎ＋７において伝送される。
【０１７１】
（２）マルチキャリアケースでは、すなわち、複数のキャリアが、端末デバイスのために構成される（または、作動させられる）場合、たとえば、端末デバイスは、ＣＣ１、ＣＣ２、ＣＣ３、またはＣＣ４を使用することによって、アクセスネットワークデバイスにデータを同時に伝送してよく、上位層構成に従って、サービングセルの第１のセット（サービングセルの第１のセット）はＣＣ１とＣＣ２とを含み、サービングセルの第２のセット（サービングセルの第２のセット）はＣＣ３とＣＣ４とを含む。表１を参照すると、ＣＳＩ要求フィールド内に含まれるビットが「１１」の状態に設定されるとき、端末デバイスは、サービングセルの第２のセットに対応するＣＳＩがフィードバックされる必要があることを決定してよい。この実装形態では、端末デバイスは、第１のアップリンクサブフレーム（たとえば、サブフレームｎ＋６）において、ＣＣ３に対応するＣＳＩをフィードバックし、第２のアップリンクサブフレーム（たとえば、サブフレームｎ＋７）において、ＣＣ４に対応するＣＳＩをフィードバックしてよい。または、端末デバイスは、第１のアップリンクサブフレームにおいて、ＣＣ３およびＣＣ４に対応するＣＳＩをフィードバックし、第２のアップリンクサブフレームにおいて、ＣＣ１およびＣＣ２に対応するＣＳＩをフィードバックしてもよい。または、端末デバイスは、第１のアップリンクサブフレームにおいて、ＣＣ３およびＣＣ４に対応するＲＩをフィードバックし、第２のアップリンクサブフレームにおいて、ＣＣ３およびＣＣ４に対応するＣＱＩもしくはＰＭＩをフィードバックしてもよい。または、端末デバイスは、第１のアップリンクサブフレームにおいて、ＣＣ１からＣＣ４に対応するＲＩをフィードバックし、第２のアップリンクサブフレームにおいて、ＣＣ１からＣＣ４に対応するＣＱＩもしくはＰＭＩをフィードバックしてもよい。
【０１７２】
（３）別の例では、複数のＣＳＩプロセス（ＣＳＩ  ｐｒｏｃｅｓｓ）が端末デバイスのために構成されると仮定すると、端末デバイスは、ＣＳＩプロセスに対応し、レポーティングのためにトリガされるＣＳＩを、異なるアップリンクサブフレームそれぞれに追加してよい。たとえば、６つのＣＳＩプロセスが上位層によって端末デバイスのために構成されると仮定すると、端末デバイスは、表３において指定された対応に従って、異なるＣＳＩ要求フィールド標識に対応するＣＳＩプロセスのためのレポーティングを決定してよい。ＣＳＩ要求フィールドが’１００’であると仮定すると、表３における対応に従って、端末デバイスは、ＣＳＩプロセスの第３のセットに対応するＣＳＩが報告される必要があることを決定する。１つの様式では、ＣＳＩプロセスの第３のセットが複数のＣＳＩプロセスを含む場合、端末デバイスは、ＣＳＩプロセスの第３のセット内に含まれる各ＣＳＩプロセスに従って、または別のルール（たとえば、ＣＳＩプロセスの第３のセットがグループに分割され、１つのグループは２つのＣＳＩプロセスを含む）に従って、異なるアップリンクサブフレームを追加してよい。別の様式では、各ＣＳＩプロセスに対応するＲＩから構成されるセットが第１のアップリンクサブフレームにおいて伝送され、各ＣＳＩプロセスに対応するＣＱＩまたはＰＭＩから構成されるセットが第２のアップリンクサブフレームにおいて伝送される。別の様式では、あらかじめ設定されたルールに従って、最初に、ＣＳＩプロセスの第３のセットに対応するＣＳＩが、１つのアップリンクサブフレームにおいて伝送され、次いで、ＣＳＩプロセスの別のセットに対応するＣＳＩが、別のアップリンクサブフレームにおいて伝送される。たとえば、ＣＳＩプロセスの第４のセットに対応するＣＳＩは、別のアップリンクサブフレームにおいて伝送される。
【０１７３】
【表３】
2019520734.tif 000011
【０１７４】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。加えて、第１のアップリンクサブフレームにおいて搬送される制御情報の内容は、第２のアップリンクサブフレームにおいて搬送されるアップリンク制御情報の内容を含む。
【０１７５】
この実装形態では、第１のアップリンクサブフレームにおいて搬送される制御情報の内容が、第２のサブフレームにおいて搬送されるアップリンク制御情報の内容を含むことは、第２のアップリンクサブフレームにおいて搬送されるＣＳＩ情報は、第１のアップリンクサブフレームにおいて搬送されるＣＳＩ情報の適切なサブセットであることを含む。
【０１７６】
図１４を例として使用し、端末デバイスが、サブフレームｎ＋６およびサブフレームｎ＋７においてＣＳＩを伝送することを決定すると仮定すると、本発明のこの実施形態では、具体的には、以下の特定の実装形態が、説明のために使用される。本発明の実装形態はそれに制限されないことが留意されるべきである。任意選択で、以下のとおりである。
【０１７７】
（１）シングルキャリアケースでは、すなわち、シングルキャリアのみが端末デバイスのために構成される場合、端末デバイスは、サブフレームｎ＋６およびサブフレームｎ＋７のうちの１つ（第２のアップリンクサブフレームに対応する）においてＲＩを伝送し、別のサブフレーム（第１のアップリンクサブフレームに対応する）においてＲＩおよびＣＱＩまたはＰＭＩを伝送してよい。
【０１７８】
（２）マルチキャリアケースでは、すなわち、複数のキャリアが、端末デバイスのために構成される（または、作動させられる）場合、たとえば、端末デバイスは、ＣＣ１、ＣＣ２、ＣＣ３、またはＣＣ４を使用することによって、アクセスネットワークデバイスにデータを同時に伝送してよく、上位層構成に従って、サービングセルの第１のセット（サービングセルの第１のセット）はＣＣ１とＣＣ２とを含み、サービングセルの第２のセット（サービングセルの第２のセット）はＣＣ３とＣＣ４とを含む。表１を参照すると、ＣＳＩ要求フィールド内に含まれるビットが「１１」の状態に設定されるとき、端末デバイスは、サービングセルの第２のセットに対応するＣＳＩがフィードバックされる必要があることを決定してよい。この任意選択の実装形態では、端末デバイスは、複数の決定されたサブフレームの中の１つのアップリンクサブフレーム（第１のアップリンクサブフレームに対応する）において、ＣＣ３およびＣＣ４に対応するＣＳＩをフィードバックし、別のアップリンクサブフレーム（第２のアップリンクサブフレームに対応する）において、ＣＣ３およびＣＣ４に対応するＣＳＩ情報をフィードバックしてよい。または、端末デバイスは、複数の決定されたサブフレームの中の１つのアップリンクサブフレーム（第２のアップリンクサブフレームに対応する）において、ＣＣ３およびＣＣ４に対応する何らかのＣＳＩ情報をフィードバックし、別のアップリンクサブフレーム（第１のアップリンクサブフレームに対応する）において、ＣＣ３およびＣＣ４に対応するすべてのＣＳＩ情報をフィードバックしてもよい。または、端末デバイスは、複数の決定されたサブフレームの中の１つのアップリンクサブフレーム（第２のアップリンクサブフレームに対応する）において、ＣＣ３およびＣＣ４に対応するすべてのＣＳＩ情報をフィードバックし、別のアップリンクサブフレーム（第１のアップリンクサブフレームに対応する）において、ＣＣ１からＣＣ４に対応するすべてのＣＳＩ情報をフィードバックしてもよい。
【０１７９】
（３）複数のＣＳＩプロセスが端末デバイスのために構成される場合、端末デバイスは、標識情報（たとえば、ＣＳＩ要求フィールドによって示されたＣＳＩプロセス）に従って、１つのアップリンクサブフレームに、決定されたＣＳＩプロセスの中のいくつかのＣＳＩプロセスに対応するＣＳＩ情報を追加し、別のアップリンクサブフレームに、すべての決定されたＣＳＩプロセスに対応するＣＳＩ情報を追加してよい。あるいは、表３に基づいて、ＣＳＩ要求フィールドが「１１０」に設定される場合、端末デバイスは、１つのアップリンクサブフレームにおいて、ＣＳＩプロセスの第５のセットに対応するＣＳＩをフィードバックし、別のアップリンクサブフレームにおいて、ＣＳＩプロセスの第５のセットおよびＣＳＩプロセスの別のグループに対応するＣＳＩをフィードバックしてよい。オフセット関係が、ＣＳＩプロセスの別のグループに対応するＣＳＩ要求フィールドとＵＬグラント内で搬送されるＣＳＩ要求フィールドとの間に存在し、このオフセット関係は、暗黙的に示され、たとえば、あらかじめ構成され（たとえば、標準プロトコルによって指定される）、または、明示的なシグナリングを使用することによって示されてよく、この明示的なシグナリング標識は、上位層シグナリングであってもよいし、物理層シグナリングであってもよい。これは、本発明のこの実施形態では、具体的に制限されない。
【０１８０】
この実施形態を使用する利益は、リソース浪費が最大限に減少されること、および、端末デバイスが、ＣＣＡにより、ＣＳＩ伝送のためのアップリンクサブフレームにおける競合を通じてアンライセンス帯域リソースを取得するのに失敗した場合、端末デバイスが過度のＣＳＩ情報を失わないことが保証されることである。任意選択で、アップリンク制御情報伝送に対するＣＣＡリスニング結果の影響を減少させるために、時間的にその後のアップリンクサブフレームは、より多くのＣＳＩ情報を伝送するために使用されてよい。
【０１８１】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。加えて、第１のアップリンクサブフレームにおいて搬送される制御情報のいくらかの内容は、第２のアップリンクサブフレームにおいて搬送されるアップリンク制御情報のいくらかの内容と同じである。任意選択で、同じ内容は、より高い優先順位のアップリンク制御情報、たとえば、ＲＩであってよい。この実施形態を使用する利益は、リソース浪費が最大限に減少されること、および、より高い優先順位のアップリンク制御情報の伝送が保証されることである。
【０１８２】
前述の様式では、具体的にどのサブフレームがＣＳＩ情報を伝送するために決定されるか、および各決定されたサブフレームにおいて伝送されるＣＳＩ内にどの内容が含まれるかは、あらかじめ構成されてもよいし、シグナリングを使用することによって通知されてよい。これは、本発明のこの実施形態では、具体的に制限されない。
【０１８３】
アップリンク制御情報がサウンディング基準信号であるとき、上記で説明された実装形態は、ＳＲＳにも適用可能である。「少なくとも２つのアップリンクサブフレームの各々において搬送されるアップリンク制御情報は同じである」は、「少なくとも２つのアップリンクサブフレームにおいて伝送されるＳＲＳによって占有される時間位置（ＯＦＤＭシンボルインデックスによって示されてよい）および周波数リソース位置ならびに使用される系列は、すべて同じである」と理解されてよく、「少なくとも２つのアップリンクサブフレームは、第１のアップリンクサブフレームと、第２のアップリンクサブフレームとを含み、第１のアップリンクサブフレームにおいてで搬送されるアップリンク制御情報は、第２のアップリンクサブフレームにおいてで搬送されるアップリンク制御情報と異なる」は、「第１のアップリンクサブフレームおよび第２のアップリンクサブフレームにおいて端末デバイスによって伝送されるＳＲＳ内に含まれる、ＳＲＳによって占有される時間位置（ＯＦＤＭシンボルインデックスによって示されてよい）、ＳＲＳを伝送するために占有される周波数リソース位置、またはＳＲＳによって使用される系列のうちの少なくとも１つは、異なる」と理解されてもよいし、「第１のアップリンクサブフレームにおいてＳＲＳを伝送するために端末デバイスによって占有される周波数リソースは、第２のアップリンクサブフレームにおいてＳＲＳを伝送するために端末デバイスによって占有される周波数リソースを含む」と理解されてもよいことが留意されるべきである。
【０１８４】
アップリンク制御情報がハイブリッド自動再送要求肯定応答であるとき、上記で説明された実装形態は、ハイブリッド自動再送要求肯定応答（ＨＡＲＱ−ＡＣＫ）にも適用可能である。端末デバイスによってフィードバックされるＨＡＲＱ−ＡＣＫは、複数のアップリンクサブフレームおよび複数のサービングセルのために意図されてよい。「少なくとも２つのアップリンクサブフレームの各々において搬送されるアップリンク制御情報は同じである」は、「少なくとも２つのアップリンクサブフレーム内に含まれる各アップリンクサブフレームにおいて搬送されるＨＡＲＱ−ＡＣＫ情報は同じである」と理解されてよく、「少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる」は、「第１のアップリンクサブフレームおよび第２のアップリンクサブフレームにおいて端末デバイスによって伝送されるＨＡＲＱ−ＡＣＫ内に含まれる、ＨＡＲＱ−ＡＣＫに対応する異なるアップリンクサブフレーム、またはＨＡＲＱ−ＡＣＫに対応する異なるサービングセルのうちの少なくとも１つは異なる」と理解されてよく、「少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる」は、「第１のアップリンクサブフレームにおいて端末デバイスによって伝送されるＨＡＲＱ−ＡＣＫに対応するダウンリンクサブフレームは、第２のアップリンクサブフレームにおいて端末デバイスによって伝送されるＨＡＲＱ−ＡＣＫに対応するダウンリンクサブフレームを含む、および／または、第１のアップリンクサブフレームにおいて端末デバイスによって伝送されるＨＡＲＱ−ＡＣＫに対応するサービングセルは、第２のアップリンクサブフレームにおいて端末デバイスによって伝送されるＨＡＲＱ−ＡＣＫに対応するサービングセルを含む」と理解されてもよいことが留意されるべきである。
【０１８５】
前述の実施形態は、端末デバイスの観点から説明されている。この実施形態では、アクセスネットワークデバイスは標識情報を送信してよく、この標識情報は、アップリンク制御情報を搬送するためのアップリンクサブフレームを示し、アップリンクサブフレームは、Ｍ個のアップリンクサブフレームの中の少なくとも２つのアップリンクサブフレームである。任意選択で、アップリンクサブフレームは、前述の実装形態１から実装形態６によって定義された特徴を有する。加えて、アクセスネットワークデバイスは、端末デバイスに標識情報をさらに送信してよく、この標識情報は、どのアップリンク制御情報が、アップリンク制御情報を搬送するためのアップリンクサブフレームにおいて搬送されるかを示すために使用される。
【０１８６】
前述の方法に対応して、本発明は、端末デバイスを提供する。この端末デバイスは、Ｕ−ＬＴＥシステムにおけるマルチサブフレームスケジューリングシナリオに適用されてよく、この端末デバイスは、前述の方法実施形態における各ステップを実行し得る。
【０１８７】
前述の方法に対応して、本発明は、端末デバイスを提供する。この端末デバイスは、Ｕ−ＬＴＥシステムにおけるマルチサブフレームスケジューリングシナリオに適用されてよく、この端末デバイスは、前述の方法実施形態における各ステップを実行し得る。
【０１８８】
図１５を参照すると、実施形態では、端末デバイスは、
アクセスネットワークデバイスからスケジューリング情報およびトリガ情報を受信するように構成された受信ユニット１５０１であって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信ユニット１５０１と、
Ｍ個のアップリンクサブフレームにおいて、アップリンク制御情報を搬送するための少なくとも２つのアップリンクサブフレームを決定するように構成された処理ユニット１５０２と、
少なくとも２つのアップリンクサブフレームにおいてアップリンク制御情報を送信するように構成された送信ユニット１５０３と
を含む。
【０１８９】
実施形態では、少なくとも２つのアップリンクサブフレームは、Ｍ個のアップリンクサブフレームの時間系列内の最後のサブフレームおよび時間系列内の最後から２番目のサブフレームのうちの少なくとも１つを含む。
【０１９０】
実施形態では、受信ユニットは、サブフレームｎにおいてスケジューリング情報を受信し、少なくとも２つのアップリンクサブフレームは、Ｍ個のアップリンクサブフレーム内に含まれるアップリンクバーストの時間系列内の最後のアップリンクサブフレームおよび最後から２番目のアップリンクサブフレームのうちの少なくとも１つを含み、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０１９１】
実施形態では、少なくとも２つのアップリンクサブフレームは、Ｍ個のアップリンクサブフレームの時間系列内の第１のサブフレームを含む。
【０１９２】
実施形態では、少なくとも２つのアップリンクサブフレームの各々においてアップリンク制御情報を伝送するためのＯＦＤＭシンボルの量は、指定された閾値以上である。
【０１９３】
実施形態では、スケジューリング情報とトリガ情報は、同じダウンリンク制御情報内で搬送される。
【０１９４】
実施形態では、アップリンク制御情報は、チャネル状態情報、サウンディング基準信号、およびハイブリッド自動再送要求肯定応答のうちの少なくとも１つを含む。
【０１９５】
実施形態では、少なくとも２つのアップリンクサブフレームの各々において搬送されるアップリンク制御情報は同じである。
【０１９６】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。
【０１９７】
実施形態では、第１のアップリンクサブフレームにおいて搬送されるアップリンク制御情報の内容は、第２のアップリンクサブフレームにおいて搬送されるアップリンク制御情報の内容と一致しない、または、第１のアップリンクサブフレームにおいて搬送される制御情報の内容は、第２のアップリンクサブフレームにおいて搬送されるアップリンク制御情報の内容を含む。
【０１９８】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、Ｍ個のアップリンクサブフレームにおいて、アップリンク制御情報を搬送するための少なくとも２つのアップリンクサブフレームを決定することに関する特定の実装形態の詳細についても、前述の方法実施形態における関連説明を参照されたい。
【０１９９】
図１６を参照すると、別の実施形態では、端末デバイスは、
アクセスネットワークデバイスからスケジューリング情報およびトリガ情報を受信するように構成された受信機１６０１であって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信機１６０１と、
Ｍ個のアップリンクサブフレームにおいて、アップリンク制御情報を搬送するための少なくとも２つのアップリンクサブフレームを決定するように構成されたプロセッサ１６０２と、
少なくとも２つのアップリンクサブフレームにおいてアップリンク制御情報を送信するように構成された送信機１６０３と
を含む。
【０２００】
実施形態では、少なくとも２つのアップリンクサブフレームは、Ｍ個のアップリンクサブフレームの時間系列内の最後のサブフレームおよびこの時間系列内の最後から２番目のサブフレームのうちの少なくとも１つを含む。
【０２０１】
実施形態では、受信ユニットは、サブフレームｎにおいてスケジューリング情報を受信し、少なくとも２つのアップリンクサブフレームは、Ｍ個のアップリンクサブフレーム内に含まれるアップリンクバーストの時間系列内の最後のアップリンクサブフレームおよび最後から２番目のアップリンクサブフレームのうちの少なくとも１つを含み、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０２０２】
実施形態では、少なくとも２つのアップリンクサブフレームは、Ｍ個のアップリンクサブフレームの時間系列内の第１のサブフレームを含む。
【０２０３】
実施形態では、少なくとも２つのアップリンクサブフレームの各々においてアップリンク制御情報を伝送するためのＯＦＤＭシンボルの量は、指定された閾値以上である。
【０２０４】
実施形態では、スケジューリング情報とトリガ情報は、同じダウンリンク制御情報内で搬送される。
【０２０５】
実施形態では、アップリンク制御情報は、チャネル状態情報、サウンディング基準信号、およびハイブリッド自動再送要求肯定応答のうちの少なくとも１つを含む。
【０２０６】
実施形態では、少なくとも２つのアップリンクサブフレームの各々において搬送されるアップリンク制御情報は同じである。
【０２０７】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。
【０２０８】
実施形態では、第１のアップリンクサブフレームにおいて搬送されるアップリンク制御情報の内容は、第２のアップリンクサブフレームにおいて搬送されるアップリンク制御情報の内容と一致しない、または、第１のアップリンクサブフレームにおいて搬送される制御情報の内容は、第２のアップリンクサブフレームにおいて搬送されるアップリンク制御情報の内容を含む。
【０２０９】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、Ｍ個のアップリンクサブフレームにおいて、アップリンク制御情報を搬送するための少なくとも２つのアップリンクサブフレームを決定することに関する特定の実装形態の詳細についても、前述の方法実施形態における関連説明を参照されたい。
【０２１０】
実施形態３
マルチサブフレームスケジューリングの場合、シグナリングオーバヘッドを減少させるために、複数のスケジュールされたアップリンクサブフレームに対応するスケジューリング情報は通常、同じであり、たとえば、リソース割り振りである。マルチサブフレームスケジューリングにおいてリソース割り振りのために使用される情報ビットの量は比較的大きいことがあるので、異なるスケジュールされたアップリンクサブフレームが同じリソース割り振りによって示され得る場合、制御シグナリングオーバヘッドは比較的に低いことが留意されるべきである。しかしながら、ＣＳＩなどのアップリンク制御情報の伝送を含めてアップリンクサブフレームにおいてアップリンクデータを伝送するために実際に使用されるアップリンクリソースのサイズは、一般的に、ＣＳＩなどのアップリンク制御情報の伝送を含めずにアップリンクサブフレームにおいてアップリンクデータを伝送するために使用されるアップリンクリソースのサイズよりも小さいので、アップリンクリソース伝送効率は低い。同様に、マルチサブフレームスケジューリングにおいて、ＳＲＳまたはＨＡＲＱ−ＡＣＫの伝送を含めてアップリンクサブフレームにおいてアップリンクデータを伝送するために実際に使用されるアップリンクリソースのサイズは、一般的に、ＳＲＳまたはＨＡＲＱ−ＡＣＫの伝送を含めずにアップリンクサブフレームにおいてアップリンクデータを伝送するために使用されるアップリンクリソースのサイズよりも小さいので、アップリンクリソース伝送効率は、同じく低い。
【０２１１】
リソース伝送効率を改善するために、本発明は、アップリンク情報を伝送するための方法の実施形態を提供する。この実施形態は、Ｕ−ＬＴＥシステムにおけるマルチサブフレームスケジューリングシナリオに適用されてよい。
【０２１２】
図１７を参照すると、本発明によりアップリンク情報を伝送するための方法の実施形態は、以下のステップを含む。
【０２１３】
Ｓ１７０１。端末デバイスが、アクセスネットワークデバイスからスケジューリング情報およびトリガ情報を受信し、スケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用される。
【０２１４】
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される。
【０２１５】
Ｓ１７０２。端末デバイスが、第１のアップリンクサブフレームセットに対応する第１のＭＣＳまたは第１のＲＢを決定し、第２のアップリンクセットに対応する第２のＭＣＳまたは第２のＲＢを決定する。
【０２１６】
Ｓ１７０３。端末デバイスが、第１のアップリンクサブフレームセットにおいて、第１のＭＣＳまたは第１のＲＢに対応する第１のアップリンクデータを伝送し、第２のアップリンクサブフレームセットにおいて、第２のＭＣＳまたは第２のＲＢに対応する第２のアップリンクデータおよびアップリンク制御情報を伝送する。
【０２１７】
この実施形態におけるスケジューリング情報、トリガ情報、およびアップリンク制御情報の定義および機能については、実施形態１における関連説明を参照されたい。詳細は、本明細書において、さらに説明されない。
【０２１８】
図１８は、第１のサブフレームセットと第２のサブフレームセットの間の関係を示す。図１８を参照し、スケジューリング情報が、４つのアップリンクサブフレームにおいてアップリンクデータを伝送するように端末デバイスに命令すると仮定すると、端末デバイスが、４つのアップリンクサブフレームの中の最後のアップリンクサブフレームがアップリンク制御情報を含むことを決定する場合、４つのアップリンクサブフレームの中の第１のアップリンクサブフレーム、第２のアップリンクサブフレーム、および第３のアップリンクサブフレームは、第１のアップリンクサブフレームセット内に含まれるアップリンクサブフレームであり、第４のアップリンクサブフレームは、第２のアップリンクサブフレームセット内に含まれるアップリンクサブフレームである。
【０２１９】
図１９は、第１のサブフレームセットと第２のサブフレームセットの間の別の関係を示す。図１９を参照し、端末デバイスが、サブフレームｎにおいて、アクセスネットワークデバイスによって送信されたスケジューリング情報およびトリガ情報を受信して、スケジューリング情報は、サブフレームｎ＋４、サブフレームｎ＋５、サブフレームｎ＋６、およびサブフレームｎ＋７においてアップリンクデータを伝送するように端末デバイスに命令し、サブフレームｎ＋４は、ダウンリンクバースト内の最後のダウンリンクサブフレームに直接続く第１のアップリンクサブフレームであると仮定すると、サブフレームｎ＋４においてアップリンク情報を伝送する前に、端末デバイスは、ＣＣＡを実行することによって、アンライセンス帯域リソースが利用可能であるかどうかを決定することを必要としないことがある。したがって、端末デバイスは、アップリンク制御情報を含むアップリンクサブフレームとしてサブフレームｎ＋４を決定してよく、このアップリンク制御情報は、トリガ情報が送信するように端末デバイスに命令する情報である。このケースでは、第２のアップリンクサブフレームセットはサブフレームｎ＋４を含み、第１のアップリンクサブフレームセットはサブフレームｎ＋５からサブフレームｎ＋７を含む。
【０２２０】
この実施形態では、マルチサブフレームスケジューリングケースにおいて、異なるＭＣＳまたはＲＢが、異なるアップリンクサブフレームにおいてアップリンクデータを伝送するためにそれぞれ使用されるリソースの実際のサイズに従って決定可能である。したがって、マルチサブフレームスケジューリングにおけるシグナリングオーバヘッドが減少されながら、アップリンクデータのみを搬送するアップリンクサブフレームにおいてアップリンクリソースを使用する効率が保証可能である。
【０２２１】
この実施形態では、端末デバイスは、複数の様式でＭ個のアップリンクサブフレームの中の第２のアップリンクサブフレームセットを決定することがある。
【０２２２】
実装形態１：第２のサブフレームセットは、Ｍ個のアップリンクサブフレームの時間系列内の最後のサブフレームおよびこの時間系列内の最後から２番目のサブフレームのうちの少なくとも１つを含む。
【０２２３】
実装形態２：端末デバイスが、サブフレームｎにおいてスケジューリング情報を受信し、第２のサブフレームセットが、アップリンクバーストの時間系列内の最後のアップリンクサブフレームおよび最後から２番目のアップリンクサブフレームのうちの少なくとも１つを含み、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０２２４】
実装形態３：第２のサブフレームセット内のアップリンクサブフレームにおいてアップリンク情報を伝送するためのＯＦＤＭシンボルの量が、指定された閾値以上である。
【０２２５】
実装形態４：端末デバイスが、サブフレームｎにおいてスケジューリング情報を受信し、第１のサブフレームを除くＭ個のアップリンクサブフレームの中で、第２のサブフレームセットは、同じ最大チャネル占有時間（Ｍａｘｉｍｕｍ  Ｃｈａｎｎｅｌ  Ｏｃｃｕｐａｎｃｙ  Ｔｉｍｅ、ＭＣＯＴ）内の任意のアップリンクサブフレームをサブフレームｎとして含む。任意選択で、第１のサブフレームを除くＭ個のアップリンクサブフレームの中で、第２のサブフレームセットは、サブフレームｎと同じＭＣＯＴ内の最後のまたは最後から２番目のアップリンクサブフレームを含む。
【０２２６】
実装形態５：端末デバイスが、サブフレームｎにおいてスケジューリング情報を受信し、第１のサブフレームを除くＭ個のアップリンクサブフレームの中で、第２のサブフレームセットは、クリアチャネルアセスメント（ＣＣＡ）を必要としない任意のサブフレームを、アップリンク制御情報を搬送するためのアップリンクサブフレームとして含む。任意選択で、第１のサブフレームを除くＭ個のアップリンクサブフレームの中で、第２のサブフレームセットは、ＣＣＡを必要としない第１のアップリンクサブフレームを含む。
【０２２７】
実装形態１から実装形態５は、組み合わせて使用されてよいことが指摘されるべきである。この実施形態における第２のアップリンクサブフレームセット内に含まれるアップリンクサブフレームを決定する様式は、実施形態１におけるアップリンク制御情報を搬送するためのアップリンクサブフレームを決定するための方法に類似している。この実施形態における実装形態１から実装形態５に関する詳細については、実施形態１における関連説明を参照されたい。詳細は、本明細書において、さらに説明されない。加えて、この実施形態における第２のアップリンクサブフレームセット内に含まれるアップリンクサブフレームを決定するための方法は、実施形態２においてアップリンク制御情報を搬送するためのアップリンクサブフレームを決定するための方法に類似している。この実施形態における実装形態１から実装形態５に関する詳細については、実施形態１における関連説明を参照されたい。詳細は、本明細書において、さらに説明されない。
【０２２８】
端末デバイスは、複数の様式で、第１のアップリンクサブフレームセットに対応する第１のＭＣＳまたは第１のＲＢを決定してよい。
【０２２９】
１。端末デバイスが、アクセスネットワークデバイスから第１の標識情報を受信し、この第１の標識情報は、第１のＭＣＳまたは第１のＲＢを示す情報を含み、端末デバイスが、第１の標識情報に従って第１のＭＣＳまたは第１のＲＢを決定する。
【０２３０】
第１の標識情報は、物理層シグナリングであってもよいし、たとえば、Ｍ個のアップリンクサブフレームにおいてアップリンクデータを伝送するように端末デバイスをスケジュールするためのスケジューリングシグナリングにおいて搬送されてもよいし、たとえば無線リソース制御（Ｒａｄｉｏ  Ｒｅｓｏｕｒｃｅ  Ｃｏｎｔｒｏｌ、ＲＲＣ）シグナリングにおいて搬送される上位層情報であってもよい。スケジューリングシグナリングにおいて搬送する利益は、既存のスケジューリング情報（たとえば、ＵＬグラント）内に含まれるＭＣＳ標識情報またはＲＢ標識情報が、設計を単純にするように再使用され得ることである。上位層シグナリングにおいて搬送する利益は、物理層シグナリングオーバヘッドが減少可能なことである。
【０２３１】
２。端末デバイスが、ＭＣＳオフセットまたはＲＢオフセットを取得し、端末デバイスが、第２のＭＣＳおよびＭＣＳオフセットに従って第１のＭＣＳを決定する、または、端末デバイスが、第２のＲＢおよびＲＢオフセットに従って第１のＲＢを決定する。
【０２３２】
ＭＣＳオフセットまたはＲＢオフセットはシグナリングによって示されてよく、シグナリングを使用することによって示される場合、ＭＣＳオフセットまたはＲＢオフセットは、物理層シグナリングを使用することによって示されてもよいし、ＲＲＣシグナリングを使用することによって示されてもよい。シグナリングを使用することによって示される場合、任意選択で、ＭＣＳオフセットの値またはＲＢオフセットの値が、シグナリングを使用することによって直接的に示されてよい。または、任意選択で、ＭＣＳオフセットもしくはＲＢオフセットに対応するインデックス値が、シグナリングを使用することによって示されてよく、次いで、ＭＣＳオフセットもしくはＲＢオフセットが、インデックス値とＭＣＳオフセットまたはＲＢオフセットの間の対応に従って取得されてよい。物理層シグナリングを使用することによって示す利点は、端末デバイスによって伝送されるアップリンクデータに対応するＭＣＳまたは占有される周波数リソースは、アクセスネットワークデバイスと端末デバイスの間のチャネルの品質に従って柔軟に調整可能であり、効率的なデータ伝送が保証可能である。ＲＲＣシグナリングを使用することによって示す利点は、アクセスネットワークと端末デバイスの間のチャネルの変更特徴が比較的スムーズである場合、ＭＣＳオフセットまたはＲＢオフセットは、ＲＲＣシグナリングを使用することによって設定可能であり、これは、アクセスネットワークデバイスと端末デバイスの間のチャネルの変更に適合するだけでなく、物理層シグナリングオーバヘッドを減少させることもできる。
【０２３３】
あるいは、ＭＣＳオフセットまたはＲＢオフセットは、あらかじめ構成されてよい、たとえば、標準プロトコルによって指定されてよい。この様式では、シグナリングオーバヘッドが最小化される。第１のＭＣＳまたは第１のＲＢの変更は、第２のＭＣＳまたは第２のＲＢの変更に従って取得されてよい。
【０２３４】
この様式では、第２のＭＣＳまたは第２のＲＢは、シグナリングによって示されてよい。シグナリングは、物理層シグナリングであってもよいし、ＲＲＣシグナリングであってもよい。たとえば、第２のＭＣＳまたは第２のＲＢは、Ｍ個のアップリンクサブフレームにおいてアップリンクデータを伝送するように端末デバイスをスケジュールするためのスケジューリングシグナリングにおいて搬送されてよい。スケジューリングシグナリングにおいて搬送する利益は、既存のスケジューリング情報（たとえば、ＵＬグラント）内に含まれるＭＣＳ標識情報またはＲＢ標識情報が、設計を単純にするように再使用され得ることである。ＲＲＣシグナリングにおいて搬送する利益は、物理層シグナリングオーバヘッドが減少可能なことである。
【０２３５】
端末デバイスが、第２のＭＣＳまたは第２のＲＢを決定し、第２のＭＣＳおよびＭＣＳオフセットに従って第１のＭＣＳを決定してもよいし、第２のＲＢおよびＲＢオフセットに従って第１のＲＢを決定してもよい。
【０２３６】
端末デバイスは、複数の様式で、第２のアップリンクサブフレームセットに対応する第２のＭＣＳまたは第２のＲＢを決定してよい。
【０２３７】
１。端末デバイスが、アクセスネットワークデバイスから第２の標識情報を受信し、この第２の標識情報は、第２のＭＣＳまたは第２のＲＢを示す情報を含み、端末デバイスが、第２の標識情報に従って第２のＭＣＳまたは第２のＲＢを決定する。
【０２３８】
標識情報は、物理層シグナリングであってもよいし、たとえば、Ｍ個のアップリンクサブフレームにおいてアップリンクデータを伝送するように端末デバイスをスケジュールするためのスケジューリングシグナリングにおいて搬送されてもよいし、たとえばＲＲＣシグナリングにおいて搬送される上位層情報であってもよい。スケジューリングシグナリングにおいて搬送する利益は、既存のスケジューリング情報（たとえば、ＵＬグラント）内に含まれるＭＣＳ標識情報またはＲＢ標識情報が、設計を単純にするように再使用され得ることである。上位層シグナリングにおいて搬送する利益は、物理層シグナリングオーバヘッドが減少可能なことである。
【０２３９】
実装形態では、第１の標識情報と第２の標識情報は、シグナリングの同じ部分において搬送されてよい。
【０２４０】
実装形態では、第１の標識情報と第２の標識情報は、同じダウンリンク制御情報内で搬送されてよい。
【０２４１】
実装形態では、第１の標識情報と第２の標識情報は、異なるダウンリンク制御情報内で搬送されてよい。
【０２４２】
実装形態では、第１の標識情報と第２の標識情報は、同じダウンリンク制御情報または異なるダウンリンクサブフレームにおいて搬送される。
【０２４３】
２。端末デバイスが、ＭＣＳオフセットまたはＲＢオフセットを取得し、端末デバイスが、第１のＭＣＳおよびＭＣＳオフセットに従って第２のＭＣＳを決定する、または、端末デバイスが、第１のＲＢおよびＲＢオフセットに従って第２のＲＢを決定する。
【０２４４】
ＭＣＳオフセットまたはＲＢオフセットはシグナリングによって示されてよく、シグナリングを使用することによって示される場合、ＭＣＳオフセットまたはＲＢオフセットは、物理層シグナリングを使用することによって示されてもよいし、ＲＲＣシグナリングを使用することによって示されてもよい。シグナリングを使用することによって示される場合、任意選択で、ＭＣＳオフセットの値またはＲＢオフセットの値が、シグナリングを使用することによって直接的に示されてよい。または、任意選択で、ＭＣＳオフセットもしくはＲＢオフセットに対応するインデックス値が、シグナリングを使用することによって示されてよく、次いで、ＭＣＳオフセットもしくはＲＢオフセットが、インデックス値とＭＣＳオフセットまたはＲＢオフセットの間の対応に従って取得されてよい。物理層シグナリングを使用することによって示す利点は、端末デバイスによって伝送されるアップリンクデータに対応するＭＣＳまたは占有される周波数リソースは、アクセスネットワークデバイスと端末デバイスの間のチャネルの品質に従って柔軟に調整可能であり、効率的なデータ伝送が保証可能である。ＲＲＣシグナリングを使用することによって示す利点は、アクセスネットワークと端末デバイスの間のチャネルの変更特徴が比較的スムーズである場合、ＭＣＳオフセットまたはＲＢオフセットは、ＲＲＣシグナリングを使用することによって設定可能であり、これは、アクセスネットワークデバイスと端末デバイスの間のチャネルの変更に適合するだけでなく、物理層シグナリングオーバヘッドを減少させることもできる。
【０２４５】
あるいは、ＭＣＳオフセットまたはＲＢオフセットは、あらかじめ構成されてよい、たとえば、標準プロトコルによって指定されてよい。この様式では、シグナリングオーバヘッドが最小化される。第２のＭＣＳまたは第２のＲＢの変更は、第１のＭＣＳまたは第１のＲＢの変更に従って取得されてよい。
【０２４６】
この様式では、第１のＭＣＳは、シグナリングによって示されてよい。シグナリングは、物理層シグナリングであってもよいし、ＲＲＣシグナリングであってもよい。たとえば、第１のＭＣＳは、Ｍ個のアップリンクサブフレームにおいてアップリンクデータを伝送するように端末デバイスをスケジュールするためのスケジューリングシグナリングにおいて搬送されてよい。スケジューリングシグナリングにおいて搬送する利益は、既存のスケジューリング情報（たとえば、ＵＬグラント）内に含まれるＭＣＳ標識情報またはＲＢ標識情報が、設計を単純にするように再使用され得ることである。ＲＲＣシグナリングにおいて搬送する利益は、物理層シグナリングオーバヘッドが減少可能なことである。
【０２４７】
第１のＭＣＳまたは第１のＲＢを決定するための前述の方法は、第２のＭＣＳまたは第２のＲＢを決定するための方法と組み合わせて使用されてよいことが指摘されるべきである。
【０２４８】
任意選択で、第１のＭＣＳを決定する例は、第１のＭＣＳおよび第２のＭＣＳを決定するための方法について具体的に説明するために使用される。
【０２４９】
この実装形態では、ＭＣＳのうちの１つ、たとえば、第１のＭＣＳは、既存のＵＬグラント内に含まれるＭＣＳ標識情報を使用することによって決定されてよい。別のＭＣＳは、明示的なシグナリングによって示されてよい。たとえば、第２のＭＣＳは、ＵＬグラントに追加されたビットを使用することによって示される。示す様式は、追加されたビットが、ＭＣＳに対応する結果、たとえば、表４における対応する変調次数および／またはトランスポートブロックサイズ（Ｔｒａｎｓｍｉｓｓｉｏｎ  Ｂｌｏｃｋ  Ｓｉｚｅ、ＴＢＳ）を直接的に示し得ることである。別の示す様式は、追加されたビットがＭＣＳインデックスを示してよく、ＭＣＳおよびＴＢＳが、インデックスと変調モードとトランスポートブロックサイズ（Ｔｒａｎｓｍｉｓｓｉｏｎ  Ｂｌｏｃｋ  Ｓｉｚｅ、ＴＢＳ）の間の対応に従って決定されることである。別の示す様式は、第１のＭＣＳに対する第２のＭＣＳのオフセット（本発明のこの実施形態では、ＭＣＳオフセットに対応する）は、追加されたビットを使用することによって示されてよい。たとえば、異なるインデックス情報は、追加されたビットの異なる状態を使用することによって示されてよく、異なるインデックス情報は、１対１ベースで異なるオフセットに対応する。本明細書では、異なるオフセットから構成されるセットは、半静的に構成されてもよいし、たとえば、ＲＲＣシグナリングを使用することによって構成されてもよいし、静的に構成されてもよい、たとえば、標準プロトコルによって指定されてもよい。別の例では、異なるオフセットは、追加されたビットを使用することによって直接的に示されてよい。
【０２５０】
別の様式では、たとえば、第１のＭＣＳは、ＵＬグラント内に含まれる制御情報によって示されてよく、第２のＭＣＳまたは第２のＭＣＳと第１のＭＣＳの間のＭＣＳオフセットは、あらかじめ構成される、たとえば、標準プロトコルによって指定される。このケースでは、端末デバイスは、第１のＭＣＳおよびあらかじめ構成されたＭＣＳオフセットに従って第２のＭＣＳを決定してよい。
【０２５１】
上記で説明された様式は、第１のＲＢおよび第２のＲＢを決定することにも適用可能であることが留意されるべきである。任意選択で、第２のＲＢが第１のＲＢおよびＲＢオフセットに従って決定されるとき、ＲＢオフセットは、第２のＲＢが決定されるように、第１のＲＢに基づいた、ＲＢオフセットによって示されるＲＢサイズおよびＲＢ位置の分の増加または減少とさらに理解されてよい。任意選択で、第２のＲＢが、第２のＲＢおよびＲＢオフセットに従って決定されるとき、ＲＢオフセットは、第１のＲＢが決定されるように、第２のＲＢに基づいた、ＲＢオフセットによって示されるＲＢサイズおよびＲＢ位置の分の増加または減少とさらに理解されてよい。
【０２５２】
本発明のこの実施形態では、第１のＲＢ（または第２のＲＢ）は、第１のＲＢ（または第２のＲＢ）のサイズ、および第１のＲＢ（または第２のＲＢ）によって占有される周波数リソース位置のうちの少なくとも１つを含むことが留意されるべきである。
【０２５３】
本発明のこの実施形態では、第１のＭＣＳ（または第２のＭＣＳ）は、変調次数およびトランスポートブロックサイズのうちの少なくとも１つを含んでよいことが留意されるべきである。
【０２５４】
【表４】
2019520734.tif 000012
【０２５５】
前述の方法に対応して、本発明は、端末デバイスを提供する。この端末デバイスは、Ｕ−ＬＴＥシステムにおけるマルチサブフレームスケジューリングシナリオに適用されてよく、この端末デバイスは、前述の方法実施形態における各ステップを実行し得る。
【０２５６】
図２０を参照すると、実施形態では、端末デバイスは、
アクセスネットワークデバイスからスケジューリング情報およびトリガ情報を受信するように構成された受信ユニット２００１であって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、受信ユニット２００１と、
第１のアップリンクサブフレームセットに対応する第１のＭＣＳまたは第１のＲＢを決定し、第２のアップリンクセットに対応する第２のＭＣＳまたは第２のＲＢを決定するように構成された決定ユニット２００２と、
第１のアップリンクサブフレームセットにおいて、第１のＭＣＳまたは第１のＲＢに対応する第１のアップリンクデータを伝送し、第２のアップリンクサブフレームセットにおいて、第２のＭＣＳまたは第２のＲＢに対応する第２のアップリンクデータおよびアップリンク制御情報を伝送するように構成された送信ユニット２００３と
を含む。
【０２５７】
実施形態では、第２のサブフレームセットは、Ｍ個のアップリンクサブフレームの時間系列内の最後のサブフレームおよびこの時間系列内の最後から２番目のサブフレームのうちの少なくとも１つを含む。
【０２５８】
別の実施形態では、端末デバイスが、サブフレームｎにおいてスケジューリング情報を受信し、第２のサブフレームセットは、Ｍ個のアップリンクサブフレーム内に含まれるアップリンクバーストの時間系列内の最後のアップリンクサブフレームおよび最後から２番目のアップリンクサブフレームのうちの少なくとも１つを含み、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０２５９】
別の実施形態では、第２のサブフレームセット内のアップリンクサブフレームにおいてアップリンク情報を伝送するためのＯＦＤＭシンボルの量は、指定された閾値以上である。
【０２６０】
実施形態では、スケジューリング情報とトリガ情報は、同じダウンリンク制御情報内で搬送される。
【０２６１】
実施形態では、アップリンク制御情報は、チャネル状態情報、サウンディング基準信号、およびハイブリッド自動再送要求肯定応答のうちの少なくとも１つを含む。
【０２６２】
図２１を参照すると、実施形態では、受信ユニットは、アクセスネットワークデバイスから第１の標識情報を受信するようにさらに構成され、この第１の標識情報は、第１のＭＣＳまたは第１のＲＢを示すために使用され、
決定ユニットは、第１の標識情報に従って第１のＭＣＳまたは第１のＲＢを決定するように構成された第１の決定ユニット２１０１と、
ＭＣＳオフセットまたはＲＢオフセットを取得し、第１のＭＣＳおよびＭＣＳオフセットに従って第２のＭＣＳを決定する、または、第１のＲＢおよびＲＢオフセットに従って第２のＲＢを決定するように構成された第２の決定ユニット２１０２であって、ＭＣＳオフセットは第１のＭＣＳと第２のＭＣＳの間のオフセットであり、ＲＢオフセットは第１のＲＢと第２のＲＢの間のオフセットである、第２の決定ユニット２１０２と
を含む。
【０２６３】
図２２を参照すると、受信ユニットは、アクセスネットワークデバイスから第１の標識情報および第２の標識情報を受信するようにさらに構成され、この第１の標識情報は、第１のＭＣＳまたは第１のＲＢを示すために使用され、
決定ユニットは、第１の標識情報に従って第１のＭＣＳまたは第１のＲＢを決定するように構成された第１の決定ユニット２１０１と、
第３の決定ユニットであって、第２の標識情報に従って第２のＭＣＳまたは第２のＲＢを決定するように構成された第３の決定ユニットと
を含む。
【０２６４】
図２３を参照すると、別の実施形態では、受信ユニットは、アクセスネットワークデバイスから第２の標識情報を受信するようにさらに構成され、この第２の標識情報は、第２のＭＣＳまたは第２のＲＢを示すために使用され、
決定ユニットは、
第２の標識情報に従って第２のＭＣＳまたは第２のＲＢを決定するように構成された第３の決定ユニット２３０１と、
ＭＣＳオフセットまたはＲＢオフセットを取得し、第２のＭＣＳおよびＭＣＳオフセットに従って第１のＭＣＳを決定する、または、端末デバイスによって、第２のＲＢおよびＲＢオフセットに従って第１のＲＢを決定するように構成された第４の決定ユニット２３０２であって、ＭＣＳオフセットは第１のＭＣＳと第２のＭＣＳの間のオフセットであり、ＲＢオフセットは第１のＲＢと第２のＲＢの間のオフセットである、第４の決定ユニット２３０２と
を含む。
【０２６５】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、アップリンクサブフレームセットを決定するための方法ならびに第１のＭＣＳ、第２のＭＣＳ、第１のＲＢ、および第２のＲＢを取得するための方法に関する特定の実装形態の詳細についても、前述の方法実施形態における関連説明を参照されたい。
【０２６６】
図２４を参照すると、別の実施形態では、端末デバイスは、
アクセスネットワークデバイスからスケジューリング情報およびトリガ情報を受信するように構成された受信機２４０１であって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、受信機２４０１と、
第１のアップリンクサブフレームセットに対応する第１のＭＣＳまたは第１のＲＢを決定し、第２のアップリンクセットに対応する第２のＭＣＳまたは第２のＲＢを決定するように構成されたプロセッサ２４０２と、
第１のアップリンクサブフレームセットにおいて、第１のＭＣＳまたは第１のＲＢに対応する第１のアップリンクデータを伝送し、第２のアップリンクサブフレームセットにおいて、第２のＭＣＳまたは第２のＲＢに対応する第２のアップリンクデータおよびアップリンク制御情報を伝送するように構成された送信機２４０３と
を含む。
【０２６７】
端末デバイス内でプロセッサによって実施される特定の機能は、前述の実施形態における決定ユニット２００２の機能に類似している。処理に関する特定の実装形態の詳細については、前述の実施形態における関連説明を参照されたい。
【０２６８】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、第２のアップリンクサブフレームセットを決定するための方法ならびに第１のＭＣＳ、第２のＭＣＳ、第１のＲＢ、および第２のＲＢを取得するための方法に関する特定の実装形態の詳細についても、前述の方法実施形態における関連説明を参照されたい。
【０２６９】
前述の実施形態では、第２のサブフレームセットは、アップリンク制御情報およびアップリンクデータを伝送するために使用される。別の実施形態では、第２のサブフレームセットは、アップリンク制御情報のみを伝送することがある。
【０２７０】
図２５を参照すると、本発明によりアップリンク情報を伝送するための方法の実施形態は、以下のステップを含む。
【０２７１】
Ｓ２５０１。端末デバイスが、アクセスネットワークデバイスからスケジューリング情報およびトリガ情報を受信し、このスケジューリング情報は、Ｍ個のアップリンクサブフレームにおいてスケジュールされたアップリンクデータを伝送するように端末デバイスに命令するために使用され、Ｍは２以上の正の整数であり、トリガ情報は、アップリンク制御情報を送信するように端末デバイスに命令するために使用される。
【０２７２】
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームはアップリンクデータを伝送するために使用され、第２のアップリンクサブフレームセット内のサブフレームは、アップリンク制御情報を伝送するために使用される。
【０２７３】
Ｓ２５０２。端末デバイスが、第１のアップリンクサブフレームセットに対応する第１のＭＣＳまたは第１のＲＢを決定し、第２のアップリンクセットに対応する第２のＭＣＳまたは第２のＲＢを決定する。
【０２７４】
Ｓ２５０３。端末デバイスが、第１のアップリンクサブフレームセットにおいて、第１のＭＣＳまたは第１のＲＢに対応するアップリンクデータを伝送し、第２のアップリンクサブフレームセットにおいて、第２のＭＣＳまたは第２のＲＢに対応するアップリンク制御情報を伝送する。
【０２７５】
この実施形態におけるスケジューリング情報、トリガ情報、およびアップリンク制御情報の定義および機能については、実施形態１における関連説明を参照されたい。詳細は、本明細書において、さらに説明されない。
【０２７６】
第２のサブフレームセットを決定するための方法、第１のＭＣＳまたは第１のＲＢを決定するための方法、および第２のＭＣＳまたは第２のＲＢを決定するための方法は、前述の実施形態におけるそれらに類似している。詳細は、本明細書において、さらに説明されない。
【０２７７】
この実施形態では、第２のアップリンクサブフレームセット内のアップリンクサブフレームは、アップリンク制御情報のみを伝送するために使用されるので、リソース浪費問題は、シグナリングオーバヘッドを減少させるためにアップリンクデータのみを含むアップリンクサブフレームでは存在しない。この実施形態では、任意選択で、端末デバイスによって伝送されるアップリンク制御情報のオーバヘッドが比較的高いとき、たとえば、複数のサービングセルもしくは複数のＣＳＩプロセスに対応するＣＳＩがフィードバックされる必要があるとき、ならびに／または複数のサービングセルおよび／もしくは複数のダウンリンクサブフレームに対応するＨＡＲＱ−ＡＣＫがフィードバックされる必要があるとき、第２のアップリンクサブフレームセット内のアップリンクサブフレームがアップリンク制御情報のみを伝送するために使用されることが指定されてよい。したがって、上記で説明された利点が取得可能である（すなわち、アップリンクデータのみを含むアップリンクサブフレームにおけるリソース浪費問題が減少される）だけでなく、アップリンク制御データのみを含むアップリンクサブフレームにおけるリソース浪費も減少される。
【０２７８】
前述の方法に対応して、本発明は、端末デバイスを提供する。この端末デバイスは、Ｕ−ＬＴＥシステムにおけるマルチサブフレームスケジューリングシナリオに適用されてよく、この端末デバイスは、前述の方法実施形態における各ステップを実行し得る。
【０２７９】
図２６を参照すると、実施形態では、端末デバイスは、
アクセスネットワークデバイスからスケジューリング情報およびトリガ情報を受信するように構成された受信ユニット２６０１であって、このスケジューリング情報は、Ｍ個のアップリンクサブフレームにおいてスケジュールされたアップリンクデータを伝送するように端末デバイスに命令するために使用され、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームはアップリンクデータを伝送するために使用され、第２のアップリンクサブフレームセット内のサブフレームはアップリンク制御情報を伝送するために使用される、受信ユニット２６０１と、
第１のアップリンクサブフレームセットに対応する第１のＭＣＳまたは第１のＲＢを決定し、第２のアップリンクセットに対応する第２のＭＣＳまたは第２のＲＢを決定するように構成された決定ユニット２６０２と、
第１のアップリンクサブフレームセットにおいて、第１のＭＣＳまたは第１のＲＢに対応するアップリンクデータを伝送し、第２のアップリンクサブフレームセットにおいて、第２のＭＣＳまたは第２のＲＢに対応するアップリンク制御情報を伝送するように構成された送信ユニット２６０３と
を含む。
【０２８０】
この実施形態におけるスケジューリング情報、トリガ情報、およびアップリンク制御情報の定義および機能については、実施形態１における関連説明を参照されたい。詳細は、本明細書において、さらに説明されない。
【０２８１】
第２のサブフレームセットを決定するための方法、第１のＭＣＳまたは第１のＲＢを決定するための方法、および第２のＭＣＳまたは第２のＲＢを決定するための方法は、前述の実施形態におけるそれらに類似している。詳細は、本明細書において、さらに説明されない。
【０２８２】
図２６を参照すると、別の実施形態では、端末デバイスは、
アクセスネットワークデバイスからスケジューリング情報およびトリガ情報を受信するように構成された受信機２７０１であって、このスケジューリング情報は、Ｍ個のアップリンクサブフレームにおいてスケジュールされたアップリンクデータを伝送するように端末デバイスに命令するために使用され、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームはアップリンクデータを伝送するために使用され、第２のアップリンクサブフレームセット内のサブフレームはアップリンク制御情報を伝送するために使用される、受信機２７０１と、
第１のアップリンクサブフレームセットに対応する第１のＭＣＳまたは第１のＲＢを決定し、第２のアップリンクセットに対応する第２のＭＣＳまたは第２のＲＢを決定するように構成された決定機２７０２と、
第１のアップリンクサブフレームセットにおいて、第１のＭＣＳまたは第１のＲＢに対応するアップリンクデータを伝送し、第２のアップリンクサブフレームセットにおいて、第２のＭＣＳまたは第２のＲＢに対応するアップリンク制御情報を伝送するように構成された送信機２７０３と
を含む。
【０２８３】
この実施形態におけるスケジューリング情報、トリガ情報、およびアップリンク制御情報の定義および機能については、実施形態１における関連説明を参照されたい。詳細は、本明細書において、さらに説明されない。
【０２８４】
第２のサブフレームセットを決定するための方法、第１のＭＣＳまたは第１のＲＢを決定するための方法、および第２のＭＣＳまたは第２のＲＢを決定するための方法は、前述の実施形態におけるそれらに類似している。詳細は、本明細書において、さらに説明されない。
【０２８５】
リソース伝送効率を改善するために、本発明は、アップリンク制御情報を伝送するための方法の実施形態を提供する。この実施形態は、Ｕ−ＬＴＥシステムにおけるマルチサブフレームスケジューリングシナリオに適用されてよい。
【０２８６】
図２８を参照すると、本発明によりアップリンク制御情報を伝送するための方法の実施形態は、以下のステップを含む。
【０２８７】
Ｓ２８０１。アクセスネットワークデバイスが、スケジューリング情報およびトリガ情報を端末デバイスに送信し、このスケジューリング情報は、Ｍ個のアップリンクサブフレームにおいてスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用される。
【０２８８】
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される。
【０２８９】
Ｓ２８０２。アクセスネットワークデバイスが、第１のアップリンクサブフレームセットに対応する第１のＭＣＳまたは第１のＲＢを決定し、第２のアップリンクセットに対応する第２のＭＣＳまたは第２のＲＢを決定する。
【０２９０】
Ｓ２８０３。アクセスネットワークデバイスが、第１のアップリンクサブフレームセットにおいて、第１のＭＣＳまたは第１のＲＢに対応する第１のアップリンクデータを受信し、第２のアップリンクサブフレームセットにおいて、第２のＭＣＳまたは第２のＲＢに対応するアップリンク制御情報および第２のアップリンクデータを伝送する。
【０２９１】
この実施形態におけるスケジューリング情報、トリガ情報、およびアップリンク制御情報の定義および機能については、実施形態１における関連説明を参照されたい。詳細は、本明細書において、さらに説明されない。
【０２９２】
第１のＭＣＳまたは第１のＲＢおよび第２のＭＣＳまたは第２のＲＢは、アクセスネットワークデバイス内であらかじめ構成されてもよいし、アクセスネットワークデバイスによって選択および決定された後に端末デバイスに通知されてもよい。アクセスネットワークデバイスは、第１のＭＣＳまたは第１のＲＢおよび第２のＭＣＳまたは第２のＲＢを端末デバイスに複数の様式で通知してよい。
【０２９３】
実施形態では、アクセスネットワークデバイスは、第１の標識情報および第２の標識情報を端末デバイスに送信してよく、第１の標識情報は、第１のＭＣＳまたは第１のＲＢを示す情報を含み、第２の標識情報は、第２のＭＣＳまたは第２のＲＢを示す情報を含む。任意選択で、第１の標識情報と第２の標識情報は、同じメッセージ内で搬送されてよい。
【０２９４】
別の実施形態では、アクセスネットワークデバイスは、第１の標識情報および第２の標識情報のうちの１つを端末デバイスに送信し、オフセット情報を端末デバイスに送信してよい。第１の標識情報は、第１のＭＣＳまたは第１のＲＢを示す情報を含み、第２の標識情報は、第２のＭＣＳまたは第２のＲＢを示す情報を含む。オフセット情報は、第１のＭＣＳと第２のＭＣＳの間のオフセットまたは第１のＲＢと第２のＲＢの間のオフセットである。任意選択で、標識情報とオフセット情報は、同じメッセージ内で搬送されてよい。
【０２９５】
本発明のこの実施形態では、端末デバイスがサブフレームｎにおいてアップリンク情報を送信することが留意されるべきである。端末デバイスとアクセスネットワークデバイスの間の伝搬遅延を考慮すると、アクセスネットワークデバイスによってアップリンク情報を受信するための時間は、サブフレームｎのサブフレーム開始境界を遅らせる。しかしながら、説明を簡単にするために、本発明のこの実施形態では、それは、「アクセスネットワークデバイスがサブフレームｎにおいてアップリンク情報を受信する」と説明されることもある。
【０２９６】
この実施形態における、第２のアップリンクサブフレームセットを決定するための方法ならびに第１のＭＣＳ、第２のＭＣＳ、第１のＲＢ、および第２のＲＢを取得するための方法については、実施形態３における端末デバイスに対応する方法実施形態における関連説明を参照されたい。詳細は、本明細書において、さらに説明されない。
【０２９７】
前述の方法に対応して、本発明は、アクセスネットワークデバイスを提供する。このアクセスネットワークデバイスは、ＬＡＡ−ＬＴＥシステムにおけるマルチサブフレームスケジューリングシナリオに適用されてよく、このアクセスネットワークデバイスは、前述の方法実施形態における各ステップを実行してよい。
【０２９８】
図２９を参照すると、実施形態では、アクセスネットワークデバイスは、
端末デバイスにスケジューリング情報およびトリガ情報を送信するように構成された送信ユニット２９０１であって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、送信ユニット２９０１と、
第１のアップリンクサブフレームセットに対応する第１のＭＣＳまたは第１のＲＢを決定し、第２のアップリンクセットに対応する第２のＭＣＳまたは第２のＲＢを決定するように構成された処理ユニット２９０２と、
第１のアップリンクサブフレームセットにおいて、第１のＭＣＳまたは第１のＲＢに対応する第１のアップリンクデータを受信し、第２のアップリンクサブフレームセットにおいて、第２のＭＣＳまたは第２のＲＢに対応する第２のアップリンクデータおよびアップリンク制御情報を伝送するように構成された受信ユニット２９０３と
を含む。
【０２９９】
実施形態では、第２のサブフレームセットは、Ｍ個のアップリンクサブフレームの時間系列内の最後のサブフレームおよびこの時間系列内の最後から２番目のサブフレームのうちの少なくとも１つを含む。
【０３００】
実施形態では、アクセスネットワークデバイスが、サブフレームｎにおいてスケジューリング情報を送信し、第２のサブフレームセットが、アップリンクバーストの時間系列内の最後のアップリンクサブフレームおよび最後から２番目のアップリンクサブフレームのうちの少なくとも１つを含み、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０３０１】
実施形態では、第２のサブフレームセット内のアップリンクサブフレームにおいてアップリンク情報を伝送するためのＯＦＤＭシンボルの量は、指定された閾値以上である。
【０３０２】
実施形態では、スケジューリング情報とトリガ情報は、同じダウンリンク制御情報内で搬送される。
【０３０３】
実施形態では、アップリンク制御情報は、チャネル状態情報、サウンディング基準信号、およびハイブリッド自動再送要求肯定応答のうちの少なくとも１つを含む。
【０３０４】
実施形態では、送信ユニットは、端末デバイスに第１の標識情報を送信するようにさらに構成され、この第１の標識情報は、第１のＭＣＳまたは第１のＲＢを示すために使用される。
【０３０５】
実施形態では、送信ユニットは、端末デバイスに第２の標識情報を送信するようにさらに構成され、この第２の標識情報は、第２のＭＣＳまたは第２のＲＢを示すために使用される標識情報である。
【０３０６】
実施形態では、送信ユニットは、ＭＣＳオフセットまたはＲＢオフセットを端末デバイスに送信するようにさらに構成され、ＭＣＳオフセットは第１のＭＣＳと第２のＭＣＳの間のオフセットであり、ＲＢオフセットは第１のＲＢと第２のＲＢの間のオフセットである。
【０３０７】
この実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、第２のアップリンクサブフレームセットを決定するための方法ならびに第１のＭＣＳ、第２のＭＣＳ、第１のＲＢ、および第２のＲＢを取得するための方法については、前述の方法実施形態における関連説明を参照されたい。
【０３０８】
図３０を参照すると、別の実施形態では、アクセスネットワークデバイスは、
端末デバイスにスケジューリング情報およびトリガ情報を送信するように構成された送信機３００１であって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、送信機３００１と、
第１のアップリンクサブフレームセットに対応する第１のＭＣＳまたは第１のＲＢを決定し、第２のアップリンクセットに対応する第２のＭＣＳまたは第２のＲＢを決定するように構成されたプロセッサ３００２と、
第１のアップリンクサブフレームセットにおいて、第１のＭＣＳまたは第１のＲＢに対応する第１のアップリンクデータを受信し、第２のアップリンクサブフレームセットにおいて、第２のＭＣＳまたは第２のＲＢに対応する第２のアップリンクデータおよびアップリンク制御情報を伝送するように構成された受信機３００３と
を含む。
【０３０９】
この実施形態における送信機、プロセッサ、および受信機の特定の機能はそれぞれ、前述の実施形態における送信ユニット、処理ユニット、および受信ユニットのそれらに類似している。
【０３１０】
この実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、第２のアップリンクサブフレームセットを決定するための方法ならびに第１のＭＣＳ、第２のＭＣＳ、第１のＲＢ、および第２のＲＢを取得するための方法については、前述の方法実施形態における関連説明を参照されたい。
【０３１１】
実施形態４
端末デバイスが、アクセスネットワークデバイスからスケジューリング情報およびトリガ情報を受信し、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される。
【０３１２】
端末デバイスは、Ｍ個のアップリンクサブフレームにおいて、アップリンク制御情報を搬送するためのアップリンクサブフレームを決定し、この決定されたアップリンクサブフレームは、アンライセンス帯域リソースがＭ個のアップリンクサブフレームにおいて競合を通じて取得される第１のアップリンクサブフレームである。
【０３１３】
端末デバイスは、決定されたアップリンクサブフレームにおいてアップリンク制御情報を送信する。
【０３１４】
本発明のこの実施形態では、端末デバイスは、図３１に示されるように、スケジューリング情報に従って、アップリンクサブフレームｎにおいてアップリンクデータをアップリンクサブフレームｎ＋３に伝送することを決定してよい。
【０３１５】
図３１では、端末デバイスが、ＣＣＡを実行することによってサブフレームｎにおいて競合を通じてアンライセンス帯域リソースを取得する場合、端末デバイスは、サブフレームｎにおいてアップリンク制御情報を伝送する。端末デバイスが、サブフレームｎにおいて競合を通じてアンライセンス帯域リソースを取得するのに失敗したが、サブフレームｎ＋１において競合を通じてアンライセンス帯域リソースを取得した場合、端末デバイスは、サブフレームｎ＋１においてアップリンク制御情報を伝送してよい。さらに、サブフレームｎからサブフレームｎ＋３のすべては、アップリンク制御情報を伝送し得るアップリンクサブフレームとして使用されてよい。
【０３１６】
本発明のこの実施形態における方法は、アップリンク制御情報を伝送するための機会を保証するように、複数の候補位置にあるアップリンク制御情報を報告するためにも使用されてよい。
【０３１７】
実施形態５
端末デバイスが、アクセスネットワークデバイスからスケジューリング情報を受信し、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、Ｍ個のアップリンクサブフレームは第１のアップリンクサブフレームと第２のアップリンクサブフレームとを含み、第１のアップリンクサブフレームにおいてアップリンクデータを伝送するためのリソース要素（Ｒｅｓｏｕｒｃｅ  Ｅｌｅｍｅｎｔ、ＲＥ）の量は、第２のアップリンクサブフレームにおいてアップリンクデータを伝送するためのリソース要素ＲＥの量と異なる。
【０３１８】
端末デバイスは、第１のアップリンクサブフレームに対応する第１のＭＣＳまたは第１のＲＢを決定し、第２のアップリンクサブフレームに対応する第２のＭＣＳまたは第２のＲＢを決定する。
【０３１９】
端末デバイスは、第１のアップリンクサブフレームにおいて、第１のＭＣＳまたは第１のＲＢに対応する第１のアップリンクデータを伝送し、第２のアップリンクサブフレームにおいて、第２のＭＣＳまたは第２のＲＢに対応する第２のアップリンクデータを伝送する。
【０３２０】
マルチサブフレームスケジューリングでは、前述の実施形態において言及されたアップリンクサブフレームにおけるＣＳＩ伝送に加えて、アップリンクサブフレームにおけるＳＲＳ伝送またはアップリンクサブフレームにおけるＨＡＲＱ−ＡＣＫ伝送が、アップリンクデータ伝送のために使用され、Ｍ個のスケジュールされたアップリンクサブフレームの中の少なくとも２つのアップリンクサブフレーム内に含まれるリソース要素の量を異なるようにさせることがある。マルチユーザ多重化および／またはサブフレーム内のＣＣＡギャップ（ＣＣＡ  ｇａｐ）の予約も、アップリンクデータ伝送のために使用され、Ｍ個のスケジュールされたアップリンクサブフレームの中の少なくとも２つのアップリンクサブフレーム内に含まれるリソース要素の量を異なるようにさせることがあることを考慮すると、任意選択で、異なる量のリソース要素の表現形式は、異なるアップリンクサブフレームにおいてアップリンク情報を伝送するためのＯＦＤＭシンボルの量が異なることである、すなわち言い換えれば、異なるアップリンクサブフレームがブランクＯＦＤＭシンボルを含むもしくはこれを含まない、またはアップリンクサブフレーム内に含まれる特定の量のブランクＯＦＤＭシンボルが異なるケースがある。たとえば、図４に示されるように、４つのスケジュールされたアップリンクサブフレームにおいて、サブフレームｎ＋７においてアップリンク情報を伝送するためのＯＦＤＭシンボルの量は、別のサブフレーム（サブフレームｎ＋４、サブフレームｎ＋５、またはサブフレームｎ＋６など）においてアップリンク情報を伝送するためのＯＦＤＭシンボルの量よりも小さい、または、サブフレームｎ＋７におけるアップリンク情報伝送のためのブランクＯＦＤＭシンボルがある。このケースでは、異なるアップリンクサブフレーム内で搬送されるアップリンクデータ伝送のために、アップリンクデータ伝送に対応するＭＣＳまたはＲＢが、効率データ伝送を保証するために設定可能である。
【０３２１】
上記で説明されたように、端末デバイスは、第１のＭＣＳまたは第１のＲＢを直接的に決定し、第２のＭＣＳまたは第２のＲＢを直接的に決定してもよい。または、端末デバイスは、第１のＭＣＳもしくは第１のＲＢを直接的に決定し、次いで、第１のＭＣＳと第２のＭＣＳの間のＭＣＳオフセットを使用することによって第２のＭＣＳを決定してもよいし、第１のＲＢと第２のＲＢの間のオフセットを使用することによって第２のＲＢを決定してもよい。または、端末デバイスは、第２のＭＣＳもしくは第２のＲＢを直接的に決定し、次いで、第１のＭＣＳと第２のＭＣＳの間のＭＣＳオフセットを使用することによって第１のＭＣＳを決定してもよいし、第１のＲＢと第２のＲＢの間のＲＢオフセットを使用することによって第１のＲＢを決定してもよい。
【０３２２】
この様式では、第１のＭＣＳ、第２のＭＣＳ、第１のＲＢ、および第２のＲＢを決定する実装形態ならびに第１のＭＣＳと第２のＭＣＳの間のＭＣＳオフセットおよび第１のＲＢと第２のＲＢの間のＲＢオフセットを決定する実装形態は、上記で説明されたそれらと同じである。詳細は、本明細書において、さらに説明されない。
【０３２３】
対応して、この実装形態では、アクセスネットワークデバイスが、アクセスネットワークデバイスにスケジューリング情報を送信し、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、Ｍ個のアップリンクサブフレームは第１のアップリンクサブフレームと第２のアップリンクサブフレームとを含み、第１のアップリンクサブフレームにおいてアップリンクデータを伝送するためのリソース要素（Ｒｅｓｏｕｒｃｅ  Ｅｌｅｍｅｎｔ、ＲＥ）の量は、第２のアップリンクサブフレームにおいてアップリンクデータを伝送するためのリソース要素ＲＥの量と異なる。
【０３２４】
アクセスネットワークデバイスは、第１のアップリンクサブフレームに対応する第１のＭＣＳまたは第１のＲＢを決定し、第２のアップリンクサブフレームに対応する第２のＭＣＳまたは第２のＲＢを決定する。
【０３２５】
アクセスネットワークデバイスは、第１のアップリンクサブフレームにおいて、第１のＭＣＳまたは第１のＲＢに対応する第１のアップリンクデータを受信し、第２のアップリンクサブフレームにおいて、第２のＭＣＳまたは第２のＲＢに対応する第２のアップリンクデータを受信する。
【０３２６】
本発明のこの実施形態では、ＲＲＣシグナリングが上位層シグナリングと理解されてよいことが留意されるべきである。
【０３２７】
本発明のこの実施形態では、端末デバイスが、サブフレームｎにおいて、アクセスネットワークデバイスによって送信されたスケジューリング情報の部分を受信し、または、ＵＬグラント標識情報の部分を受信し、スケジューリング情報は、少なくとも２つのアップリンクサブフレームにおいて、スケジューリング情報によってスケジュールされたアップリンクデータを伝送するように端末デバイスに命令することが留意されるべきである。本発明のこの実施形態では、任意選択で、端末デバイスが、サブフレームｎにおいて、アクセスネットワークデバイスによって送信されたスケジューリング情報の複数の部分を受信し、このスケジューリング情報の複数の部分は、異なるＤＣＩ内で搬送されてよいが、同じサブフレーム内で搬送されてもよい、すなわち言い換えれば、端末デバイスが、ＵＬグラント標識情報の複数の部分を受信する。このケースでは、スケジューリング情報の複数の部分に対応するアップリンクサブフレームは、Ｍ個のアップリンクサブフレームと考慮されてよい。スケジューリング情報に対応するアップリンクサブフレームは、スケジューリング情報が、アップリンクサブフレームにおいてアップリンクデータを伝送するように端末デバイスに命令するために使用されることを意味する。
【０３２８】
本発明のこの実施形態では、端末デバイスが、サブフレームｎにおいて、アクセスネットワークデバイスによって送信されたスケジューリング情報の複数の部分を受信し、このスケジューリング情報の複数の部分が異なるＤＣＩ内で搬送される場合、端末デバイスによって決定され、アップリンク制御情報を搬送するために使用されるアップリンクサブフレームは、トリガ情報と同じＤＣＩ内にあるスケジューリング情報によってスケジュールされた複数のアップリンクサブフレームのうちの１つであることが留意されるべきである。
【０３２９】
本発明のこの実施形態では、任意選択で、Ｍ個のアップリンクサブフレームは、時間系列内で連続であってもよいし、任意選択で、Ｍ個のアップリンクサブフレームは、時間系列内で連続でなくてもよい。
【０３３０】
本発明のこの実施形態では、アップリンク制御情報を搬送するためのアップリンクサブフレームは、シグナリングによって示されてもよいし、あらかじめ構成されたルールに従って決定されてもよく、このあらかじめ構成されたルールは、たとえば、前述の実装形態を含んでよいことが留意されるべきである。
【０３３１】
本出願において提供されるいくつかの実施形態では、開示されるシステム、装置、および方法は、他の様式で実施されてよいことが理解されるべきである。たとえば、説明された装置実施形態は例にすぎない。たとえば、ユニット分割は、論理的な機能分割にすぎず、実際の実装形態では他の分割であってよい。たとえば、複数のユニットまたは構成要素が別のシステムへと組み合わされまたは統合されてもよいし、いくつかの特徴は、無視されてもよいし、実行されなくてもよい。加えて、表示されるまたは論じられる相互結合または直接的な結合もしくは通信接続は、いくつかのインタフェースを使用することによって実施されてよい。装置またはユニット間の間接的な結合または通信接続は、電子的な形、機械的な形、または他の形で実施されてよい。
【０３３２】
別個の部品として説明されるユニットは物理的に別個であってもなくてもよく、ユニットとして表示される部品は、物理的ユニットであってもなくてもよく、１つの位置に配置されてもよいし、複数のネットワークユニット上に分散されてもよい。ユニットのうちのいくつかまたはすべては、実施形態の解決策の目的を達成するように実際の要件に従って選択されてよい。
【０３３３】
加えて、本発明の実施形態における機能的ユニットが１つの処理ユニットへと統合されてもよいし、ユニットの各々が物理的に単独で存在してもよいし、２つ以上のユニットが１つのユニットへと統合される。たとえば、受信機と送信機が、１つのモジュール、たとえば、トランシーバまたはアンテナへと物理的に統合されてよい。
【０３３４】
当業者は、実施形態における方法のプロセスのうちのすべてまたはいくつかが、関連ハードウェアに命令するコンピュータプログラムによって実施されてよいことを理解し得る。プログラムは、コンピュータ可読記憶媒体内に記憶されてよい。プログラムが走るとき、実施形態における方法のプロセスが実行される。前述の記憶媒体は、磁気ディスク、光ディスク、読み出し専用メモリ（Ｒｅａｄ−Ｏｎｌｙ  Ｍｅｍｏｒｙ、ＲＯＭ）、またはランダムアクセスメモリ（Ｒａｎｄｏｍ  Ａｃｃｅｓｓ  Ｍｅｍｏｒｙ、ＲＡＭ）を含んでよい。
【０３３５】
要するに、前述の説明は、本発明の例示的な実施形態にすぎないが、本発明の保護範囲を制限することは意図されない。本発明の趣旨および原理から逸脱することなくなされるいかなる修正、等価な置き換え、または改善も、本発明の保護範囲に含まれるものとする。
【図１】
2019520734.tif 000013
【図２】
2019520734.tif 000014
【図３】
2019520734.tif 000015
【図４】
2019520734.tif 000016
【図５】
2019520734.tif 000017
【図６】
2019520734.tif 000018
【図７】
2019520734.tif 000019
【図８】
2019520734.tif 000020
【図９】
2019520734.tif 000021
【図１０】
2019520734.tif 000022
【図１１】
2019520734.tif 000023
【図１２】
2019520734.tif 000024
【図１３】
2019520734.tif 000025
【図１４】
2019520734.tif 000026
【図１５】
2019520734.tif 000027
【図１６】
2019520734.tif 000028
【図１７】
2019520734.tif 000029
【図１８】
2019520734.tif 000030
【図１９】
2019520734.tif 000031
【図２０】
2019520734.tif 000032
【図２１】
2019520734.tif 000033
【図２２】
2019520734.tif 000034
【図２３】
2019520734.tif 000035
【図２４】
2019520734.tif 000036
【図２５】
2019520734.tif 000037
【図２６】
2019520734.tif 000038
【図２７】
2019520734.tif 000039
【図２８】
2019520734.tif 000040
【図２９】
2019520734.tif 000041
【図３０】
2019520734.tif 000042
【図３１】
2019520734.tif 000043
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
アップリンク制御情報を伝送するための方法であって、
端末デバイスによって、アクセスネットワークデバイスからスケジューリング情報およびトリガ情報を受信するステップであって、前記スケジューリング情報は、Ｍ個のアップリンクサブフレームにおいて、前記スケジューリング情報によってスケジュールされたアップリンクデータを伝送するように前記端末デバイスに命令するために使用され、Ｍは２以上の正の整数であり、前記トリガ情報は、アップリンク制御情報を送信するように前記端末デバイスに命令するために使用される、受信するステップと、
前記端末デバイスによって、前記Ｍ個のアップリンクサブフレームにおいて、前記アップリンク制御情報を搬送するためのアップリンクサブフレームを決定するステップであって、前記決定されたアップリンクサブフレームは、前記Ｍ個のアップリンクサブフレームの中の第１のサブフレーム以外のサブフレームであり、前記第１のサブフレームは、前記Ｍ個のアップリンクサブフレームの中の第１のアップリンクサブフレームである、決定するステップと、
前記端末デバイスによって、前記決定されたアップリンクサブフレームにおいて前記アップリンク制御情報を送信するステップと
を含む方法。
【請求項２】
前記決定されたアップリンクサブフレームは、前記Ｍ個のアップリンクサブフレームの時間系列内の最後のサブフレームまたは時間系列内の最後から２番目のサブフレームである請求項１に記載の方法。
【請求項３】
前記スケジューリング情報と前記トリガ情報は同じダウンリンク制御情報内で搬送される請求項１または２に記載の方法。
【請求項４】
前記アップリンク制御情報は、チャネル状態情報、サウンディング基準信号、およびハイブリッド自動再送要求肯定応答のうちの少なくとも１つを含む請求項１乃至３のいずれか一項に記載の方法。
【請求項５】
端末デバイスであって、
アクセスネットワークデバイスからスケジューリング情報およびトリガ情報を受信するように構成された受信ユニットであって、前記スケジューリング情報は、Ｍ個のアップリンクサブフレームにおいて、前記スケジューリング情報によってスケジュールされたアップリンクデータを伝送するように端末デバイスに命令するために使用され、Ｍは２以上の正の整数であり、前記トリガ情報は、アップリンク制御情報を送信するように端末デバイスに命令するために使用される、受信ユニットと、
前記Ｍ個のアップリンクサブフレームにおいて、前記アップリンク制御情報を搬送するためのアップリンクサブフレームを決定するように構成された決定ユニットであって、前記決定されたアップリンクサブフレームは、前記Ｍ個のアップリンクサブフレームの中の第１のサブフレーム以外のサブフレームであり、前記第１のサブフレームは、前記Ｍ個のアップリンクサブフレームの中の第１のアップリンクサブフレームである、決定ユニットと、
前記決定されたアップリンクサブフレームにおいて前記アップリンク制御情報を送信するように構成された送信ユニットと
を備える端末デバイス。
【請求項６】
前記決定ユニットによって決定された前記アップリンクサブフレームは、前記Ｍ個のアップリンクサブフレームの時間系列内の最後のサブフレームまたは時間系列内の最後から２番目のサブフレームである請求項５に記載の端末デバイス。
【請求項７】
前記スケジューリング情報と前記トリガ情報は同じダウンリンク制御情報内で搬送される請求項５または６に記載の端末デバイス。
【請求項８】
前記アップリンク制御情報は、チャネル状態情報、サウンディング基準信号、およびハイブリッド自動再送要求肯定応答のうちの少なくとも１つを含む請求項５乃至７のいずれか一項に記載の端末デバイス。
【請求項９】
アップリンク制御情報を伝送するための方法であって、
アクセスネットワークデバイスによって、スケジューリング情報およびトリガ情報を端末デバイスへ送信するステップであって、前記スケジューリング情報は、Ｍ個のアップリンクサブフレームにおいて、前記スケジューリング情報によってスケジュールされたアップリンクデータを伝送するように前記端末デバイスに命令するために使用され、Ｍは２以上の正の整数であり、前記トリガ情報は、アップリンク制御情報を送信するように前記端末デバイスに命令するために使用される、送信するステップと、
前記アクセスネットワークデバイスによって、決定されたアップリンクサブフレームにおいて、前記アップリンク制御情報を受信するステップであって、前記決定されたアップリンクサブフレームは、前記Ｍ個のアップリンクサブフレームの中の第１のサブフレーム以外のサブフレームであり、前記第１のサブフレームは、前記Ｍ個のアップリンクサブフレームの中の第１のアップリンクサブフレームである、受信するステップと
を含む方法。
【請求項１０】
前記決定されたアップリンクサブフレームは、前記Ｍ個のアップリンクサブフレームの時間系列内の最後のサブフレームまたは前記時間系列内の最後から２番目のサブフレームである請求項９に記載の方法。
【請求項１１】
前記スケジューリング情報と前記トリガ情報は同じダウンリンク制御情報内で搬送される請求項９または１０に記載の方法。
【請求項１２】
前記アップリンク制御情報は、チャネル状態情報、サウンディング基準信号、およびハイブリッド自動再送要求肯定応答のうちの少なくとも１つを含む請求項９乃至１１のいずれか一項に記載の方法。
【請求項１３】
アクセスデバイスであって、
スケジューリング情報およびトリガ情報を端末デバイスへ送信するように構成された送信ユニットであって、前記スケジューリング情報は、Ｍ個のアップリンクサブフレームにおいて、前記スケジューリング情報によってスケジュールされたアップリンクデータを伝送するように前記端末デバイスに命令するために使用され、Ｍは２以上の正の整数であり、前記トリガ情報は、アップリンク制御情報を送信するように前記端末デバイスに命令するために使用される、送信ユニットと、
決定されたアップリンクサブフレームにおいて、前記アップリンク制御情報を受信するように構成された受信ユニットであって、前記決定されたアップリンクサブフレームは、前記Ｍ個のアップリンクサブフレームの中の第１のサブフレーム以外のサブフレームであり、前記第１のサブフレームは、前記Ｍ個のアップリンクサブフレームの中の第１のアップリンクサブフレームである受信ユニットと
を備えるアクセスデバイス。
【請求項１４】
前記決定されたアップリンクサブフレームは、前記Ｍ個のアップリンクサブフレームの時間系列内の最後のサブフレームまたは前記時間系列内の最後から２番目のサブフレームである請求項１３に記載のアクセスデバイス。
【請求項１５】
前記スケジューリング情報と前記トリガ情報は同じダウンリンク制御情報内で搬送される請求項１３または１４に記載のアクセスデバイス。
【請求項１６】
前記アップリンク制御情報は、チャネル状態情報、サウンディング基準信号、およびハイブリッド自動再送要求肯定応答のうちの少なくとも１つを含む請求項１３乃至１５のいずれか一項に記載のアクセスデバイス。
【請求項１７】
コンピュータに、前記請求項１乃至４のいずれか一項に記載の方法を実行させるコンピュータプログラム。
【請求項１８】
コンピュータに、前記請求項９乃至１２のいずれか一項に記載の方法を実行させるコンピュータプログラム。
【手続補正２】
【補正対象書類名】明細書
【補正対象項目名】全文
【補正方法】変更
【補正の内容】
【発明の詳細な説明】
【技術分野】
【０００１】
本発明は、ワイヤレス通信の分野に関し、より詳細には、アップリンク制御情報を伝送するための方法および装置に関する。
【背景技術】
【０００２】
ロングタームエボリューションを使用したライセンス補助アクセス（Ｌｉｃｅｎｓｅｄ−Ａｓｓｉｓｔｅｄ  Ａｃｃｅｓｓ  ｕｓｉｎｇ  Ｌｏｎｇ  Ｔｅｒｍ  Ｅｖｏｌｕｔｉｏｎ、略してＬＡＡ−ＬＴＥ）システムは、５ＧＨｚアンライセンススペクトル（ｕｎｌｉｃｅｎｓｅｄ  ｓｐｅｃｔｒｕｍ：免許不要スペクトルとも呼ばれる）を使用して、既存のＬＴＥサービスを拡張し得る、すなわち、アンライセンススペクトルを使用して、ＬＴＥシステムにおいて何らかのデータサービスを搬送し得る。アンライセンススペクトル上でのリソース共有は、無線技術、運用企業、または耐用寿命を制限したり、特定のスペクトル上でのサービス品質を保証したりすることなく、アンライセンススペクトルを共同で使用する複数のデバイスの共存のための基本的要件を保証するように、伝送電力および帯域外漏洩などのインジケータに対する制限のみが、特定のスペクトルの使用のために指定されることを意味する。
【０００３】
ＬＡＡ−ＬＴＥシステムは、既存のＬＴＥ（Ｌｏｎｇ  Ｔｅｒｍ  Ｅｖｏｌｕｔｉｏｎ、ロングタームエボリューション）システムにおいてキャリアアグリゲーション（Ｃａｒｒｉｅｒ  Ａｇｇｒｅｇａｔｉｏｎ、ＣＡ）技術を使用して、事業者のライセンス帯域内のキャリア（略してライセンスキャリア）を、通信を実行するための基礎として構成し、複数のアンライセンススペクトル内のキャリア（略してアンライセンスキャリア）を構成し、ライセンスキャリアによって補助されるアンライセンスキャリアを使用して、通信を実行し得る。ＬＴＥデバイスは、ＣＡモードでは、ライセンスキャリアをプライマリコンポーネントキャリア（Ｐｒｉｍａｒｙ  Ｃｏｍｐｏｎｅｎｔ  Ｃａｒｒｉｅｒ、ＰＣＣ）またはプライマリセル（Ｐｒｉｍａｒｙ  Ｃｅｌｌ、ＰＣｅｌｌ）として、アンライセンスキャリアをセカンダリコンポーネントキャリア（Ｓｅｃｏｎｄａｒｙ  Ｃｏｍｐｏｎｅｎｔ  Ｃａｒｒｉｅｒ、ＳＣＣ）またはセカンダリセル（Ｓｅｃｏｎｄａｒｙ  Ｃｅｌｌ、ＳＣｅｌｌ）として、使用し得る。この様式では、ＬＴＥデバイスは、ライセンスキャリアを使用することによって、ワイヤレス通信において使用されるＬＴＥデバイスの従来の利点、たとえば、モビリティ、セキュリティ、サービス品質、およびマルチユーザスケジューリングの同時処理における利点を受け継ぐだけでなく、アンライセンスキャリアを使用することによってトラフィックオフロードの目的を達成し、それによってライセンスキャリアの負荷を減少させることもできる。
【０００４】
ＬＡＡシステムがアンライセンススペクトルリソースを使用するとき、ＬＡＡシステムは、種々の領域におけるアンライセンススペクトルの使用のために定義された規格に準拠する必要がある。共存規格は、ＴＰＣ（ＴＰＣ：Ｔｒａｎｓｍｉｔ  Ｐｏｗｅｒ  Ｃｏｎｔｒｏｌ、伝送電力制御）、ＤＦＳ（ＤＦＳ：Ｄｙｎａｍｉｃ  Ｆｒｅｑｕｅｎｃｙ  Ｓｅｌｅｃｔｉｏｎ、動的周波数選択）、チャネル占有帯域幅、ＬＢＴ（ＬＢＴ：Ｌｉｓｔｅｎ  ｂｅｆｏｒｅ  ｔａｌｋ、リッスンビフォアトーク）などを含む。ＬＢＴの基本的なアイデアは、次のとおりである。チャネル上でデータを送信する前に、各通信デバイスは、現在のチャネルがアイドルであるかどうかを最初に検出する必要がある、すなわち、隣接するノードが、データを送信するためのチャネルを占有中であるかどうかが検出可能である。この検出プロセスは、クリアチャネルアセスメント（Ｃｌｅａｒ  Ｃｈａｎｎｅｌ  Ａｓｓｅｓｓｍｅｎｔ、ＣＣＡ）と呼ばれる。時間期間内にチャネルがアイドルであることが検出された場合、通信デバイスはデータを送信してよい。一般的に、チャネル上でデータを送信するための時間は制限される。制限された時間範囲内に、通信デバイスは、チャネル上でクリアチャネルアセスメントを実行する必要はない。チャネルが占有されていることが検出された場合、通信デバイスは、現在、チャネル上でデータを伝送することはできない。チャネルがアイドルであるかどうかを検出することは、信号検出、エネルギー検出などの様式で実施されてよい。
【０００５】
ＬＴＥシステム内で、ＮｏｄｅＢがダウンリンクデータを送信するかＬＴＥユーザ機器がアップリンクデータを送信するかに関係なく、一般的に、アンライセンススペクトルを使用してデータ伝送を実行する前に、ＮｏｄｅＢまたはＬＴＥユーザ機器は、リスニングを最初に実行する必要がある。したがって、アンライセンススペクトル内のＬＴＥデバイス（基地局および／またはユーザ機器を含む）のデータ伝送は、オポチュニスティック（ｏｐｐｏｒｔｕｎｉｓｔｉｃ：日和見主義的）である。アップリンク／ダウンリンクデータ伝送のサービス要件により良く適合するために、アクセスネットワークデバイスが競合を通じてアンライセンススペクトルリソースを取得した後、アクセスネットワークデバイスは、ダウンリンクサービス負荷および／またはアップリンクサービス負荷または他の考慮要因に基づいて、ダウンリンクデータ伝送持続時間および／またはアップリンクデータ伝送持続時間を決定することがある。
【０００６】
ＬＴＥシステム内のアップリンクデータ伝送は、一般的に、スケジューリングに基づく。たとえば、ＬＴＥシステム内のユーザ機器が、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）上でデータを伝送するとき、占有される時間−周波数リソース（時間リソースおよび／または周波数リソース）は、アクセスネットワークデバイスたとえば基地局によって示され、たとえば、アップリンクグラント（Ｕｐｌｉｎｋ  Ｇｒａｎｔ、ＵＬグラント）制御情報を使用することによってユーザ機器に示される。
【０００７】
ダウンリンク制御シグナリングオーバヘッドを減少させる、および／またはサービス伝送柔軟性に適合する観点から、マルチサブフレームスケジューリングシグナリングは、図１に示されるように、複数のアップリンクサブフレームにおいてアップリンクデータを伝送するように端末デバイスをスケジュールするために使用されてよい。図１では、基地局は、サブフレームｎにおいて搬送される１つまたは複数のＵＬグラントを使用することによって、サブフレームｎ＋４、ｎ＋５、ｎ＋６、またはｎ＋７においてアップリンクデータを伝送するように１つの端末デバイス（たとえば、ユーザ機器、Ｕｓｅｒ  Ｅｑｕｉｐｍｅｎｔ、ＵＥ）をトリガすることがある。本発明の実施形態では、アクセスネットワークデバイスおよび端末デバイスが、アンライセンススペクトルリソースを使用することによってデータ伝送を実行する場合、データ伝送の前に、一般的に、アクセスネットワークデバイスおよび／または端末デバイスは、ＬＢＴなどの競合メカニズムを使用することによって、アンライセンススペクトルリソースがデータ伝送を実行するために使用可能であるかどうかを決定する必要があることが留意されるべきである。
【０００８】
一方、既存のＬＴＥシステムでは、端末デバイスは、チャネル状態情報（Ｃｈａｎｎｅｌ  Ｓｔａｔｅ  Ｉｎｆｏｒｍａｔｉｏｎ、ＣＳＩ）をフィードバックする、またはサウンディング基準信号（Ｓｏｕｎｄｉｎｇ  Ｒｅｆｅｒｅｎｃｅ  Ｓｉｇｎａｌ、ＳＲＳ）を伝送することがある。アクセスネットワークデバイスは、ＣＳＩまたはＳＲＳを検出することによってアクセスネットワークデバイスと端末デバイスの間のチャネルの品質を決定することがあり、さらに、信頼性の高いデータ伝送を保証しながらデータ伝送効率を最大限に高めるように、チャネルの品質に基づいてアクセスネットワークデバイスと端末デバイスの間でデータ伝送モードを構成する、たとえば、適正な変調符号化方式（Ｍｏｄｕｌａｔｉｏｎ  ａｎｄ  Ｃｏｄｉｎｇ  Ｓｃｈｅｍｅ、ＭＣＳ）を設定することがある。加えて、ハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）メカニズムに基づいて、既存のＬＴＥシステムでは、端末デバイスが、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）内に含まれるダウンリンクデータを受信した後、端末デバイスは、肯定応答（Ａｃｋｎｏｗｌｅｄｇｅｍｅｎｔ、ＡＣＫ）または非肯定応答（Ｎｏｎ−Ａｃｋｎｏｗｌｅｄｇｅｍｅｎｔ、ＮＡＣＫ）をアクセスネットワークデバイスにフィードバックする。フィードバック情報を受信した後、アクセスネットワークデバイスは、フィードバック情報に対応するダウンリンクデータが適切に受信されたかどうかを決定することがあり、したがって、その後のデータ伝送動作を適切に実行することがある。ＬＴＥシステム内のアンライセンススペクトル内のデータ伝送はオポチュニスティックであるので、データ伝送効率を保証するために、アンライセンススペクトル内でＣＳＩ、ＳＲＳ、およびＨＡＲＱ−ＡＣＫ（ＡＣＫとＮＡＣＫとを含む）を伝送し続けることが肝要である。
【０００９】
一般的に、ＣＳＩ、ＳＲＳ、およびＨＡＲＱ−ＡＣＫは、伝送のためにスケジュールされたアップリンク共有チャネル（Ｕｐｌｉｎｋ  Ｓｈａｒｅｄ  Ｃｈａｎｎｅｌ、ＵＬ−ＳＣＨ）内で搬送され得る。アップリンクスケジューリング情報は、少なくとも２つのアップリンクサブフレームをスケジュールすることがあり、この少なくとも２つのアップリンクサブフレームは両方ともＵＬ−ＳＣＨを含むので、ＣＳＩ、ＳＲＳ、またはＨＡＲＱ−ＡＣＫなどのアップリンク制御情報を伝送するための位置を端末デバイスがどのようにして決定するは、考慮されるべき問題である。
【発明の概要】
【００１０】
本発明の実施形態は、マルチサブフレームスケジューリングシナリオにおいてアップリンク制御情報を報告するための機会が保証可能であるように、アップリンク制御情報を伝送するための方法を提供する。
【００１１】
本発明の実施形態によれば、アップリンク制御情報を伝送するための方法が提供され、
端末デバイスによって、アクセスネットワークデバイスからスケジューリング情報およびトリガ情報を受信することであって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信することと、
端末デバイスによって、Ｍ個のアップリンクサブフレームにおいて、アップリンク制御情報を搬送するためのアップリンクサブフレームを決定することであって、この決定されたアップリンクサブフレームは、Ｍ個のアップリンクサブフレームの中の第１のサブフレーム以外のサブフレームであり、この第１のサブフレームは、Ｍ個のアップリンクサブフレームの時間系列内の第１のアップリンクサブフレームである、決定することと、
端末デバイスによって、決定されたアップリンクサブフレームにおいてアップリンク制御情報を送信することと
を含む。
【００１２】
任意選択で、アップリンク制御情報は、チャネル状態情報、サウンディング基準信号、およびハイブリッド自動再送要求肯定応答のうちの少なくとも１つを含む。
【００１３】
実施形態では、スケジューリング情報とトリガ情報は、同じダウンリンク制御情報内で搬送される。たとえば、スケジューリング情報とトリガ情報の両方が、ＵＬグラント内で搬送される。
【００１４】
本発明の別の実施形態によれば、端末デバイスが提供され、
アクセスネットワークデバイスからスケジューリング情報およびトリガ情報を受信するように構成された受信ユニットであって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信ユニットと、
Ｍ個のアップリンクサブフレームにおいて、アップリンク制御情報を搬送するためのアップリンクサブフレームを決定するように構成された決定ユニットであって、この決定されたアップリンクサブフレームは、Ｍ個のアップリンクサブフレームの中の第１のサブフレーム以外のサブフレームであり、この第１のサブフレームは、Ｍ個のアップリンクサブフレームの中の第１のアップリンクサブフレームである、決定ユニットと、
決定されたアップリンクサブフレームにおいてアップリンク制御情報を送信するように構成された送信ユニットと
を含む。
【００１５】
任意選択で、決定ユニットによって決定されたアップリンクサブフレームは、Ｍ個のアップリンクサブフレームの時間系列内の最後のサブフレームまたは時間系列内の最後から２番目のサブフレームである。
【００１６】
任意選択で、受信ユニットは、サブフレームｎにおいてスケジューリング情報を受信し、決定ユニットは、Ｍ個のアップリンクサブフレーム内に含まれるアップリンクバーストの時間系列内の最後のまたは最後から２番目のアップリンクサブフレームを、アップリンク制御情報を搬送するためのアップリンクサブフレームとして決定するように構成され、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【００１７】
任意選択で、決定ユニットによって決定されたアップリンクサブフレームにおいてアップリンク情報を伝送するためのＯＦＤＭシンボルの量は、指定された閾値以上である。
【００１８】
任意選択で、スケジューリング情報とトリガ情報は、同じダウンリンク制御情報内で搬送される。
【００１９】
任意選択で、アップリンク制御情報は、チャネル状態情報、サウンディング基準信号、およびハイブリッド自動再送要求肯定応答のうちの少なくとも１つを含む。
【００２０】
本発明のこの実施形態は、アンライセンススペクトルシステムに適用されてよい。アップリンク制御情報を搬送するためのアップリンクサブフレームは、第１のアップリンクサブフレーム以外のサブフレームであるので、アップリンク制御情報を伝送する前に、端末デバイスは、少なくとも２つのアップリンクサブフレームの前にＣＣＡを実行することができる。１つのＣＣＡが成功する限り、端末デバイスは、決定されたアップリンクサブフレームにおいてアップリンク制御情報を送信することができる。これは、アップリンク制御情報を伝送するための機会を最大限に保証し、アンライセンススペクトル内での信頼性が高く効率的なデータ伝送をさらに保証することができる。
【００２１】
本発明の実施形態によれば、アップリンク制御情報を伝送するための方法が提供され、
端末デバイスによって、アクセスネットワークデバイスからスケジューリング情報およびトリガ情報を受信することであって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信することと、
端末デバイスによって、Ｍ個のアップリンクサブフレームにおいて、アップリンク制御情報を搬送するための少なくとも２つのアップリンクサブフレームを決定することと、
端末デバイスによって、少なくとも２つのアップリンクサブフレームにおいてアップリンク制御情報を送信することと
を含む。
【００２２】
任意選択で、少なくとも２つのアップリンクサブフレームにおいて搬送されるアップリンク制御情報は同じである。
【００２３】
任意選択で、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。
【００２４】
本発明の別の実施形態によれば、端末デバイスが提供され、
アクセスネットワークデバイスからスケジューリング情報およびトリガ情報を受信するように構成された受信ユニットであって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信ユニットと、
Ｍ個のアップリンクサブフレームにおいて、アップリンク制御情報を搬送するための少なくとも２つのアップリンクサブフレームを決定するように構成された処理ユニットと、
少なくとも２つのアップリンクサブフレームにおいてアップリンク制御情報を送信するように構成された送信ユニットと
を含む。
【００２５】
任意選択で、少なくとも２つのアップリンクサブフレームにおいて搬送されるアップリンク制御情報は同じである。
【００２６】
任意選択で、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。
【００２７】
本発明のこの実施形態は、アンライセンススペクトルシステムに適用されてよい。アップリンクデータを伝送するためのＭ個のアップリンクサブフレームの中の少なくとも２つのサブフレームは、アップリンク制御情報を搬送するために使用されるので、アップリンク制御情報は、可能な限り早くフィードバック可能である。アップリンク制御情報は、複数のアップリンクサブフレームにおいて別々に搬送されるので、スケジュールされたアップリンクサブフレームにおいてのアップリンクデータ伝送のための過度のアップリンクリソースの占有が回避可能である。
【００２８】
リソース利用を改善するために、本発明は、アップリンク制御情報を伝送するための方法の実施形態を提供する。
【００２９】
本発明の実施形態によれば、アップリンク制御情報を伝送するための方法が提供され、
端末デバイスによって、アクセスネットワークデバイスからスケジューリング情報およびトリガ情報を受信することであって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、受信することと、
端末デバイスによって、第１のアップリンクサブフレームセットに対応する第１のＭＣＳまたは第１のＲＢを決定し、第２のアップリンクサブフレームセットに対応する第２のＭＣＳまたは第２のＲＢを決定することと、
端末デバイスによって、第１のアップリンクサブフレームセットにおいて、第１のＭＣＳまたは第１のＲＢに対応する第１のアップリンクデータを伝送し、第２のアップリンクサブフレームセットにおいて、第２のＭＣＳまたは第２のＲＢに対応する第２のアップリンクデータおよびアップリンク制御情報を伝送することと
を含む。
【００３０】
本発明の別の実施形態によれば、端末デバイスが提供され、
アクセスネットワークデバイスからスケジューリング情報およびトリガ情報を受信するように構成された受信ユニットであって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、受信ユニットと、
第１のアップリンクサブフレームセットに対応する第１のＭＣＳまたは第１のＲＢを決定し、第２のアップリンクサブフレームセットに対応する第２のＭＣＳまたは第２のＲＢを決定するように構成された決定ユニットと、
第１のアップリンクサブフレームセットにおいて、第１のＭＣＳまたは第１のＲＢに対応する第１のアップリンクデータを送信し、第２のアップリンクサブフレームセットにおいて、第２のＭＣＳまたは第２のＲＢに対応する第２のアップリンクデータおよびアップリンク制御情報を伝送するように構成された送信ユニットと
を含む。
【００３１】
対応して、本発明の別の実施形態によれば、アップリンク制御情報を伝送するための方法が提供され、
アクセスネットワークデバイスによって、スケジューリング情報およびトリガ情報を端末デバイスに送信することであって、このスケジューリング情報は、Ｍ個のアップリンクサブフレームにおいてスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、送信することと、
アクセスネットワークデバイスによって、第１のアップリンクサブフレームセットに対応する第１のＭＣＳまたは第１のＲＢを決定し、第２のアップリンクサブフレームセットに対応する第２のＭＣＳまたは第２のＲＢを決定することと、
アクセスネットワークデバイスによって、第１のアップリンクサブフレームセットにおいて、第１のＭＣＳまたは第１のＲＢに対応する第１のアップリンクデータを受信し、第２のアップリンクサブフレームセットにおいて、第２のＭＣＳまたは第２のＲＢに対応するアップリンク制御情報および第２のアップリンクデータを受信することと
を含む。
【００３２】
本発明の別の実施形態によれば、アクセスネットワークデバイスが提供され、
端末デバイスにスケジューリング情報およびトリガ情報を送信するように構成された送信ユニットであって、このスケジューリング情報は、Ｍ個のアップリンクサブフレームにおいて、スケジューリング情報によってスケジュールされたアップリンクデータを伝送するように端末デバイスに命令するために使用され、このアップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、送信ユニットと、
第１のアップリンクサブフレームセットに対応する第１のＭＣＳまたは第１のＲＢを決定し、第２のアップリンクサブフレームセットに対応する第２のＭＣＳまたは第２のＲＢを決定するように構成された処理ユニットと、
第１のアップリンクサブフレームセットにおいて、第１のＭＣＳまたは第１のＲＢに対応する第１のアップリンクデータを受信し、第２のアップリンクサブフレームセットにおいて、第２のＭＣＳまたは第２のＲＢに対応する第２のアップリンクデータおよびアップリンク制御情報を受信するように構成された受信ユニットと
を含む。
【発明の効果】
【００３３】
この実施形態では、マルチサブフレームスケジューリングのケースにおいて、異なるＭＣＳまたはＲＢが、異なるアップリンクサブフレームにおいてアップリンクデータを伝送するためにそれぞれ使用されるリソースの実際のサイズに従って決定可能である。したがって、マルチサブフレームスケジューリングにおいてシグナリングオーバヘッドが減少されながら、アップリンクデータのみを搬送するアップリンクサブフレームにおいてアップリンクリソースを使用する効率が保証可能である。
【図面の簡単な説明】
【００３４】
【図１】マルチサブフレームスケジューリングの概略図である。
【図２】本発明の実施形態による、アップリンク制御情報を伝送するための方法の概略的フローチャートである。
【図３】マルチサブフレームスケジューリングにおけるサブフレーム間の関係の概略図である。
【図４】マルチサブフレームスケジューリングにおけるサブフレーム間の別の関係の概略図である。
【図５】マルチサブフレームスケジューリングにおけるサブフレーム間の別の関係の概略図である。
【図６】マルチサブフレームスケジューリングにおけるサブフレーム間の別の関係の概略図である。
【図７】マルチサブフレームスケジューリングにおけるサブフレーム間の別の関係の概略図である。
【図８】マルチサブフレームスケジューリングにおけるサブフレーム間の別の関係の概略図である。
【図９】マルチサブフレームスケジューリングにおけるサブフレーム間の別の関係の概略図である。
【図１０】本発明の実施形態による端末デバイスの実施形態の概略構造図である。
【図１１】本発明の実施形態による端末デバイスの別の実施形態の概略構造図である。
【図１２】本発明の別の実施形態による、アップリンク制御情報を伝送するための方法の概略的フローチャートである。
【図１３】マルチサブフレームスケジューリングにおけるサブフレーム間の別の関係の概略図である。
【図１４】サブフレーム内のアップリンク情報とリソース要素の間のマッピングの概略図である。
【図１５】本発明の実施形態による端末デバイスの別の実施形態の概略構造図である。
【図１６】本発明の実施形態による端末デバイスの別の実施形態の概略構造図である。
【図１７】本発明の別の実施形態による、アップリンク制御情報を伝送するための方法の概略的フローチャートである。
【図１８】マルチサブフレームスケジューリングにおけるサブフレーム間の別の関係の概略図である。
【図１９】マルチサブフレームスケジューリングにおけるサブフレーム間の別の関係の概略図である。
【図２０】本発明の実施形態による端末デバイスの別の実施形態の概略構造図である。
【図２１】本発明の実施形態による端末デバイス内の決定ユニットの実施形態の概略構造図である。
【図２２】本発明の実施形態による端末デバイス内の決定ユニットの実施形態の概略構造図である。
【図２３】本発明の実施形態による端末デバイス内の決定ユニットの実施形態の概略構造図である。
【図２４】本発明の実施形態による端末デバイスの別の実施形態の概略構造図である。
【図２５】本発明の別の実施形態による、アップリンク制御情報を伝送するための方法の概略的フローチャートである。
【図２６】本発明の実施形態による端末デバイスの別の実施形態の概略構造図である。
【図２７】本発明の実施形態による端末デバイスの別の実施形態の概略構造図である。
【図２８】本発明の別の実施形態による、アップリンク制御情報を伝送するための方法の概略的フローチャートである。
【図２９】本発明の実施形態によるアクセスネットワークデバイスの実施形態の概略構造図である。
【図３０】本発明の実施形態によるアクセスネットワークデバイスの実施形態の概略構造図である。
【図３１】マルチサブフレームスケジューリングにおけるサブフレーム間の別の関係の概略図である。
【発明を実施するための形態】
【００３５】
以下は、本発明の実施形態において添付の図面を参照しながら、本発明の実施形態における技術的解決策について明確かつ完全に説明する。明らかに、説明される実施形態は、本発明の実施形態のすべてではないがいくつかにすぎない。創意工夫なしに本発明の実施形態に基づいて当業者によって取得されるすべての他の実施形態は、本発明の保護範囲に含まれるものとする。
【００３６】
背景技術は、ＬＴＥシステムを例として使用することによって説明されるが、当業者は、本発明は、ＬＴＥシステムに適用可能であるだけでなく、他のワイヤレス通信システム、たとえば、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）、ユニバーサルモバイル電気通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、および新しいネットワークシステムにも適用可能であることを理解するべきである。以下は、ＬＴＥシステムを例として使用することによって、実施形態について詳細に説明する。
【００３７】
ＬＴＥシステムを使用したライセンス補助アクセスは、ライセンス帯域とアンライセンススペクトルがＣＡモードまたは非ＣＡ（たとえば、ＤＣ）モードで一緒に使用されるＬＴＥシステムである。
【００３８】
ＬＴＥシステムを使用したライセンス補助アクセスの主流の展開シナリオは、ライセンス帯域とアンライセンススペクトルがキャリアアグリゲーションＣＡを通して共同で使用されるシナリオである。具体的にいうと、ライセンス帯域またはライセンス帯域内に含まれるキャリアまたはライセンス帯域内で作動するセルはプライマリセルとして使用され、アンライセンススペクトルまたはアンライセンススペクトル内に含まれるキャリアまたはアンライセンススペクトル内で作動するセルはセカンダリセルとして使用される。プライマリセルおよびセカンダリセルは、同じサイト上で展開されてもよいし、同じサイト上で展開されなくてもよく、理想的なバックホールパスが２つのセルの間に存在する。
【００３９】
しかしながら、本発明は前述のＣＡシナリオに制限されない。理想的なバックホールパスが２つのセル（プライマリセルおよびセカンダリセル）の間に存在しないシナリオを含む他の展開シナリオも存在する。バックホール遅延は比較的長いので、情報は、たとえば、ＤＣシナリオにおいて、２つのセルの間で迅速に協調されることはできない。
【００４０】
加えて、アンライセンススペクトル内で作動するセルの独立した展開が考慮され得る。このケースでは、アンライセンススペクトル内で作動するセルは、独立アクセス機能を直接的に提供することができ、たとえば、アンライセンススペクトル上のスタンドアロンＬＴＥ（スタンドアロンＵ−ＬＴＥ）システムにおいて、ライセンス帯域内で作動するセルからの補助を必要としない。
【００４１】
本発明では、ライセンス帯域であるかアンライセンススペクトルであるかに関係なく、１つまたは複数のキャリアが含まれてよい。キャリアアグリゲーションは、ライセンス帯域およびアンライセンススペクトル上で実行される。これは、ライセンス帯域内に含まれる１つまたは複数のキャリアおよびアンライセンススペクトル内に含まれる１つまたは複数のキャリアの上で実行されるキャリアアグリゲーションを含み得る。
【００４２】
本発明で言及されるセルは、基地局に対応するセルであってよい。たとえば、セルは、マクロ基地局に属してもよいし、スモールセル（ｓｍａｌｌ  ｃｅｌｌ）に対応する基地局に属してもよい。本明細書におけるスモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含んでよい。スモールセルは、小さなカバレッジおよび低い伝送電力という特徴を有し、高速データ伝送サービスを提供するために使用される。
【００４３】
ＬＴＥシステムでは、複数の同一周波数内セルは、キャリア内で同時に作動することがある。いくつかの特殊なシナリオでは、ＬＴＥシステムにおいてキャリアの概念とセルの概念が等しいことも考慮されることがある。たとえば、ＣＡシナリオでは、セカンダリキャリアがＵＥのために構成されるとき、セカンダリキャリアのキャリアインデックスとセカンダリキャリア上で作動するセカンダリセルのセル識別情報（Ｃｅｌｌ  Ｉｄｅｎｔｉｔｙ、セルＩＤ）は両方とも、搬送される。このケースでは、キャリアの概念とセルの概念が等しいことが考慮されることがある。たとえば、ＵＥの場合、キャリアにアクセスすることは、セルにアクセスすることに等しい。ＤＣおよびスタンドアロンＵ−ＬＴＥも、この理解に基づいてよい。本発明では、セルの概念が説明のために使用される。
【００４４】
本発明の実施形態におけるネットワーク要素は、アンライセンススペクトル内で作動し得るアクセスネットワークデバイスおよび端末デバイスを含む。
【００４５】
本発明の各実施形態は、端末デバイスに関して説明される。端末デバイスは、ユーザ機器（ＵＥ、Ｕｓｅｒ  Ｅｑｕｉｐｍｅｎｔ）、移動局、アクセス端末、加入者ユニット、加入者局、移動局、遠隔局、遠隔端末、モバイルデバイス、ユーザ端末、端末、ワイヤレス通信デバイス、ユーザエージェント、またはユーザ装置と呼ばれることもある。端末デバイスは、ＷＬＡＮ（Ｗｉｒｅｌｅｓｓ  Ｌｏｃａｌ  Ａｒｅａ  Ｎｅｔｗｏｒｋ、ワイヤレスローカルエリアネットワーク）におけるＳＴ（ＳＴＡＴＩＯＮ、局）であってもよいし、セルラー式電話、コードレス電話、ＳＩＰ（Ｓｅｓｓｉｏｎ  Ｉｎｉｔｉａｔｉｏｎ  Ｐｒｏｔｏｃｏｌ、セッション開始プロトコル）電話、ＷＬＬ（Ｗｉｒｅｌｅｓｓ  Ｌｏｃａｌ  Ｌｏｏｐ、ワイヤレスローカルループ）局、ＰＤＡ（Ｐｅｒｓｏｎａｌ  Ｄｉｇｉｔａｌ  Ａｓｓｉｓｔａｎｔ、携帯情報端末）、ワイヤレス通信機能を有するハンドヘルドデバイスもしくはコンピューティングデバイス、または別の処理デバイス、車載デバイス、またはワイヤレスモデムに接続されたウェアラブルデバイス、将来の５Ｇネットワークにおける移動局、将来の進化型ＰＬＭＮネットワークにおける端末デバイスなどであってよい。
【００４６】
加えて、本発明の実施形態では、端末デバイスは、中継器（Ｒｅｌａｙ）、アクセスネットワークデバイス（たとえば、基地局）とのデータ通信を実行することが可能である別のデバイスなどをさらに含んでよい。
【００４７】
本発明の各実施形態は、アクセスネットワークデバイスに関して説明される。アクセスネットワークデバイスは、移動局と通信するように構成されたデバイスであってよい。アクセスネットワークデバイスは、ＷＬＡＮ（Ｗｉｒｅｌｅｓｓ  Ｌｏｃａｌ  Ａｒｅａ  Ｎｅｔｗｏｒｋ、ワイヤレスローカルエリアネットワーク）におけるＡＰ（ＡＣＣＥＳＳ  ＰＯＩＮＴ、アクセスポイント）、ＧＳＭもしくはＣＤＭＡ（Ｃｏｄｅ  Ｄｉｖｉｓｉｏｎ  Ｍｕｌｔｉｐｌｅ  Ａｃｃｅｓｓ、符号分割多元接続）におけるＢＴＳ（Ｂａｓｅ  Ｔｒａｎｓｃｅｉｖｅｒ  Ｓｔａｔｉｏｎ、ＢＴＳ）、またはＷＣＤＭＡにおけるＮＢ（ＮｏｄｅＢ、ノードＢ）であってもよいし、ＬＴＥ（Ｌｏｎｇ  Ｔｅｒｍ  Ｅｖｏｌｕｔｉｏｎ、ロングタームエボリューション）におけるｅＮＢまたはｅＮｏｄｅＢ（Ｅｖｏｌｖｅｄ  ＮｏｄｅＢ、進化型ＮｏｄｅＢ）、中継局またはアクセスポイント、車載デバイス、ウェアラブルデバイス、将来の５Ｇネットワークにおけるアクセスネットワークデバイス、将来の進化型ＰＬＭＮネットワークにおけるアクセスネットワークデバイスなどであってもよい。
【００４８】
本発明の実施形態におけるアップリンク制御情報は、端末デバイスによってアクセスネットワークデバイスにフィードバックされた制御情報である。アップリンク制御情報は、チャネル状態情報ＣＳＩ、サウンディング基準信号ＳＲＳ、またはハイブリッド自動再送要求肯定応答（Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ、ＨＡＲＱ−ＡＣＫ）を含んでよい。ＨＡＲＱ−ＡＣＫは、肯定応答ＡＣＫ（Ａｃｋｎｏｗｌｅｄｇｅｍｅｎｔ）または否定応答ＮＡＣＫ（Ｎｅｇａｔｉｖｅ  Ａｃｋｎｏｗｌｅｄｇｅｍｅｎｔ）を含み、または、不連続伝送ＤＴＸ（Ｄｉｓｃｏｎｔｉｎｕｏｕｓ  Ｔｒａｎｓｍｉｓｓｉｏｎ）をさらに含んでよい。チャネル状態情報ＣＳＩは、好ましくは非周期的ＣＳＩであってよいが、間違いなく、周期的ＣＳＩも除外しない。具体的には、ＣＳＩは、チャネル品質インジケータ（Ｃｈａｎｎｅｌ  Ｑｕａｌｉｔｙ  Ｉｎｄｉｃａｔｏｒ、ＣＱＩ）、プリコーディングマトリクスインジケータ（Ｐｒｅｃｏｄｉｎｇ  Ｍａｔｒｉｘ  Ｉｎｄｉｃａｔｏｒ、ＰＭＩ）、およびランクインジケータ（Ｒａｎｋ  Ｉｎｄｉｃａｔｏｒ、ＲＩ）のうちの少なくとも１つをさらに含んでよい。ＣＳＩは、アクセスネットワークデバイスと端末デバイスの間のチャネルの品質を反映するために使用されてよい。アクセスネットワークデバイスはまた、受信されたＳＲＳを検出することによって、アクセスネットワークデバイスと端末デバイスの間のチャネルの品質を決定し得る。チャネルの品質を決定した後、アクセスネットワークデバイスは、端末デバイスとの信頼性の高いデータ伝送を保証しながらデータ伝送効率を改善するように、チャネルの品質に基づいて適正な伝送モードを設定してよい。アクセスネットワークデバイスは、端末デバイスによってフィードバックされたＨＡＲＱ−ＡＣＫを受信することによって、端末デバイスにスケジュールされたダウンリンクデータが端末デバイスによって適切に受信されたかどうかを決定してよい。スケジュールされたデータが適切に受信されたと決定した場合、アクセスネットワークデバイスは、新しいデータを伝送してよい。または、スケジュールされたデータが適切に受信されなかったと決定した場合、アクセスネットワークデバイスは、データを再伝送してよい。これは、スケジュールされたダウンリンクデータの信頼性の高い伝送を保証することができる。
【００４９】
本発明の実施形態では、サブフレームの持続時間が１ミリ秒（１ｍｓ、１  ｍｉｌｌｉｓｅｃｏｎｄ）であることが留意されるべきである。ノーマルサイクリックプレフィックスを考えると、サブフレームは、１４の直交周波数多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを含む。拡張サイクリックプレフィックスを考えると、サブフレームは、１２のＯＦＤＭシンボルを含む。間違いなく、これはまた、将来の進化型ＬＴＥシステムまたは別のワイヤレスシステムにおいて、より短いサブフレームを使用することを除外しない。たとえば、将来のサブフレームの持続時間は、現在のＯＦＤＭシンボルの持続時間に等しい。たとえば、短い伝送時間間隔（Ｓｈｏｒｔ  Ｔｒａｎｓｍｉｓｓｉｏｎ  Ｔｉｍｅ  Ｉｎｔｅｒｖａｌ、Ｓ−ＴＴＩ）をサポートするＬＴＥシステムの場合、サブフレームは、タイムスロット（Ｓｌｏｔ）によって示されてもよいし、１つまたは複数の（たとえば、７未満の正の整数または６未満の正の整数）ＯＦＤＭシンボルによって示されてもよいことが理解され得る。サブフレームは、スケジュールされた基本的時間単位として理解され得る。本発明の実施形態では、持続時間がＮ個のＯＦＤＭシンボルであるサブフレームの意味と、持続時間がＮ個のＯＦＤＭシンボルである伝送時間間隔（Ｔｒａｎｓｍｉｓｓｉｏｎ  Ｔｉｍｅ  Ｉｎｔｅｒｖａｌ、ＴＴＩ）の意味が一致し得る。ノーマルサイクリックプレフィックスを考えると、Ｎは、１４よりも大きくなくてよい。拡張サイクリックプレフィックスを考えると、Ｎは、１２よりも大きくなくてよい。
【００５０】
本発明の実施形態では、サブフレームにおいて情報伝送のために使用される持続時間は、サブフレームの持続時間に等しくてもよいし、サブフレームの持続時間未満であってもよい。たとえば、ダウンリンクサブフレームの持続時間が１ｍｓである場合、サブフレームにおいてダウンリンク情報伝送のために使用される持続時間は、１ｍｓに等しくてもよいし、１ｍｓ未満であってもよい。別の例では、アップリンクサブフレームの持続時間が１ｍｓである場合、サブフレームにおいてアップリンク情報伝送のために使用される持続時間は、１ｍｓに等しくてもよいし、１ｍｓ未満であってもよい。任意選択で、サブフレームの持続時間が１ｍｓである場合、サブフレームにおいてダウンリンク情報伝送のために使用される持続時間が１ｍｓ未満であるとき、サブフレームは、アップリンク情報をさらに含んでよい。加えて、サブフレームは、アップリンク／ダウンリンク切り換えのために使用される切り換え時間をさらに含む。たとえば、アクセスネットワークデバイスの場合、アップリンク／ダウンリンク切り換え時間は、ダウンリンク送信とアップリンク受信を切り換えるための時間と理解され得る。端末デバイスの場合、アップリンク／ダウンリンク切り換え時間は、ダウンリンク受信とアップリンク送信を切り換えるための時間と理解され得る。
【００５１】
本発明の実施形態では、ダウンリンクサブフレームの持続時間は、アップリンクサブフレームの持続時間と同じであってもよいし、これと異なってもよい。
【００５２】
本発明の実施形態では、アップリンク情報は、端末デバイスによってアクセスネットワークデバイスに送信される情報に対応する。アップリンク情報は、アップリンクデータと、アップリンク基準信号と、アップリンク制御情報と、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）において搬送される情報とを含む。アップリンクデータは、ＵＬ−ＳＣＨにおいて搬送されるデータに対応することがあり（または、アップリンクサービスデータと理解されることがあり）、アップリンク基準信号は、アップリンク復調基準信号（Ｄｅｍｏｄｕｌａｔｉｏｎ  Ｒｅｆｅｒｅｎｃｅ  Ｓｉｇｎａｌ、ＤＭＲＳ）を含む。アップリンク制御情報は、チャネル状態情報（Ｃｈａｎｎｅｌ  Ｓｔａｔｅ  Ｉｎｆｏｒｍａｔｉｏｎ、ＣＳＩ）、スケジューリング要求（Ｓｃｈｅｄｕｌｉｎｇ  Ｒｅｑｕｅｓｔ、ＳＲ）、ＨＡＲＱ−ＡＣＫ、およびサウンディング基準信号（Ｓｏｕｎｄｉｎｇ  Ｒｅｆｅｒｅｎｃｅ  Ｓｉｇｎａｌ、ＳＲＳ）のうちの少なくとも１つを含む。本発明の実施形態では、ＳＲＳは、アップリンク制御情報のタイプと理解されてよい。アップリンク制御情報は、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）において搬送されてもよいし、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）において搬送されてもよい。
【００５３】
本発明の実施形態では、ダウンリンク情報は、ｅＮｏｄｅＢなどのアクセスネットワークデバイスによって端末デバイスに送信される情報に対応する。ダウンリンク情報は、ダウンリンク物理チャネルにおいて搬送されるデータ、および／またはダウンリンク基準信号を含んでよい。ダウンリンク物理チャネルは、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）、物理ブロードキャストチャネル（Ｐｈｙｓｉｃａｌ  Ｂｒｏａｄｃａｓｔ  Ｃｈａｎｎｅｌ、ＰＢＣＨ）、物理マルチキャストチャネル（Ｐｈｙｓｉｃａｌ  Ｍｕｌｔｉｃａｓｔ  Ｃｈａｎｎｅｌ、ＰＭＣＨ）、物理制御フォーマットインジケータチャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨ）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、物理ハイブリッド自動再送要求インジケータチャネル（Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）、エンハンスト物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）、およびＭＴＣ物理ダウンリンク制御チャネル（ＭＴＣ  Ｐｈｙｓｉｃａｌ  Ｄｏｗｎｌｉｎｋ  Ｃｏｎｔｒｏｌ  Ｃｈａｎｎｅｌ、ＭＰＤＣＣＨ）のうちの少なくとも１つを含む。ダウンリンク基準信号は、セル固有基準信号（Ｃｅｌｌ−ｓｐｅｃｉｆｉｃ  Ｒｅｆｅｒｅｎｃｅ  Ｓｉｇｎａｌ、ＣＲＳ）  マルチメディアブロードキャストマルチキャストサービス単一周波数ネットワーク基準信号（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ  Ｒｅｆｅｒｅｎｃｅ  Ｓｉｇｎａｌ、ＭＢＳＦＮ  ＲＳ）、ＰＤＳＣＨ内で搬送されるデータを復調するためのユーザ機器固有基準信号（ＵＥ−ｓｐｅｃｉｆｉｃ  Ｒｅｆｅｒｅｎｃｅ  Ｓｉｇｎａｌ、ＤＭＲＳ）、ＥＰＤＣＣＨまたはＭＰＤＣＣＨ内で搬送されるデータを復調するための基準信号（ＤｅＭｏｄｕｌａｔｉｏｎ  Ｒｅｆｅｒｅｎｃｅ  Ｓｉｇｎａｌ、ＤＭＲＳ）、測位基準信号（Ｐｏｓｉｔｉｏｎｉｎｇ  Ｒｅｆｅｒｅｎｃｅ  Ｓｉｇｎａｌ、ＰＲＳ）、およびチャネル状態情報基準信号（ＣＳＩ  Ｒｅｆｅｒｅｎｃｅ  Ｓｉｇｎａｌ、ＣＳＩ−ＲＳ）のうちの少なくとも１つを含む。
【００５４】
ＬＴＥシステムにおけるアップリンクデータ伝送は、一般的に、スケジューリングに基づく。ＬＴＥシステム内の端末デバイスを例として使用すると、データが物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）内で伝送されるとき、占有される時間−周波数リソース（時間リソースおよび／または周波数リソース）は、基地局などのアクセスネットワークデバイスによって示される。たとえば、基地局は、アップリンクグラント（Ｕｐｌｉｎｋ  Ｇｒａｎｔ、ＵＬグラント）制御情報を使用することによって、端末デバイスに、端末デバイスがアップリンクデータを伝送するときに占有される時間−周波数リソースを示す。マルチサブフレームスケジューリングシナリオでは、アクセスネットワークデバイスは、マルチサブフレームスケジューリングシグナリングを使用することによって、複数のアップリンクサブフレームにおいてアップリンクデータを伝送するように端末デバイスをスケジュールし得る。たとえば、基地局は、サブフレームｎにおいて、１つまたは複数のＵＬグラントを使用することによって、複数のサブフレーム内に含まれるＰＵＳＣＨ内でアップリンクデータを伝送するように端末デバイスをスケジュールすることがある。図１に示されるように、基地局は、サブフレームｎにおいて搬送される１または複数のＵＬグラントを使用することによって、サブフレームｎ＋４、ｎ＋５、ｎ＋６、またはｎ＋７においてアップリンクデータを伝送するように１つの端末デバイス（たとえば、ユーザ機器、Ｕｓｅｒ  Ｅｑｕｉｐｍｅｎｔ、ＵＥ）をトリガすることがある。基地局は、アップリンクスケジューリングシグナリング（たとえば、ＵＬグラント）内に含まれるトリガ情報を使用することによって、アップリンク制御情報をフィードバックするようにユーザ機器に命令することがある。マルチサブフレームスケジューリングのケースでは、スケジューリングシグナリングが少なくとも２つのアップリンクサブフレームをスケジュールすることがあるので、端末デバイスが、アップリンクデータを伝送するためのサブフレームにおいてアップリンク制御情報を伝送するとき、少なくとも２つのアップリンクサブフレームにおいてアップリンク制御情報を伝送するためのサブフレームをどのようにして決定するかは、緊急に解決されるべき問題である。
【００５５】
たとえば、アップリンク制御情報は非周期的ＣＳＩである。従来技術では、非周期的ＣＳＩを搬送するサブフレームと非周期的ＣＳＩ動作をトリガするためのトリガ情報を搬送するサブフレームとの間に、あらかじめ構成された時間関係が存在する。たとえば、周波数分割複信（Ｆｒｅｑｕｅｎｃｙ  Ｄｉｖｉｓｉｏｎ  Ｄｕｐｌｅｘ、ＦＤＤ）システムでは、ＵＥがサブフレームｎにおいて非周期的ＣＳＩトリガ標識情報を受信すると仮定し、この非周期的ＣＳＩトリガ標識情報が、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）またはエンハンスト物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ＥＰＤＣＣＨ）内で搬送されることがあり、非周期的ＣＳＩトリガ標識情報が、ＰＤＣＣＨまたはＥＰＤＣＣＨ内で搬送されるＣＳＩ要求フィールド（ＣＳＩ  ｒｅｑｕｅｓｔ  ｆｉｅｌｄ）内に含まれる情報と理解され得る場合、ＵＥは、サブフレームｎ＋４において非周期的ＣＳＩを報告し、この非周期的ＣＳＩは、ＵＬグラントによって示されるアップリンクリソース内で搬送される。別の例では、時分割複信（Ｔｉｍｅ  Ｄｉｖｉｓｉｏｎ  Ｄｕｐｌｅｘ、ＴＤＤ）システムにおいて、依然としてＵＥがサブフレームｎにおいてアップリンクスケジューリング標識情報（ＵＬグラント内で搬送される）を受信すると仮定し、この標識情報が非周期的ＣＳＩトリガ情報を含む場合、ＵＥは、サブフレームｎ＋ｋにおいて非周期的ＣＳＩを報告し、ここで、ｋは正の整数であり、ｋの値は、ＴＤＤシステムのアップリンク−ダウンリンク構成およびｎの値に関連する。詳細は、以下の表１に示されている。表１では、ＴＤＤ構成０を例として使用すると、ＵＥがサブフレーム０において非周期的ＣＳＩトリガシグナリングを受信する場合、ＵＥは、サブフレーム４において非周期的ＣＳＩを報告する。
【００５６】
【表１】
2019520734.tif 000044
【００５７】
前述の説明に基づいて、従来技術において、ＣＳＩを報告するためのアップリンクサブフレームは、あらかじめ構成されたアップリンクサブフレームの位置にあり、このあらかじめ構成されたアップリンクサブフレームは、サブフレームｎ＋４およびサブフレームｎ＋４の後のサブフレームの中で、サブフレームｎに最も近いアップリンクサブフレームであることが観察可能である。
【００５８】
マルチサブフレームスケジューリング技術では、アクセスネットワークデバイスおよび端末デバイスが、アンライセンススペクトルリソースを使用することによってデータ伝送を実行する場合、データ伝送の前に、一般的に、アクセスネットワークデバイスおよび／または端末デバイスは、ＣＣＡなどの競合メカニズムを使用することによって、アンライセンススペクトルリソースがデータ伝送を実行するために使用可能かどうかを決定する必要がある。従来技術によれば、サブフレームｎにおいて搬送されるＵＬグラントが非周期的ＣＳＩトリガ標識情報を含む場合、ＵＥは、サブフレームｎ＋４において、ＰＵＳＣＨリソースを使用することによって非周期的ＣＳＩを伝送する。ＵＥが、サブフレームｎ＋４において競合を通じてアンライセンススペクトルリソースを取得するのに失敗した場合、従来技術によれば、スケジュールされたアップリンクリソースが、その後のサブフレーム（たとえば、サブフレームｎ＋５、ｎ＋６、またはｎ＋７）に依然として存在する場合でも、ＵＥは、非周期的ＣＳＩを伝送することはできず、したがって、ダウンリンクデータ伝送効率が影響される。
【００５９】
前述の問題は、ＳＲＳ伝送およびＨＡＲＱ−ＡＣＫ伝送においても存在する。詳細は、本明細書において、さらに説明されない。
【００６０】
実施形態１
アップリンク制御情報を報告するための機会を保証し、アンライセンススペクトル内でダウンリンクデータを伝送する効率を改善するために、本発明は、アップリンク制御情報を伝送するための方法の実施形態を提供する。この実施形態は、Ｕ−ＬＴＥ（アンライセンススペクトル上のＬＴＥ）システムにおけるマルチサブフレームスケジューリングシナリオに適用されてよい。Ｕ−ＬＴＥシステムは、アンライセンススペクトル内で作動するＬＴＥシステムであり、ＣＡモードでライセンス帯域リソースおよびアンライセンススペクトルリソースを共同で使用するＬＴＥシステム（ＬＡＡ−ＬＴＥシステム）を含んでもよいし、デュアルコネクティビティ（Ｄｕａｌ  Ｃｏｎｎｅｃｔｉｖｉｔｙ、ＤＣ）モードでライセンス帯域リソースおよびアンライセンススペクトルリソースを共同で使用するＬＴＥシステムを含んでもよいし、アンライセンススペクトルリソース内で独立して展開されるＬＴＥシステム（スタンドアロンＵ−ＬＴＥ）を含んでもよいことが留意されるべきである。
【００６１】
図２を参照すると、本発明は、アップリンク制御情報を伝送するための方法の実施形態を提供する。この方法は、アンライセンススペクトル内で作動するＬＴＥシステムに適用されてよい。この方法は、以下のステップを含む。
【００６２】
Ｓ２０１。端末デバイスが、アクセスネットワークデバイスからスケジューリング情報およびトリガ情報を受信し、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される。
【００６３】
Ｓ２０２。端末デバイスが、Ｍ個のアップリンクサブフレームにおいて、アップリンク制御情報を搬送するためのアップリンクサブフレームを決定し、この決定されたアップリンクサブフレームは、Ｍ個のアップリンクサブフレームの中の第１のサブフレーム以外のサブフレームであり、この第１のサブフレームは、Ｍ個のアップリンクサブフレームの時間系列内の第１のアップリンクサブフレームである。
【００６４】
Ｓ２０３。端末デバイスが、決定されたアップリンクサブフレームにおいてアップリンク制御情報を送信する。
【００６５】
本発明のこの実施形態では、アクセスネットワークデバイスと端末デバイスの間で伝送されるデータがアンライセンススペクトル内で搬送される場合、アクセスネットワークデバイスが、アンライセンススペクトルを使用することによってダウンリンク情報を伝送する前に、または、端末デバイスが、アンライセンススペクトルを使用することによってアップリンク情報を伝送する前に、一般的に、クリアチャネルアセスメント（Ｃｌｅａｒ  Ｃｈａｎｎｅｌ  Ａｓｓｅｓｓｍｅｎｔ、ＣＣＡ）が、アンライセンススペクトルリソースが利用可能かどうかを決定するために実行される必要があることが留意されるべきである。本発明のこの実施形態における添付の図面は、ＣＣＡの特定の位置を制限する代わりに、ＣＣＡの遂行について説明するためにのみ意図される。加えて、本発明のこの実施形態における添付の図面のうちのいくつかは、アップリンク制御情報を搬送するために使用され、本発明のこの実施形態を使用することによって決定されるアップリンクサブフレーム位置について説明するためにのみ意図される。したがって、ＣＣＡの位置は無視される。しかしながら、実際には、ＣＣＡは、実行される必要があることがある、または実行される必要はない。
【００６６】
本発明のこの実施形態では、「スケジューリング情報は、Ｍ個のアップリンクサブフレームにおいて、スケジューリング情報によってスケジュールされたアップリンクデータを伝送するように端末デバイスに命令するために使用される」は、「スケジューリング情報は、Ｍ個のアップリンクサブフレームにおいてアップリンクデータを伝送するように端末デバイスに命令するために使用され、アップリンクデータは、スケジューリング情報によってスケジュールされる」と理解されてもよいし、「スケジューリング情報は、スケジューリング情報によってスケジュールされたアップリンクデータを伝送するように端末デバイスに命令するために使用され、スケジューリング情報は、どれくらい多くのアップリンクサブフレームにおいて、および／またはどのアップリンクサブフレームにおいて、伝送が実行されるかを具体的に示すために使用されてもよいし、他の様式が使用されてもよい」と理解されてもよい。
【００６７】
本発明のこの実施形態では、スケジューリング情報は、スケジュールされたアップリンクデータに対応する伝送フォーマット、たとえば、スケジュールされたアップリンクデータが、対応する時間−周波数リソース内で伝送されるとき、周波数ホッピングが周波数位置において必要とされるかどうか、スケジュールされたアップリンクデータに対応するリソース割り振り（Ｒｅｓｏｕｒｃｅ  Ａｌｌｏｃａｔｉｏｎ）、スケジュールされたアップリンクデータに対応する電力制御情報、スケジュールされたアップリンクデータに対応する新しい伝送もしくは再伝送情報、またはスケジュールされたアップリンクデータに対応するＭＣＳのうちの少なくとも１つを示すために使用されることがあり、本発明のこの実施形態において、スケジュールされたアップリンクデータに対応するアップリンクサブフレームの量はＭに対応し得る。
【００６８】
本発明のこの実施形態では、スケジューリング情報は、ダウンリンク制御情報（Ｄｏｗｎｌｉｎｋ  Ｃｏｎｔｒｏｌ  Ｉｎｆｏｒｍａｔｉｏｎ、ＤＣＩ）内に含まれる１つまたはいくつかの情報フィールドであってもよいし、ＤＣＩ内に含まれるすべての情報フィールドであってもよい。スケジューリング情報は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）および／またはエンハンスト物理ダウンリンク制御チャネル（Ｅｎｈａｎｃｅｄ  ＰＤＣＣＨ、ＥＰＤＣＣＨ）内で搬送されてもよいし、別のチャネル内で搬送されてもよい。これは、本発明では、具体的に制限されない。
【００６９】
本発明のこの実施形態では、スケジューリング情報は、たとえば端末デバイスまたは端末デバイスグループ上でのみ有効な、ＵＥ固有（ＵＥ  ｓｐｅｃｉｆｉｃ）標識情報であってよい。スケジューリング情報はまた、たとえばセル内の接続モードであるすべての端末デバイスまたはセルをサービングセルとして使用するすべての端末デバイス（接続モードである端末デバイスとアイドルモードである端末デバイスとを含む）上で有効な、セル固有（Ｃｅｌｌ  ｓｐｅｃｉｆｉｃ）標識情報であってよい。
【００７０】
任意選択で、本発明のこの実施形態では、スケジューリング情報は、アップリンクグラント（Ｕｐｌｉｎｋ  Ｇｒａｎｔ、ＵＬグラント）制御情報内に含まれる情報フィールドであってよい。たとえば、スケジューリング情報は、キャリアインジケータ（Ｃａｒｒｉｅｒ  Ｉｎｄｉｃａｔｏｒ）、周波数ホッピングフラグ（Ｆｒｅｑｕｅｎｃｙ  ｈｏｐｐｉｎｇ  ｆｌａｇ）、リソースブロック割り当ておよびホッピングリソース割り振り（Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ）、変調符号化方式（Ｍｏｄｕｌａｔｉｏｎ  ａｎｄ  Ｃｏｄｉｎｇ  Ｓｃｈｅｍｅ、ＭＣＳ）、リダンダンシーバージョン（Ｒｅｄｕｎｄａｎｃｙ  ｖｅｒｓｉｏｎ、ＲＶ）インジケータ、アップリンク復調基準信号（Ｄｅｍｏｄｕｌａｔｉｏｎ  Ｒｅｆｅｒｅｎｃｅ  Ｓｉｇｎａｌ、ＤＭＲＳ）に対応する循環シフト（Ｃｙｃｌｉｃ  ｓｈｉｆｔ、ＣＳ）および直交カバーコード（Ｏｒｔｈｏｇｏｎａｌ  Ｃｏｖｅｒ  Ｃｏｄｅ、ＯＣＣ）、ならびに新規データインジケータ（Ｎｅｗ  ｄａｔａ  ｉｎｄｉｃａｔｏｒ、ＮＤＩ）のうちの少なくとも１つを含んでよい。さらに任意選択で、スケジューリング情報は、ＤＣＩフォーマット０（ＤＣＩ  Ｆｏｒｍａｔ  ０）もしくはＤＣＩフォーマット４（ＤＣＩ  Ｆｏｒｍａｔ  ４）で伝送される制御情報内に含まれる情報フィールドを含む、または、ＤＣＩフォーマット０に基づくエンハンストＤＣＩフォーマット（説明を簡単にするためにＤＣＩフォーマット０エンハンストフォーマットと呼ばれる）もしくはＤＣＩフォーマット４に基づくエンハンストＤＣＩフォーマット（同様に、説明を簡単にするためにＤＣＩフォーマット４エンハンストフォーマットと呼ばれる）で伝送される制御情報内に含まれる情報フィールドをさらに含むことがある。従来技術によれば、一般的に、周波数分割複信（Ｆｒｅｑｕｅｎｃｙ  Ｄｉｖｉｓｉｏｎ  Ｄｕｐｌｅｘ、ＦＤＤ）システムを例として使用すると、ＤＣＩフォーマット０は、アップリンクサブフレームにおいて、ＤＣＩフォーマット０によってスケジュールされたアップリンクデータを伝送するように端末デバイスに命令するために使用され、このアップリンクデータは、１つのトランスポートブロック（Ｔｒａｎｓｐｏｒｔ  Ｂｌｏｃｋ、ＴＢ）に対応する、または、１つのコードワード（Ｃｏｄｅｗｏｒｄ）に対応し、ＤＣＩフォーマット４は、アップリンクサブフレームにおいて、ＤＣＩフォーマット４によってスケジュールされたアップリンクデータ情報を伝送するように端末デバイスに命令するために使用され、このアップリンクデータは、２つのトランスポートブロックＴＢに対応する、または２つのコードワードに対応することが留意されるべきである。本明細書では、ＤＣＩフォーマット０エンハンストフォーマットは、「スケジューリング情報の一部分を使用することによって複数のアップリンクＵＬサブフレームのスケジューリングを同時にサポートするように、ＤＣＩフォーマット０に基づいて、必要な情報フィールドが追加される」と理解されてよい。ＤＣＩフォーマット４エンハンストフォーマットは、「スケジューリング情報の一部分を使用すること���よって複数のアップリンクサブフレームのスケジューリングを同時にサポートするように、ＤＣＩフォーマット４に基づいて、必要な情報フィールドが追加されると理解されてよく、各アップリンクサブフレームは、２つのトランスポートブロックの伝送をサポートし得る。
【００７１】
この実施形態では、決定されたアップリンクサブフレームは、最大１つのサブフレームを含む。アップリンク制御情報を搬送するための最大１つのアップリンクサブフレームを決定することは、アップリンク制御情報のリソースオーバヘッドを減少させ得る。
【００７２】
実施形態では、スケジューリング情報とトリガ情報は、同じダウンリンク制御情報内で搬送される。たとえば、スケジューリング情報とトリガ情報の両方が、ＵＬグラント内で搬送される。
【００７３】
本発明のこの実施形態では、スケジューリング情報とトリガ情報は、同じダウンリンク制御情報（Ｄｏｗｎｌｉｎｋ  Ｃｏｎｔｒｏｌ  Ｉｎｆｏｒｍａｔｉｏｎ、ＤＣＩ）内で搬送される。たとえば、スケジューリング情報およびトリガ情報は１つのＵＬグラント内で搬送され、このＵＬグラントは、アップリンクデータおよびアップリンク制御情報を伝送するように端末デバイスに命令するために使用され、トリガ情報は、ＵＬグラント内に含まれる非周期的ＣＳＩ要求（ＣＳＩ  ｒｅｑｕｅｓｔ）であってよい。アップリンク制御情報がＳＲＳであるとき、トリガ情報は、ＵＬグラント内に含まれるＳＲＳ要求（ＳＲＳ  ｒｅｑｕｅｓｔ）であってよいことが留意されるべきである。アップリンク制御情報がＨＡＲＱ−ＡＣＫであるとき、トリガ情報は、ＨＡＲＱ−ＡＣＫに対応するダウンリンクデータまたはＨＡＲＱ−ＡＣＫに対応するＰＤＳＣＨ伝送と理解されてよいことが留意されるべきである。たとえば、端末デバイスが、サブフレームｎにおいて、アクセスネットワークデバイスによって送信されたダウンリンクデータ（ＰＤＳＣＨ内で搬送されたダウンリンクサービスデータ）を受信する、または、サブフレームｎにおいて、アクセスネットワークデバイスによって送信されたＰＤＳＣＨ伝送を検出すると仮定すると、端末デバイスは、サブフレームｎ＋４において、あらかじめ構成されたＨＡＲＱタイミング関係に従って、ダウンリンクデータに対応するＨＡＲＱ−ＡＣＫを送信することがある。本発明のこの実施形態では、サブフレームｎにおいて受信されるダウンリンクデータまたはサブフレームｎにおいて検出されるＰＤＳＣＨ伝送は、「アップリンク制御情報（ＨＡＲＱ−ＡＣＫ）を送信するように端末デバイスに命令するために使用されるトリガ情報」と理解されてよい。アップリンク制御情報がＨＡＲＱ−ＡＣＫであるとき、トリガ情報は、ＨＡＲＱ−ＡＣＫに対応するダウンリンク制御チャネルとさらに理解されてよく、このダウンリンク制御チャネルは、端末デバイスは、ダウンリンク制御チャネルを検出することによって、検出されたダウンリンク制御情報によってスケジュールされたダウンリンクデータチャネル内でダウンリンクデータを受信する、と定義されることが留意されるべきである。本発明のこの実施形態はまた、ＨＡＲＱ−ＡＣＫに対応するトリガ情報が別の形をした標識情報であることを除外せず、ＨＡＲＱタイミング関係がシグナリングによって示されることを除外しない。
【００７４】
実施形態では、スケジューリング情報とトリガ情報は、同じダウンリンクサブフレームにおいて搬送される。本発明のこの実施形態では、アップリンク制御情報を送信するように端末デバイスに命令するために使用されるスケジューリング情報とトリガ情報は、同じサブフレームにおいて搬送される。または任意選択で、トリガ情報を含むサブフレームが、時間系列において、スケジューリング情報を含むサブフレームに先行し、間違いなく、これはまた、トリガ情報を含むサブフレームが、時間系列において、スケジューリング情報を含むサブフレームに続き、Ｍ個のアップリンクサブフレームの中の第１のアップリンクサブフレームに先行することを除外しない。
【００７５】
実施形態では、アップリンク制御情報は、チャネル状態情報、サウンディング基準信号、およびハイブリッド自動再送要求肯定応答のうちの少なくとも１つを含む。
【００７６】
図３のマルチサブフレームスケジューリングにおけるサブフレーム間の関係の概略図を参照すると、ＵＬグラントなどのスケジューリング情報は、ダウンリンクサブフレームｎにおいて送信される。サブフレームｎ＋４、サブフレームｎ＋５、サブフレームｎ＋６、およびサブフレームｎ＋７は、ダウンリンクサブフレームｎによってスケジュールされたアップリンクサブフレームである（すなわち、Ｍ＝４）。ＣＳＩを例として使用すると、端末デバイスがサブフレームｎにおいてトリガ情報を受信し、トリガ情報は、アップリンク制御情報、たとえば、非周期的チャネル状態情報（Ｃｈａｎｎｅｌ  Ｓｔａｔｅ  Ｉｎｆｏｒｍａｔｉｏｎ、ＣＳＩ）を送信するように端末デバイスに命令する。このケースでは、端末デバイスは、サブフレームｎ＋４、サブフレームｎ＋５、サブフレームｎ＋６、およびサブフレームｎ＋７において、アップリンクサブフレームにおいてＣＳＩを送信することを決定してよい。本発明のこの実施形態では、ＣＳＩを伝送するための端末デバイスによって決定されたアップリンクサブフレームは、サブフレームｎ＋４からサブフレームｎ＋７における第１のアップリンクサブフレーム以外のサブフレームであってよい。すなわち、図３におけるサブフレームｎ＋５、サブフレームｎ＋６、およびサブフレームｎ＋７のいずれか１つは、アップリンク制御情報を搬送するためのアップリンクサブフレームとして使用されてよい。
【００７７】
この実施形態では、アップリンクデータを伝送するためのＭ個のアップリンクサブフレームにおいて、第１のサブフレーム以外のサブフレームは、アップリンク制御情報を搬送するために使用される。アップリンク制御情報を伝送する前、端末デバイスは、少なくとも２つのアップリンクサブフレームの前にＣＣＡを実行することができる。または、端末デバイスは、アップリンク共有チャネル（Ｕｐｌｉｎｋ  Ｓｈａｒｅｄ  Ｃｈａｎｎｅｌ、ＵＬ−ＳＣＨ）を含む複数のアップリンクサブフレームの中の少なくとも１つのアップリンクサブフレームの前にＣＣＡを実行することができる。１つのＣＣＡが成功する限り、端末デバイスは、決定されたアップリンクサブフレームにおいてアップリンク制御情報を送信することができる。これは、アップリンク制御情報を伝送するための機会を最大限に保証し、アンライセンススペクトル内での信頼性が高く効率的なデータ伝送をさらに保証することができる。たとえば、図３に示されるように、端末デバイスが、アップリンク制御情報を搬送するためのアップリンクサブフレームとしてサブフレームｎ＋７を決定した場合、端末デバイスは、アンライセンススペクトルが競合を通じて取得されることを決定する前に、複数のアップリンクサブフレームのうちの少なくとも１つの前にＣＣＡを実行してよい。たとえば、端末デバイスが、サブフレームｎ＋４、サブフレームｎ＋５、およびサブフレームｎ＋６において競合を通じてアンライセンススペクトルリソースを取得するのに失敗した場合でも、端末デバイスは、依然としてサブフレームｎ＋７の前にＣＣＡを実行し、アップリンク制御情報がサブフレームｎ＋７において伝送可能であるかどうかを決定してよい。したがって、端末デバイスがアップリンク制御情報を伝送する前に端末デバイスがアンライセンススペクトルリソースを巡って競合する機会を追加することによって、アップリンク制御情報の伝送が最大限に保証可能である。
【００７８】
任意選択で、端末デバイスは、決定されたアップリンクサブフレームにおいてアップリンク制御情報を送信する前に、複数のアップリンクサブフレームのうちの少なくとも１つの前にＣＣＡを実行し、複数のアップリンクサブフレームは、Ｍ個のアップリンクサブフレーム内に含まれる少なくとも２つのアップリンクサブフレームである。たとえば、前述の例では、端末デバイスが、サブフレームｎ＋７が、アップリンク制御情報を搬送するためのサブフレームであることを決定した場合、端末デバイスは、サブフレームｎ＋４、サブフレームｎ＋５、およびサブフレームｎ＋６のうちの少なくとも１つの前にＣＣＡを実行してよい。
【００７９】
この実施形態では、端末デバイスは、Ｍ個のアップリンクサブフレームにおいて複数の様式で、アップリンク制御情報を搬送するためのアップリンクサブフレームを決定することがある。
【００８０】
実装形態１：端末デバイスが、アップリンク制御情報を搬送するためのアップリンクサブフレームとして、Ｍ個のアップリンクサブフレームの時間系列における最後のサブフレームまたは時間系列における最後から２番目のサブフレームを決定する。
【００８１】
図３を例として使用すると、端末デバイスが、サブフレームｎにおいて、アクセスネットワークデバイスによって送信されたＵＬグラントを受信し、このＵＬグラントは、サブフレームｎ＋４、サブフレームｎ＋５、サブフレームｎ＋６、およびサブフレームｎ＋７においてアップリンクデータを伝送するように端末デバイスに命令し、アップリンクデータはＰＵＳＣＨ内で搬送されることが仮定される。さらに、ＵＬグラントは非周期的ＣＳＩ要求（ＣＳＩ  ｒｅｑｕｅｓｔ）を含み、このＣＳＩ要求は、非周期的ＣＳＩを伝送するように端末デバイスに命令する。実装形態１では、端末デバイスが、ＣＣＡを実行することによって、アンライセンススペクトルリソースがサブフレームｎ＋６またはサブフレームｎ＋７において競合を通じて取得されることを決定することができる場合、端末デバイスは、サブフレームｎ＋７において非周期的ＣＳＩを伝送する、またはサブフレームｎ＋６において非周期的ＣＳＩを伝送することができる。
【００８２】
時間系列における最後のサブフレームにおいてアップリンク制御情報を伝送する利益は、アップリンク制御情報を伝送するための機会が最大限に保証可能なことである。端末デバイスが、第１のスケジュールされたアップリンクサブフレームにおいて競合を通じてアンライセンススペクトルリソースを取得するのに失敗した場合でも、端末デバイスは、その後のアップリンクサブフレームにおいてデータを伝送する前にアンライセンススペクトルリソースが利用可能であるかどうかを引き続き評価し得る。このケースでは、この解決策によれば、非周期的ＣＳＩを搬送するためのサブフレームは、可能な場合、複数のスケジュールされたアップリンクサブフレームにおいて比較的後ろの位置で構成または示される。これは、非周期的ＣＳＩを搬送するためのサブフレームに、より多くのＣＣＡ機会を提供することに等しい。したがって、非周期的ＣＳＩの伝送が最大限に保証される。
【００８３】
時間系列における最後から２番目のサブフレームにおいてアップリンク制御情報を伝送する利益は、いくつかのケースにおけるアップリンク制御情報の無損失伝送が保証可能なことである。以下のケースを考慮すると、図４に示されるように、Ｍ個のアップリンクサブフレームが、ダウンリンクサブフレームによって続かれることがある。一般的に、アクセスネットワークデバイスは、ダウンリンク情報伝送を実行する前にＣＣＡを最初に実行する必要がある。ダウンリンク情報伝送がダウンリンクサブフレーム内に含まれる第１のＯＦＤＭシンボルから始まることができることを保証するために、ダウンリンクサブフレームの前の最後のアップリンクサブフレームのある時間は、アクセスネットワークデバイスがその時間内にＣＣＡを実行することができるように、アップリンク情報伝送のために使用されることができず、それによって、ダウンリンク情報伝送がダウンリンクサブフレーム内の第１のＯＦＤＭシンボルから始まることができることを保証する。このケースでは、最後のアップリンクサブフレームのいくらかの時間は、アップリンク情報伝送のために使用されることはできないので、非周期的ＣＳＩが、依然として、Ｍ個のアップリンクサブフレームの中の最後のサブフレームにおいて搬送される場合、非周期的ＣＳＩ伝送の実行が影響される。したがって、このケースに基づいて、非周期的ＣＳＩは、Ｍ個のアップリンクサブフレームの中の最後から２番目のサブフレーム、たとえば、図４に示されるサブフレームｎ＋６において搬送されることがある。
【００８４】
本発明のこの実施形態では、スケジューリング情報が、Ｍ個のアップリンクサブフレームにおいて、スケジューリング情報によってスケジュールされたアップリンクデータを伝送するように端末デバイスに命令するために使用されることは、スケジューリング情報が、Ｍ個のアップリンクサブフレームにおいてアップリンク情報伝送のために使用される持続時間内にアップリンク情報を伝送するように端末デバイスに命令するために使用されることを含み得ることに留意されるべきである。
【００８５】
実装形態２：端末デバイスが、サブフレームｎにおいてスケジューリング情報を受信し、端末デバイスが、アップリンク制御情報を搬送するためのアップリンクサブフレームとして、アップリンクバーストの時間系列における最後のまたは最後から２番目のアップリンクサブフレームを決定する。アップリンクバーストとは、時間的に連続して占有されＭ個のアップリンクサブフレーム内に含まれる複数のアップリンクサブフレームを指し、アップリンクバーストは、サブフレームｎを含むダウンリンクバーストの後であり、サブフレームｎを含むダウンリンクバーストに直接隣接する。
【００８６】
より一般的には、本発明のこの実施形態では、端末デバイスは、アップリンク制御情報を搬送するためのアップリンクサブフレームとして、アップリンクバースト内の任意のアップリンクサブフレームを決定し、この任意のアップリンクサブフレームは、Ｍ個のアップリンクサブフレームの中の第１のアップリンクサブフレームではない。
【００８７】
あるいは、実装形態２は、「端末デバイスが、サブフレームｎにおいてスケジューリング情報を受信し、端末デバイスが、アップリンク制御情報を搬送するためのアップリンクサブフレームとして、第１のアップリンクバーストの時間系列における最後のまたは最後から２番目のアップリンクサブフレームを決定する」と理解されてよい。Ｍ個のアップリンクサブフレームから構成されるアップリンクサブフレームセットは、第１のアップリンクバーストと、第２のアップリンクバーストとを含む。第１のアップリンクバーストは、サブフレームｎを含むダウンリンクバーストの後であり、サブフレームｎを含むダウンリンクバーストに直接隣接する。
【００８８】
より一般的には、本発明のこの実施形態では、端末デバイスは、アップリンク制御情報を搬送するためのアップリンクサブフレームとして、第１のアップリンクバーストの時間系列内の任意のアップリンクサブフレームを決定し、この任意のアップリンクサブフレームは、Ｍ個のアップリンクサブフレームの中の第１のアップリンクサブフレームを含まない。
【００８９】
本発明のこの実施形態では、アップリンクバースト（Ｕｐｌｉｎｋ  Ｂｕｒｓｔ、ＵＬバースト）は、時間的に連続して占有される複数のアップリンクサブフレームを含む。本発明のこの実施形態では、複数のアップリンクサブフレームは、（たとえば、図５に示されるように）ＣＣＡのために使用される時間エリアを含んでもよいし、（たとえば、図６に示されるように）ＣＣＡのために使用される時間エリアを含まなくてもよい。図６では、アイドル時間単位は、少なくとも別の端末デバイスによってＣＣＡを実行するために使用されてよい。
【００９０】
本発明のこの実施形態では、ダウンリンクバーストとは、時間的に連続して占有される複数のダウンリンクサブフレームを指す。具体的には、基地局（ｅＮＢなど）または基地局のカバレッジ内のセル（Ｃｅｌｌ）がアンライセンススペクトルリソースをプリエンプトした後、基地局またはセルは、ＣＣＡなどの競合メカニズムを使用することなくアンライセンススペクトルリソースを使用することによって、データ伝送を実行する。ダウンリンクバーストの持続時間は、競合メカニズムを使用することのないアンライセンススペクトルリソース上での基地局（またはセル）による連続伝送の最大時間よりも長くなく、この最大時間は、最大チャネル占有時間（Ｍａｘｉｍｕｍ  Ｃｈａｎｎｅｌ  Ｏｃｃｕｐａｎｃｙ  Ｔｉｍｅ、ＭＣＯＴ）とも呼ばれることがある。ＭＣＯＴは、地域の法規の制約に関連することがある。たとえば、日本では、ＭＣＯＴは４ｍｓに等しくてよい。ヨーロッパでは、ＭＣＯＴは、８ｍｓ、１０ｍｓ、または１３ｍｓに等しくてよい。ＭＣＯＴは、リスニングデバイス（たとえば、基地局またはユーザ機器）によって使用される競合メカニズムにも関連することがある。一般的に、リスニング時間がより短い場合、ＭＣＯＴも短くなる。ＭＣＯＴは、データ伝送のサービスレベルにも関連することがある。たとえば、ＶｏＩＰサービスを例として使用すると、このサービスの優先順位は比較的高く、このケースでは、一般的に、ＭＣＯＴは、２ｍｓであることがある、すなわち、基地局が競合を通じてアンライセンススペクトルリソースを取得した後、連続して２ミリ秒であることがある。データ伝送サービスを例として使用すると、このサービスの優先順位は比較的低く、一般的に、ＭＣＯＴは、連続して８または１０ミリ秒であることがある。
【００９１】
図７を例として使用すると、端末デバイスは、サブフレームｎ＋３において、アクセスネットワークデバイスによって送信されたスケジューリング情報を受信し、スケジューリング情報は、サブフレームｎ＋７、サブフレームｎ＋８、サブフレームｎ＋１２、およびサブフレームｎ＋１３においてアップリンクデータを伝送するように端末デバイスに命令する。サブフレームｎ＋７とサブフレームｎ＋８とを含むアップリンクバーストは、サブフレームｎ＋３を含むダウンリンクバーストに直接隣接するアップリンクバーストである。サブフレームｎ＋１２とサブフレームｎ＋１３とを含むアップリンクバーストは、サブフレームｎ＋３を含むダウンリンクバーストに直接隣接するアップリンクバーストでない。実装形態２では、アップリンク制御情報を搬送するためのアップリンクサブフレームは、サブフレームｎ＋８であってよい。
【００９２】
本発明のこの実施形態では、サブフレームｎ＋ｘが、サブフレームｎとの特定の相対的関係を有するサブフレームを表すために使用されてよいことが留意されるべきである。具体的にいうと、サブフレームｎ＋ｘは、ｘ個のサブフレームの遅延の後のサブフレームｎに対応するサブフレームを表す。サブフレームｎ＋ｘに対応する特定のサブフレームインデックスは、ｎ＋ｘを使用することによる１０に対するモジュロ演算を実行することによって取得され得る。たとえば、ｎ＝４およびｘ＝７と仮定すると、サブフレームｎ＋ｘは、サブフレーム４を含む無線フレームの後の第１の無線フレームにおいてサブフレームインデックスが１であるサブフレームを表す。
【００９３】
サブフレームｎ＋３（スケジューリング情報を搬送するためのサブフレーム）を含むダウンリンクバーストに最も近いアップリンクバーストにおいてアップリンク制御情報を搬送する利益は、アクセスネットワークデバイスが、可能な限り早くフィードバック情報を取得することができることである。一般的に、ダウンリンクバーストはアップリンクバーストに続くので、アクセスネットワークデバイスが、サブフレームｎ＋７またはサブフレームｎ＋８において、端末デバイスによってフィードバックされたアップリンク制御情報を受信する場合、アクセスネットワークデバイスは、アップリンク制御情報に従って次のダウンリンクバースト内のダウンリンクデータのための適正なＭＣＳを設定し、それによって、アンライセンススペクトルリソース上でのダウンリンクデータ伝送の効率を高めることができる。
【００９４】
実装形態３：端末デバイスが、他のサブフレームにおいて、アップリンク制御情報を搬送するためのアップリンクサブフレームとして、アップリンク情報を伝送するためのＯＦＤＭシンボルの量が指定された閾値以上であるサブフレームを決定する。他のサブフレームは、Ｍ個のアップリンクサブフレームの中の第１のサブフレーム以外のサブフレームである。
【００９５】
指定された閾値は、アップリンク制御情報を搬送することができるＯＦＤＭシンボルの量以上であることを含んでよい。非周期的ＣＳＩを例として使用すると、指定された閾値は、１４のＯＦＤＭシンボルを含んでよい。この実践（practice）の利益は、アップリンク制御情報の伝送効率が保証可能であることである。加えて、システム設計が簡略化されるように、既存のＬＴＥシステムの設計基準がアップリンク制御情報の伝送のために再使用されることがさらに指定されてよい。
【００９６】
任意選択で、第１のサブフレームに加えて、Ｍ個のアップリンクサブフレームが、以下の条件、すなわち、サブフレームにおいてアップリンク情報を伝送するためのＯＦＤＭシンボルの量が指定された閾値以上であること、を満たす複数のアップリンクサブフレームを含む場合、端末デバイスは、複数のアップリンクサブフレームの時間系列における最後のアップリンクサブフレームを、アップリンク制御情報を搬送するためのアップリンクサブフレームとして使用してよい。たとえば、Ｍ個のアップリンクサブフレームの時間系列内の最後のアップリンクサブフレーム（たとえば、図４におけるサブフレームｎ＋７）においてアップリンク情報を伝送するためのＯＦＤＭシンボルの量が１４未満であるが、Ｍ個のアップリンクサブフレームの時間系列内の最後から２番目のアップリンクサブフレームにおいてアップリンク情報を伝送するためのＯＦＤＭシンボルの量が１４に等しい場合、端末デバイスは、アップリンク制御情報を搬送するためのアップリンクサブフレームとして、Ｍ個のアップリンクサブフレームの時間系列内の最後から２番目のアップリンクサブフレームを決定してよい。
【００９７】
本発明のこの実施形態では、端末デバイスは、スケジューリング情報または他の標識情報に従って、各スケジュールされたアップリンクサブフレームにおいてアップリンク情報を伝送するためのＯＦＤＭシンボルの量を決定してよく、アップリンク情報を伝送するためのＯＦＤＭシンボルの量と指定された閾値との間の関係をさらに決定してよい。決定されたＯＦＤＭシンボルの量が指定された閾値以上である場合、対応するアップリンクサブフレームは、アップリンク情報を伝送するために使用されてよい。さらに、端末デバイスは、決定されたアップリンクサブフレームの時間系列における指定された閾値との関係（時間系列関係）を満たす第１のアップリンクサブフレームを、アップリンク制御情報を伝送するためのアップリンクサブフレームとして使用してよく、この実践の利益は、アクセスネットワークデバイスがチャネル状態情報をより早く取得することができることである。あるいは、端末デバイスは、決定されたアップリンクサブフレームの時間系列において、指定された閾値との関係を満たす最後のアップリンクサブフレームを、アップリンク制御情報を伝送するためのアップリンクサブフレームとして使用してよく、この実践の利益は、上記で説明されたように、アップリンク制御情報を伝送するための機会が保証可能であることである。図３を参照すると、アクセスネットワークデバイスがサブフレームｎを使用することによってスケジューリング情報を送信するとき、端末デバイスが、サブフレームｎ＋４の前に競合を通じてアンライセンススペクトルリソースを取得することができることが仮定され得る。したがって、サブフレームｎ＋５からサブフレームｎ＋７に対してアクセスネットワークデバイスによって送信されたスケジューリング情報によってスケジュールされたアップリンクデータは、１４のＯＦＤＭシンボルにおいて伝送されてよい。端末デバイスがスケジューリング情報または標識情報を受信した後、端末デバイスは、サブフレームｎ＋５からサブフレームｎ＋７においてアップリンク情報を伝送するためのＯＦＤＭシンボルの量が指定された閾値（たとえば、１４のＯＦＤＭシンボル）以上であることを決定してよい。このケースでは、本発明のこの実施形態において、サブフレームｎ＋５からサブフレームｎ＋７のいずれか１つは、アップリンク制御情報を搬送するためのアップリンクサブフレームとして使用されてよい。依然として図４を参照すると、アクセスネットワークデバイスがサブフレームｎを使用することによってスケジューリング情報を送信するとき、端末デバイスは、サブフレームｎ＋４の前に競合を通じてアンライセンススペクトルリソースを取得することができることが仮定され得る。加えて、アクセスネットワークデバイスがサブフレームｎ＋７の後にダウンリンク情報を送信する必要があることが考慮される。したがって、サブフレームｎ＋７においてアップリンク情報を伝送するためのＯＦＤＭシンボルの量は１４未満である。したがって、サブフレームｎ＋５およびサブフレームｎ＋６に対してアクセスネットワークデバイスによって送信されたスケジューリング情報によってスケジュールされたアップリンクデータは、１４のＯＦＤＭシンボルにおいて伝送されてよいが、サブフレームｎ＋７に対して送信されたスケジューリング情報によってスケジュールされたアップリンクデータは、ＯＦＤＭシンボルの一部においてのみ伝送可能である。端末デバイスがスケジューリング情報または標識情報を受信した後、端末デバイスは、サブフレームｎ＋５およびサブフレームｎ＋６においてアップリンク情報を伝送するためのＯＦＤＭシンボルの量は指定された閾値以上であるが、サブフレームｎ＋７においてアップリンク情報を伝送するためのＯＦＤＭシンボルの量は指定された閾値未満であることを決定してよい。このケースでは、端末デバイスは、アップリンク制御情報を搬送するためのアップリンクサブフレームとしてサブフレームｎ＋６を決定してよい。
【００９８】
本発明のこの実施形態では、指定された閾値は、標準プロトコルによって指定されてもよいし、上位層シグナリングを使用することによって通知されてもよい。上位層シグナリングは、無線リソース制御（Ｒａｄｉｏ  Ｒｅｓｏｕｒｃｅ  Ｃｏｎｔｒｏｌ、ＲＲＣ）シグナリングを含む、またはメディアアクセス制御（Ｍｅｄｉｕｍ  Ａｃｃｅｓｓ  Ｃｏｎｔｒｏｌ、ＭＡＣ）シグナリングを含む。しかしながら、これはまた、物理層シグナリングを使用することによって閾値を通知することを除外しない。
【００９９】
実装形態４：端末デバイスが、サブフレームｎにおいてスケジューリング情報を受信し、端末デバイスが、第１のサブフレームを除くＭ個のアップリンクサブフレームにおいて、サブフレームｎと同じ最大チャネル占有時間（Ｍａｘｉｍｕｍ  Ｃｈａｎｎｅｌ  Ｏｃｃｕｐａｎｃｙ  Ｔｉｍｅ、ＭＣＯＴ）内で任意のアップリンクサブフレームを、アップリンク制御情報を搬送するためのアップリンクサブフレームとして決定する。任意選択で、端末デバイスは、第１のサブフレームを除くＭ個のアップリンクサブフレームにおいて、サブフレームｎと同じＭＣＯＴ内で最後のまたは最後から２番目のアップリンクサブフレームを、アップリンク制御情報を搬送するためのアップリンクサブフレームとして決定してよい。または、任意選択で、端末デバイスは、第１のサブフレームを除くＭ個のアップリンクサブフレームにおいて、サブフレームｎと同じＭＣＯＴ内にあり、アップリンク情報を伝送するためのＯＦＤＭシンボルの量が指定された閾値以上であるアップリンクサブフレームの時間系列内の、最後のまたは最後から２番目のアップリンクサブフレームを、アップリンク制御情報を搬送するためのアップリンクサブフレームとして決定してよい。
【０１００】
図８に示されるように、アクセスネットワークデバイスがサブフレームｎにおいてダウンリンク情報を伝送し始め、アンライセンススペクトル内のＭＣＯＴが８ｍｓに設定されると仮定すると、ＭＣＯＴ内に含まれる時間範囲は、サブフレームｎのサブフレーム開始境界から始まり、サブフレームｎ＋８のサブフレーム開始境界で終わる。さらに、端末デバイスがサブフレームｎ＋２においてスケジューリング情報を受信し、このスケジューリング情報は、サブフレームｎ＋６、サブフレームｎ＋７、サブフレームｎ＋８、およびサブフレームｎ＋９においてアップリンクデータを伝送するように端末デバイスに命令すると仮定すると、実装形態４では、端末デバイスは、アップリンク制御情報を搬送するためのアップリンクサブフレームとしてサブフレームｎ＋７を決定してよい。実装形態４では、端末デバイスは、ＭＣＯＴ内で高い優先順位のＣＣＡを使用し得る。したがって、端末デバイスは、競合を通じてアンライセンススペクトルリソースをより容易に取得し、それによって、アップリンク制御情報の伝送をさらに保証することができる。低い優先順位のＣＣＡと比較して、高い優先順位のＣＣＡは、アンライセンススペクトルリソースをより容易に取得するために使用可能である。たとえば、高い優先順位のＣＣＡは、ランダムバックオフパラメータを含まないＬＢＴ、たとえば、１回限りのＬＢＴであってよい。
【０１０１】
実装形態５：端末デバイスが、サブフレームｎにおいてスケジューリング情報を受信し、端末デバイスが、第１のサブフレームを除くＭ個のアップリンクサブフレームにおいて、クリアチャネルアセスメント（ＣＣＡ）を必要としない任意のサブフレームを、アップリンク制御情報を搬送するためのアップリンクサブフレームとして決定する。任意選択で、第１のサブフレームを除くＭ個のアップリンクサブフレームにおいて、アップリンク制御情報を搬送するための決定されたアップリンクサブフレームは、ＣＣＡを必要としないアップリンクサブフレームの時間系列における第１のアップリンクサブフレームである。任意選択で、第１のサブフレームを除くＭ個のアップリンクサブフレームにおいて、アップリンク制御情報を搬送するための決定されたアップリンクサブフレームは、ＣＣＡを必要とせず、アップリンク情報を伝送するためのＯＦＤＭシンボルの量が指定された閾値以上であるアップリンクサブフレームの時間系列における第１のアップリンクサブフレームである。図９に示されるように、端末デバイスは、サブフレームｎ＋３において、アクセスネットワークデバイスによって送信されたスケジューリング情報を受信し、スケジューリング情報は、サブフレームｎ＋７、サブフレームｎ＋８、サブフレームｎ＋１２、およびサブフレームｎ＋１３においてアップリンクデータを伝送するように端末デバイスに命令する。アップリンクサブフレームｎ＋１２では、アップリンクサブフレームｎ＋１２は、ダウンリンクバースト内の最後のダウンリンクサブフレームに直接隣接するので、アップリンクサブフレームにおいてアップリンク情報を伝送するための時間の開始境界と最後のダウンリンクサブフレームにおいてダウンリンク情報を伝送するための時間の終了境界との時間差が、特定の閾値（たとえば、この特定の閾値は１６マイクロ秒であってよい）未満である場合、端末デバイスが、サブフレームｎ＋１２においてスケジュールされたアップリンクデータを伝送するとき、端末デバイスは、ＣＣＡを実行することなくアンライセンススペクトルリソースを直接使用することによってアップリンク情報を伝送してよい。さらに、ＣＣＡなしに実行されるアップリンク情報伝送の持続時間は、一般的に制限される、たとえば、１ｍｓである。したがって、端末デバイスが、サブフレームｎ＋１３においてスケジュールされたアップリンクデータを伝送するとき、端末デバイスは、ＣＣＡを実行することによって、アンライセンススペクトルリソースが利用可能であるかどうかを決定する必要がある。
【０１０２】
実装形態５では、端末デバイスは、アップリンク制御情報を搬送するためのアップリンクサブフレームとしてアップリンクサブフレームｎ＋１２を決定してよい。この実践の利益は、端末デバイスは、アップリンク情報がサブフレームｎ＋１２において伝送可能であるかどうかを決定するためにＣＣＡを実行することを必要としないことである。反対に、端末デバイスは、サブフレームｎ＋１２を使用することによってアップリンク制御情報を直接的に伝送することができ、したがって、アップリンク制御情報を伝送するための機会が保証可能である。図９では、アップリンクサブフレームｎ＋８に対応するＣＣＡが含まれていないが、アップリンクサブフレームｎ＋８に対応するＣＣＡが存在するかどうかは、端末デバイスがアップリンクサブフレームｎ＋７において競合を通じてアンライセンススペクトルリソースを取得することができるかどうかに依存することが留意されるべきである。端末デバイスが、アップリンクサブフレームｎ＋７において競合を通じてアンライセンススペクトルリソースを取得する場合、アップリンクサブフレームｎ＋８に対応するＣＣＡは存在しない。反対に、端末デバイスが、サブフレームｎ＋７において競合を通じてアンライセンススペクトルリソースを取得するのに失敗した場合、アップリンクサブフレームｎ＋７に対応するＣＣＡは存在する。言い換えれば、アップリンクサブフレームｎ＋８に対応するＣＣＡが存在しない可能性がある。実装形態５では、アップリンク制御情報を搬送するためのアップリンクサブフレームに対応するＣＣＡが存在しないと決定されることが強調される。したがって、実装形態５では、アップリンクサブフレームｎ＋８は、アップリンク制御情報を搬送するのに適さないアップリンクサブフレームである。本発明のこの実施形態では、アップリンクサブフレームに対応するＣＣＡが存在することは、端末デバイスがアップリンクサブフレームにおいてアップリンク情報を伝送する前に、端末デバイスは、ＣＣＡを実行することによって、アンライセンススペクトルリソースが利用可能であるかどうかを最初に決定する必要があることを意味することが留意されるべきである。アップリンクサブフレームに対応するＣＣＡが存在しないことは、端末デバイスがアップリンクサブフレームにおいてアップリンク情報を伝送する前に、端末デバイスは、ＣＣＡを実行することによってアンライセンススペクトルリソースの利用可能性を決定することなく、アンライセンススペクトルリソースを直接的に使用することができることを意味する。
【０１０３】
実装形態１、実装形態２、実装形態４、または実装形態５は、実装形態３と組み合わせて使用されてよいことが指摘されるべきである。たとえば、Ｍ個のアップリンクサブフレームの時間系列内の最後のサブフレームまたは時間系列内の最後から２番目のサブフレームは、アップリンク情報を伝送するためのＯＦＤＭシンボルの量が指定された閾値以上であるとき、アップリンク制御情報を搬送するためのアップリンクサブフレームとして使用されてよい。たとえば、アップリンクバーストの時間系列内の最後のまたは最後から２番目のアップリンクサブフレームは、アップリンク情報を伝送するためのＯＦＤＭシンボルの量が指定された閾値以上であるとき、アップリンク制御情報を搬送するためのアップリンクサブフレームとして使用されてよい。別の例として、スケジューリング情報を含むダウンリンクサブフレームと同じＭＣＯＴ内の、第１のサブフレームを除くＭ個のアップリンクサブフレームのいずれか１つは、アップリンク情報を伝送するためのＯＦＤＭシンボルの量が指定された閾値以上であるとき、アップリンク制御情報を搬送するためのアップリンクサブフレームとして使用されてよい。別の例として、第１のアップリンクサブフレームを除くＭ個のアップリンクサブフレームの中の、クリアチャネルアセスメント（ＣＣＡ）を必要としない任意のサブフレームは、アップリンク情報を伝送するためのＯＦＤＭシンボルの量が指定された閾値以上であるとき、アップリンク制御情報を搬送するためのアップリンクサブフレームとして使用されてよい。
【０１０４】
実装形態１から実装形態５において決定される、アップリンク制御情報を搬送するためのアップリンクサブフレームに対して、アップリンクサブフレームの位置が決定されるので、非表示ノードによって引き起こされる干渉がアンライセンススペクトル内に存在する場合、アクセスネットワークデバイスおよび端末デバイスは、アップリンク制御情報を搬送するためのアップリンクサブフレームに関する異なる理解をもたないことが留意されるべきである。したがって、アップリンク制御情報の適切な伝送が保証される。本明細書における非表示ノードは、端末デバイスがアクセスネットワークデバイスにアップリンク情報を送信する前にＣＣＡが実行される必要があるときにＣＣＡプロセスにおいて端末デバイスがリッスンするのに失敗したノード（このノードはデータを送信中である）を含む。アクセスネットワークデバイスが、端末デバイスによって送信されたアップリンク情報を受信するとき、ノードによって送信されたデータが受信への干渉を引き起こす場合、このノードは、端末デバイスに対する非表示ノードと考慮されてよい。
【０１０５】
前述の実施形態は、端末デバイスの観点から説明されている。この実施形態では、アクセスネットワークデバイスは標識情報を送信することがあり、この標識情報は、アップリンク制御情報を搬送するためのアップリンクサブフレームを示し、アップリンクサブフレームは、Ｍ個のアップリンクサブフレームの中の第１のサブフレーム以外のサブフレームである。任意選択で、アップリンクサブフレームは、端末デバイスの前述の実施形態によって定義された特徴をもつ。
【０１０６】
前述の方法に対応して、本発明は、端末デバイスを提供する。この端末デバイスは、Ｕ−ＬＴＥシステムにおけるマルチサブフレームスケジューリングシナリオに適用されてよく、この端末デバイスは、前述の方法実施形態における各ステップを実行し得る。
【０１０７】
図１０を参照すると、実施形態では、端末デバイスは、
アクセスネットワークデバイスからスケジューリング情報およびトリガ情報を受信するように構成された受信ユニット１００１であって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信ユニット１００１と、
Ｍ個のアップリンクサブフレームにおいて、アップリンク制御情報を搬送するためのアップリンクサブフレームを決定するように構成された決定ユニット１００２であって、決定されたアップリンクサブフレームは、Ｍ個のアップリンクサブフレームの中の第１のサブフレーム以外のサブフレームであり、第１のサブフレームは、Ｍ個のアップリンクサブフレームの中の第１のアップリンクサブフレームである、決定ユニット１００２と、
決定されたアップリンクサブフレームにおいてアップリンク制御情報を送信するように構成された送信ユニット１００３と
を含む。
【０１０８】
実施形態では、決定ユニットによって決定されたアップリンクサブフレームは、Ｍ個のアップリンクサブフレームの時間系列内の最後のサブフレームまたは時間系列内の最後から２番目のサブフレームである。
【０１０９】
実施形態では、受信ユニットは、サブフレームｎにおいてスケジューリング情報を受信し、決定ユニットは、Ｍ個のアップリンクサブフレーム内に含まれるアップリンクバーストの時間系列内の最後のまたは最後から２番目のアップリンクサブフレームを、アップリンク制御情報を搬送するためのアップリンクサブフレームとして決定するように構成され、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０１１０】
実施形態では、決定ユニットによって決定されたアップリンクサブフレームにおいてアップリンク情報を伝送するためのＯＦＤＭシンボルの量は、指定された閾値以上である。
【０１１１】
実施形態では、スケジューリング情報とトリガ情報は、同じダウンリンク制御情報内で搬送される。
【０１１２】
実施形態では、アップリンク制御情報は、チャネル状態情報、サウンディング基準信号、およびハイブリッド自動再送要求肯定応答のうちの少なくとも１つを含む。
【０１１３】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、Ｍ個のアップリンクサブフレームにおいて、アップリンク制御情報を搬送するためのアップリンクサブフレームを決定することに関する特定の実装形態の詳細についても、前述の方法実施形態における関連説明を参照されたい。
【０１１４】
図１１を参照すると、別の実施形態では、端末デバイスは、
アクセスネットワークデバイスからスケジューリング情報およびトリガ情報を受信するように構成された受信機１１０１であって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信機１１０１と、
Ｍ個のアップリンクサブフレームにおいて、アップリンク制御情報を搬送するためのアップリンクサブフレームを決定するように構成されたプロセッサ１１０２であって、決定されたアップリンクサブフレームは、Ｍ個のアップリンクサブフレームの中の第１のサブフレーム以外のサブフレームであり、第１のサブフレームは、Ｍ個のアップリンクサブフレームの中の第１のアップリンクサブフレームである、プロセッサ１１０２と、
決定されたアップリンクサブフレームにおいてアップリンク制御情報を送信するように構成された送信機１１０３と
を含む。
【０１１５】
実施形態では、決定ユニットによって決定されたアップリンクサブフレームは、Ｍ個のアップリンクサブフレームの時間系列内の最後のサブフレームまたは時間系列内の最後から２番目のサブフレームである。
【０１１６】
実施形態では、受信ユニットは、サブフレームｎにおいてスケジューリング情報を受信し、決定ユニットは、Ｍ個のアップリンクサブフレーム内に含まれるアップリンクバーストの時間系列内の最後のまたは最後から２番目のアップリンクサブフレームを、アップリンク制御情報を搬送するためのアップリンクサブフレームとして決定するように構成され、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０１１７】
実施形態では、決定ユニットによって決定されたアップリンクサブフレームにおいてアップリンク情報を伝送するためのＯＦＤＭシンボルの量は、指定された閾値以上である。
【０１１８】
実施形態では、スケジューリング情報とトリガ情報は、同じダウンリンク制御情報内で搬送される。
【０１１９】
実施形態では、アップリンク制御情報は、チャネル状態情報、サウンディング基準信号、およびハイブリッド自動再送要求肯定応答のうちの少なくとも１つを含む。
【０１２０】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、Ｍ個のアップリンクサブフレームにおいて、アップリンク制御情報を搬送するためのアップリンクサブフレームを決定することに関する特定の実装形態の詳細についても、前述の方法実施形態における関連説明を参照されたい。
【０１２１】
実施形態２
アップリンク制御情報を報告するための機会を保証し、アンライセンススペクトル内でダウンリンクデータを伝送する効率を改善するために、本発明は、アップリンク制御情報を伝送するための方法の実施形態を提供する。この実施形態は、Ｕ−ＬＴＥ（アンライセンススペクトル上のＬＴＥ）システムにおけるマルチサブフレームスケジューリングシナリオに適用されてよい。Ｕ−ＬＴＥシステムは、アンライセンススペクトル内で作動するＬＴＥシステムであり、ＣＡモードでライセンス帯域リソースおよびアンライセンススペクトルリソースを共同で使用するＬＴＥシステム（ＬＡＡ−ＬＴＥシステム）を含んでもよいし、デュアルコネクティビティ（Ｄｕａｌ  Ｃｏｎｎｅｃｔｉｖｉｔｙ、ＤＣ）モードでライセンス帯域リソースおよびアンライセンススペクトルリソースを共同で使用するＬＴＥシステムを含んでもよいし、アンライセンススペクトルリソース内で独立して展開されるＬＴＥシステム（スタンドアロンＵ−ＬＴＥ）を含んでもよいことが留意されるべきである。
【０１２２】
図１２を参照すると、本発明は、アップリンク制御情報を伝送するための方法の実施形態を提供する。この方法は、アンライセンススペクトル内で作動するＬＴＥシステムに適用されてよい。この方法は、以下のステップを含む。
【０１２３】
Ｓ１２０１。端末デバイスが、アクセスネットワークデバイスからスケジューリング情報およびトリガ情報を受信し、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される。
【０１２４】
Ｓ１２０２。端末デバイスが、Ｍ個のアップリンクサブフレームにおいて、アップリンク制御情報を搬送するための少なくとも２つのアップリンクサブフレームを決定する。
【０１２５】
Ｓ１２０３。端末デバイスが、少なくとも２つのアップリンクサブフレームにおいてアップリンク制御情報を送信する。
【０１２６】
この実施形態におけるスケジューリング情報、トリガ情報、およびアップリンク制御情報の定義および機能については、実施形態１における関連説明を参照されたい。詳細は、本明細書において、さらに説明されない。
【０１２７】
実施形態では、スケジューリング情報とトリガ情報は、同じダウンリンク制御情報内で搬送される。たとえば、スケジューリング情報とトリガ情報の両方が、ＵＬグラント内で搬送される。
【０１２８】
実施形態では、スケジューリング情報とトリガ情報は、同じダウンリンクサブフレームにおいて搬送される。本発明のこの実施形態では、アップリンク制御情報を送信するように端末デバイスに命令するために使用されるスケジューリング情報およびトリガ情報は、同じサブフレームにおいて搬送される。または任意選択で、トリガ情報を含むサブフレームが、時間系列においてスケジューリング情報を含むサブフレームに先行し、間違いなく、これはまた、トリガ情報を含むサブフレームが、時間系列において、スケジューリング情報を含むサブフレームに続き、Ｍ個のアップリンクサブフレームの中の第１のアップリンクサブフレームに先行することを除外しない。
【０１２９】
この実施形態では、アップリンクデータを伝送するためのＭ個のアップリンクサブフレームの中の少なくとも２つのサブフレームは、アップリンク制御情報を搬送するために使用されるので、アップリンク制御情報は、可能な限り早くフィードバック可能であり、および／または、アップリンク制御情報は複数のアップリンクサブフレームにおいて別々に搬送されるので、スケジュールされたアップリンクサブフレームにおいてのアップリンクデータ伝送のための過度のアップリンクリソースの占有が回避可能である。
【０１３０】
図１３に示されるマルチサブフレームスケジューリングにおけるサブフレーム間の関係の図は、本発明のこの実施形態の特定の実装形態について説明するために例として使用される。端末デバイスが、サブフレームｎにおいて、アクセスネットワークデバイスによって送信されたアップリンクスケジューリンググラントＵＬグラント情報を受信し、この情報は、サブフレームｎ＋４、サブフレームｎ＋５、サブフレームｎ＋６、およびサブフレームｎ＋７においてスケジュールされたアップリンクデータを送信するように端末デバイスをスケジュールし、アップリンクデータはＰＵＳＣＨ内で搬送されると仮定される。このケースでは、サブフレームｎ＋４、サブフレームｎ＋５、サブフレームｎ＋６、およびサブフレームｎ＋７のいずれか２つが、アップリンク制御情報を伝送するために使用されてよい。任意選択で、サブフレームｎ＋４およびサブフレームｎ＋５が、アップリンク制御情報を伝送するために使用されてよいサブフレームであると仮定すると、本発明のこの実施形態では、端末デバイスが、サブフレームｎ＋４において競合を通じてアンライセンススペクトルリソースを取得するのに失敗した場合、端末デバイスは、サブフレームｎ＋５において、アンライセンススペクトルリソースが競合を通じて取得されるかどうかをさらに決定し、アップリンク制御情報がサブフレームｎ＋５において伝送可能であるかどうかをさらに決定してよい。一方、端末デバイスが、サブフレームｎ＋４において競合を通じてアンライセンススペクトルリソースを取得した場合、端末デバイスは、サブフレームｎ＋４においてアップリンク制御情報を伝送してよく、端末デバイスは、サブフレームｎ＋５においてアップリンク制御情報を引き続き伝送する。
【０１３１】
任意選択で、この解決策では、端末デバイスが、Ｍ個のアップリンクサブフレームのいずれか１つにおいてアップリンク情報を伝送する前に、端末デバイスは、ＣＣＡを実行することによって、アンライセンススペクトルリソースが競合を通じて取得可能であるかどうかを決定する必要がある。言い換えれば、端末デバイスが、Ｍ個のアップリンクサブフレームの中の第１のアップリンクサブフレームにおいてアップリンク情報を伝送する前に、端末デバイスは、ＣＣＡを実行することによって、アンライセンススペクトルリソースが競合を通じて取得可能であるかどうかを決定する必要がある。Ｍ個のアップリンクサブフレームの中の第１のアップリンクサブフレーム以外のアップリンクサブフレームにおいて、アンライセンススペクトルリソースが競合を通じて取得可能であるかどうかを決定するためにＣＣＡが実行される必要があるかどうかは、アンライセンススペクトルリソースが、他のアップリンクサブフレームの前のアップリンクサブフレームに対応するＣＣＡにおいて競合を通じて取得されるかどうかに依存する。たとえば、図１３を例として使用すると、端末デバイスが、サブフレームｎ＋５においてアップリンク情報を伝送する前にアンライセンススペクトルリソースの利用可能性を決定するためにＣＣＡを実行する必要があるかどうかは、端末デバイスがサブフレームｎ＋４において競合を通じてアンライセンススペクトルリソースを取得するかどうかに依存する。端末デバイスが、サブフレームｎ＋４においてアップリンク情報を伝送する前に競合を通じてアンライセンススペクトルリソースを取得した（これは、「端末デバイスが、サブフレームｎ＋４において競合を通じてアンライセンススペクトルリソースを取得すると理解されてよい）場合、端末デバイスは、サブフレームｎ＋５においてアップリンク情報を伝送する前にアンライセンススペクトルリソースを巡って競合するためにＣＣＡを実行する必要がないことがある。反対に、端末デバイスが、サブフレームｎ＋４においてアップリンク情報を伝送する前に競合を通じてアンライセンススペクトルリソースを取得するのに失敗した（これは、「端末デバイスが、サブフレームｎ＋４において競合を通じてアンライセンススペクトルリソースを取得するのに失敗したと理解されてよい）場合、端末デバイスは、サブフレームｎ＋５においてアップリンク情報を伝送する前にアンライセンススペクトルリソースを巡って競合するためにＣＣＡを実行する必要がある。同様に、端末デバイスが、サブフレームｎ＋６においてアップリンク情報を伝送する前にアンライセンススペクトルリソースの利用可能性を決定するためにＣＣＡを実行する必要があるかどうかは、端末デバイスがサブフレームｎ＋４および／またはサブフレームｎ＋５において競合を通じてアンライセンススペクトルリソースを取得するかどうかに依存することがある。
【０１３２】
この実施形態では、端末デバイスは、Ｍ個のアップリンクサブフレームにおいて複数の様式で、アップリンク制御情報を搬送するための少なくとも２つのアップリンクサブフレームを決定することがある。
【０１３３】
実装形態１：少なくとも２つのアップリンクサブフレームは、Ｍ個のアップリンクサブフレームの時間系列内の最後のサブフレームおよび時間系列内の最後から２番目のサブフレームのうちの少なくとも１つを含む。
【０１３４】
実装形態２：端末デバイスが、サブフレームｎにおいてスケジューリング情報を受信し、少なくとも２つのアップリンクサブフレームは、アップリンクバーストの時間系列内の最後のアップリンクサブフレームおよび最後から２番目のアップリンクサブフレームのうちの少なくとも１つを含み、アップリンクバーストは、時間的に連続して占有され、Ｍ個のアップリンクサブフレーム内に含まれる複数のアップリンクサブフレームを指し、アップリンクバーストは、サブフレームｎを含むダウンリンクバーストの後であり、サブフレームｎを含むダウンリンクバーストに直接隣接する。
【０１３５】
より一般的には、本発明のこの実施形態では、端末デバイスは、少なくとも２つのアップリンクサブフレーム内に含まれるアップリンクサブフレームとして、アップリンクバースト内の任意の２つのアップリンクサブフレームを決定し、この任意の２つのアップリンクサブフレームのうちのどちらも、Ｍ個のアップリンクサブフレームの中の第１のアップリンクサブフレームではない。
【０１３６】
実装形態３：少なくとも２つのアップリンクサブフレームは、Ｍ個のアップリンクサブフレームの時間系列内の第１のサブフレームを含む。
【０１３７】
実装形態４：少なくとも２つのアップリンクサブフレームにおいてアップリンク情報を伝送するためのＯＦＤＭシンボルの量は、指定された閾値以上である。
【０１３８】
実装形態５：端末デバイスが、サブフレームｎにおいてスケジューリング情報を受信し、Ｍ個のアップリンクサブフレームにおいて、少なくとも２つのアップリンクサブフレームは、サブフレームｎと同じ最大チャネル占有時間（Ｍａｘｉｍｕｍ  Ｃｈａｎｎｅｌ  Ｏｃｃｕｐａｎｃｙ  Ｔｉｍｅ、ＭＣＯＴ）内の任意のアップリンクサブフレームを含む。任意選択で、Ｍ個のアップリンクサブフレームにおいて、少なくとも２つのアップリンクサブフレームは、アップリンク制御情報を搬送するためのアップリンクサブフレームとして、サブフレームｎと同じＭＣＯＴ内の最後のまたは最後から２番目のアップリンクサブフレームを含む。または、任意選択で、端末デバイスは、Ｍ個のアップリンクサブフレームにおいて、サブフレームｎと同じＭＣＯＴ内にあり、アップリンク情報を伝送するためのＯＦＤＭシンボルの量が指定された閾値以上であるアップリンクサブフレームの時間系列内の最後のまたは最後から２番目のアップリンクサブフレームを、アップリンク制御情報を搬送するためのアップリンクサブフレームとして決定してよい。
【０１３９】
実装形態６：端末デバイスが、サブフレームｎにおいてスケジューリング情報を受信し、Ｍ個のアップリンクサブフレームにおいて、少なくとも２つのアップリンクサブフレームは、クリアチャネルアセスメント（ＣＣＡ）を必要としない任意のサブフレームを含む。任意選択で、Ｍ個のアップリンクサブフレームにおいて、少なくとも２つのアップリンクサブフレームは、ＣＣＡを必要としないアップリンクサブフレームの時間系列内の第１のアップリンクサブフレームを含む。任意選択で、Ｍ個のアップリンクサブフレームにおいて、少なくとも２つのアップリンクサブフレームは、ＣＣＡを必要とせず、アップリンク情報を伝送するためのＯＦＤＭシンボルの量が指定された閾値以上であるアップリンクサブフレームの時間系列内の、第１のアップリンクサブフレームを含む。
【０１４０】
実装形態１から実装形態６は、組み合わせて使用されてよいことが指摘されるべきである。
【０１４１】
この実施形態では、実装形態４を除いて、少なくとも２つのアップリンクサブフレームを決定するための方法は、実施形態１においてアップリンク制御情報を搬送するためのアップリンクサブフレームを決定するための方法に類似している。実装形態１から実装形態３、実装形態５、および実装形態６に関する詳細については、実施形態１における関連説明を参照されたい。詳細は、本明細書において、さらに説明されない。
【０１４２】
実施形態では、少なくとも２つのアップリンクサブフレームの各々において搬送されるアップリンク制御情報は同じである。
【０１４３】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。任意選択で、第１のアップリンクサブフレームにおいて搬送されるアップリンク制御情報の内容は、第２のサブフレームにおいて搬送されるアップリンク制御情報の内容と一致しない、または、第１のアップリンクサブフレームにおいて搬送される制御情報の内容は、第２のサブフレームにおいて搬送されるアップリンク制御情報の内容を含む。
【０１４４】
以下は、アップリンク制御情報が非周期的ＣＳＩである例を使用することによって、本発明のこの実施形態について説明する。
【０１４５】
この実施形態の解決策についてより良く説明するために、第一に、従来技術における、スケジュールされたアップリンクリソース内でＣＳＩ（周期的ＣＳＩと非周期的ＣＳＩとを含む）を伝送するためのルール（ＣＳＩがＰＵＳＣＨ内で搬送されることが理解され得る）が説明される。説明を簡単にするために、ＦＤＤシステムが、例として使用される。ＣＳＩ伝送におけるＴＤＤシステムとＦＤＤシステムの違いは、主に、ＴＤＤシステム内のすべてのサブフレームが、アップリンク情報を伝送するためのアップリンクサブフレームであるとは限らないことにあり、これが、ＣＳＩ伝送時間位置を異なるようにさせることが留意されるべきである。
【０１４６】
第二に、ＣＳＩは、２つのタイプ、すなわち、周期的ＣＳＩと非周期的ＣＳＩとを含む。周期的ＣＳＩは、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）内で搬送されてもよいし、ＰＵＳＣＨ内で搬送されてもよい。非周期的ＣＳＩは、ＰＵＳＣＨ内で搬送され、非周期的ＣＳＩ動作はトリガ標識情報による。本発明のこの実施形態では、ＣＳＩがＰＵＳＣＨ内で搬送されるケースが主に考慮される。
【０１４７】
シングルキャリアケースでは、端末デバイスが、ＣＣ１のみを使用することによってアクセスネットワークデバイスとのデータ伝送を実行すると仮定すると、データ伝送は、ＣＣ１を使用することによってアクセスネットワークデバイスにデータを送信することを含んでもよいし、ＣＣ１を使用することによってアクセスネットワークデバイスによって送信されたデータを受信することを含んでもよい。端末デバイスが、サブフレームｋ−４において、アクセスネットワークデバイスによって送信されたアップリンクスケジューリング情報（ＵＬグラント）を受信した場合、端末デバイスは、サブフレームｋにおいてスケジュールされたアップリンクデータを伝送してよい。さらに、端末デバイスがサブフレームｋにおいてＣＳＩをフィードバックする必要がある場合、たとえば、サブフレームｋ−４において受信されたＵＬグラント情報がＣＳＩトリガ情報を含む（対応して、ＣＳＩ要求フィールドに対応するビットが１に設定されてよい）場合、または、端末デバイスが、アクセスネットワークデバイスによって構成されたＣＳＩフィードバック時間系列に従って、ＣＳＩがサブフレームｋにおいてフィードバックされる必要があることを決定する場合、端末デバイスは、サブフレームｋにおいてスケジュールされたアップリンクリソースを使用することによってＣＳＩを伝送してよい。
【０１４８】
マルチキャリアケースでは、端末デバイスが、複数のキャリアを使用することによってアクセスネットワークデバイスとのデータ伝送を実行し得ることが仮定される。たとえば、端末デバイスは、ＣＣ１、ＣＣ２、ＣＣ３、およびＣＣ４を同時に使用することによって、アクセスネットワークデバイスとのデータ伝送を実行してよい。非周期的ＣＳＩのケースでは、端末デバイスは、あらかじめ設定されたルールに従って、キャリアまたはサービングセルに対応するＣＳＩをフィードバックする。端末デバイスが、ＣＣ１のサブフレームｋ−４において、アクセスネットワークデバイスによって送信されたアップリンクスケジューリング情報（ＵＬグラント）を受信した場合、端末デバイスは、ＣＣ１のサブフレームｋにおいてアップリンクデータを伝送し得る。さらに、ＵＬグラント情報がＣＳＩ要求フィールドを含み、このフィールドが、アップリンク制御情報を伝送するように端末デバイスに命令する場合、端末デバイスは、（たとえば、以下の表２において説明されるように）あらかじめ設定されたルールに従って、サブフレームｋにおいてスケジュールされたアップリンクリソース内で、ＣＳＩ要求標識情報に対応するサービングセルに対応するＣＳＩを伝送する。本発明のこの実施形態では、サービングセルの概念は、キャリアの概念と一致することが留意されるべきである。表２では、ＣＳＩ要求フィールドは２つのビットを含んでよく、この２つのビットの異なる組み合わせが、４つの異なる状態を示すために使用され得る。たとえば、ＣＳＩ要求フィールド内に含まれるビットが「１１」の状態に設定されるとき、端末デバイスは、ＣＣ１のサブフレームｋにおいて、前述の例を参照して、サービングセルの第２のセット内に含まれる各サービングセルに対応するＣＳＩを伝送することがある。たとえば、上位層構成によれば、この例では、サービングセルの第１のセット（サービングセルの第１のセット）はＣＣ１とＣＣ２とを含み、サービングセルの第２のセット（サービングセルの第２のセット）はＣＣ３とＣＣ４とを含む。このケースでは、ＣＳＩ要求フィールド内に含まれるビットが「１１」の状態に設定されるとき、端末デバイスは、サブフレームｋにおいて、ＣＣ３およびＣＣ４に対応するＣＳＩを伝送する。
【０１４９】
【表２】
2019520734.tif 000045
【０１５０】
マルチキャリアケースでは、周期的ＣＳＩフィードバックの場合、同時ＰＵＣＣＨおよびＰＵＳＣＨ伝送が端末デバイスのために構成されるかどうか（具体的にいうと、端末デバイスが、ＰＵＣＣＨを使用することによってアップリンク制御情報を伝送するときにＰＵＳＣＨを使用することによってアップリンク情報を同時に伝送することができるかどうか）に関係なく、端末デバイスが、周期的ＣＳＩとＰＵＳＣＨ内で搬送されるＵＬデータとを同時に伝送する必要がある場合、端末デバイスは、スケジュールされたアップリンクリソース（ＵＬデータを搬送するためのＰＵＳＣＨリソース）を使用することによって周期的ＣＳＩを伝送する必要がある。周期的ＣＳＩの場合、サービングセルとも呼ばれる各ダウンリンクキャリア（たとえば、ＣＣ１、ＣＣ２、ＣＣ３、またはＣＣ４）に対応するＣＳＩのフィードバック期間は、独立して構成される。周期的ＣＳＩを伝送するための時間に、ＵＬデータが複数のキャリアのすべてにおいてスケジュールされる場合、端末デバイスは、あらかじめ設定されたルールに従って決定されたキャリアまたはサービングセルにおいてＣＳＩを伝送する。たとえば、あらかじめ設定されたルールによれば、端末デバイスは、ＣＳＩを伝送するために、最小セルインデックス（Ｃｅｌｌ  Ｉｎｄｅｘ）とともに構成されたサービングセルを選択する。
【０１５１】
そのうえ、端末デバイスが、非周期的ＣＳＩトリガ標識情報（ＣＳＩ要求フィールド）内に含まれるビット状態とサービングセルとの間の対応に従って、サービングセルに対応するＣＳＩを報告することを決定し得る前述のマルチキャリアケースに加えて、端末デバイスは、ＣＳＩ要求フィールド内に含まれるビット状態と上位層によって構成されたＣＳＩプロセス（ＣＳＩ  ｐｒｏｃｅｓｓ）との間の対応に従って、ＣＳＩプロセスに対応するＣＳＩを報告することをさらに決定してもよいし、特定のサービングセルに対して、サービングセルのＣＳＩプロセスに対応するＣＳＩを報告することを決定してもよい。または、端末デバイスは、ＣＳＩ要求フィールド内に含まれるビット状態とＣＳＩプロセスおよび／もしくは上位層によって構成された｛ＣＳＩプロセス、ＣＳＩサブフレームセット｝ペアとの間の対応に従って、ＣＳＩプロセスおよび／もしくは｛ＣＳＩプロセス、ＣＳＩサブフレームセット｝ペアに対応するＣＳＩを報告することをさらに決定してよい。
【０１５２】
第二に、アップリンク制御情報（Ｕｐｌｉｎｋ  Ｃｏｎｔｒｏｌ  Ｉｎｆｏｒｍａｔｉｏｎ、ＵＣＩ）およびＰＵＳＣＨによるリソース再使用では、そのリソース再使用図が図１４に示されている。本明細書におけるＵＣＩは、ＨＡＲＱ−ＡＣＫとＣＳＩとを含んでよく、ＨＡＲＱ−ＡＣＫはＡＣＫまたはＮＡＣＫを含み、ＣＳＩはＣＱＩとＰＭＩとＲＩとを含む。
【０１５３】
図１４を参照すると、物理リソースブロック（Ｐｈｙｓｉｃａｌ  Ｒｅｓｏｕｒｃｅ  Ｂｌｏｃｋ、ＰＲＢ）ペアが、説明のために例として使用される。ＰＲＢペアは、時間領域的に１つのサブフレームおよび周波領域数的に１２のサブキャリア内に含まれるリソース要素（Ｒｅｓｏｕｒｃｅ  Ｅｌｅｍｅｎｔ、ＲＥ）から構成される時間−周波数リソースである。直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）技術に基づいたＬＴＥシステムでは、時間−周波数リソースは、時間領域次元におけるＯＦＤＭシンボルと、周波数領域次元におけるＯＦＤＭサブキャリアに分割され、最小リソース粒度はＲＥと呼ばれる、すなわち、それは、時間領域における１つのＯＦＤＭシンボルと周波数領域における１つのＯＦＤＭサブキャリアの時間−周波数グリッドを表す。
【０１５４】
具体的には、ＣＳＩおよびアップリンクデータが、スケジュールされたアップリンクリソースにおいて多重化されるとき、スケジュールされたアップリンクリソース内でＣＳＩによって占有されるリソース要素の量は、上位層によって構成されたオフセット標識、アップリンクデータ伝送に対して割り振られた時間−周波数リソースの量、アップリンクデータ伝送における情報ビットの量、およびＣＳＩ内で伝送されることになる情報ビットの量に従って決定されてよい。ＲＩの場合、上位層によって構成されたオフセット標識は、
【０１５５】
【数１】
2019520734.tif 000046
または
【０１５６】
【数２】
2019520734.tif 000047
を含んでよい。端末デバイスは、このオフセット標識に従って、
【０１５７】
【数３】
2019520734.tif 000048
の値を決定し、ＲＩを伝送するために占有されることが必要な時間−周波数リソースの量をさらに決定してよい。ＣＱＩ（ＰＭＩを含む）の場合、オフセット標識は、
【０１５８】
【数４】
2019520734.tif 000049
または
【０１５９】
【数５】
2019520734.tif 000050
を含んでよい。端末デバイスは、このオフセット標識に従って、
【０１６０】
【数６】
2019520734.tif 000051
の値を決定し、ＣＱＩ（ＰＭＩを含む）を伝送するために占有されることが必要な時間−周波数リソースの量をさらに決定してよい。図１４におけるスケジュールされたアップリンクリソース内のＣＳＩの位置を依然として参照して、ＣＳＩが伝送されるべきＲＥが決定されてよい。
【０１６１】
ＣＳＩが、スケジュールされたアップリンクリソース内で搬送されるとき、スケジュールされたアップリンクリソース内のリソース再使用は、端末デバイスによって伝送されるＣＳＩおよびサービスデータによって、レートマッチングモードで実施される。したがって、ＣＳＩをもつリソースを再使用するアップリンクデータの場合、アップリンクデータの適切な伝送を保証するために、少なくとも、アップリンクデータに対応する変調符号化方式（Ｍｏｄｕｌａｔｉｏｎ  ａｎｄ  Ｃｏｄｉｎｇ  Ｓｃｈｅｍｅ、ＭＣＳ）は、アップリンクデータを伝送するために端末デバイスによって使用されるアップリンクリソースに対応する必要がある。
【０１６２】
実装形態では、少なくとも２つのアップリンクサブフレームの各々において搬送されるアップリンク制御情報は同じである。
【０１６３】
図１４を例として使用し、端末デバイスが、サブフレームｎ＋６およびサブフレームｎ＋７はＣＳＩを伝送するために使用されることを決定すると仮定すると、この実装形態では、２つのサブフレームにおいて搬送されるアップリンク制御情報は同じである。たとえば、複数のキャリアの場合、表２を参照すると、端末デバイスが、ＣＳＩ要求フィールドの標識に従って、サービングセルの第２のセットに対応するＣＳＩがフィードバックされる必要があることを決定すると仮定すると、端末デバイスは、サブフレームｎ＋６とサブフレームｎ＋７の両方において、サービングセルの第２のセットに対応するＣＳＩをフィードバックする。
【０１６４】
マルチサブフレームスケジューリングの場合、たとえば、ダウンリンクサブフレーム内に含まれるＵＬグラントは、少なくとも２つのアップリンクサブフレームにおいてスケジュールされたアップリンクデータを伝送するように端末デバイスをスケジュールし得る。シグナリングオーバヘッドを減少させるために、ＵＬグラント内に含まれるいくつかの情報フィールドが、複数のスケジュールされたアップリンクサブフレームのために再使用されてよい、すなわち、情報フィールドの１セットが使用される。たとえば、リソース割り当て（ｒｅｓｏｕｒｃｅ  ａｌｌｏｃａｔｉｏｎ）と、復調基準信号ＤＭＲＳに対応する循環シフト（Ｃｙｃｌｉｃ  ｓｈｉｆｔ）と、ＵＬグラント内に含まれ、異なるスケジュールされたアップリンクサブフレームに対応するＭＣＳは、同じである。ＣＳＩおよびアップリンクデータによるリソース再使用の前述の原理に従って、マルチサブフレームスケジューリングにおける同じリソース割り振り標識を考えると、ＣＳＩを含むアップリンクサブフレームにおけるアップリンクデータ伝送のために使用されるリソースは、ＣＳＩを含まないアップリンクサブフレームにおけるアップリンクデータ伝送のために使用されるリソースよりも少ない。アップリンクデータの適切な伝送を保証するために、ＭＣＳは、ＣＳＩを含むアップリンクサブフレームにおいてアップリンクデータ伝送のために実際に使用されるアップリンクリソースに基づいて設定される必要がある。したがって、ＣＳＩ伝送を含まないアップリンクサブフレームの場合、多数のアップリンクリソースがアップリンクデータ伝送のために実際に使用されるので、同じＭＣＳを考えると、冗長なアップリンクリソースが、ＣＳＩを含まないアップリンクサブフレーム内に存在し、アップリンクリソース浪費が引き起こされる。このケースでは、制御シグナリングオーバヘッドを最大限に減少させ、リソース浪費を減少させるために、すべてのスケジュールされた複数のアップリンクサブフレームがＣＳＩを含んでよい。この問題は、ＳＲＳまたはＨＡＲＱ−ＡＣＫであるアップリンク制御情報に対しても適用可能である。具体的にいうと、スケジュールされた複数のアップリンクサブフレームにおいて、ＳＲＳを含むアップリンクサブフレームにおけるアップリンクデータ伝送のために使用されるアップリンク時間−周波数リソースは、ＳＲＳを含まないアップリンクサブフレームにおけるアップリンクデータ伝送に使用されるアップリンク時間−周波数リソースと異なり、ＨＡＲＱ−ＡＣＫを含むアップリンクサブフレームにおけるアップリンクデータ伝送に使用されるアップリンク時間−周波数リソースは、ＨＡＲＱ−ＡＣＫを含まないアップリンクサブフレーム内のアップリンクデータ伝送に使用されるアップリンク時間−周波数リソースと異なる。
【０１６５】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のサブフレームにおいて搬送されるアップリンク制御情報と異なり、第１のアップリンクサブフレームにおいて搬送されるアップリンク制御情報の内容は、第２のサブフレームにおいて搬送されるアップリンク制御情報の内容と一致しない。
【０１６６】
この様式を使用する利点は、異なるＣＳＩが異なるアップリンクサブフレームに割り振られるので、比較的低い制御シグナリングオーバヘッドが保証可能であるだけでなく、比較的少ないリソースが、ＣＳＩ伝送を含むアップリンクサブフレームにおけるＣＳＩ伝送のために予約可能である。これは、アップリンクリソース浪費をさらに減少させ得る。
【０１６７】
本発明のこの実施形態では、伝送されるＣＳＩが異なることは、伝送されるＣＳＩの内容が異なる、伝送されるＣＳＩに対応するサービングセルが異なる、伝送されるＣＳＩに対応するＣＳＩプロセスが異なる、または伝送されるＣＳＩに対応するサブフレームセットが異なるのうちの少なくとも１つを含む。本明細書では、伝送されるＣＳＩの内容は、ＣＱＩ、ＰＭＩ、またはＲＩのうちの少なくとも１つを含む。
【０１６８】
伝送されるＣＳＩの内容が一致しないことは、第１のアップリンクサブフレームにおいて搬送されるアップリンク制御情報が第２のアップリンクサブフレームにおいて搬送されるアップリンク制御情報と完全に異なることを意味する。
【０１６９】
図１４を例として使用し、端末デバイスが、サブフレームｎ＋６およびサブフレームｎ＋７においてＣＳＩを伝送することを決定すると仮定すると、本発明のこの実施形態では、具体的には、以下の実装形態が、説明のために使用される。本発明の実装形態はそれに制限されないことが留意されるべきである。任意選択で、以下のとおりである。
【０１７０】
（１）シングルキャリアケースでは、すなわち、シングルキャリアのみが端末デバイスのために構成される場合、端末デバイスは、サブフレームｎ＋６およびサブフレームｎ＋７においてＲＩ、ＣＱＩ、またはＰＭＩのうちの１つを伝送してよく、サブフレームｎ＋６およびサブフレームｎ＋７において端末デバイスによって伝送されるＣＳＩは異なる。たとえば、ＣＱＩまたはＰＭＩがサブフレームｎ＋６において伝送され、ＲＩがサブフレームｎ＋７において伝送される。または、ＣＳＩ内に含まれるアップリンク制御情報の優先順位を考慮すると、ＲＩは、サブフレームｎ＋６において伝送されてよく、ＣＱＩはサブフレームｎ＋７において伝送される。
【０１７１】
（２）マルチキャリアケースでは、すなわち、複数のキャリアが、端末デバイスのために構成される（または、作動させられる）場合、たとえば、端末デバイスは、ＣＣ１、ＣＣ２、ＣＣ３、またはＣＣ４を使用することによって、アクセスネットワークデバイスにデータを同時に伝送してよく、上位層構成に従って、サービングセルの第１のセット（サービングセルの第１のセット）はＣＣ１とＣＣ２とを含み、サービングセルの第２のセット（サービングセルの第２のセット）はＣＣ３とＣＣ４とを含む。表２を参照すると、ＣＳＩ要求フィールド内に含まれるビットが「１１」の状態に設定されるとき、端末デバイスは、サービングセルの第２のセットに対応するＣＳＩがフィードバックされる必要があることを決定してよい。この実装形態では、端末デバイスは、第１のアップリンクサブフレーム（たとえば、サブフレームｎ＋６）において、ＣＣ３に対応するＣＳＩをフィードバックし、第２のアップリンクサブフレーム（たとえば、サブフレームｎ＋７）において、ＣＣ４に対応するＣＳＩをフィードバックしてよい。または、端末デバイスは、第１のアップリンクサブフレームにおいて、ＣＣ３およびＣＣ４に対応するＣＳＩをフィードバックし、第２のアップリンクサブフレームにおいて、ＣＣ１およびＣＣ２に対応するＣＳＩをフィードバックしてもよい。または、端末デバイスは、第１のアップリンクサブフレームにおいて、ＣＣ３およびＣＣ４に対応するＲＩをフィードバックし、第２のアップリンクサブフレームにおいて、ＣＣ３およびＣＣ４に対応するＣＱＩもしくはＰＭＩをフィードバックしてもよい。または、端末デバイスは、第１のアップリンクサブフレームにおいて、ＣＣ１からＣＣ４に対応するＲＩをフィードバックし、第２のアップリンクサブフレームにおいて、ＣＣ１からＣＣ４に対応するＣＱＩもしくはＰＭＩをフィードバックしてもよい。
【０１７２】
（３）別の例では、複数のＣＳＩプロセス（ＣＳＩ  ｐｒｏｃｅｓｓ）が端末デバイスのために構成されると仮定すると、端末デバイスは、ＣＳＩプロセスに対応し、レポーティングのためにトリガされるＣＳＩを、異なるアップリンクサブフレームそれぞれに追加してよい。たとえば、６つのＣＳＩプロセスが上位層によって端末デバイスのために構成されると仮定すると、端末デバイスは、表３において指定された対応に従って、異なるＣＳＩ要求フィールド標識に対応するＣＳＩプロセスのためのレポーティングを決定してよい。ＣＳＩ要求フィールドが’１００’であると仮定すると、表３における対応に従って、端末デバイスは、ＣＳＩプロセスの第３のセットに対応するＣＳＩが報告される必要があることを決定する。１つの様式では、ＣＳＩプロセスの第３のセットが複数のＣＳＩプロセスを含む場合、端末デバイスは、ＣＳＩプロセスの第３のセット内に含まれる各ＣＳＩプロセスに従って、または別のルール（たとえば、ＣＳＩプロセスの第３のセットがグループに分割され、１つのグループは２つのＣＳＩプロセスを含む）に従って、異なるアップリンクサブフレームにＣＳＩを追加してよい。別の様式では、各ＣＳＩプロセスに対応するＲＩから構成されるセットが第１のアップリンクサブフレームにおいて伝送され、各ＣＳＩプロセスに対応するＣＱＩまたはＰＭＩから構成されるセットが第２のアップリンクサブフレームにおいて伝送される。別の様式では、あらかじめ設定されたルールに従って、最初に、ＣＳＩプロセスの第３のセットに対応するＣＳＩが、１つのアップリンクサブフレームにおいて伝送され、次いで、ＣＳＩプロセスの別のセットに対応するＣＳＩが、別のアップリンクサブフレームにおいて伝送される。たとえば、ＣＳＩプロセスの第４のセットに対応するＣＳＩは、別のアップリンクサブフレームにおいて伝送される。
【０１７３】
【表３】
2019520734.tif 000052
【０１７４】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。加えて、第１のアップリンクサブフレームにおいて搬送される制御情報の内容は、第２のアップリンクサブフレームにおいて搬送されるアップリンク制御情報の内容を含む。
【０１７５】
この実装形態では、第１のアップリンクサブフレームにおいて搬送される制御情報の内容が、第２のサブフレームにおいて搬送されるアップリンク制御情報の内容を含むことは、第２のアップリンクサブフレームにおいて搬送されるＣＳＩは、第１のアップリンクサブフレームにおいて搬送されるＣＳＩの適切なサブセットであることを含む。
【０１７６】
図１４を例として使用し、端末デバイスが、サブフレームｎ＋６およびサブフレームｎ＋７においてＣＳＩを伝送することを決定すると仮定すると、本発明のこの実施形態では、具体的には、以下の特定の実装形態が、説明のために使用される。本発明の実装形態はそれに制限されないことが留意されるべきである。任意選択で、以下のとおりである。
【０１７７】
（１）シングルキャリアケースでは、すなわち、シングルキャリアのみが端末デバイスのために構成される場合、端末デバイスは、サブフレームｎ＋６およびサブフレームｎ＋７のうちの１つ（第２のアップリンクサブフレームに対応する）においてＲＩを伝送し、別のサブフレーム（第１のアップリンクサブフレームに対応する）においてＲＩおよびＣＱＩまたはＰＭＩを伝送してよい。
【０１７８】
（２）マルチキャリアケースでは、すなわち、複数のキャリアが、端末デバイスのために構成される（または、作動させられる）場合、たとえば、端末デバイスは、ＣＣ１、ＣＣ２、ＣＣ３、またはＣＣ４を使用することによって、アクセスネットワークデバイスにデータを同時に伝送してよく、上位層構成に従って、サービングセルの第１のセット（サービングセルの第１のセット）はＣＣ１とＣＣ２とを含み、サービングセルの第２のセット（サービングセルの第２のセット）はＣＣ３とＣＣ４とを含む。表２を参照すると、ＣＳＩ要求フィールド内に含まれるビットが「１１」の状態に設定されるとき、端末デバイスは、サービングセルの第２のセットに対応するＣＳＩがフィードバックされる必要があることを決定してよい。この任意選択の実装形態では、端末デバイスは、複数の決定されたサブフレームの中の１つのアップリンクサブフレーム（第１のアップリンクサブフレームに対応する）において、ＣＣ３およびＣＣ４に対応するＣＳＩをフィードバックし、別のアップリンクサブフレーム（第２のアップリンクサブフレームに対応する）において、ＣＣ３およびＣＣ４に対応するＣＳＩをフィードバックしてよい。または、端末デバイスは、複数の決定されたサブフレームの中の１つのアップリンクサブフレーム（第２のアップリンクサブフレームに対応する）において、ＣＣ３およびＣＣ４に対応する何らかのＣＳＩをフィードバックし、別のアップリンクサブフレーム（第１のアップリンクサブフレームに対応する）において、ＣＣ３およびＣＣ４に対応するすべてのＣＳＩをフィードバックしてもよい。または、端末デバイスは、複数の決定されたサブフレームの中の１つのアップリンクサブフレーム（第２のアップリンクサブフレームに対応する）において、ＣＣ３およびＣＣ４に対応するすべてのＣＳＩをフィードバックし、別のアップリンクサブフレーム（第１のアップリンクサブフレームに対応する）において、ＣＣ１からＣＣ４に対応するすべてのＣＳＩをフィードバックしてもよい。
【０１７９】
（３）複数のＣＳＩプロセスが端末デバイスのために構成される場合、端末デバイスは、標識情報（たとえば、ＣＳＩ要求フィールドによって示されたＣＳＩプロセス）に従って、１つのアップリンクサブフレームに、決定されたＣＳＩプロセスの中のいくつかのＣＳＩプロセスに対応するＣＳＩを追加し、別のアップリンクサブフレームに、すべての決定されたＣＳＩプロセスに対応するＣＳＩを追加してよい。あるいは、表３に基づいて、ＣＳＩ要求フィールドが「１１０」に設定される場合、端末デバイスは、１つのアップリンクサブフレームにおいて、ＣＳＩプロセスの第５のセットに対応するＣＳＩをフィードバックし、別のアップリンクサブフレームにおいて、ＣＳＩプロセスの第５のセットおよびＣＳＩプロセスの別のグループに対応するＣＳＩをフィードバックしてよい。オフセット関係が、ＣＳＩプロセスの別のグループに対応するＣＳＩ要求フィールドとＵＬグラント内で搬送されるＣＳＩ要求フィールドとの間に存在し、このオフセット関係は、暗黙的に示され、たとえば、あらかじめ構成され（たとえば、標準プロトコルによって指定される）、または、明示的なシグナリングを使用することによって示されてよく、この明示的なシグナリングは、上位層シグナリングであってもよいし、物理層シグナリングであってもよい。これは、本発明のこの実施形態では、具体的に制限されない。
【０１８０】
この実施形態を使用する利益は、リソース浪費が最大限に減少されること、および、端末デバイスが、ＣＣＡにより、ＣＳＩ伝送のためのアップリンクサブフレームにおける競合を通じてアンライセンススペクトルリソースを取得するのに失敗した場合、端末デバイスが過度のＣＳＩを失わないことが保証されることである。任意選択で、アップリンク制御情報伝送に対するＣＣＡリスニング結果の影響を減少させるために、その後のアップリンクサブフレームは、より多くのＣＳＩを伝送するために使用されてよい。
【０１８１】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。加えて、第１のアップリンクサブフレームにおいて搬送される制御情報のいくらかの内容は、第２のアップリンクサブフレームにおいて搬送されるアップリンク制御情報のいくらかの内容と同じである。任意選択で、同じ内容は、より高い優先順位のアップリンク制御情報、たとえば、ＲＩであってよい。この実施形態を使用する利益は、リソース浪費が最大限に減少されること、および、より高い優先順位のアップリンク制御情報の伝送が保証されることである。
【０１８２】
前述の様式では、具体的にどのサブフレームがＣＳＩを伝送するために決定されるか、および各決定されたサブフレームにおいて伝送されるＣＳＩ内にどの内容が含まれるかは、あらかじめ構成されてもよいし、シグナリングを使用することによって通知されてよい。これは、本発明のこの実施形態では、具体的に制限されない。
【０１８３】
アップリンク制御情報がサウンディング基準信号であるとき、上記で説明された実装形態は、ＳＲＳにも適用可能である。「少なくとも２つのアップリンクサブフレームの各々において搬送されるアップリンク制御情報は同じである」は、「少なくとも２つのアップリンクサブフレームにおいて伝送されるＳＲＳによって占有される時間位置（ＯＦＤＭシンボルインデックスによって示されてよい）および周波数リソース位置ならびに使用される系列は、すべて同じである」と理解されてよく、「少なくとも２つのアップリンクサブフレームは、第１のアップリンクサブフレームと、第２のアップリンクサブフレームとを含み、第１のアップリンクサブフレームにおいてで搬送されるアップリンク制御情報は、第２のアップリンクサブフレームにおいてで搬送されるアップリンク制御情報と異なる」は、「第１のアップリンクサブフレームおよび第２のアップリンクサブフレームにおいて端末デバイスによって伝送されるＳＲＳ内に含まれる、ＳＲＳによって占有される時間位置（ＯＦＤＭシンボルインデックスによって示されてよい）、ＳＲＳを伝送するために占有される周波数リソース位置、またはＳＲＳによって使用される系列のうちの少なくとも１つは、異なる」と理解されてもよいし、「第１のアップリンクサブフレームにおいてＳＲＳを伝送するために端末デバイスによって占有される周波数リソースは、第２のアップリンクサブフレームにおいてＳＲＳを伝送するために端末デバイスによって占有される周波数リソースを含む」と理解されてもよいことが留意されるべきである。
【０１８４】
アップリンク制御情報がハイブリッド自動再送要求肯定応答であるとき、上記で説明された実装形態は、ハイブリッド自動再送要求肯定応答（ＨＡＲＱ−ＡＣＫ）にも適用可能である。端末デバイスによってフィードバックされるＨＡＲＱ−ＡＣＫは、複数のアップリンクサブフレームおよび複数のサービングセルのために意図されてよい。「少なくとも２つのアップリンクサブフレームの各々において搬送されるアップリンク制御情報は同じである」は、「少なくとも２つのアップリンクサブフレーム内に含まれる各アップリンクサブフレームにおいて搬送されるＨＡＲＱ−ＡＣＫ情報は同じである」と理解されてよく、「少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる」は、「第１のアップリンクサブフレームおよび第２のアップリンクサブフレームにおいて端末デバイスによって伝送されるＨＡＲＱ−ＡＣＫ内に含まれる、ＨＡＲＱ−ＡＣＫに対応する異なるアップリンクサブフレーム、またはＨＡＲＱ−ＡＣＫに対応する異なるサービングセルのうちの少なくとも１つは異なる」と理解されてよく、「少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる」は、「第１のアップリンクサブフレームにおいて端末デバイスによって伝送されるＨＡＲＱ−ＡＣＫに対応するダウンリンクサブフレームは、第２のアップリンクサブフレームにおいて端末デバイスによって伝送されるＨＡＲＱ−ＡＣＫに対応するダウンリンクサブフレームを含む、および／または、第１のアップリンクサブフレームにおいて端末デバイスによって伝送されるＨＡＲＱ−ＡＣＫに対応するサービングセルは、第２のアップリンクサブフレームにおいて端末デバイスによって伝送されるＨＡＲＱ−ＡＣＫに対応するサービングセルを含む」と理解されてもよいことが留意されるべきである。
【０１８５】
前述の実施形態は、端末デバイスの観点から説明されている。この実施形態では、アクセスネットワークデバイスは標識情報を送信してよく、この標識情報は、アップリンク制御情報を搬送するためのアップリンクサブフレームを示し、アップリンクサブフレームは、Ｍ個のアップリンクサブフレームの中の少なくとも２つのアップリンクサブフレームである。任意選択で、アップリンクサブフレームは、前述の実装形態１から実装形態６によって定義された特徴を有する。加えて、アクセスネットワークデバイスは、端末デバイスに標識情報をさらに送信してよく、この標識情報は、どのアップリンク制御情報が、アップリンク制御情報を搬送するためのアップリンクサブフレームにおいて搬送されるかを示すために使用される。
【０１８６】
前述の方法に対応して、本発明は、端末デバイスを提供する。この端末デバイスは、Ｕ−ＬＴＥシステムにおけるマルチサブフレームスケジューリングシナリオに適用されてよく、この端末デバイスは、前述の方法実施形態における各ステップを実行し得る。
【０１８７】
図１５を参照すると、実施形態では、端末デバイスは、
アクセスネットワークデバイスからスケジューリング情報およびトリガ情報を受信するように構成された受信ユニット１５０１であって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信ユニット１５０１と、
Ｍ個のアップリンクサブフレームにおいて、アップリンク制御情報を搬送するための少なくとも２つのアップリンクサブフレームを決定するように構成された処理ユニット１５０２と、
少なくとも２つのアップリンクサブフレームにおいてアップリンク制御情報を送信するように構成された送信ユニット１５０３と
を含む。
【０１８８】
実施形態では、少なくとも２つのアップリンクサブフレームは、Ｍ個のアップリンクサブフレームの時間系列内の最後のサブフレームおよび時間系列内の最後から２番目のサブフレームのうちの少なくとも１つを含む。
【０１８９】
実施形態では、受信ユニットは、サブフレームｎにおいてスケジューリング情報を受信し、少なくとも２つのアップリンクサブフレームは、Ｍ個のアップリンクサブフレーム内に含まれるアップリンクバーストの時間系列内の最後のアップリンクサブフレームおよび最後から２番目のアップリンクサブフレームのうちの少なくとも１つを含み、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０１９０】
実施形態では、少なくとも２つのアップリンクサブフレームは、Ｍ個のアップリンクサブフレームの時間系列内の第１のサブフレームを含む。
【０１９１】
実施形態では、少なくとも２つのアップリンクサブフレームの各々においてアップリンク制御情報を伝送するためのＯＦＤＭシンボルの量は、指定された閾値以上である。
【０１９２】
実施形態では、スケジューリング情報とトリガ情報は、同じダウンリンク制御情報内で搬送される。
【０１９３】
実施形態では、アップリンク制御情報は、チャネル状態情報、サウンディング基準信号、およびハイブリッド自動再送要求肯定応答のうちの少なくとも１つを含む。
【０１９４】
実施形態では、少なくとも２つのアップリンクサブフレームの各々において搬送されるアップリンク制御情報は同じである。
【０１９５】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。
【０１９６】
実施形態では、第１のアップリンクサブフレームにおいて搬送されるアップリンク制御情報の内容は、第２のアップリンクサブフレームにおいて搬送されるアップリンク制御情報の内容と一致しない、または、第１のアップリンクサブフレームにおいて搬送される制御情報の内容は、第２のアップリンクサブフレームにおいて搬送されるアップリンク制御情報の内容を含む。
【０１９７】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、Ｍ個のアップリンクサブフレームにおいて、アップリンク制御情報を搬送するための少なくとも２つのアップリンクサブフレームを決定することに関する特定の実装形態の詳細についても、前述の方法実施形態における関連説明を参照されたい。
【０１９８】
図１６を参照すると、別の実施形態では、端末デバイスは、
アクセスネットワークデバイスからスケジューリング情報およびトリガ情報を受信するように構成された受信機１６０１であって、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される、受信機１６０１と、
Ｍ個のアップリンクサブフレームにおいて、アップリンク制御情報を搬送するための少なくとも２つのアップリンクサブフレームを決定するように構成されたプロセッサ１６０２と、
少なくとも２つのアップリンクサブフレームにおいてアップリンク制御情報を送信するように構成された送信機１６０３と
を含む。
【０１９９】
実施形態では、少なくとも２つのアップリンクサブフレームは、Ｍ個のアップリンクサブフレームの時間系列内の最後のサブフレームおよびこの時間系列内の最後から２番目のサブフレームのうちの少なくとも１つを含む。
【０２００】
実施形態では、受信ユニットは、サブフレームｎにおいてスケジューリング情報を受信し、少なくとも２つのアップリンクサブフレームは、Ｍ個のアップリンクサブフレーム内に含まれるアップリンクバーストの時間系列内の最後のアップリンクサブフレームおよび最後から２番目のアップリンクサブフレームのうちの少なくとも１つを含み、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０２０１】
実施形態では、少なくとも２つのアップリンクサブフレームは、Ｍ個のアップリンクサブフレームの時間系列内の第１のサブフレームを含む。
【０２０２】
実施形態では、少なくとも２つのアップリンクサブフレームの各々においてアップリンク制御情報を伝送するためのＯＦＤＭシンボルの量は、指定された閾値以上である。
【０２０３】
実施形態では、スケジューリング情報とトリガ情報は、同じダウンリンク制御情報内で搬送される。
【０２０４】
実施形態では、アップリンク制御情報は、チャネル状態情報、サウンディング基準信号、およびハイブリッド自動再送要求肯定応答のうちの少なくとも１つを含む。
【０２０５】
実施形態では、少なくとも２つのアップリンクサブフレームの各々において搬送されるアップリンク制御情報は同じである。
【０２０６】
別の実施形態では、少なくとも２つのアップリンクサブフレームは、第１のアップリンクサブフレームと、第２のアップリンクサブフレームとを含み、第１のアップリンクサブフレームにおいて搬送されるアップリンク制御情報は、第２のアップリンクサブフレームにおいて搬送されるアップリンク制御情報と異なる。
【０２０７】
実施形態では、第１のアップリンクサブフレームにおいて搬送されるアップリンク制御情報の内容は、第２のアップリンクサブフレームにおいて搬送されるアップリンク制御情報の内容と一致しない、または、第１のアップリンクサブフレームにおいて搬送される制御情報の内容は、第２のアップリンクサブフレームにおいて搬送されるアップリンク制御情報の内容を含む。
【０２０８】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、Ｍ個のアップリンクサブフレームにおいて、アップリンク制御情報を搬送するための少なくとも２つのアップリンクサブフレームを決定することに関する特定の実装形態の詳細についても、前述の方法実施形態における関連説明を参照されたい。
【０２０９】
実施形態３
マルチサブフレームスケジューリングの場合、シグナリングオーバヘッドを減少させるために、複数のスケジュールされたアップリンクサブフレームに対応するスケジューリング情報は通常、同じであり、たとえば、リソース割り振りである。マルチサブフレームスケジューリングにおいてリソース割り振りのために使用される情報ビットの量は比較的大きいことがあるので、異なるスケジュールされたアップリンクサブフレームが同じリソース割り振りによって示され得る場合、制御シグナリングオーバヘッドは比較的に低いことが留意されるべきである。しかしながら、ＣＳＩなどのアップリンク制御情報の伝送を含めてアップリンクサブフレームにおいてアップリンクデータを伝送するために実際に使用されるアップリンクリソースのサイズは、一般的に、ＣＳＩなどのアップリンク制御情報を含まないアップリンクサブフレームにおいてアップリンクデータを伝送するために使用されるアップリンクリソースのサイズよりも小さいので、アップリンクリソースの利用は低い。同様に、マルチサブフレームスケジューリングにおいて、ＳＲＳまたはＨＡＲＱ−ＡＣＫの伝送を含めてアップリンクサブフレームにおいてアップリンクデータを伝送するために実際に使用されるアップリンクリソースのサイズは、一般的に、ＳＲＳまたはＨＡＲＱ−ＡＣＫの伝送を含めずにアップリンクサブフレームにおいてアップリンクデータを伝送するために使用されるアップリンクリソースのサイズよりも小さいので、アップリンクリソース利用は、同じく低い。
【０２１０】
リソース利用を改善するために、本発明は、アップリンク制御情報を伝送するための方法の実施形態を提供する。この実施形態は、Ｕ−ＬＴＥシステムにおけるマルチサブフレームスケジューリングシナリオに適用されてよい。
【０２１１】
図１７を参照すると、本発明によりアップリンク制御情報を伝送するための方法の実施形態は、以下のステップを含む。
【０２１２】
Ｓ１７０１。端末デバイスが、アクセスネットワークデバイスからスケジューリング情報およびトリガ情報を受信し、スケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用される。
【０２１３】
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される。
【０２１４】
Ｓ１７０２。端末デバイスが、第１のアップリンクサブフレームセットに対応する第１のＭＣＳまたは第１のＲＢを決定し、第２のアップリンクサブフレームセットに対応する第２のＭＣＳまたは第２のＲＢを決定する。
【０２１５】
Ｓ１７０３。端末デバイスが、第１のアップリンクサブフレームセットにおいて、第１のＭＣＳまたは第１のＲＢに対応する第１のアップリンクデータを伝送し、第２のアップリンクサブフレームセットにおいて、第２のＭＣＳまたは第２のＲＢに対応する第２のアップリンクデータおよびアップリンク制御情報を伝送する。
【０２１６】
この実施形態におけるスケジューリング情報、トリガ情報、およびアップリンク制御情報の定義および機能については、実施形態１における関連説明を参照されたい。詳細は、本明細書において、さらに説明されない。
【０２１７】
図１８は、第１のサブフレームセットと第２のサブフレームセットの間の関係を示す。図１８を参照し、スケジューリング情報が、４つのアップリンクサブフレームにおいてアップリンクデータを伝送するように端末デバイスに命令すると仮定すると、端末デバイスが、４つのアップリンクサブフレームの中の最後のアップリンクサブフレームがアップリンク制御情報を含むことを決定する場合、４つのアップリンクサブフレームの中の第１のアップリンクサブフレーム、第２のアップリンクサブフレーム、および第３のアップリンクサブフレームは、第１のアップリンクサブフレームセット内に含まれるアップリンクサブフレームであり、第４のアップリンクサブフレームは、第２のアップリンクサブフレームセット内に含まれるアップリンクサブフレームである。
【０２１８】
図１９は、第１のサブフレームセットと第２のサブフレームセットの間の別の関係を示す。図１９を参照し、端末デバイスが、サブフレームｎにおいて、アクセスネットワークデバイスによって送信されたスケジューリング情報およびトリガ情報を受信して、スケジューリング情報は、サブフレームｎ＋４、サブフレームｎ＋５、サブフレームｎ＋６、およびサブフレームｎ＋７においてアップリンクデータを伝送するように端末デバイスに命令し、サブフレームｎ＋４は、ダウンリンクバースト内の最後のダウンリンクサブフレームに直接続く第１のアップリンクサブフレームであると仮定すると、サブフレームｎ＋４においてアップリンク情報を伝送する前に、端末デバイスは、ＣＣＡを実行することによって、アンライセンススペクトルリソースが利用可能であるかどうかを決定することを必要としないことがある。したがって、端末デバイスは、アップリンク制御情報を含むアップリンクサブフレームとしてサブフレームｎ＋４を決定してよく、このアップリンク制御情報は、トリガ情報が送信するように端末デバイスに命令する情報である。このケースでは、第２のアップリンクサブフレームセットはサブフレームｎ＋４を含み、第１のアップリンクサブフレームセットはサブフレームｎ＋５からサブフレームｎ＋７を含む。
【０２１９】
この実施形態では、マルチサブフレームスケジューリングケースにおいて、異なるＭＣＳまたはＲＢが、異なるアップリンクサブフレームにおいてアップリンクデータを伝送するためにそれぞれ使用されるリソースの実際のサイズに従って決定可能である。したがって、マルチサブフレームスケジューリングにおけるシグナリングオーバヘッドが減少されながら、アップリンクデータのみを搬送するアップリンクサブフレームにおいてアップリンクリソースを使用する効率が保証可能である。
【０２２０】
この実施形態では、端末デバイスは、複数の様式でＭ個のアップリンクサブフレームの中の第２のアップリンクサブフレームセットを決定することがある。
【０２２１】
実装形態１：第２のサブフレームセットは、Ｍ個のアップリンクサブフレームの時間系列内の最後のサブフレームおよびこの時間系列内の最後から２番目のサブフレームのうちの少なくとも１つを含む。
【０２２２】
実装形態２：端末デバイスが、サブフレームｎにおいてスケジューリング情報を受信し、第２のサブフレームセットが、アップリンクバーストの時間系列内の最後のアップリンクサブフレームおよび最後から２番目のアップリンクサブフレームのうちの少なくとも１つを含み、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０２２３】
実装形態３：第２のサブフレームセット内のアップリンクサブフレームにおいてアップリンク情報を伝送するためのＯＦＤＭシンボルの量が、指定された閾値以上である。
【０２２４】
実装形態４：端末デバイスが、サブフレームｎにおいてスケジューリング情報を受信し、第１のサブフレームを除くＭ個のアップリンクサブフレームの中で、第２のサブフレームセットは、同じ最大チャネル占有時間（Ｍａｘｉｍｕｍ  Ｃｈａｎｎｅｌ  Ｏｃｃｕｐａｎｃｙ  Ｔｉｍｅ、ＭＣＯＴ）内の任意のアップリンクサブフレームをサブフレームｎとして含む。任意選択で、第１のサブフレームを除くＭ個のアップリンクサブフレームの中で、第２のサブフレームセットは、サブフレームｎと同じＭＣＯＴ内の最後のまたは最後から２番目のアップリンクサブフレームを含む。
【０２２５】
実装形態５：端末デバイスが、サブフレームｎにおいてスケジューリング情報を受信し、第１のサブフレームを除くＭ個のアップリンクサブフレームの中で、第２のサブフレームセットは、クリアチャネルアセスメント（ＣＣＡ）を必要としない任意のサブフレームを、アップリンク制御情報を搬送するためのアップリンクサブフレームとして含む。任意選択で、第１のサブフレームを除くＭ個のアップリンクサブフレームの中で、第２のサブフレームセットは、ＣＣＡを必要としない第１のアップリンクサブフレームを含む。
【０２２６】
実装形態１から実装形態５は、組み合わせて使用されてよいことが指摘されるべきである。この実施形態における第２のアップリンクサブフレームセット内に含まれるアップリンクサブフレームを決定するための方法は、実施形態１におけるアップリンク制御情報を搬送するためのアップリンクサブフレームを決定するための方法に類似している。この実施形態における実装形態１から実装形態５に関する詳細については、実施形態１における関連説明を参照されたい。詳細は、本明細書において、さらに説明されない。加えて、この実施形態における第２のアップリンクサブフレームセット内に含まれるアップリンクサブフレームを決定するための方法は、実施形態２においてアップリンク制御情報を搬送するためのアップリンクサブフレームを決定するための方法に類似している。この実施形態における実装形態１から実装形態５に関する詳細については、実施形態２における関連説明を参照されたい。詳細は、本明細書において、さらに説明されない。
【０２２７】
端末デバイスは、複数の様式で、第１のアップリンクサブフレームセットに対応する第１のＭＣＳまたは第１のＲＢを決定してよい。
【０２２８】
１。端末デバイスが、アクセスネットワークデバイスから第１の標識情報を受信し、この第１の標識情報は、第１のＭＣＳまたは第１のＲＢを示す情報を含み、端末デバイスが、第１の標識情報に従って第１のＭＣＳまたは第１のＲＢを決定する。
【０２２９】
第１の標識情報は、物理層シグナリングであってもよいし、たとえば、Ｍ個のアップリンクサブフレームにおいてアップリンクデータを伝送するように端末デバイスをスケジュールするためのスケジューリングシグナリングにおいて搬送されてもよいし、たとえば無線リソース制御（Ｒａｄｉｏ  Ｒｅｓｏｕｒｃｅ  Ｃｏｎｔｒｏｌ、ＲＲＣ）シグナリングにおいて搬送される上位層情報であってもよい。スケジューリングシグナリングにおいて搬送する利益は、既存のスケジューリング情報（たとえば、ＵＬグラント）内に含まれるＭＣＳ標識情報またはＲＢ標識情報が、設計を単純にするように再使用され得ることである。上位層シグナリングにおいて搬送する利益は、物理層シグナリングオーバヘッドが減少可能なことである。
【０２３０】
２。端末デバイスが、ＭＣＳオフセットまたはＲＢオフセットを取得し、端末デバイスが、第２のＭＣＳおよびＭＣＳオフセットに従って第１のＭＣＳを決定する、または、端末デバイスが、第２のＲＢおよびＲＢオフセットに従って第１のＲＢを決定する。
【０２３１】
ＭＣＳオフセットまたはＲＢオフセットはシグナリングによって示されてよく、シグナリングを使用することによって示される場合、ＭＣＳオフセットまたはＲＢオフセットは、物理層シグナリングを使用することによって示されてもよいし、ＲＲＣシグナリングを使用することによって示されてもよい。シグナリングを使用することによって示される場合、任意選択で、ＭＣＳオフセットの値またはＲＢオフセットの値が、シグナリングを使用することによって直接的に示されてよい。または、任意選択で、ＭＣＳオフセットもしくはＲＢオフセットに対応するインデックス値が、シグナリングを使用することによって示されてよく、次いで、ＭＣＳオフセットもしくはＲＢオフセットが、インデックス値とＭＣＳオフセットまたはＲＢオフセットの間の対応に従って取得されてよい。物理層シグナリングを使用することによって示す利点は、端末デバイスによって伝送されるアップリンクデータに対応するＭＣＳまたは占有される周波数リソースは、アクセスネットワークデバイスと端末デバイスの間のチャネルの品質に従って柔軟に調整可能であり、効率的なデータ伝送が保証可能である。ＲＲＣシグナリングを使用することによって示す利点は、アクセスネットワークデバイスと端末デバイスの間のチャネルの変更特徴が比較的スムーズである場合、ＭＣＳオフセットまたはＲＢオフセットは、ＲＲＣシグナリングを使用することによって設定可能であり、これは、アクセスネットワークデバイスと端末デバイスの間のチャネルの変更に適合するだけでなく、物理層シグナリングオーバヘッドを減少させることもできる。
【０２３２】
あるいは、ＭＣＳオフセットまたはＲＢオフセットは、あらかじめ構成されてよい、たとえば、標準プロトコルによって指定されてよい。この様式では、シグナリングオーバヘッドが最小化される。第１のＭＣＳまたは第１のＲＢの変更は、第２のＭＣＳまたは第２のＲＢの変更に従って取得されてよい。
【０２３３】
この様式では、第２のＭＣＳまたは第２のＲＢは、シグナリングによって示されてよい。シグナリングは、物理層シグナリングであってもよいし、ＲＲＣシグナリングであってもよい。たとえば、第２のＭＣＳまたは第２のＲＢは、Ｍ個のアップリンクサブフレームにおいてアップリンクデータを伝送するように端末デバイスをスケジュールするためのスケジューリングシグナリングにおいて搬送されてよい。スケジューリングシグナリングにおいて搬送する利益は、既存のスケジューリング情報（たとえば、ＵＬグラント）内に含まれるＭＣＳ標識情報またはＲＢ標識情報が、設計を単純にするように再使用され得ることである。ＲＲＣシグナリングにおいて搬送する利益は、物理層シグナリングオーバヘッドが減少可能なことである。
【０２３４】
端末デバイスが、第２のＭＣＳまたは第２のＲＢを決定し、第２のＭＣＳおよびＭＣＳオフセットに従って第１のＭＣＳを決定してもよいし、第２のＲＢおよびＲＢオフセットに従って第１のＲＢを決定してもよい。
【０２３５】
端末デバイスは、複数の様式で、第２のアップリンクサブフレームセットに対応する第２のＭＣＳまたは第２のＲＢを決定してよい。
【０２３６】
１。端末デバイスが、アクセスネットワークデバイスから第２の標識情報を受信し、この第２の標識情報は、第２のＭＣＳまたは第２のＲＢを示す情報を含み、端末デバイスが、第２の標識情報に従って第２のＭＣＳまたは第２のＲＢを決定する。
【０２３７】
標識情報は、物理層シグナリングであってもよいし、たとえば、Ｍ個のアップリンクサブフレームにおいてアップリンクデータを伝送するように端末デバイスをスケジュールするためのスケジューリングシグナリングにおいて搬送されてもよいし、たとえばＲＲＣシグナリングにおいて搬送される上位層情報であってもよい。スケジューリングシグナリングにおいて搬送する利益は、既存のスケジューリング情報（たとえば、ＵＬグラント）内に含まれるＭＣＳ標識情報またはＲＢ標識情報が、設計を単純にするように再使用され得ることである。上位層シグナリングにおいて搬送する利益は、物理層シグナリングオーバヘッドが減少可能なことである。
【０２３８】
実装形態では、第１の標識情報と第２の標識情報は、シグナリングの同じ部分において搬送されてよい。
【０２３９】
実装形態では、第１の標識情報と第２の標識情報は、同じダウンリンク制御情報内で搬送されてよい。
【０２４０】
実装形態では、第１の標識情報と第２の標識情報は、異なるダウンリンク制御情報内で搬送されてよい。
【０２４１】
実装形態では、第１の標識情報と第２の標識情報は、同じダウンリンク制御情報または異なるダウンリンクサブフレームにおいて搬送される。
【０２４２】
２。端末デバイスが、ＭＣＳオフセットまたはＲＢオフセットを取得し、端末デバイスが、第１のＭＣＳおよびＭＣＳオフセットに従って第２のＭＣＳを決定する、または、端末デバイスが、第１のＲＢおよびＲＢオフセットに従って第２のＲＢを決定する。
【０２４３】
ＭＣＳオフセットまたはＲＢオフセットはシグナリングによって示されてよく、シグナリングを使用することによって示される場合、ＭＣＳオフセットまたはＲＢオフセットは、物理層シグナリングを使用することによって示されてもよいし、ＲＲＣシグナリングを使用することによって示されてもよい。シグナリングを使用することによって示される場合、任意選択で、ＭＣＳオフセットの値またはＲＢオフセットの値が、シグナリングを使用することによって直接的に示されてよい。または、任意選択で、ＭＣＳオフセットもしくはＲＢオフセットに対応するインデックス値が、シグナリングを使用することによって示されてよく、次いで、ＭＣＳオフセットもしくはＲＢオフセットが、インデックス値とＭＣＳオフセットまたはＲＢオフセットの間の対応に従って取得されてよい。物理層シグナリングを使用することによって示す利点は、端末デバイスによって伝送されるアップリンクデータに対応するＭＣＳまたは占有される周波数リソースは、アクセスネットワークデバイスと端末デバイスの間のチャネルの品質に従って柔軟に調整可能であり、効率的なデータ伝送が保証可能である。ＲＲＣシグナリングを使用することによって示す利点は、アクセスネットワークと端末デバイスの間のチャネルの変更特徴が比較的スムーズである場合、ＭＣＳオフセットまたはＲＢオフセットは、ＲＲＣシグナリングを使用することによって設定可能であり、これは、アクセスネットワークデバイスと端末デバイスの間のチャネルの変更に適合するだけでなく、物理層シグナリングオーバヘッドを減少させることもできる。
【０２４４】
あるいは、ＭＣＳオフセットまたはＲＢオフセットは、あらかじめ構成されてよい、たとえば、標準プロトコルによって指定されてよい。この様式では、シグナリングオーバヘッドが最小化される。第２のＭＣＳまたは第２のＲＢの変更は、第１のＭＣＳまたは第１のＲＢの変更に従って取得されてよい。
【０２４５】
この様式では、第１のＭＣＳは、シグナリングによって示されてよい。シグナリングは、物理層シグナリングであってもよいし、ＲＲＣシグナリングであってもよい。たとえば、第１のＭＣＳは、Ｍ個のアップリンクサブフレームにおいてアップリンクデータを伝送するように端末デバイスをスケジュールするためのスケジューリングシグナリングにおいて搬送されてよい。スケジューリングシグナリングにおいて搬送する利益は、既存のスケジューリング情報（たとえば、ＵＬグラント）内に含まれるＭＣＳ標識情報またはＲＢ標識情報が、設計を単純にするように再使用され得ることである。ＲＲＣシグナリングにおいて搬送する利益は、物理層シグナリングオーバヘッドが減少可能なことである。
【０２４６】
第１のＭＣＳまたは第１のＲＢを決定するための前述の方法は、第２のＭＣＳまたは第２のＲＢを決定するための方法と組み合わせて使用されてよいことが指摘されるべきである。
【０２４７】
任意選択で、第１のＭＣＳを決定する例は、第１のＭＣＳおよび第２のＭＣＳを決定するための方法について具体的に説明するために使用される。
【０２４８】
この実装形態では、ＭＣＳのうちの１つ、たとえば、第１のＭＣＳは、既存のＵＬグラント内に含まれるＭＣＳ標識情報を使用することによって決定されてよい。別のＭＣＳは、明示的なシグナリングによって示されてよい。たとえば、第２のＭＣＳは、ＵＬグラントに追加されたビットを使用することによって示される。示す様式は、追加されたビットが、ＭＣＳに対応する結果、たとえば、表４における対応する変調次数および／またはトランスポートブロックサイズ（Ｔｒａｎｓｍｉｓｓｉｏｎ  Ｂｌｏｃｋ  Ｓｉｚｅ、ＴＢＳ）を直接的に示し得ることである。別の示す様式は、追加されたビットがＭＣＳインデックスを示してよく、ＭＣＳおよびＴＢＳが、インデックスと変調モードとトランスポートブロックサイズ（Ｔｒａｎｓｍｉｓｓｉｏｎ  Ｂｌｏｃｋ  Ｓｉｚｅ、ＴＢＳ）の間の対応に従って決定されることである。別の示す様式は、第１のＭＣＳに対する第２のＭＣＳのオフセット（本発明のこの実施形態では、ＭＣＳオフセットに対応する）は、追加されたビットを使用することによって示されてよい。たとえば、異なるインデックス情報は、追加されたビットの異なる状態を使用することによって示されてよく、異なるインデックス情報は、１対１ベースで異なるオフセットに対応する。本明細書では、異なるオフセットから構成されるセットは、半静的に構成されてもよいし、たとえば、ＲＲＣシグナリングを使用することによって構成されてもよいし、静的に構成されてもよい、たとえば、標準プロトコルによって指定されてもよい。別の例では、異なるオフセットは、追加されたビットを使用することによって直接的に示されてよい。
【０２４９】
別の様式では、たとえば、第１のＭＣＳは、ＵＬグラント内に含まれる制御情報によって示されてよく、第２のＭＣＳまたは第２のＭＣＳと第１のＭＣＳの間のＭＣＳオフセットは、あらかじめ構成される、たとえば、標準プロトコルによって指定される。このケースでは、端末デバイスは、第１のＭＣＳおよびあらかじめ構成されたＭＣＳオフセットに従って第２のＭＣＳを決定してよい。
【０２５０】
上記で説明された様式は、第１のＲＢおよび第２のＲＢを決定することにも適用可能であることが留意されるべきである。任意選択で、第２のＲＢが第１のＲＢおよびＲＢオフセットに従って決定されるとき、ＲＢオフセットは、第２のＲＢが決定されるように、第１のＲＢに基づいた、ＲＢオフセットによって示されるＲＢサイズおよびＲＢ位置の分の増加または減少とさらに理解されてよい。任意選択で、第１のＲＢが、第２のＲＢおよびＲＢオフセットに従って決定されるとき、ＲＢオフセットは、第１のＲＢが決定されるように、第２のＲＢに基づいた、ＲＢオフセットによって示されるＲＢサイズおよびＲＢ位置の分の増加または減少とさらに理解されてよい。
【０２５１】
本発明のこの実施形態では、第１のＲＢ（または第２のＲＢ）は、第１のＲＢ（または第２のＲＢ）のサイズ、および第１のＲＢ（または第２のＲＢ）によって占有される周波数リソース位置のうちの少なくとも１つを含むことが留意されるべきである。
【０２５２】
本発明のこの実施形態では、第１のＭＣＳ（または第２のＭＣＳ）は、変調次数およびトランスポートブロックサイズのうちの少なくとも１つを含んでよいことが留意されるべきである。
【０２５３】
【表４】
2019520734.tif 000053
【０２５４】
前述の方法に対応して、本発明は、端末デバイスを提供する。この端末デバイスは、Ｕ−ＬＴＥシステムにおけるマルチサブフレームスケジューリングシナリオに適用されてよく、この端末デバイスは、前述の方法実施形態における各ステップを実行し得る。
【０２５５】
図２０を参照すると、実施形態では、端末デバイスは、
アクセスネットワークデバイスからスケジューリング情報およびトリガ情報を受信するように構成された受信ユニット２００１であって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、受信ユニット２００１と、
第１のアップリンクサブフレームセットに対応する第１のＭＣＳまたは第１のＲＢを決定し、第２のアップリンクサブフレームセットに対応する第２のＭＣＳまたは第２のＲＢを決定するように構成された決定ユニット２００２と、
第１のアップリンクサブフレームセットにおいて、第１のＭＣＳまたは第１のＲＢに対応する第１のアップリンクデータを伝送し、第２のアップリンクサブフレームセットにおいて、第２のＭＣＳまたは第２のＲＢに対応する第２のアップリンクデータおよびアップリンク制御情報を伝送するように構成された送信ユニット２００３と
を含む。
【０２５６】
実施形態では、第２のサブフレームセットは、Ｍ個のアップリンクサブフレームの時間系列内の最後のサブフレームおよびこの時間系列内の最後から２番目のサブフレームのうちの少なくとも１つを含む。
【０２５７】
別の実施形態では、端末デバイスが、サブフレームｎにおいてスケジューリング情報を受信し、第２のサブフレームセットは、Ｍ個のアップリンクサブフレーム内に含まれるアップリンクバーストの時間系列内の最後のアップリンクサブフレームおよび最後から２番目のアップリンクサブフレームのうちの少なくとも１つを含み、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０２５８】
別の実施形態では、第２のサブフレームセット内のアップリンクサブフレームにおいてアップリンク情報を伝送するためのＯＦＤＭシンボルの量は、指定された閾値以上である。
【０２５９】
実施形態では、スケジューリング情報とトリガ情報は、同じダウンリンク制御情報内で搬送される。
【０２６０】
実施形態では、アップリンク制御情報は、チャネル状態情報、サウンディング基準信号、およびハイブリッド自動再送要求肯定応答のうちの少なくとも１つを含む。
【０２６１】
図２１を参照すると、実施形態では、受信ユニットは、アクセスネットワークデバイスから第１の標識情報を受信するようにさらに構成され、この第１の標識情報は、第１のＭＣＳまたは第１のＲＢを示すために使用され、
決定ユニットは、第１の標識情報に従って第１のＭＣＳまたは第１のＲＢを決定するように構成された第１の決定ユニット２１０１と、
ＭＣＳオフセットまたはＲＢオフセットを取得し、第１のＭＣＳおよびＭＣＳオフセットに従って第２のＭＣＳを決定する、または、第１のＲＢおよびＲＢオフセットに従って第２のＲＢを決定するように構成された第２の決定ユニット２１０２であって、ＭＣＳオフセットは第１のＭＣＳと第２のＭＣＳの間のオフセットであり、ＲＢオフセットは第１のＲＢと第２のＲＢの間のオフセットである、第２の決定ユニット２１０２と
を含む。
【０２６２】
図２２を参照すると、受信ユニットは、アクセスネットワークデバイスから第１の標識情報および第２の標識情報を受信するようにさらに構成され、この第１の標識情報は、第１のＭＣＳまたは第１のＲＢを示すために使用され、
決定ユニットは、第１の標識情報に従って第１のＭＣＳまたは第１のＲＢを決定するように構成された第１の決定ユニット２２０１と、
第３の決定ユニットであって、第２の標識情報に従って第２のＭＣＳまたは第２のＲＢを決定するように構成された第３の決定ユニットと
を含む。
【０２６３】
図２３を参照すると、別の実施形態では、受信ユニットは、アクセスネットワークデバイスから第２の標識情報を受信するようにさらに構成され、この第２の標識情報は、第２のＭＣＳまたは第２のＲＢを示すために使用され、
決定ユニットは、
第２の標識情報に従って第２のＭＣＳまたは第２のＲＢを決定するように構成された第３の決定ユニット２３０１と、
ＭＣＳオフセットまたはＲＢオフセットを取得し、第２のＭＣＳおよびＭＣＳオフセットに従って第１のＭＣＳを決定する、または、端末デバイスによって、第２のＲＢおよびＲＢオフセットに従って第１のＲＢを決定するように構成された第４の決定ユニット２３０２であって、ＭＣＳオフセットは第１のＭＣＳと第２のＭＣＳの間のオフセットであり、ＲＢオフセットは第１のＲＢと第２のＲＢの間のオフセットである、第４の決定ユニット２３０２と
を含む。
【０２６４】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、アップリンクサブフレームセットを決定するための方法ならびに第１のＭＣＳ、第２のＭＣＳ、第１のＲＢ、および第２のＲＢを取得するための方法に関する特定の実装形態の詳細についても、前述の方法実施形態における関連説明を参照されたい。
【０２６５】
図２４を参照すると、別の実施形態では、端末デバイスは、
アクセスネットワークデバイスからスケジューリング情報およびトリガ情報を受信するように構成された受信機２４０１であって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、受信機２４０１と、
第１のアップリンクサブフレームセットに対応する第１のＭＣＳまたは第１のＲＢを決定し、第２のアップリンクサブフレームセットに対応する第２のＭＣＳまたは第２のＲＢを決定するように構成されたプロセッサ２４０２と、
第１のアップリンクサブフレームセットにおいて、第１のＭＣＳまたは第１のＲＢに対応する第１のアップリンクデータを伝送し、第２のアップリンクサブフレームセットにおいて、第２のＭＣＳまたは第２のＲＢに対応する第２のアップリンクデータおよびアップリンク制御情報を伝送するように構成された送信機２４０３と
を含む。
【０２６６】
端末デバイス内でプロセッサによって実施される特定の機能は、前述の実施形態における決定ユニット２００２の機能に類似している。処理に関する特定の実装形態の詳細については、前述の実施形態における関連説明を参照されたい。
【０２６７】
端末デバイス実施形態におけるスケジューリング情報、トリガ情報、アップリンク制御情報、およびＭ個のアップリンクサブフレームの定義および機能については、前述の方法実施形態における関連説明を参照されたい。端末デバイス実施形態における、第２のアップリンクサブフレームセットを決定するための方法ならびに第１のＭＣＳ、第２のＭＣＳ、第１のＲＢ、および第２のＲＢを取得するための方法に関する特定の実装形態の詳細についても、前述の方法実施形態における関連説明を参照されたい。
【０２６８】
前述の実施形態では、第２のサブフレームセットは、アップリンク制御情報およびアップリンクデータを伝送するために使用される。別の実施形態では、第２のサブフレームセットは、アップリンク制御情報のみを伝送することがある。
【０２６９】
図２５を参照すると、本発明によりアップリンク制御情報を伝送するための方法の実施形態は、以下のステップを含む。
【０２７０】
Ｓ２５０１。端末デバイスが、アクセスネットワークデバイスからスケジューリング情報およびトリガ情報を受信し、このスケジューリング情報は、Ｍ個のアップリンクサブフレームにおいてスケジュールされたアップリンクデータを伝送するように端末デバイスに命令するために使用され、Ｍは２以上の正の整数であり、トリガ情報は、アップリンク制御情報を送信するように端末デバイスに命令するために使用される。
【０２７１】
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームはアップリンクデータを伝送するために使用され、第２のアップリンクサブフレームセット内のサブフレームは、アップリンク制御情報を伝送するために使用される。
【０２７２】
Ｓ２５０２。端末デバイスが、第１のアップリンクサブフレームセットに対応する第１のＭＣＳまたは第１のＲＢを決定し、第２のアップリンクサブフレームセットに対応する第２のＭＣＳまたは第２のＲＢを決定する。
【０２７３】
Ｓ２５０３。端末デバイスが、第１のアップリンクサブフレームセットにおいて、第１のＭＣＳまたは第１のＲＢに対応するアップリンクデータを伝送し、第２のアップリンクサブフレームセットにおいて、第２のＭＣＳまたは第２のＲＢに対応するアップリンク制御情報を伝送する。
【０２７４】
この実施形態におけるスケジューリング情報、トリガ情報、およびアップリンク制御情報の定義および機能については、実施形態１における関連説明を参照されたい。詳細は、本明細書において、さらに説明されない。
【０２７５】
第２のサブフレームセットを決定するための方法、第１のＭＣＳまたは第１のＲＢを決定するための方法、および第２のＭＣＳまたは第２のＲＢを決定するための方法は、前述の実施形態におけるそれらに類似している。詳細は、本明細書において、さらに説明されない。
【０２７６】
この実施形態では、第２のアップリンクサブフレームセット内のアップリンクサブフレームは、アップリンク制御情報のみを伝送するために使用されるので、リソース浪費問題は、シグナリングオーバヘッドを減少させるためにアップリンクデータのみを含むアップリンクサブフレームでは存在しない。この実施形態では、任意選択で、端末デバイスによって伝送されるアップリンク制御情報のオーバヘッドが比較的高いとき、たとえば、複数のサービングセルもしくは複数のＣＳＩプロセスに対応するＣＳＩがフィードバックされる必要があるとき、ならびに／または複数のサービングセルおよび／もしくは複数のダウンリンクサブフレームに対応するＨＡＲＱ−ＡＣＫがフィードバックされる必要があるとき、第２のアップリンクサブフレームセット内のアップリンクサブフレームがアップリンク制御情報のみを伝送するために使用されることが指定されてよい。したがって、上記で説明された利点が取得可能である（すなわち、アップリンクデータのみを含むアップリンクサブフレームにおけるリソース浪費問題が減少される）だけでなく、アップリンク制御データのみを含むアップリンクサブフレームにおけるリソース浪費も減少される。
【０２７７】
前述の方法に対応して、本発明は、端末デバイスを提供する。この端末デバイスは、Ｕ−ＬＴＥシステムにおけるマルチサブフレームスケジューリングシナリオに適用されてよく、この端末デバイスは、前述の方法実施形態における各ステップを実行し得る。
【０２７８】
図２６を参照すると、実施形態では、端末デバイスは、
アクセスネットワークデバイスからスケジューリング情報およびトリガ情報を受信するように構成された受信ユニット２６０１であって、このスケジューリング情報は、Ｍ個のアップリンクサブフレームにおいてスケジュールされたアップリンクデータを伝送するように端末デバイスに命令するために使用され、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームはアップリンクデータを伝送するために使用され、第２のアップリンクサブフレームセット内のサブフレームはアップリンク制御情報を伝送するために使用される、受信ユニット２６０１と、
第１のアップリンクサブフレームセットに対応する第１のＭＣＳまたは第１のＲＢを決定し、第２のアップリンクサブフレームセットに対応する第２のＭＣＳまたは第２のＲＢを決定するように構成された決定ユニット２６０２と、
第１のアップリンクサブフレームセットにおいて、第１のＭＣＳまたは第１のＲＢに対応するアップリンクデータを伝送し、第２のアップリンクサブフレームセットにおいて、第２のＭＣＳまたは第２のＲＢに対応するアップリンク制御情報を伝送するように構成された送信ユニット２６０３と
を含む。
【０２７９】
この実施形態におけるスケジューリング情報、トリガ情報、およびアップリンク制御情報の定義および機能については、実施形態１における関連説明を参照されたい。詳細は、本明細書において、さらに説明されない。
【０２８０】
第２のサブフレームセットを決定するための方法、第１のＭＣＳまたは第１のＲＢを決定するための方法、および第２のＭＣＳまたは第２のＲＢを決定するための方法は、前述の実施形態におけるそれらに類似している。詳細は、本明細書において、さらに説明されない。
【０２８１】
図２７を参照すると、別の実施形態では、端末デバイスは、
アクセスネットワークデバイスからスケジューリング情報およびトリガ情報を受信するように構成された受信機２７０１であって、このスケジューリング情報は、Ｍ個のアップリンクサブフレームにおいてスケジュールされたアップリンクデータを伝送するように端末デバイスに命令するために使用され、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームはアップリンクデータを伝送するために使用され、第２のアップリンクサブフレームセット内のサブフレームはアップリンク制御情報を伝送するために使用される、受信機２７０１と、
第１のアップリンクサブフレームセットに対応する第１のＭＣＳまたは第１のＲＢを決定し、第２のアップリンクサブフレームセットに対応する第２のＭＣＳまたは第２のＲＢを決定するように構成されたプロセッサ２７０２と、
第１のアップリンクサブフレームセットにおいて、第１のＭＣＳまたは第１のＲＢに対応するアップリンクデータを伝送し、第２のアップリンクサブフレームセットにおいて、第２のＭＣＳまたは第２のＲＢに対応するアップリンク制御情報を伝送するように構成された送信機２７０３と
を含む。
【０２８２】
この実施形態におけるスケジューリング情報、トリガ情報、およびアップリンク制御情報の定義および機能については、実施形態１における関連説明を参照されたい。詳細は、本明細書において、さらに説明されない。
【０２８３】
第２のサブフレームセットを決定するための方法、第１のＭＣＳまたは第１のＲＢを決定するための方法、および第２のＭＣＳまたは第２のＲＢを決定するための方法は、前述の実施形態におけるそれらに類似している。詳細は、本明細書において、さらに説明されない。
【０２８４】
リソース利用を改善するために、本発明は、アップリンク制御情報を伝送するための方法の実施形態を提供する。この実施形態は、Ｕ−ＬＴＥシステムにおけるマルチサブフレームスケジューリングシナリオに適用されてよい。
【０２８５】
図２８を参照すると、本発明によりアップリンク制御情報を伝送するための方法の実施形態は、以下のステップを含む。
【０２８６】
Ｓ２８０１。アクセスネットワークデバイスが、スケジューリング情報およびトリガ情報を端末デバイスに送信し、このスケジューリング情報は、Ｍ個のアップリンクサブフレームにおいてスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用される。
【０２８７】
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される。
【０２８８】
Ｓ２８０２。アクセスネットワークデバイスが、第１のアップリンクサブフレームセットに対応する第１のＭＣＳまたは第１のＲＢを決定し、第２のアップリンクサブフレームセットに対応する第２のＭＣＳまたは第２のＲＢを決定する。
【０２８９】
Ｓ２８０３。アクセスネットワークデバイスが、第１のアップリンクサブフレームセットにおいて、第１のＭＣＳまたは第１のＲＢに対応する第１のアップリンクデータを受信し、第２のアップリンクサブフレームセットにおいて、第２のＭＣＳまたは第２のＲＢに対応するアップリンク制御情報および第２のアップリンクデータを受信する。
【０２９０】
この実施形態におけるスケジューリング情報、トリガ情報、およびアップリンク制御情報の定義および機能については、実施形態１における関連説明を参照されたい。詳細は、本明細書において、さらに説明されない。
【０２９１】
第１のＭＣＳまたは第１のＲＢおよび第２のＭＣＳまたは第２のＲＢは、アクセスネットワークデバイス内であらかじめ構成されてもよいし、アクセスネットワークデバイスによって選択および決定された後に端末デバイスに通知されてもよい。アクセスネットワークデバイスは、第１のＭＣＳまたは第１のＲＢおよび第２のＭＣＳまたは第２のＲＢを端末デバイスに複数の様式で通知してよい。
【０２９２】
実施形態では、アクセスネットワークデバイスは、第１の標識情報および第２の標識情報を端末デバイスに送信してよく、第１の標識情報は、第１のＭＣＳまたは第１のＲＢを示す情報を含み、第２の標識情報は、第２のＭＣＳまたは第２のＲＢを示す情報を含む。任意選択で、第１の標識情報と第２の標識情報は、同じメッセージ内で搬送されてよい。
【０２９３】
別の実施形態では、アクセスネットワークデバイスは、第１の標識情報および第２の標識情報のうちの１つを端末デバイスに送信し、オフセット情報を端末デバイスに送信してよい。第１の標識情報は、第１のＭＣＳまたは第１のＲＢを示す情報を含み、第２の標識情報は、第２のＭＣＳまたは第２のＲＢを示す情報を含む。オフセット情報は、第１のＭＣＳと第２のＭＣＳの間のオフセットまたは第１のＲＢと第２のＲＢの間のオフセットである。任意選択で、標識情報とオフセット情報は、同じメッセージ内で搬送されてよい。
【０２９４】
本発明のこの実施形態では、端末デバイスがサブフレームｎにおいてアップリンク情報を送信することが留意されるべきである。端末デバイスとアクセスネットワークデバイスの間の伝搬遅延を考慮すると、アクセスネットワークデバイスによってアップリンク情報を受信するための時間は、サブフレームｎのサブフレーム開始境界を遅らせる。しかしながら、説明を簡単にするために、本発明のこの実施形態では、それは、「アクセスネットワークデバイスがサブフレームｎにおいてアップリンク情報を受信する」と説明されることもある。
【０２９５】
この実施形態における、第２のアップリンクサブフレームセットを決定するための方法ならびに第１のＭＣＳ、第２のＭＣＳ、第１のＲＢ、および第２のＲＢを取得するための方法については、実施形態３における端末デバイスに対応する方法実施形態における関連説明を参照されたい。詳細は、本明細書において、さらに説明されない。
【０２９６】
前述の方法に対応して、本発明は、アクセスネットワークデバイスを提供する。このアクセスネットワークデバイスは、ＬＡＡ−ＬＴＥシステムにおけるマルチサブフレームスケジューリングシナリオに適用されてよく、このアクセスネットワークデバイスは、前述の方法実施形態における各ステップを実行してよい。
【０２９７】
図２９を参照すると、実施形態では、アクセスネットワークデバイスは、
端末デバイスにスケジューリング情報およびトリガ情報を送信するように構成された送信ユニット２９０１であって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、送信ユニット２９０１と、
第１のアップリンクサブフレームセットに対応する第１のＭＣＳまたは第１のＲＢを決定し、第２のアップリンクサブフレームセットに対応する第２のＭＣＳまたは第２のＲＢを決定するように構成された処理ユニット２９０２と、
第１のアップリンクサブフレームセットにおいて、第１のＭＣＳまたは第１のＲＢに対応する第１のアップリンクデータを受信し、第２のアップリンクサブフレームセットにおいて、第２のＭＣＳまたは第２のＲＢに対応する第２のアップリンクデータおよびアップリンク制御情報を受信するように構成された受信ユニット２９０３と
を含む。
【０２９８】
実施形態では、第２のサブフレームセットは、Ｍ個のアップリンクサブフレームの時間系列内の最後のサブフレームおよびこの時間系列内の最後から２番目のサブフレームのうちの少なくとも１つを含む。
【０２９９】
実施形態では、アクセスネットワークデバイスが、サブフレームｎにおいてスケジューリング情報を送信し、第２のサブフレームセットが、アップリンクバーストの時間系列内の最後のアップリンクサブフレームおよび最後から２番目のアップリンクサブフレームのうちの少なくとも１つを含み、アップリンクバーストは、時間的に連続して占有される複数のアップリンクサブフレームを指し、アップリンクバーストは、サブフレームｎを含むダウンリンクバーストの後であり、サブフレームｎを含むダウンリンクバーストに直接隣接する。
【０３００】
実施形態では、第２のサブフレームセット内のアップリンクサブフレームにおいてアップリンク情報を伝送するためのＯＦＤＭシンボルの量は、指定された閾値以上である。
【０３０１】
実施形態では、スケジューリング情報とトリガ情報は、同じダウンリンク制御情報内で搬送される。
【０３０２】
実施形態では、アップリンク制御情報は、チャネル状態情報、サウンディング基準信号、およびハイブリッド自動再送要求肯定応答のうちの少なくとも１つを含む。
【０３０３】
実施形態では、送信ユニットは、端末デバイスに第１の標識情報を送信するようにさらに構成され、この第１の標識情報は、第１のＭＣＳまたは第１のＲＢを示すために使用される。
【０３０４】
実施形態では、送信ユニットは、端末デバイスに第２の標識情報を送信するようにさらに構成され、この第２の標識情報は、第２のＭＣＳまたは第２のＲＢを示すために使用される標識情報である。
【０３０５】
実施形態では、送信ユニットは、ＭＣＳオフセットまたはＲＢオフセットを端末デバイスに送信するようにさらに構成され、ＭＣＳオフセットは第１のＭＣＳと第２のＭＣＳの間のオフセットであり、ＲＢオフセットは第１のＲＢと第２のＲＢの間のオフセットである。
【０３０６】
この実施形態におけるスケジューリング情報、トリガ情報、アップリンク制御情報、およびＭ個のアップリンクサブフレームの定義および機能については、前述の方法実施形態における関連説明を参照されたい。この実施形態における、第２のアップリンクサブフレームセットを決定するための方法ならびに第１のＭＣＳ、第２のＭＣＳ、第１のＲＢ、および第２のＲＢを取得するための方法については、前述の方法実施形態における関連説明を参照されたい。
【０３０７】
図３０を参照すると、別の実施形態では、アクセスネットワークデバイスは、
端末デバイスにスケジューリング情報およびトリガ情報を送信するように構成された送信機３００１であって、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、トリガ情報は、アップリンク制御情報を送信するように端末デバイスに命令するために使用され、
Ｍ個のアップリンクサブフレームは第１のアップリンクサブフレームセットと第２のアップリンクサブフレームセットとを含み、第１のアップリンクサブフレームセットおよび第２のアップリンクサブフレームセットはそれぞれ、少なくとも１つのアップリンクサブフレームを含み、第１のアップリンクサブフレームセット内のサブフレームは第１のアップリンクデータを伝送するために使用され、第２のアップリンクサブフレームセット内のサブフレームは、アップリンク制御情報および第２のアップリンクデータを伝送するために使用される、送信機３００１と、
第１のアップリンクサブフレームセットに対応する第１のＭＣＳまたは第１のＲＢを決定し、第２のアップリンクサブフレームセットに対応する第２のＭＣＳまたは第２のＲＢを決定するように構成されたプロセッサ３００２と、
第１のアップリンクサブフレームセットにおいて、第１のＭＣＳまたは第１のＲＢに対応する第１のアップリンクデータを受信し、第２のアップリンクサブフレームセットにおいて、第２のＭＣＳまたは第２のＲＢに対応する第２のアップリンクデータおよびアップリンク制御情報を受信するように構成された受信機３００３と
を含む。
【０３０８】
この実施形態における送信機、プロセッサ、および受信機の特定の機能はそれぞれ、前述の実施形態における送信ユニット、処理ユニット、および受信ユニットのそれらに類似している。
【０３０９】
この実施形態におけるスケジューリング情報、トリガ情報、アップリンク制御情報、およびＭ個のアップリンクサブフレームの定義および機能については、前述の方法実施形態における関連説明を参照されたい。この実施形態における、第２のアップリンクサブフレームセットを決定するための方法ならびに第１のＭＣＳ、第２のＭＣＳ、第１のＲＢ、および第２のＲＢを取得するための方法については、前述の方法実施形態における関連説明を参照されたい。
【０３１０】
実施形態４
端末デバイスが、アクセスネットワークデバイスからスケジューリング情報およびトリガ情報を受信し、このスケジューリング情報は、Ｍ個のアップリンクサブフレームにおいて、スケジューリング情報によってスケジュールされたアップリンクデータを伝送するように端末デバイスに命令するために使用され、Ｍは２以上の正の整数であり、トリガ情報は、アップリンク制御情報を送信するように端末デバイスに命令するために使用される。
【０３１１】
端末デバイスは、Ｍ個のアップリンクサブフレームにおいて、アップリンク制御情報を搬送するためのアップリンクサブフレームを決定し、この決定されたアップリンクサブフレームは、アンライセンススペクトルリソースがＭ個のアップリンクサブフレームにおいて競合を通じて取得される第１のアップリンクサブフレームである。
【０３１２】
端末デバイスは、決定されたアップリンクサブフレームにおいてアップリンク制御情報を送信する。
【０３１３】
本発明のこの実施形態では、端末デバイスは、図３１に示されるように、スケジューリング情報に従って、アップリンクサブフレームｎにおいてアップリンクデータをアップリンクサブフレームｎ＋３に伝送することを決定してよい。
【０３１４】
図３１では、端末デバイスが、ＣＣＡを実行することによってサブフレームｎにおいて競合を通じてアンライセンススペクトルリソースを取得する場合、端末デバイスは、サブフレームｎにおいてアップリンク制御情報を伝送する。端末デバイスが、サブフレームｎにおいて競合を通じてアンライセンススペクトルリソースを取得するのに失敗したが、サブフレームｎ＋１において競合を通じてアンライセンススペクトルリソースを取得した場合、端末デバイスは、サブフレームｎ＋１においてアップリンク制御情報を伝送してよい。さらに、サブフレームｎからサブフレームｎ＋３のすべては、アップリンク制御情報を伝送し得るアップリンクサブフレームとして使用されてよい。
【０３１５】
本発明のこの実施形態における方法は、アップリンク制御情報を伝送するための機会を保証するように、複数の候補位置にあるアップリンク制御情報を報告するためにも使用されてよい。
【０３１６】
実施形態５
端末デバイスが、アクセスネットワークデバイスからスケジューリング情報を受信し、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、Ｍ個のアップリンクサブフレームは第１のアップリンクサブフレームと第２のアップリンクサブフレームとを含み、第１のアップリンクサブフレームにおいてアップリンクデータを伝送するためのリソース要素（Ｒｅｓｏｕｒｃｅ  Ｅｌｅｍｅｎｔ、ＲＥ）の量は、第２のアップリンクサブフレームにおいてアップリンクデータを伝送するためのリソース要素ＲＥの量と異なる。
【０３１７】
端末デバイスは、第１のアップリンクサブフレームに対応する第１のＭＣＳまたは第１のＲＢを決定し、第２のアップリンクサブフレームに対応する第２のＭＣＳまたは第２のＲＢを決定する。
【０３１８】
端末デバイスは、第１のアップリンクサブフレームにおいて、第１のＭＣＳまたは第１のＲＢに対応する第１のアップリンクデータを伝送し、第２のアップリンクサブフレームにおいて、第２のＭＣＳまたは第２のＲＢに対応する第２のアップリンクデータを伝送する。
【０３１９】
マルチサブフレームスケジューリングでは、前述の実施形態において言及されたアップリンクサブフレームにおけるＣＳＩ伝送に加えて、アップリンクサブフレームにおけるＳＲＳ伝送またはアップリンクサブフレームにおけるＨＡＲＱ−ＡＣＫ伝送が、アップリンクデータ伝送のために使用され、Ｍ個のスケジュールされたアップリンクサブフレームの中の少なくとも２つのアップリンクサブフレーム内に含まれるリソース要素の量を異なるようにさせることがある。マルチユーザ多重化および／またはサブフレーム内のＣＣＡギャップ（ＣＣＡ  ｇａｐ）の予約も、アップリンクデータ伝送のために使用され、Ｍ個のスケジュールされたアップリンクサブフレームの中の少なくとも２つのアップリンクサブフレーム内に含まれるリソース要素の量を異なるようにさせることがあることを考慮すると、任意選択で、異なる量のリソース要素の表現形式は、異なるアップリンクサブフレームにおいてアップリンク情報を伝送するためのＯＦＤＭシンボルの量が異なることである、すなわち言い換えれば、異なるアップリンクサブフレームがブランクＯＦＤＭシンボルを含むもしくはこれを含まない、またはアップリンクサブフレーム内に含まれる特定の量のブランクＯＦＤＭシンボルが異なるケースがある。たとえば、図４に示されるように、４つのスケジュールされたアップリンクサブフレームにおいて、サブフレームｎ＋７においてアップリンク情報を伝送するためのＯＦＤＭシンボルの量は、別のサブフレーム（サブフレームｎ＋４、サブフレームｎ＋５、またはサブフレームｎ＋６など）においてアップリンク情報を伝送するためのＯＦＤＭシンボルの量よりも小さい、または、サブフレームｎ＋７におけるアップリンク情報伝送のためのブランクＯＦＤＭシンボルがある。このケースでは、異なるアップリンクサブフレーム内で搬送されるアップリンクデータのために、アップリンクデータ伝送に対応するＭＣＳまたはＲＢが、効率データ伝送を保証するために設定可能である。
【０３２０】
上記で説明されたように、端末デバイスは、第１のＭＣＳまたは第１のＲＢを直接的に決定し、第２のＭＣＳまたは第２のＲＢを直接的に決定してもよい。または、端末デバイスは、第１のＭＣＳもしくは第１のＲＢを直接的に決定し、次いで、第１のＭＣＳと第２のＭＣＳの間のＭＣＳオフセットを使用することによって第２のＭＣＳを決定してもよいし、第１のＲＢと第２のＲＢの間のオフセットを使用することによって第２のＲＢを決定してもよい。または、端末デバイスは、第２のＭＣＳもしくは第２のＲＢを直接的に決定し、次いで、第１のＭＣＳと第２のＭＣＳの間のＭＣＳオフセットを使用することによって第１のＭＣＳを決定してもよいし、第１のＲＢと第２のＲＢの間のＲＢオフセットを使用することによって第１のＲＢを決定してもよい。
【０３２１】
この様式では、第１のＭＣＳ、第２のＭＣＳ、第１のＲＢ、および第２のＲＢを決定する実装形態ならびに第１のＭＣＳと第２のＭＣＳの間のＭＣＳオフセットおよび第１のＲＢと第２のＲＢの間のＲＢオフセットを決定する実装形態は、上記で説明されたそれらと同じである。詳細は、本明細書において、さらに説明されない。
【０３２２】
対応して、この実装形態では、アクセスネットワークデバイスが、アクセスネットワークデバイスにスケジューリング情報を送信し、このスケジューリング情報は、Ｍ個のアップリンクサブフレームにおいて、スケジューリング情報によってスケジュールされたアップリンクデータを伝送するように端末デバイスに命令するために使用され、アップリンクデータは第１のアップリンクデータと第２のアップリンクデータとを含み、Ｍは２以上の正の整数であり、Ｍ個のアップリンクサブフレームは第１のアップリンクサブフレームと第２のアップリンクサブフレームとを含み、第１のアップリンクサブフレームにおいてアップリンクデータを伝送するためのリソース要素（Ｒｅｓｏｕｒｃｅ  Ｅｌｅｍｅｎｔ、ＲＥ）の量は、第２のアップリンクサブフレームにおいてアップリンクデータを伝送するためのリソース要素ＲＥの量と異なる。
【０３２３】
アクセスネットワークデバイスは、第１のアップリンクサブフレームに対応する第１のＭＣＳまたは第１のＲＢを決定し、第２のアップリンクサブフレームに対応する第２のＭＣＳまたは第２のＲＢを決定する。
【０３２４】
アクセスネットワークデバイスは、第１のアップリンクサブフレームにおいて、第１のＭＣＳまたは第１のＲＢに対応する第１のアップリンクデータを受信し、第２のアップリンクサブフレームにおいて、第２のＭＣＳまたは第２のＲＢに対応する第２のアップリンクデータを受信する。
【０３２５】
本発明のこの実施形態では、ＲＲＣシグナリングが上位層シグナリングと理解されてよいことが留意されるべきである。
【０３２６】
本発明のこの実施形態では、端末デバイスが、サブフレームｎにおいて、アクセスネットワークデバイスによって送信されたスケジューリング情報の部分を受信し、または、ＵＬグラント情報の部分を受信し、スケジューリング情報は、少なくとも２つのアップリンクサブフレームにおいて、スケジューリング情報によってスケジュールされたアップリンクデータを伝送するように端末デバイスに命令することが留意されるべきである。本発明のこの実施形態では、任意選択で、端末デバイスが、サブフレームｎにおいて、アクセスネットワークデバイスによって送信されたスケジューリング情報の複数の部分を受信し、このスケジューリング情報の複数の部分は、異なるＤＣＩ内で搬送されてよいが、同じサブフレーム内で搬送されてもよい、すなわち言い換えれば、端末デバイスが、ＵＬグラント情報の複数の部分を受信する。このケースでは、スケジューリング情報の複数の部分に対応するアップリンクサブフレームは、Ｍ個のアップリンクサブフレームと考慮されてよい。スケジューリング情報に対応するアップリンクサブフレームは、スケジューリング情報が、アップリンクサブフレームにおいてアップリンクデータを伝送するように端末デバイスに命令するために使用されることを意味する。
【０３２７】
本発明のこの実施形態では、端末デバイスが、サブフレームｎにおいて、アクセスネットワークデバイスによって送信されたスケジューリング情報の複数の部分を受信し、このスケジューリング情報の複数の部分が異なるＤＣＩ内で搬送される場合、端末デバイスによって決定され、アップリンク制御情報を搬送するために使用されるアップリンクサブフレームは、トリガ情報と同じＤＣＩ内にあるスケジューリング情報によってスケジュールされた複数のアップリンクサブフレームのうちの１つであることが留意されるべきである。
【０３２８】
本発明のこの実施形態では、任意選択で、Ｍ個のアップリンクサブフレームは、時間系列内で連続であってもよいし、任意選択で、Ｍ個のアップリンクサブフレームは、時間系列内で連続でなくてもよい。
【０３２９】
本発明のこの実施形態では、アップリンク制御情報を搬送するためのアップリンクサブフレームは、シグナリングによって示されてもよいし、あらかじめ構成されたルールに従って決定されてもよく、このあらかじめ構成されたルールは、たとえば、前述の実装形態を含んでよいことが留意されるべきである。
【０３３０】
本出願において提供されるいくつかの実施形態では、開示されるシステム、装置、および方法は、他の様式で実施されてよいことが理解されるべきである。たとえば、説明された装置実施形態は例にすぎない。たとえば、ユニット分割は、論理的な機能分割にすぎず、実際の実装形態では他の分割であってよい。たとえば、複数のユニットまたは構成要素が別のシステムへと組み合わされまたは統合されてもよいし、いくつかの特徴は、無視されてもよいし、実行されなくてもよい。加えて、表示されるまたは論じられる相互結合または直接的な結合もしくは通信接続は、いくつかのインタフェースを使用することによって実施されてよい。装置またはユニット間の間接的な結合または通信接続は、電子的な形、機械的な形、または他の形で実施されてよい。
【０３３１】
別個の部品として説明されるユニットは物理的に別個であってもなくてもよく、ユニットとして表示される部品は、物理的ユニットであってもなくてもよく、１つの位置に配置されてもよいし、複数のネットワークユニット上に分散されてもよい。ユニットのうちのいくつかまたはすべては、実施形態の解決策の目的を達成するように実際の要件に従って選択されてよい。
【０３３２】
加えて、本発明の実施形態における機能的ユニットが１つの処理ユニットへと統合されてもよいし、ユニットの各々が物理的に単独で存在してもよいし、２つ以上のユニットが１つのユニットへと統合される。たとえば、受信機と送信機が、１つのモジュール、たとえば、トランシーバまたはアンテナへと物理的に統合されてよい。
【０３３３】
当業者は、実施形態における方法のプロセスのうちのすべてまたはいくつかが、関連ハードウェアに命令するコンピュータプログラムによって実施されてよいことを理解し得る。プログラムは、コンピュータ可読記憶媒体内に記憶されてよい。プログラムが走るとき、実施形態における方法のプロセスが実行される。前述の記憶媒体は、磁気ディスク、光ディスク、読み出し専用メモリ（Ｒｅａｄ−Ｏｎｌｙ  Ｍｅｍｏｒｙ、ＲＯＭ）、またはランダムアクセスメモリ（Ｒａｎｄｏｍ  Ａｃｃｅｓｓ  Ｍｅｍｏｒｙ、ＲＡＭ）を含んでよい。
【０３３４】
要するに、前述の説明は、本発明の例示的な実施形態にすぎないが、本発明の保護範囲を制限することは意図されない。本発明の趣旨および原理から逸脱することなくなされるいかなる修正、等価な置き換え、または改善も、本発明の保護範囲に含まれるものとする。
【国際調査報告】
2019520734.tif 000054
2019520734.tif 000055
2019520734.tif 000056
2019520734.tif 000057